(57)【要約】  分析物データを無線通信するためのシステム、デバイス、および方法が開示される。これに関して、実施形態において、モバイルは、無線信号を伝送および受信するように構成されたトランシーバを含む。モバイルデバイスは、トランシーバに動作的に結合された回路を含む。モバイルデバイスはまた、回路に動作的に結合され、命令を記憶し、該命令は、実行されたときに、モバイルデバイスにいくつかの動作を行わせる、非一時的コンピュータ可読媒体を含む。１つのそのような動作は、第１のリンクを介して受信される第１の信号の導出物を取得することである。別のそのような動作は、第２のリンクを介して受信される第２の信号の導出物を取得することである。さらに別のそのような動作は、第１の信号の導出物と第２の信号の導出物との比較に基づいて、分析物センサシステムへの接続のための選択を生成することである。
2020504404.tif 000002
【特許請求の範囲】
【請求項１】
接続のためのデバイスを識別するための方法であって、前記方法が、
表示デバイスが、一組の分析物センサシステムの中から１つの分析物センサシステムを識別する入力を受信することと、
前記入力に基づいて、前記表示デバイスが、接続のための前記分析物センサシステムを選択することと、を含む、方法。
【請求項２】
前記入力が、前記分析物センサシステムと関連付けられた識別情報である、請求項１に記載の方法。
【請求項３】
前記識別情報が、前記分析物センサシステムと関連付けられた数字列を含む、請求項２に記載の方法。
【請求項４】
前記入力が、前記分析物センサシステムを一意的に識別する、請求項１に記載の方法。
【請求項５】
前記入力が、前記表示デバイスのＧＵＩを介して、ユーザから受信される、請求項１に記載の方法。
【請求項６】
前記ＧＵＩを介して、前記一組の分析物センサシステムの中から１つ以上の発見可能な分析物センサシステムのリストを提示することをさらに含む、請求項５に記載の方法。
【請求項７】
前記表示デバイスが、接続のための前記分析物センサシステムを選択することが、前記ユーザが前記表示デバイスの前記ＧＵＩおよびタッチスクリーンインターフェースを使用して前記リストから前記分析物センサシステムを手動で選択することに応答して行われる、請求項６に記載の方法。
【請求項８】
前記リストが、発見可能な分析物センサシステムのうちの１つ以上のそれぞれの識別情報を含む、請求項６に記載の方法。
【請求項９】
前記識別情報が、グラフィック、シンボル、コード、および文字列のうちの少なくとも１つを含む、請求項８に記載方法。
【請求項１０】
前記入力が、コード化された要素および画像のうちの１つに基づく、請求項１に記載の方法。
【請求項１１】
前記コード化された要素が、容量性インク、バーコード、ＱＲコード、およびステッカーのうちの１つを含む、請求項１０に記載方法。
【請求項１２】
前記表示デバイスが前記入力を受信することが、前記分析物センサシステムまたは前記分析物センサシステムの製品パッケージングから、前記コード化された要素をスキャンすることを含む、請求項１０に記載の方法。
【請求項１３】
分析物データを無線通信するように構成されたモバイルデバイスであって、前記モバイルデバイスが、
タッチスクリーンと、
カメラと、
無線信号を伝送および受信するように構成されたトランシーバと、
プロセッサであって、前記タッチスクリーン、前記カメラ、および前記トランシーバに動作的に結合され、表示デバイスに、
前記タッチスクリーンおよび前記カメラのうちの１つ以上を介して、一組の分析物センサシステムの中から１つの分析物センサシステムを識別する入力を受信することと、
前記入力に基づいて、接続のための前記分析物センサシステムを選択することと、を行わせるように構成されたプロセッサと、を備える、モバイルデバイス。
【請求項１４】
前記プロセッサが、前記表示デバイスのＧＵＩに、前記一組の分析物センサシステムの中から１つ以上の発見可能な分析物センサシステムのリストを提示させるようにさらに構成される、請求項１３に記載のモバイルデバイス。
【請求項１５】
前記プロセッサが、前記タッチスクリーンに、前記表示デバイスの前記ＧＵＩを介して提示される前記リストに基づいて、ユーザからの手動の前記入力を受信させるようにさらに構成される、請求項１４に記載のモバイルデバイス。
【請求項１６】
前記プロセッサが、前記表示デバイスの前記タッチスクリーンまたは前記カメラに、コード化された要素および画像のうちの１つ以上から前記入力を取得させるようにさらに構成される、請求項１３に記載のモバイルデバイス。
【請求項１７】
接続のためのデバイスを識別するための方法であって、前記方法が、
表示デバイスが、一組の分析物センサシステムのうちの１つの分析物センサシステムから第１の信号を受信することであって、前記第１の信号が、第１のリンクを介して受信される、前記受信することと、
前記表示デバイスが、前記第１の信号の導出物を判定することと、
前記表示デバイスが、前記第１の信号の前記導出物に基づいて、選択のための前記分析物センサシステムを識別することと、を含む、方法。
【請求項１８】
選択のための前記分析物センサシステムを識別することが、前記第１の信号の前記導出物を第１の閾値と比較することを含む、請求項１７に記載の方法。
【請求項１９】
選択のための前記分析物センサシステムを識別することが、前記第１の信号の前記導出物が少なくとも前記第１の閾値を満たすかどうかを判定することをさらに含む、請求項１８に記載の方法。
【請求項２０】
前記第１の信号の前記導出物が少なくとも前記第１の閾値を満たすと判定することに基づいて、接続のための前記分析物センサシステムを選択することをさらに含む、請求項１９に記載の方法。
【請求項２１】
前記表示デバイスが、前記分析物センサシステムから第２の信号を受信することと、
前記表示デバイスが、前記第２の信号の導出物を判定することと、
前記第２の信号の前記導出物に基づいて、接続のための前記分析物センサシステムを選択することと、をさらに含む、請求項１７に記載の方法。
【請求項２２】
前記信号が、第２のリンクを介して受信される、請求項２１に記載の方法。
【請求項２３】
接続のための前記分析物センサシステムを選択することが、前記第２の信号の前記導出物を第２の閾値と比較することを含む、請求項２１に記載の方法。
【請求項２４】
接続のための前記分析物センサシステムを選択することが、前記第２の信号の前記導出物が少なくとも前記第２の閾値を満たすかどうかを判定することをさらに含む、請求項２３に記載の方法。
【請求項２５】
接続のための前記分析物センサシステムを選択することが、前記第２の信号の前記導出物が少なくとも前記第２の閾値を満たすと判定することに応答して行われる、請求項２４に記載の方法。
【請求項２６】
接続のための前記分析物センサシステムを選択することが、
前記第１の信号の前記導出物を前記第２の閾値と比較することと、
前記第１の信号の前記導出物が少なくとも前記第２の閾値を満たさないかどうかを判定することと、をさらに含む、請求項２４に記載の方法。
【請求項２７】
接続のための前記分析物センサシステムを選択することが、前記第２の信号の前記導出物が少なくとも前記第２の閾値を満たし、かつ前記第１の信号の前記導出物が少なくとも前記第２の閾値を満たさないと判定することに応答して行われる、請求項２６に記載の方法。
【請求項２８】
接続のための前記分析物センサシステムを選択することが、前記第２の信号の前記導出物を第１の閾値と比較することを含む、請求項２１に記載の方法。
【請求項２９】
接続のための前記分析物センサシステムを選択することが、前記第２の信号の前記導出物が少なくとも前記第１の閾値を満たさないかどうかを判定することをさらに含む、請求項２８に記載の方法。
【請求項３０】
接続のための前記分析物センサシステムを選択することが、前記第２の信号の前記導出物が少なくとも前記第１の閾値を満たさないと判定することに応答して行われる、請求項２９に記載の方法。
【請求項３１】
前記第１の信号の前記導出物が、前記第１の信号の信号強度に基づく、請求項１７に記載の方法。
【請求項３２】
前記第１の信号の前記導出物が、前記第１の信号と関連付けられた受信信号強度指示（「ＲＳＳＩ」）である、請求項３１に記載の方法。
【請求項３３】
前記第１の信号の前記導出物が、前記第１の信号と関連付けられたビットエラー率（「ＢＥＲ」）に基づく、請求項１７に記載の方法。
【請求項３４】
前記第２の信号の前記導出物が、前記第２の信号の信号強度に基づく、請求項２１に記載の方法。
【請求項３５】
前記第２の信号の前記導出物が、前記第２の信号と関連付けられたＲＳＳＩを含む、請求項３４に記載の方法。
【請求項３６】
前記第２の信号の前記導出物が、前記第２の信号と関連付けられたＢＥＲに基づく、請求項２１に記載の方法。
【請求項３７】
前記第２の信号の前記導出物が、前記第２の信号と関連付けられたＢＥＲを含む、請求項２１に記載の方法。
【請求項３８】
分析物データを無線通信するように構成されたモバイルデバイスであって、前記モバイルデバイスが、
無線信号を伝送および受信するように構成されたトランシーバと、
前記トランシーバに動作的に結合された回路と、
非一時的コンピュータ可読媒体であって、前記回路に動作的に結合され、命令を記憶し、該命令が実行されたときに、表示デバイスに、
第１のリンクを介して、一組の分析物センサシステムのうちの１つの分析物センサシステムから第１の信号を受信することと、
前記第１の信号の導出物を判定することと、
前記第１の信号の前記導出物に基づいて、選択のための前記分析物センサシステムを識別することと、を行わせる、非一時的コンピュータ可読媒体と、を備える、モバイルデバイス。
【請求項３９】
前記非一時的コンピュータ可読媒体が、命令をさらに記憶し、該命令が実行されたときに、前記表示デバイスに、
前記第１の信号の前記導出物を第１の閾値と比較することと、
前記第１の信号の前記導出物が少なくとも前記第１の閾値を満たすかどうかを判定することと、
前記第１の信号の前記導出物が少なくとも前記第１の閾値を満たすという判定に基づいて、接続のための前記分析物センサシステムを選択することと、を行わせる、請求項３８に記載のモバイルデバイス。
【請求項４０】
前記非一時的コンピュータ可読媒体が、命令をさらに記憶し、該命令が実行されたときに、前記表示デバイスに、
前記分析物センサシステムから第２の信号を受信することと、
前記第２の信号の導出物を判定することと、
前記第２の信号の前記導出物に基づいて、接続のための前記分析物センサシステムを選択することと、を行わせる、請求項３８に記載のモバイルデバイス。
【請求項４１】
前記非一時的コンピュータ可読媒体が、命令をさらに記憶し、該命令が実行されたときに、前記表示デバイスに、
前記第２の信号の前記導出物を第２の閾値と比較することと、
前記第２の信号の前記導出物が少なくとも前記第２の閾値を満たすかどうかを判定することと、を行わせる、請求項４０に記載のモバイルデバイス。
【請求項４２】
前記非一時的コンピュータ可読媒体が、命令をさらに記憶し、該命令が実行されたときに、前記表示デバイスに、前記第２の信号の前記導出物が少なくとも前記第２の閾値を満たすという判定にさらに基づいて、接続のための前記分析物センサシステムを選択させる、請求項４１に記載のモバイルデバイス。
【請求項４３】
前記非一時的コンピュータ可読媒体が、命令をさらに記憶し、該命令が実行されたときに、前記表示デバイスに、
前記第１の信号の前記導出物を第２の閾値と比較することと、
前記第１の信号の導出物が少なくとも前記第２の閾値を満たさないかどうかを判定することと、を行わせる、請求項４０に記載のモバイルデバイス。
【請求項４４】
前記非一時的コンピュータ可読媒体が、命令をさらに記憶し、該命令が実行されたときに、前記表示デバイスに、前記第１の信号の前記導出物が少なくとも前記第２の閾値を満たさないという判定にさらに基づいて、接続のための前記分析物センサシステムを選択させる、請求項４３に記載のモバイルデバイス。
【請求項４５】
前記非一時的コンピュータ可読媒体が、命令をさらに記憶し、該命令が実行されたときに、前記表示デバイスに、
前記第２の信号の前記導出物を第１の閾値と比較することと、
前記第２の信号の前記導出物が少なくとも前記第１の閾値を満たさないかどうかを判定することと、
前記第２の信号の前記導出物が少なくとも前記第１の閾値を満たすという判定にさらに基づいて、接続のための前記分析物センサシステムを選択することと、を行わせる、請求項４０に記載のモバイルデバイス。
【請求項４６】
接続のためのデバイスを識別するための方法であって、前記方法が、
表示デバイスが、一組の分析物センサシステムのうちの１つの分析物センサシステムから第１の信号を受信することであって、前記第１の信号が、第１のリンクを介して受信される、前記受信することと、
前記表示デバイスが、前記第１の信号の導出物を取得することと、
前記第１の信号の前記導出物が下限閾値を満たすこと、またはそれを超えることに基づいて、前記表示デバイスが、選択のための前記分析物センサシステムを識別することと、を含む、方法。
【請求項４７】
前記第１の信号の前記導出物が上限閾値を満たすこと、またはそれを超えることに基づいて、接続のための前記分析物センサシステムを選択することをさらに含む、請求項４６に記載の方法。
【請求項４８】
前記表示デバイスが、前記分析物センサシステムから第２の信号を受信することであって、前記第２の信号が、第２のリンクを介して受信される、前記受信することと、
前記表示デバイスが、前記第２の信号の導出物を取得することと、をさらに含み、
接続のための前記分析物センサシステムを選択することが、前記第２の信号の前記導出物が前記下限閾値未満であることにさらに基づく、請求項４７に記載の方法。
【請求項４９】
前記表示デバイスが、前記分析物センサシステムから第２の信号を受信することと、
前記表示デバイスが、前記第２の信号の導出物を取得することと、
前記第２の信号の前記導出物が上限閾値を満たすこと、またはそれを超えることに基づいて、前記表示デバイスが、接続のための前記分析物センサシステムを選択することと、をさらに含む、請求項４６に記載の方法。
【請求項５０】
接続のための前記分析物センサシステムを選択することが、前記第１の信号の前記導出物が前記上限閾値を満たさない、またはそれを超えないことにさらに基づく、請求項４９に記載の方法。
【請求項５１】
前記第２の信号が、第２のリンクを介して受信される、請求項５０に記載の方法。
【請求項５２】
前記第２の信号が、第１のリンクを介して受信される、請求項４９に記載の方法。
【請求項５３】
前記第１の信号の前記導出物が前記上限閾値未満であることに基づいて、第２のリンクに従って前記表示デバイスを構成するための指示を生成することをさらに含む、請求項４９に記載の方法。
【請求項５４】
前記指示が、前記表示デバイスを前記分析物センサシステムのより近くに移動させるための命令を表す通信を含む、請求項５３に記載の方法。
【請求項５５】
前記置換デバイスが、前記表示デバイスのユーザに前記指示を提供することをさらに含む、請求項５４に記載の方法。
【請求項５６】
前記指示が、可聴通信、視覚通信、および触覚通信のうちの１つ以上を含む、請求項５４に記載の方法。
【請求項５７】
前記第１の信号の前記導出物が前記上限閾値を満たすこと、またはそれを超えることに基づいて、第２のリンクに従って前記表示デバイスを構成するための指示を生成することをさらに含む、請求項４９に記載の方法。
【請求項５８】
前記表示デバイスが、前記分析物センサシステムから第３の信号を受信することであって、前記第３の信号が、第３のリンクを介して受信される、前記受信することと、
前記表示デバイスが、前記第３の信号の導出物を取得することと、をさらに含み、
前記表示デバイスが、接続のための前記分析物センサシステムを選択することが、前記第３の信号の前記導出物が前記下限閾値未満であることにさらに基づく、請求項４９に記載の方法。
【請求項５９】
前記表示デバイスが、前記分析物センサシステムから第３の信号を受信することであって、前記第３の信号が、第３のリンクを介して受信される、前記受信することと、
前記表示デバイスが、前記第３の信号の導出物を取得することと、をさらに含み、
前記表示デバイスが、接続のための前記分析物センサシステムを選択することが、前記第３の信号の前記導出物が前記下限閾値未満であることにさらに基づく、請求項４９に記載の方法。
【請求項６０】
前記表示デバイスが、前記分析物センサシステムから第２の信号を受信することであって、前記第２の信号が、第２のリンクを介して受信される、前記受信することと、
前記表示デバイスが、前記第２の信号の導出物を取得することと、
前記第２の信号の前記導出物と前記第１の信号の前記導出物との比較に基づいて、前記表示デバイスが、接続のための前記分析物センサシステムを選択することと、をさらに含む、請求項４６に記載の方法。
【請求項６１】
接続のための前記分析物センサシステムを選択することが、前記第１の信号の前記導出物が上限閾値を満たすこと、またはそれを超えることにさらに基づき、前記第２の信号の前記導出物が、前記第１の信号の前記導出物未満である、請求項６０に記載の方法。
【請求項６２】
接続のための前記分析物センサシステムを選択することが、前記第２の信号の前記導出物が上限閾値を満たすこと、またはそれを超えることにさらに基づき、前記第１の信号の前記導出物が、前記第２の信号の前記導出物未満である、請求項６０に記載の方法。
【請求項６３】
前記表示デバイスが、前記分析物センサシステムから第３の信号を受信することであって、前記第３の信号が、第３のリンクを介して受信される、前記受信することと、
前記表示デバイスが、前記第３の信号の導出物を取得することと、をさらに含み、
前記表示デバイスが、接続のための前記分析物センサシステムを選択することが、前記第３の信号の前記導出物と前記第２の信号の前記導出物との比較にさらに基づく、請求項６０に記載の方法。
【請求項６４】
前記第２の信号の前記導出物が、上限閾値を超え、前記第３の信号の前記導出物が、前記第２の信号の前記導出物未満である、請求項６３に記載の方法。
【請求項６５】
前記第２の信号の前記導出物が、上限閾値を下回り、前記第３の信号の前記導出物が、前記第２の信号の前記導出物を超える、請求項６３に記載の方法。
【請求項６６】
前記表示デバイスが、前記第１のリンクを介して、前記分析物センサシステムに第１の応答信号を送信することと、
前記表示デバイスが、前記第１の応答信号の導出物を取得することと、をさらに含み、
前記表示デバイスが、選択のための前記分析物センサシステムを識別することが、前記第１の信号の前記導出物と前記第１の応答信号の前記導出物との比較にさらに基づく、請求項４６に記載の方法。
【請求項６７】
前記表示デバイスが、前記分析物センサシステムから前記第１の応答信号の前記導出物を受信することをさらに含み、前記第１の応答信号の前記導出物が、前記分析物センサシステムによって生成される、請求項６６に記載の方法。
【請求項６８】
前記分析物センサシステムの各々は、センサが前記分析物システムのセンサ電子機器モジュールに接続されたときから所定の時間量の後にアドバタイズメント信号の伝送を開始する、ウェークアップ回路を備え、前記所定の時間量が、前記分析物センサシステムに共通である、請求項４６に記載の方法。
【請求項６９】
分析物データを無線通信するように構成されたモバイルデバイスであって、前記モバイルデバイスが、
無線信号を伝送および受信するように構成されたトランシーバと、
前記トランシーバに動作的に結合された回路と、
非一時的コンピュータ可読媒体であって、前記回路に動作的に結合され、命令を記憶し、該命令が実行されたときに、表示デバイスに、
第１のリンクを介して、一組の分析物センサシステムのうちの１つの分析物センサシステムから第１の信号を受信することと、
前記第１の信号の導出物を取得することと、
前記第１の信号の前記導出物が下限閾値を満たすこと、またはそれを超えることに基づいて、選択のための前記分析物センサシステムを識別することと、を行わせる、非一時的コンピュータ可読媒体と、を備える、モバイルデバイス。
【請求項７０】
前記非一時的コンピュータ可読媒体が、命令をさらに記憶し、該命令が実行されたときに、前記表示デバイスに、前記第１の信号の前記導出物が上限閾値を満たすこと、またはそれを超えることに基づいて、接続のための前記分析物センサシステムを選択させる、請求項６９に記載のモバイルデバイス。
【請求項７１】
前記非一時的コンピュータ可読媒体が、命令をさらに記憶し、該命令が実行されたときに、前記表示デバイスに、
第２のリンクを介して、前記分析物センサシステムから第２の信号を受信することと、
前記第２の信号の導出物を取得することと、
前記第２の信号の前記導出物が前記下限閾値未満であること、または前記上限閾値を満たすこと、もしくはそれを超えることにさらに基づいて、接続のための前記分析物センサシステムを選択することと、を行わせる、請求項７０に記載のモバイルデバイス。
【請求項７２】
前記非一時的コンピュータ可読媒体が、命令をさらに記憶し、該命令が実行されたときに、前記表示デバイスに、前記第１の信号の前記導出物が前記上限閾値未満であるという判定に基づいて、前記第２のリンクに従って前記表示デバイスを構成するための指示を生成させる、請求項７１に記載のモバイルデバイス。
【請求項７３】
前記非一時的コンピュータ可読媒体が、命令をさらに記憶し、該命令が実行されたときに、前記表示デバイスに、前記第１の信号の前記導出物が前記上限閾値を満たす、またはそれを超えるという判定に基づいて、前記第２のリンクに従って前記表示デバイスを構成するための指示を生成させる、請求項７１に記載のモバイルデバイス。
【請求項７４】
接続のためのデバイスを識別するための方法であって、前記方法が、
分析物センサシステムが、一組の表示デバイスのうちの１つの表示デバイスから第１の信号を受信することであって、前記第１の信号が、第１のリンクを介して受信される、前記受信することと、
前記第１の信号の導出物が下限閾値を満たすこと、またはそれを超えることに基づいて、前記分析物センサシステムが、選択のための前記表示デバイスを識別することと、を含む、方法。
【請求項７５】
前記第１の信号の前記導出物が上限閾値を満たすこと、またはそれを超えることに基づいて、接続のための前記表示デバイスを選択することをさらに含む、請求項７４に記載の方法。
【請求項７６】
前記分析物センサシステムが、前記表示デバイスから第２の信号を受信することであって、前記第２の信号が、第２のリンクを介して受信される、前記受信することをさらに含み、
接続のための前記表示デバイスを選択することが、前記第２の信号の前記導出物が前記下限閾値未満であることにさらに基づく、請求項７５に記載の方法。
【請求項７７】
前記分析物センサシステムが、前記表示デバイスから第２の信号を受信することと、
前記分析物センサシステムが、前記第２の信号の導出物を取得することと、
前記第２の信号の前記導出物が上限閾値を満たすこと、またはそれを超えることに基づいて、前記分析物センサシステムが、接続のための前記表示デバイスを選択することと、をさらに含む、請求項７４に記載の方法。
【請求項７８】
接続のための前記表示デバイスを選択することが、前記第１の信号の前記導出物が、前記上限閾値を満たさないこと、またはそれを超えないことにさらに基づく、請求項７７に記載の方法。
【請求項７９】
前記第２の信号が、第２のリンクを介して受信される、請求項７８に記載の方法。
【請求項８０】
前記第２の信号が、前記第１のリンクを介して受信される、請求項７７に記載の方法。
【請求項８１】
前記第１の信号の前記導出物が前記上限閾値未満であることに基づいて、第２のリンクに従って前記表示デバイスを構成するための指示を生成することをさらに含む、請求項７７に記載の方法。
【請求項８２】
前記指示が、前記表示デバイスを前記分析物センサシステムのより近くに移動させるための命令を表す通信を含む、請求項８１に記載の方法。
【請求項８３】
前記指示が前記表示デバイスのユーザに提供されるように、前記置換デバイスに前記指示を送信することをさらに含む、請求項８２に記載の方法。
【請求項８４】
前記指示が、可聴通信、視覚通信、および触覚通信のうちの１つ以上を含む、請求項８２に記載の方法。
【請求項８５】
前記第１の信号の前記導出物が前記上限閾値を満たすこと、またはそれを超えることに基づいて、第２のリンクに従って前記表示デバイスを構成するための指示を生成することをさらに含む、請求項７７に記載の方法。
【請求項８６】
前記分析物センサシステムが、前記表示デバイスから第３の信号を受信することであって、前記第３の信号が、第３のリンクを介して受信される、前記受信することと、
前記分析物センサシステムが、前記第３の信号の導出物を取得することと、をさらに含み、
前記分析物センサシステムが、接続のための前記表示デバイスを選択することは、前記第３の信号の前記導出物が前記下限閾値未満であることにさらに基づく、請求項７７に記載の方法。
【請求項８７】
前記分析物センサシステムが、前記表示デバイスから第３の信号を受信することであって、前記第３の信号が、第３のリンクを介して受信される、前記受信することと、
前記分析物センサシステムが、前記第３の信号の導出物を判定することと、をさらに含み、
前記分析物センサシステムが、接続のための前記表示デバイスを選択することは、前記第３の信号の前記導出物が前記下限閾値未満であることにさらに基づく、請求項７７に記載の方法。
【請求項８８】
前記分析物センサシステムが、前記表示デバイスから第２の信号を受信することであって、前記第２の信号が、第２のリンクを介して受信される、前記受信することをさらに含み、
前記分析物センサシステムが、前記第２の信号の導出物を取得することと、
前記第２の信号の前記導出物と前記第１の信号の前記導出物との比較に基づいて、前記分析物センサシステムが、接続のための前記表示デバイスを選択することと、をさらに含む、請求項７４に記載の方法。
【請求項８９】
接続のための前記表示デバイスを選択することが、前記第１の信号の前記導出物が、上限閾値を満たすこと、またはそれを超えることにさらに基づき、前記第２の信号の前記導出物が、前記第１の信号の前記導出物未満である、請求項８８に記載の方法。
【請求項９０】
接続のための前記表示デバイスを選択することが、前記第２の信号の前記導出物が、上限閾値を満たすこと、またはそれを超えることにさらに基づき、前記第１の信号の前記導出物が、前記第２の信号の前記導出物未満である、請求項８８に記載の方法。
【請求項９１】
前記分析物センサシステムが、前記表示デバイスから第３の信号を受信することであって、前記第３の信号が、第３のリンクを介して受信される、前記受信することと、
前記分析物センサシステムが、前記第３の信号の導出物を取得することと、をさらに含み、
前記分析物センサシステムが、接続のための前記表示デバイスを選択することが、前記第３の信号の前記導出物と前記第２の信号の前記導出物との比較にさらに基づく、請求項８８に記載の方法。
【請求項９２】
前記第２の信号の前記導出物が、上限閾値を満たし、または超え、前記第３の信号の前記導出物が、前記第２の信号の前記導出物未満である、請求項９１に記載の方法。
【請求項９３】
前記第２の信号の前記導出物が、上限閾値を下回り、前記第３の信号の前記導出物が、前記第２の信号の前記導出物を超える、請求項９１に記載の方法。
【請求項９４】
加速度計からのユーザ入力の表現を生成することをさらに含み、接続のための前記表示デバイスを選択することが、前記加速度計からの前記ユーザ入力の前記表現にさらに基づく、請求項７４に記載の方法。
【請求項９５】
ユーザが前記ユーザ入力を提供するためのプロンプトを開始することをさらに含む、請求項９４に記載の方法。
【請求項９６】
前記ユーザ入力が、前記ユーザが前記分析物センサシステムに物理的に接触することに基づく、請求項９５に記載の方法。
【請求項９７】
分析物データを無線通信するように構成された分析物センサシステムであって、前記分析物センサシステムが、
分析物センサと、
無線信号を伝送および受信するように構成されたトランシーバと、
プロセッサであって、前記分析物センサおよび前記トランシーバに動作的に結合され、また、前記分析物センサシステムに、
第１のリンクを介して、一組の表示デバイスのうちの１つの表示デバイスから第１の信号を受信することと、
前記第１の信号の導出物を取得することと、
前記第１の信号の前記導出物が下限閾値を満たすこと、またはそれを超えることに基づいて、選択のための前記表示デバイスを識別することと、を行わせるように構成されたプロセッサと、を備える、分析物センサシステム。
【請求項９８】
前記プロセッサが、前記分析物センサシステムに、前記第１の信号の前記導出物が上限閾値を満たすこと、またはそれを超えることに基づいて、接続のための前記表示デバイスを選択させるようにさらに構成される、請求項９７に記載の分析物センサシステム。
【請求項９９】
前記プロセッサが、前記分析物センサシステムに、
第２のリンクを介して、前記表示デバイスから第２の信号を受信することと、
前記第２の信号の導出物を取得することと、
前記第２の信号の前記導出物が前記下限閾値未満であること、または前記上限閾値を満たすこと、もしくはそれを超えることにさらに基づいて、接続のための前記表示デバイスを選択することと、を行わせるようにさらに構成される、請求項９８に記載の分析物センサシステム。
【請求項１００】
前記プロセッサが、前記分析物センサシステムに、前記第１の信号の前記導出物が前記上限閾値未満であるという判定に基づいて、前記第２のリンクに従って前記表示デバイスを構成するための指示を生成させるようにさらに構成される、請求項９９に記載の分析物センサシステム。
【請求項１０１】
前記プロセッサが、前記分析物センサシステムに、前記第１の信号の前記導出物が前記上限閾値を満たす、またはそれを超えるという判定に基づいて、前記第２のリンクに従って前記表示デバイスを構成するための指示を生成させるようにさらに構成される、請求項９９に記載の分析物センサシステム。
【請求項１０２】
接続のためのデバイスを識別するための方法であって、前記方法が、
表示デバイスが、第１のリンクを介して受信される第１の信号の導出物を取得することと、
前記第１の信号の前記導出物が下限閾値を満たすこと、またはそれを超えることに基づいて、前記表示デバイスが、選択のための識別を生成することと、を含む、方法。
【請求項１０３】
前記第１の信号の前記導出物が上限閾値を満たすこと、またはそれを超えることに基づいて、接続のための選択を生成することをさらに含む、請求項１０２に記載の方法。
【請求項１０４】
前記表示デバイスが、第２のリンクを介して受信される第２の信号の導出物を取得することをさらに含み、
接続のための前記選択を生成することが、前記第２の信号の前記導出物が前記下限閾値未満であることにさらに基づく、請求項１０３に記載の方法。
【請求項１０５】
前記表示デバイスが、第２の信号の導出物を取得することと、
前記表示デバイスが、前記第２の信号の前記導出物が上限閾値を満たすこと、またはそれを超えることに基づいて、接続のための選択を生成することと、をさらに含む、請求項１０２に記載の方法。
【請求項１０６】
接続のための前記選択を生成することが、前記第１の信号の前記導出物が前記上限閾値を満たさないこと、またはそれを超えないことにさらに基づく、請求項１０５に記載の方法。
【請求項１０７】
前記第２の信号が、第２のリンクを介して受信される、請求項１０６に記載の方法。
【請求項１０８】
前記第２の信号が、前記第１のリンクを介して受信される、請求項１０５に記載の方法。
【請求項１０９】
前記第１の信号の前記導出物が前記上限閾値未満であることに基づいて、第２のリンクに従って前記表示デバイスを構成するための指示を生成することをさらに含む、請求項１０５に記載の方法。
【請求項１１０】
前記指示が、前記表示デバイスを分析物センサシステムのより近くに移動させるための命令を表す通信を含む、請求項１０９に記載の方法。
【請求項１１１】
前記指示が前記表示デバイスのユーザに提供されるように、前記置換デバイスに前記指示を送信することをさらに含む、請求項１１０に記載の方法。
【請求項１１２】
前記指示が、可聴通信、視覚通信、および触覚通信のうちの１つ以上を含む、請求項１１０に記載の方法。
【請求項１１３】
前記第１の信号の前記導出物が前記上限閾値を満たすこと、またはそれを超えることに基づいて、第２のリンクに従って前記表示デバイスを構成するための指示を生成することをさらに含む、請求項１０５に記載の方法。
【請求項１１４】
前記表示デバイスが、第３のリンクを介して受信される第３の信号の導出物を取得することをさらに含み、
前記表示デバイスが、接続のための前記選択を生成することが、前記第３の信号の前記導出物が前記下限閾値未満であることにさらに基づく、請求項１０５に記載の方法。
【請求項１１５】
前記表示デバイスが、第３のリンクを介して受信される第３の信号の導出物を取得することをさらに含み、
前記表示デバイスが、接続のための前記選択を生成することは、前記第３の信号の前記導出物が前記上限閾値を満たすこと、またはそれを超えることにさらに基づく、請求項１０５に記載の方法。
【請求項１１６】
前記表示デバイスが、第２のリンクを介して受信される第２の信号の導出物を取得することと、
前記第２の信号の前記導出物と前記第１の信号の前記導出物との比較に基づいて、前記表示デバイスが、接続のための選択を生成することと、をさらに含む、請求項１０２に記載の方法。
【請求項１１７】
前記表示デバイスが、接続のための前記選択を生成することが、前記第１の信号の前記導出物が上限閾値を満たすこと、またはそれを超えることにさらに基づき、前記第２の信号の前記導出物が、前記第１の信号の前記導出物未満である、請求項１１６に記載の方法。
【請求項１１８】
前記表示デバイスが、接続のための前記選択を生成することが、前記第２の信号の前記導出物が上限閾値を満たすこと、またはそれを超えることにさらに基づき、前記第１の信号の前記導出物が、前記第２の信号の前記導出物未満である、請求項１１６に記載の方法。
【請求項１１９】
前記表示デバイスが、第３のリンクを介して受信される第３の信号の導出物を取得することをさらに含み、
表示デバイスが、接続のための前記選択を生成することが、前記第３の信号の前記導出物と前記第２の信号の前記導出物との比較にさらに基づく、請求項１１６に記載の方法。
【請求項１２０】
前記第２の信号の前記導出物が、上限閾値を満たし、または超え、前記第３の信号の前記導出物が、前記第２の信号の前記導出物未満である、請求項１１９に記載の方法。
【請求項１２１】
前記第２の信号の前記導出物が、上限閾値未満であり、前記第３の信号の前記導出物が、前記第２の信号の前記導出物を超える、請求項１１９に記載の方法。
【請求項１２２】
加速度計へのユーザ入力の表現を受信することをさらに含み、接続のための前記選択を生成することが、前記ユーザ入力の前記表現にさらに基づく、請求項１０３に記載の方法。
【請求項１２３】
ユーザが前記ユーザ入力を分析物センサシステムに提供するためのプロンプトを提示することをさらに含む、請求項１２２に記載の方法。
【請求項１２４】
前記ユーザ入力が、前記ユーザが前記分析物センサシステムをタップすることに基づく、請求項１２３に記載の方法。
【請求項１２５】
分析物センサシステムをトリガーして前記表示デバイスに前記第１の信号を送信するために、前記表示デバイスが、前記分析物センサシステムに物理的に接触するようユーザに促すことをさらに含む、請求項１０２に記載の方法。
【請求項１２６】
分析物データを無線通信するように構成されたモバイルデバイスであって、前記モバイルデバイスが、
無線信号を伝送および受信するように構成されたトランシーバと、
前記トランシーバに動作的に結合された回路と、
非一時的コンピュータ可読媒体であって、前記回路に動作的に結合され、命令を記憶し、該命令が実行されたときに、前記モバイルデバイスに、
第１のリンクを介して受信される第１の信号の導出物を取得することと、
前記第１の信号の導出物が下限閾値を満たすこと、またはそれを超えることに基づいて、選択のための識別を生成することと、を行わせる、非一時的コンピュータ可読媒体と、を備える、モバイルデバイス。
【請求項１２７】
前記非一時的コンピュータ可読媒体が、命令をさらに記憶し、該命令が実行されたときに、前記モバイルデバイスに、前記第１の信号の前記導出物が上限閾値を満たすこと、またはそれを超えることに基づいて、接続のための選択を生成させる、請求項１２６に記載のモバイルデバイス。
【請求項１２８】
前記非一時的コンピュータ可読媒体が、命令をさらに記憶し、該命令が実行されたときに、前記モバイルデバイスに、
第２のリンクを介して受信される第２の信号の導出物を取得することと、
前記第２の信号の前記導出物が前記下限閾値未満であること、または前記上限閾値を満たすこと、もしくはそれを超えることにさらに基づいて、接続のための前記選択を生成することと、を行わせる、請求項１２７に記載のモバイルデバイス。
【請求項１２９】
前記非一時的コンピュータ可読媒体が、命令をさらに記憶し、該命令が実行されたときに、前記モバイルデバイスに、前記第１の信号の前記導出物が前記上限閾値を満たさないこと、またはそれを超えないことにさらに基づいて、接続のための前記選択を生成させる、請求項１２８に記載のモバイルデバイス。
【請求項１３０】
前記非一時的コンピュータ可読媒体が、命令をさらに記憶し、該命令が実行されたときに、前記モバイルデバイスに、
第３のリンクを介して受信される第３の信号の導出物を取得することと、
前記第３の信号の前記導出物が前記上限閾値を満たすこと、もしくはそれを超えること、または前記下限閾値未満であることにさらに基づいて、接続のための前記選択を生成することと、を行わせる、請求項１２８に記載のモバイルデバイス。
【請求項１３１】
前記非一時的コンピュータ可読媒体が、命令をさらに記憶し、該命令が実行されたときに、前記モバイルデバイスに、
第２のリンクを介して受信される第２の信号の導出物を取得することと、
前記第２の信号の前記導出物と前記第１の信号の前記導出物との比較に基づいて、接続のための前記選択を生成することと、を行わせる、請求項１２６に記載のモバイルデバイス。
【請求項１３２】
前記非一時的コンピュータ可読媒体が、命令をさらに記憶し、該命令が実行されたときに、前記モバイルデバイスに、
第３のリンクを介して受信される第３の信号の導出物を取得することと、
前記第３の信号の前記導出物と前記第２の信号の前記導出物との比較にさらに基づいて、接続のための前記選択を生成することと、行わせる、請求項１３１に記載のモバイルデバイス。
【請求項１３３】
加速度計をさらに備え、前記非一時的コンピュータ可読媒体が、命令をさらに記憶し、前記命令が実行されたときに、前記モバイルデバイスに、
前記加速度計へのユーザ入力の表現を受信することと、
前記ユーザ入力の前記表現との比較にさらに基づいて、接続のための前記選択を生成することと、を行わせる、請求項１２７に記載のモバイルデバイス。
【請求項１３４】
接続のためのデバイスを識別するための方法であって、前記方法が、
表示デバイスが、第１のリンクを介して受信される第１の信号の導出物を取得することと、
前記表示デバイスが、第２のリンクを介して受信される第２の信号の導出物を取得することと、
前記表示デバイスが、前記第１の信号の前記導出物と前記第２の信号の前記導出物との比較に基づいて、接続のための選択を生成することと、を含む、方法。
【請求項１３５】
前記第１の信号の前記導出物と前記第２の信号の前記導出物との差を算出することと、
前記差を所定の値と比較することによって、前記比較を生成することと、をさらに含む、請求項１３４に記載の方法。
【請求項１３６】
前記第１の信号の前記導出物と前記第２の信号の前記導出物との差を算出することと、
前記差の絶対値を所定の値と比較することによって、前記比較を生成すること、をさらに含む、請求項１３４に記載の方法。
【請求項１３７】
前記表示デバイスが、第３のリンクを介して受信される第３の信号の導出物を取得することをさらに含み、
前記表示デバイスが、接続のための前記選択を生成することが、第２の導出物と第３の導出物との比較にさらに基づく、請求項１３４に記載の方法。
【請求項１３８】
前記第１の信号の前記導出物と前記第２の信号の前記導出物との第１の差を算出することと、
前記表示デバイスが、第３のリンクを介して受信される第３の信号の導出物を取得することをさらに含み、
前記第３の信号の前記導出物と前記第２の信号の前記導出物との第２の差を算出することと、をさらに含み、
前記表示デバイスが接続のための前記選択を生成することが、前記第１の差と前記第２の差との比較にさらに基づく、請求項１３４に記載の方法。
【請求項１３９】
分析物データを無線通信するように構成されたモバイルデバイスであって、前記モバイルデバイスが、
無線信号を伝送および受信するように構成されたトランシーバと、
前記トランシーバに動作的に結合された回路と、
非一時的コンピュータ可読媒体であって、前記回路に動作的に結合され、命令を記憶し、該命令が実行されたときに、前記モバイルデバイスに、
第１のリンクを介して受信される第１の信号の導出物を取得することと、
第２のリンクを介して受信される第２の信号の導出物を取得することと、
前記第１の信号の前記導出物と前記第２の信号の前記導出物との比較に基づいて、接続のための選択を生成することと、を行わせる、非一時的コンピュータ可読媒体と、を備える、モバイルデバイス。
【請求項１４０】
前記非一時的コンピュータ可読媒体が、命令をさらに記憶し、該命令が実行されたときに、前記モバイルデバイスに、
前記第１の信号の前記導出物と前記第２の信号の前記導出物との差を算出することと、
前記差を所定の値と比較することによって、前記比較を生成することと、を行わせる、請求項１３９に記載のモバイルデバイス。
【請求項１４１】
接続のためのデバイスを識別するための方法であって、前記方法が、
一組の表示デバイスのうちの１つの表示デバイスが、一組の分析物センサシステムのうちの１つの分析物センサシステムとの接続を確立することと、
前記接続の持続時間が所定の時間量を超えることに基づいて、前記表示デバイスが、前記分析物センサシステムへの接続のための確認を生成することと、を含む、方法。
【請求項１４２】
一組のモバイルデバイスのうちの１つのモバイルデバイスであって、前記モバイルデバイスが、分析物データを無線通信するように構成され、前記モバイルデバイスが、
無線信号を伝送および受信するように構成されたトランシーバと、
前記トランシーバに動作的に結合された回路と、
非一時的コンピュータ可読媒体であって、前記回路に動作的に結合され、命令を記憶し、該命令が実行されたときに、表示デバイスに、
一組の分析物センサシステムのうちの１つの分析物センサシステムとの接続を確立することと、
前記接続の持続時間が所定の時間量を超えることに基づいて、前記分析物センサシステムへの接続のための確認を生成することと、を行わせる、非一時的コンピュータ可読媒体と、を備える、モバイルデバイス。
【請求項１４３】
接続のためのデバイスを識別するための方法であって、前記方法が、
表示デバイスと分析物センサシステムとの間の接続のための選択を生成するための複数のモードのうちの１つで動作することを含み、
前記複数のモードのうちの第１のモードで動作することが、
一組の分析物センサシステムの中から前記分析物センサシステムを識別する、前記分析物センサシステムに関する入力を受信することと、
前記入力に基づいて、前記分析物センサシステムとの接続のための前記選択を生成することと、を含み、
前記複数のモードのうちの第２のモードで動作することが、
第１のリンクを介して受信される第１の信号の導出物を取得することと、
前記第１の信号の導出物に基づいて、選択のための識別を生成することと、
選択のための前記識別、ならびに第２の信号の導出物およびユーザ入力のうちの１つ以上に基づいて、接続のための選択を生成すること、を含み、
前記複数のモードのうちの第３のモードで動作することが、
前記表示デバイスと前記分析物センサシステムとの間の接続を形成することと、
少なくとも所定の時間量にわたって接続を維持することに基づいて、接続のための確認を生成することと、を含む、方法。
【請求項１４４】
前記分析物センサシステムを識別する、前記分析物センサシステムに関する前記入力は、
前記分析物センサシステムの識別番号、
前記分析物センサシステムに対しての文字識別子、
獲得したコード化された要素、
獲得した画像、および
リストから前記分析物センサシステムを選択する入力、のうちの１つを含む、請求項１４３に記載の方法。
【請求項１４５】
前記第１の信号の前記導出物が、前記第１の信号のＲＳＳＩに基づき、前記第２の信号の前記導出物が、前記第２の信号のＲＳＳＩに基づく、請求項１４３に記載の方法。
【請求項１４６】
前記第２のモードで動作することが、
前記第１の信号の前記導出物と前記第２の信号の前記導出物との差を算出することと、
前記差を閾値と比較することと、
前記差が前記閾値を超えた場合に、接続のための前記選択を確認することと、をさらに含む、請求項１４５に記載の方法。
【請求項１４７】
前記分析物センサシステムが前記第１の信号の伝送を開始するために、前記分析物センサシステムの加速度計への入力を提供させるための命令をユーザに提示することをさらに含む、請求項１４３に記載の方法。
【請求項１４８】
接続のためのデバイスを識別するためのシステムであって、
分析物センサシステムと、
モバイルデバイスと、を備え、
前記分析物センサシステムおよび前記モバイルデバイスが、前記モバイルデバイスと前記分析物センサシステムとの間の接続のための選択を生成するための複数のモードのうちの１つで動作するように構成され、
前記複数のモードのうちの第１のモードでの動作のために、前記モバイルデバイスが、
一組の分析物センサシステムの中から前記分析物センサシステムを識別する、前記分析物センサシステムに関する入力を受信し、また、
前記入力に基づいて、前記分析物センサシステムとの接続のための前記選択を生成するように構成され、
前記複数のモードのうちの第２のモードでの動作のために、前記モバイルデバイスが、
第１のリンクを介して受信される第１の信号の導出物を取得することと、
前記第１の信号の前記導出物に基づいて、選択のための識別を生成し、また、
選択のための前記識別、ならびに第２の信号の導出物およびユーザ入力のうちの１つ以上に基づいて、接続のための選択を生成するように構成され、
前記複数のモードのうちの第３のモードでの動作のために、前記モバイルデバイスが、
表示デバイスと前記分析物センサシステムとの間の接続を形成し、また、
少なくとも所定の時間量にわたって接続を維持することに基づいて、接続のための確認を生成するように構成された、システム。
【請求項１４９】
分析物データを無線通信するための方法であって、前記方法が、
分析物センサシステムと表示デバイスとの間の第１の接続を確立することと、
前記第１の接続中に、前記分析物センサシステムと前記表示デバイスとの間で認証に関連する情報を交換することであって、認証に関連する前記情報が、アプリケーション鍵を含む、前記交換することと、
前記分析物センサシステムが、前記表示デバイスに暗号化された分析物値を伝送することであって、前記暗号化された分析物値が、前記アプリケーション鍵に基づいて生成されている、前記伝送することと、を含む、方法。
【請求項１５０】
所定の時間量の経過、
前記分析物センサシステムまたは前記表示デバイスの再開、
別のデバイスが前記分析物センサシステムへの接続を試みることに関連するトリガー、および
ユーザ入力、のうちの１つ以上に応答して、前記アプリケーション鍵を修正することをさらに含む、請求項１４９に記載の方法。
【請求項１５１】
前記アプリケーション鍵が、前記表示デバイスによってサーバから受信したものである、請求項１４９に記載の方法。
【請求項１５２】
各分析物センサシステムについて、前記サーバが、前記アプリケーション鍵を前記分析物センサシステムの識別情報と関連付ける、請求項１５１に記載の方法。
【請求項１５３】
前記アプリケーション鍵が、前記表示デバイスが前記サーバに前記分析物センサシステムの前記識別情報を提供することに応答して、前記表示デバイスによって前記サーバから受信したものである、請求項１５２に記載の方法。
【請求項１５４】
分析物データを無線通信するように構成された分析物センサシステムであって、前記分析物センサシステムが、
分析物センサと、
無線信号を伝送および受信するように構成されたトランシーバと、
プロセッサであって、前記分析物センサおよび前記トランシーバに動作的に結合され、また、前記分析物センサシステムに、
前記分析物センサシステムと表示デバイスとの間の第１の接続を確立することと、
前記第１の接続中に、前記分析物センサシステムと前記表示デバイスとの間で認証に関連する情報を交換することであって、認証に関連する前記情報が、アプリケーション鍵を含む、前記交換することと、
第１の間隔中に認証が行われたかどうかに関する判定を行うことと、
前記表示デバイスに暗号化された分析物値を伝送することであって、前記暗号化された分析物値が、前記アプリケーション鍵に基づいて生成されたものである、前記伝送することと、を行わせるように構成された、プロセッサと、を備える、分析物センサシステム。
【請求項１５５】
前記アプリケーション鍵が、サーバに前記分析物センサシステムの識別情報が提供されることに応答して、前記サーバから受信したものである、請求項１５４に記載の分析物センサシステム。
【請求項１５６】
分析物データを無線通信するための方法であって、前記方法が、
接続パラメータの提案を受信することであって、前記提案が、前記接続パラメータの１つ以上の提案値を含む、前記受信することと、
前記提案が、許容可能であるかどうかを判定することと、
前記提案が許容可能であるかどうかを判定することに基づいて、前記提案に対する応答を生成することと、を含む、方法。
【請求項１５７】
前記応答が許容可能な提案値の受諾を示す場合に、前記１つ以上の提案値のうちの前記許容可能な提案値に基づいて、表示デバイスと分析物センサシステムとの間の接続を修正することをさらに含む、請求項１５６に記載の方法。
【請求項１５８】
前記応答が許容可能な提案値の受諾を示す場合に、前記１つ以上の提案値のうちの前記許容可能な提案値に基づいて、表示デバイスと分析物センサシステムとの間の接続を確立することをさらに含む、請求項１５６に記載の方法。
【請求項１５９】
前記応答が前記接続パラメータの前記提案値以外の前記接続パラメータの値の選好を示す場合に、反対提案を送信することをさらに含み、前記反対提案が、前記接続パラメータの１つ以上の反対提案値を含む、請求項１５６に記載の方法。
【請求項１６０】
前記反対提案に対する応答を受信することと、
前記反対提案に対する前記応答が前記反対提案値のうちの１つ以上の受諾を示す場合に、前記反対提案値のうちの少なくとも１つに基づいて、表示デバイスと分析物センサシステムとの間の接続を修正することと、をさらに含む、請求項１５９に記載の方法。
【請求項１６１】
前記反対提案に対する応答を受信することと、
前記反対提案に対する前記応答が前記反対提案値の否認を示す場合に、表示デバイスと分析物センサシステムとの間の接続を終了することと、をさらに含む、請求項１５９に記載の方法。
【請求項１６２】
前記反対提案に対する応答を受信することと、
前記反対提案に対する前記応答が前記反対提案値のうちの１つ以上の受諾を示す場合に、前記反対提案値のうちの少なくとも１つに基づいて、表示デバイスと分析物センサシステムとの間の接続を確立することと、をさらに含む、請求項１５９に記載の方法。
【請求項１６３】
前記反対提案に対する応答を受信することと、
前記反対提案に対する前記応答が前記反対提案値の否認を示す場合に、接続拒否決定を生成することと、をさらに含む、請求項１５９に記載の方法。
【請求項１６４】
前記接続パラメータが、接続間隔、スレーブ待ち時間、および監視タイムアウトからなる群から選択される、請求項１５６に記載の方法。
【請求項１６５】
前記提案が、分析物センサシステムの予期される動作時間に基づく、請求項１５６に記載の方法。
【請求項１６６】
前記提案が、ユーザのグルコースレベルに基づく、請求項１５６に記載の方法。
【請求項１６７】
前記提案が、サービス品質、時刻、場所、または、バッテリの状態、のうちの１つ以上に基づく、請求項１５６に記載の方法。
【請求項１６８】
第１の接続モデルに従って接続を要求することと、
前記提案が許容可能でないと判定することに応答して、第２の接続モデルに従って接続を要求することと、をさらに含む、請求項１５６に記載の方法。
【請求項１６９】
前記提案が許容可能でないと判定することに応答して、表示デバイスと分析物センサシステムとの間の接続を終了することをさらに含む、請求項１５６に記載の方法。
【請求項１７０】
前記接続を終了することに関連する通知を提供することをさらに含む、請求項１６９に記載の方法。
【請求項１７１】
分析物データを無線通信するように構成された分析物センサシステムであって、前記分析物センサシステムが、
分析物センサと、
無線信号を伝送および受信するように構成されたトランシーバと、
プロセッサであって、前記分析物センサおよび前記トランシーバに動作的に結合され、また、前記分析物センサシステムに、
接続パラメータの提案を受信することであって、前記提案が、前記接続パラメータの１つ以上の提案値を含む、前記受信することと、
前記提案が許容可能かどうかを判定することと、
前記提案が許容可能であるという判定に基づいて、前記提案に対する応答を生成することと、を行わせるように構成された、プロセッサと、を備える、分析物センサシステム。
【請求項１７２】
前記プロセッサが、前記分析物センサシステムに、前記応答が許容可能な提案値を許容可能であると示す場合に、前記１つ以上の提案値のうちの許容可能な提案値に基づいて、表示デバイスと前記分析物センサシステムとの間の接続を修正させるようにさらに構成される、請求項１７１に記載の分析物センサシステム。
【請求項１７３】
前記プロセッサが、前記分析物センサシステムに、前記応答が許容可能な提案値を許容可能であると示す場合に、前記１つ以上の提案値のうちの前記許容可能な提案値に基づいて、表示デバイスと前記分析物センサシステムとの間の接続を確立させるようにさらに構成される、請求項１７１に記載の分析物センサシステム。
【請求項１７４】
前記プロセッサが、前記分析物センサシステムに、前記応答が前記接続パラメータの前記提案値以外の前記接続パラメータの値の選好を示す場合に、反対提案を送信させるようにさらに構成され、前記反対提案が、前記接続パラメータの１つ以上の反対提案値を含む、請求項１７１に記載の分析物センサシステム。
【請求項１７５】
前記プロセッサが、前記分析物センサシステムに、
前記反対提案に対する応答を受信することと、
前記反対提案に対する前記応答が前記反対提案値のうちの１つ以上の受諾を示す場合に、前記反対提案値の少なくとも１つに基づいて、表示デバイスと前記分析物センサシステムとの間の接続を修正することと、を行わせるようにさらに構成される、請求項１７４に記載の分析物センサシステム。
【請求項１７６】
前記プロセッサが、前記分析物センサシステムに、
前記反対提案に対する応答を受信することと、
前記反対提案に対する前記応答が前記反対提案値の否認を示す場合に、表示デバイスと前記分析物センサシステムとの間の接続を終了することと、行わせるようにさらに構成される、請求項１７４に記載の分析物センサシステム。
【請求項１７７】
前記プロセッサが、前記分析物センサシステムに、
前記反対提案に対する応答を受信することと、
前記反対提案に対する前記応答が前記反対提案値のうちの１つ以上の受諾を示す場合に、前記反対提案値の少なくとも１つに基づいて、表示デバイスと前記分析物センサシステムとの間の接続を確立することと、を行わせるようにさらに構成される、請求項１７４に記載の分析物センサシステム。
【請求項１７８】
前記プロセッサが、前記分析物センサシステムに、
第１の接続モデルに従って接続を要求することと、
前記提案が許容可能でないという判定に応答して、第２の接続モデルに従って接続を要求することと、を行わせるようにさらに構成される、請求項１７１に記載の分析物センサシステム。
【請求項１７９】
分析物データを無線通信するための方法であって、前記方法が、
表示デバイス上で動作するアプリケーションからの入力に応答して、前記表示デバイスが、接続パラメータの値を含むメッセージを分析物センサシステムに送信することと、
前記表示デバイスが、前記分析物センサシステムから前記接続パラメータの前記値を受信することと、
前記値が許容可能であるという判定に基づいて、前記表示デバイスのオペレーティングシステムが、前記接続パラメータの前記値を適用することと、を含む、方法。
【請求項１８０】
前記値が許容可能であるという判定が、前記表示デバイスによって前記分析物センサシステムから受信される、請求項１７９に記載の方法。
【請求項１８１】
分析物データを無線通信するための方法であって、前記方法が、
第１のモードで動作することであって、
分析物センサシステムおよび表示デバイスが接続を維持するように、前記分析物センサシステムが、前記表示デバイスと定期的にメッセージを交換することと、
前記分析物センサシステムおよび前記表示デバイスが接続を維持している間、前記分析物センサシステムが前記表示デバイスに前記分析物データを伝送することと、を含む、前記第１のモードで動作することと、
第２のモードで動作することであって、
前記分析物センサシステムと前記表示デバイスとの間の接続を定期的に確立することと、
前記接続が確立されている間、前記表示デバイスに前記分析物データを伝送すること、を含む、前記第２のモードで動作することと、を含む、方法。
【請求項１８２】
前記第１のモードで動作することから前記第２のモードで動作することに切り換えること、または前記第２のモードで動作することから前記第１のモードで動作することに切り換えることを含む、請求項１８１に記載の方法。
【請求項１８３】
前記切り換えが、ユーザ入力に基づく、請求項１８２に記載の方法。
【請求項１８４】
前記切り換えが、１つ以上の切り替え基準に基づく、請求項１８２に記載の方法。
【請求項１８５】
バッテリ管理に関連する指示を受信することをさらに含み、前記切り換えが、前記指示に基づいて行われる、請求項１８２に記載の方法。
【請求項１８６】
前記切り換え基準が、
表示デバイスのタイプと、
ユーザ情報と、
接続のための表示デバイスの利用可能性と、
表示デバイスに関する優先順位スキームと、
サービス品質と、
バッテリ寿命と、
時刻と、
場所と、を含む、請求項１８４に記載の方法。
【請求項１８７】
前記切り換えに関連するユーザへの通知を提示することをさらに含む、請求項１８２に記載の方法。
【請求項１８８】
前記分析物センサシステムおよび前記表示デバイスが接続を維持する間、前記分析物センサシステムが前記表示デバイスに前記分析物データを伝送することが、前記分析物データを伝送に利用可能になった時点で行われる、請求項１８１に記載の方法。
【請求項１８９】
分析物データを無線通信するように構成された分析物センサシステムであって、前記分析物センサシステムが、
分析物センサと、
無線信号を伝送および受信するように構成されたトランシーバと、
プロセッサであって、前記分析物センサおよび前記トランシーバに動作的に結合され、また、前記分析物センサシステムに、
第１のモードで動作することであって、前記第１のモードでの動作について、前記分析物センサシステムが、
前記分析物センサシステムおよび表示デバイスが接続を維持するように、前記表示デバイスと定期的にメッセージを交換することと、
前記分析物センサシステムおよび前記表示デバイスが接続を維持している間、前記表示デバイスに前記分析物データを伝送することと、を行うように構成された、前記第１のモードで動作することと、
第２のモードで動作することであって、前記第２のモードでの動作について、前記分析物センサシステムが、
表示デバイスとの接続を定期的に確立することと、
前記接続が確立されている間、前記表示デバイスに前記分析物データを伝送することと、
前記第１のモードでの動作と前記第２のモードでの動作との間で切り換えることと、行うように構成された、前記第２のモードで動作することと、を行わせるように構成された、プロセッサと、を備える、分析物センサシステム。
【請求項１９０】
分析物データを無線通信するための方法であって、前記方法が、
分析物センサシステムおよび表示デバイスが接続を維持するように、前記分析物センサシステムが前記表示デバイスと定期的にメッセージを交換することと、
前記分析物センサシステムおよび前記表示デバイスが前記接続を維持している間、前記分析物センサシステムが前記表示デバイスに前記分析物データを伝送することと、を含む、方法。
【請求項１９１】
前記表示デバイスから接続要求を受信することに応答して、前記分析物センサシステムが、前記表示デバイスに一組の接続パラメータの提案を送信することをさらに含む、請求項１９０に記載の方法。
【請求項１９２】
前記表示デバイスから接続決定を受信することをさらに含み、前記接続決定が、前記提案に基づく、請求項１９１に記載の方法。
【請求項１９３】
定期的にメッセージを交換することが、前記提案の受諾を含む前記接続決定に応答して、前記一組の接続パラメータに基づいて行われる、請求項１９２に記載の方法。
【請求項１９４】
前記一組の接続パラメータが、
接続間隔と、
スレーブ待ち時間と、
監視タイムアウトと、を含む、請求項１９１に記載の方法。
【請求項１９５】
前記接続パラメータのうちの１つ以上の違反に基づいて、前記接続を終了することをさらに含む、請求項１９４に記載の方法。
【請求項１９６】
前記接続を終了することに応答して、前記分析物センサシステムが、アドバタイズメントメッセージを伝送することをさらに含む、請求項１９５に記載の方法。
【請求項１９７】
前記接続パラメータのうちの１つ以上の違反に応答して、前記接続パラメータのうちの１つ以上を修正するように要求することをさらに含む、請求項１９４に記載の方法。
【請求項１９８】
分析物データを無線通信するように構成された分析物センサシステムであって、前記分析物センサシステムが、
分析物センサと、
無線信号を伝送および受信するように構成されたトランシーバと、
プロセッサであって、前記分析物センサおよび前記トランシーバに動作的に結合され、また、前記分析物センサシステムに、
前記分析物センサシステムおよび表示デバイスが接続を維持するように、前記表示デバイスと定期的にメッセージを交換することと、
前記分析物センサシステムおよび前記表示デバイスが接続を維持している間、前記表示デバイスに前記分析物データを伝送することと、を行わせるように構成された、プロセッサと、を備える、分析物センサシステム。
【請求項１９９】
分析物データを無線通信するための方法であって、前記方法が、
分析物センサシステムと表示デバイスとの間の接続を確立することと、
前記分析物センサシステムと関連付けられた一組の特性を受信することであって、前記特性が、シーケンスで配列される、前記受信することと、
前記分析物センサシステムに、前記シーケンスと異なる順序で前記特性のうちの１つ以上を読み取る要求を送信することと、含む、方法。
【請求項２００】
前記特性のうちの１つ以上を読み取るための前記要求が、推定グルコース値を読み取る要求を含む、請求項１９９に記載の方法。
【請求項２０１】
前記一組の特性のうちの１つの特性を実装することをさらに含み、
前記特性が、前記推定グルコース値を読み取ることと関連付けられ、
前記特性が、前記シーケンス内の前記特性に先行する１つ以上の他の特性を実装することなく実装される、請求項２００に記載の方法。
【請求項２０２】
分析物データを無線通信するように構成されたモバイルデバイスであって、前記モバイルデバイスが、
無線信号を伝送および受信するように構成されたトランシーバと、
前記トランシーバに動作的に結合された回路と、
非一時的コンピュータ可読媒体であって、前記回路に動作的に結合され、命令を記憶し、該命令が実行されたときに、前記モバイルデバイスに、
分析物センサシステムとの接続を確立することと、
前記分析物センサシステムと関連付けられた一組の特性を受信することであって、前記特性が、シーケンスで配列される、前記受信することと、
前記分析物センサシステムに、前記シーケンスと異なる順序で前記特性のうちの１つ以上を読み取る要求を送信することと、を行わせる、非一時的コンピュータ可読媒体と、を備える、モバイルデバイス。
【請求項２０３】
分析物データを無線通信するための方法であって、前記方法が、
第１のリンクを介して受信される第１の信号の導出物を取得することと、
前記第１の信号の前記導出物に基づいて、選択のための識別を生成することと、
第２のリンクを介して受信される第２の信号の導出物を取得することと、
前記第２の信号の前記導出物に基づいて、接続のための選択を生成することと、
接続のための前記選択に基づいて、表示デバイスと分析物センサシステムとの間の接続を確立することと、
メッセージを定期的に交換して、前記接続を維持することと、を含む、方法。
【請求項２０４】
前記分析物センサシステムおよび前記表示デバイスが前記接続を維持している間、前記分析物センサシステムが前記表示デバイスに前記分析物データを伝送することをさらに含む、請求項２０３に記載の方法。
【請求項２０５】
前記表示デバイスから接続要求を受信することに応答して、前記分析物センサシステムが、前記表示デバイスに一組の接続パラメータの提案を送信することをさらに含む、請求項２０３に記載の方法。
【請求項２０６】
前記表示デバイスから接続決定を受信することをさらに含み、前記接続決定が、提案に基づく、請求項２０４に記載の方法。
【請求項２０７】
定期的にメッセージを交換することが、前記提案の受諾を含む接続決定に応答して、前記一組の接続パラメータに基づいて行われる、請求項２０５に記載の方法。
【請求項２０８】
分析物データを無線通信するための方法であって、前記方法が、
分析物センサシステムと表示デバイスとの間の認証に関連する情報を交換することによって、第１の接続のための前記表示デバイスを認証することと、
前記表示デバイスを認証することに基づいて、前記分析物センサシステムが、前記表示デバイスとメッセージを定期的に交換して、前記第１の接続を維持することと、
前記第１の接続が維持されている時間中に、前記分析物センサシステムが、前記表示デバイスに暗号化された分析物データを伝送することと、を含む、方法。
【請求項２０９】
前記第１の接続を終了することをさらに含む、請求項２０８に記載の方法。
【請求項２１０】
分析物センサシステムと前記表示デバイスとの間の第２の接続を確立することと、
前記分析物センサシステムが、前記表示デバイスとメッセージを定期的に交換して、前記第２の接続を維持することと、
前記第２の接続が維持されている時間中に、前記分析物センサシステムが、前記表示デバイスに暗号化された分析物データを伝送することと、をさらに含み、
前記第２の接続について、前記メッセージを前記定期的に交換すること、および前記暗号化された分析物データを伝送することが、前記第１の接続のための前記表示デバイスを認証することに基づく、請求項２０９に記載の方法。
【請求項２１１】
表示デバイスと１つ以上の分析物センサシステムとの間で分析物データを無線通信するための方法であって、前記方法が、
前記表示デバイスが、前記１つ以上の分析物センサシステムのうちの第１の分析物センサシステムから、または前記第１の分析物センサシステム以外の前記分析物センサシステムの１つ以上から受信される、第１の信号の導出物を取得することと、
前記表示デバイスが、前記第１の信号の導出物および状態を使用して、前記第１の分析物センサシステムとの接続のための選択を生成することと、
ある時間量の間に、前記表示デバイスが前記第１の分析物センサシステム以外の前記１つ以上の分析物センサシステムからアドバタイズメントメッセージを受信しない場合に、または前記表示デバイスが前記状態を満たす第２の信号の導出物を取得しない場合に、接続のための前記選択を使用して、前記表示デバイスと前記第１の分析物センサシステムとの間の第１の接続を確立することであって、前記第２の信号が、前記第１の分析物センサシステム以外の前記１つ以上の分析物センサシステムから受信される、前記確立することと、を含む、方法。
【請求項２１２】
前記第１の分析物センサシステム以外の前記１つ以上の分析物センサシステムの中の第２の分析物センサシステムから受信される信号の導出物を取得することと、
少なくとも前記第２の分析物センサシステムから受信される前記信号の前記導出物を使用して、前記表示デバイスと前記第２の分析物センサシステムとの間の第２の接続を確立することと、をさらに含む、請求項２１１に記載の方法。
【請求項２１３】
分析物データを無線通信するための方法であって、前記方法が、
表示デバイスが、ある数の分析物センサシステムからアドバタイズメントメッセージを受信することであって、前記ある数が２つ以上である、前記受信することと、
前記ある数が閾値を超えない場合に、
前記表示デバイスが、前記ある数の分析物センサシステムから受信される信号のそれぞれの導出物を取得することと、
前記表示デバイスが、ある時間量の間に前記導出物のいずれかが状態を満たすかどうかを判定することと、
前記表示デバイスが、前記ある時間量の間に前記導出物のうちの第１の導出物が前記状態を満たすと判定することに応答して、前記表示デバイスが、前記ある数の分析物センサシステムのうちの第１の分析物センサシステムとの接続のための選択を生成することであって、前記第１の分析物センサシステムが、前記第１の導出物を取得するために使用される信号を送信する、前記生成することと、
接続のための前記選択を使用して、前記表示デバイスと前記第１の分析物センサシステムとの間の第１の接続を確立することと、を含む、方法。
【請求項２１４】
前記ある数が前記閾値を超えた場合に、
前記表示デバイスが、前記表示デバイスのユーザにプロンプトを提供することであって、前記プロンプトが、接続確立に関する、前記提供することと、
前記プロンプトに応答して、前記表示デバイスによって受信される入力を使用して、前記表示デバイスと接続のために選択される前記分析物センサシステムのうちの１つとの間の第２の接続を確立することと、をさらに含む、請求項２１３に記載の方法。
【発明の詳細な説明】
【技術分野】
【０００１】
関連出願の参照による組み込み
出願データシートに特定されるありとあらゆる優先権の主張またはそれに対するあらゆる補正は、米国特許法施行規則第１．５７条の下に参照により本明細書に組み込まれる。本出願は、２０１６年１０月１８日に出願された米国仮出願第６２／４０９，６７７号の利益を主張する。前述の出願は、参照によりその全体が本明細書に組み込まれ、本明細書において明示的に本明細書の一部をなす。
【０００２】
本開示は、概して、センサから受信される分析物値の監視に関する。より具体的には、本開示は、分析物（例えば、グルコース）データを通信するためのシステム、方法、装置、およびデバイスを対象とする。
【背景技術】
【０００３】
真性糖尿病は、膵臓が十分なインスリンを作成することができない（Ｉ型もしくはインスリン依存性）、かつ／またはインスリンが有効でない（２型もしくは非インスリン依存性）障害である。糖尿病状態において、罹患者は、高血糖を患い、これは、微小血管の劣化と関連付けられる数々の生理的異常（腎不全、皮膚潰瘍、または眼の硝子体への出血）を生じさせる。低血糖反応（低血糖）は、インスリンの不注意な過剰摂取、またはインスリンもしくはグルコース低下剤の通常投薬後の極端な運動もしくは不十分な食物摂取によって誘発され得る。
【０００４】
従来的には、糖尿病患者は、自己監視血中グルコース（ＳＭＢＧ）モニタを担持し、これは、不快な指穿刺法を必要とする。快適さおよび便利さの欠如のため、糖尿病患者は、通常、１日に２〜４回自分のグルコースレベルを測定するだけとなる。残念なことに、これらの時間間隔は、あまりに離れて分散されるため、糖尿病患者に、高血糖または低血糖状態を知らせることが手遅れになる可能性があり、その結果、ときには危険な副作用を招くことがある。実際に、糖尿病患者は、ＳＭＢＧ値を適時に取れなくなる恐れがあるだけでなく、糖尿病患者は、従来の方法の制約のため、自分の血中グルコース値が上昇している（より高い）のか、または低下している（より低い）のかも分からなくなる。
【０００５】
結果的に、血中グルコース値を連続的に検出するおよび／または定量化するための、様々な非侵襲性の、経皮性の（例えば、経皮的）、および／または埋め込み可能な電気化学的センサが開発されている。これらのデバイスは、一般に、未処理のまたは最小限処理したデータを、その後の分析のために、ディスプレイを含み得る遠隔デバイスで伝送する。無線表示デバイスへの伝送は、無線とすることができる。
【０００６】
埋め込まれたセンサを使用して収集されたグルコースおよび他の分析物データの無線伝送に関して、センサと併せて作用するトランスミッタのバッテリ寿命は、典型的に、懸案事項である。バッテリ寿命を節約するために、またはグルコースおよび他の分析物データの伝送と関連付けられた効率を高めるために、伝送は、例えば、断続的にしなければならない場合がある。しかしながら、監視されるデータの断続的な伝送は、信頼性の問題をもたらす場合がある。したがって、いくつかの事例では、従来のセンサシステムのバッテリ寿命に関して、信頼性が犠牲になっている。
【発明の概要】
【課題を解決するための手段】
【０００７】
第１の態様において、接続のためのデバイスを識別するための方法は、表示デバイスが、一組の分析物センサシステムの中から１つの分析物センサシステムを識別する入力を受信することを含む。本方法は、入力に基づいて、表示デバイスが、接続のための分析物センサシステムを選択することをさらに含む。
【０００８】
一般に適用可能であり得るが、また、第１の態様の任意の他の実現形態と関連して特に適用可能でもある、第１の態様の特定の実現形態において、入力は、分析物センサシステムと関連付けられた識別情報である。識別情報は、分析物センサシステムと関連付けられた数字列を含むことができる。実施形態において、入力は、分析物センサシステムを一意的に識別する。実施形態において、入力は、表示デバイスのＧＵＩを介して、ユーザから受信される。
【０００９】
一般に適用可能であり得るが、また、第１の態様の任意の他の実現形態と関連して特に適用可能でもある、第１の態様の特定の実現形態において、本方法は、ＧＵＩを介して、一組の分析物センサシステムの中から１つ以上の発見可能な分析物センサシステムのリスト提示することをさらに含む。実施形態において、表示デバイスが、接続のための分析物センサシステムを選択することは、ユーザが表示デバイスのＧＵＩおよびタッチスクリーンインターフェースを使用してリストから分析物センサシステムを手動で選択することに応答して行われる。実施形態において、リストは、発見可能な分析物センサシステムのうちの１つ以上のそれぞれの識別情報を含む。実施形態において、識別情報は、グラフィック、シンボル、コード、および文字列のうちの少なくとも１つを含む。
【００１０】
一般に適用可能であり得るが、また、第１の態様の任意の他の実現形態と関連して特に適用可能でもある、第１の態様の特定の実現形態において、入力は、コード化された要素および画像のうちの１つに基づく。コード化された要素は、容量性インク、バーコード、ＱＲコード（登録商標）およびステッカーのうちの１つを含むことができる。実施形態において、表示デバイスが入力を受信することは、分析物センサシステムまたは分析物センサシステムの製品パッケージングから、コード化された要素をスキャンすることを含む。
【００１１】
第２の態様において、モバイルデバイスは、分析物データを無線通信するように構成される。モバイルデバイスは、タッチスクリーンと、カメラと、無線信号を伝送および受信するよう構成されたトランシーバと、タッチスクリーン、カメラ、およびトランシーバに動作的に結合されたプロセッサとを含む。プロセッサは、表示デバイスにいくつかの動作を行わせるように構成される。１つのそのような動作は、タッチスクリーンおよびカメラのうちの１つ以上を介して、一組の分析物センサシステムの中から１つの分析物センサシステムを識別する入力を受信することである。別のそのような動作は、入力に基づいて、接続のための分析物センサシステムを選択することである。
【００１２】
一般に適用可能であり得るが、また、第２の態様の任意の他の実現形態と関連して特に適用可能でもある、第２の態様の特定の実現形態において、プロセッサは、表示デバイスのＧＵＩに、一組の分析物センサシステムの中から１つ以上の発見可能な分析物センサシステムのリストを提示させるようにさらに構成される。実施形態において、プロセッサは、タッチスクリーンに、表示デバイスのＧＵＩを介して提示されるリストに基づいて、ユーザからの手動の入力を受信するようにさらに構成される。
【００１３】
一般に適用可能であり得るが、また、第２の態様の任意の他の実現形態と関連して特に適用可能でもある、第２の態様の特定の実現形態において、プロセッサは、表示デバイスのタッチスクリーンまたはカメラに、コード化された要素および画像のうちの１つ以上から入力を取得させるようにさらに構成される。
【００１４】
第３の態様において、接続のためのデバイスを識別するための方法は、表示デバイスが、一組の分析物センサシステムのうちの１つの分析物センサシステムから第１の信号を受信すること含む。第１の信号は、第１のリンクを介して受信される。本方法は、表示デバイスが、第１の信号の導出物を判定することをさらに含む。加えて、本方法は、表示デバイスが、第１の信号の導出物に基づいて、選択のための分析物センサシステムを識別することを含む。
【００１５】
一般に適用可能であり得るが、また、第３の態様の任意の他の実現形態と関連して特に適用可能でもある、第３の態様の特定の実現形態において、選択のための分析物センサシステムを識別することは、第１の信号の導出物を第１の閾値と比較することを含む。実施形態において、選択のための分析物センサシステムを識別することは、第１の信号の導出物が少なくとも第１の閾値を満たすかどうかを判定することをさらに含む。実施形態において、本方法は、第１の信号の導出物が少なくとも第１の閾値を満たすと判定することに基づいて、接続のための分析物センサシステムを選択することをさらに含む。
【００１６】
一般に適用可能であり得るが、また、第３の態様の任意の他の実現形態と関連して特に適用可能でもある、第３の態様の特定の実現形態において、本方法は、表示デバイスが、分析物センサシステムから第２の信号を受信することをさらに含む。信号は、第２のリンクを介して受信することができる。実施形態において、本方法は、表示デバイスが、第２の信号の導出物を判定することをさらに含む。加えて、本方法は、第２の信号の導出物に基づいて、接続のための分析物センサシステムを選択することを含むことができる。いくつかの事例において、接続のための分析物センサシステムを選択することは、第２の信号の導出物を第２の閾値と比較することを含む。接続のための分析物センサシステムを選択することは、第２の信号の導出物が少なくとも第２の閾値を満たすかどうかを判定することをさらに含む。実施形態において、接続のための分析物センサシステムを選択することは、第２の信号の導出物が少なくとも第２の閾値を満たすと判定することに応答して行われる。
【００１７】
一般に適用可能であり得るが、また、第３の態様の任意の他の実現形態と関連して特に適用可能でもある、第３の態様の特定の実現形態において、接続のための分析物センサシステムを選択することは、第１の信号の導出物を第２の閾値と比較することと、第１の信号の導出物が少なくとも第２の閾値を満たさないかどうかを判定することとをさらに含む。実施形態において、接続のための分析物センサシステムを選択することは、第２の信号の導出物が少なくとも第２の閾値を満たし、かつ第１の信号の導出物が少なくとも第２の閾値を満たさないと判定することに応答して行われる。
【００１８】
一般に適用可能であり得るが、また、第３の態様の任意の他の実現形態と関連して特に適用可能でもある、第３の態様の特定の実現形態において、接続のための分析物センサシステムを選択することは、第２の信号の導出物を第１の閾値と比較することを含む。実施形態において、接続のための分析物センサシステムを選択することは、第２の信号の導出物が少なくとも第１の閾値を満たさないかどうかを判定することをさらに含む。実施形態において、接続のための分析物センサシステムを選択することは、第２の信号の導出物が少なくとも第１の閾値を満たさないと判定することに応答して行われる。
【００１９】
一般に適用可能であり得るが、また、第３の態様の任意の他の実現形態と関連して特に適用可能でもある、第３の態様の特定の実現形態において、第１の信号の導出物は、第１の信号の信号強度に基づく。いくつかの事例において、第１の信号の導出物は、第１の信号と関連付けられた受信信号強度指示（「ＲＳＳＩ」）である。いくつかの事例において、第２の信号の導出物は、第２の信号の信号強度に基づく。第２の信号の導出物は、第２の信号と関連付けられたＲＳＳＩを含むことができる。
【００２０】
一般に適用可能であり得るが、また、第３の態様の任意の他の実現形態と関連して特に適用可能でもある、第３の態様の特定の実現形態において、第１の信号の導出物は、第１の信号と関連付けられたビットエラー率（「ＢＥＲ）」）に基づく。いくつかの事例において、第２の信号の導出物は、第２の信号と関連付けられたＢＥＲに基づく。第２の信号の導出物は、第２の信号と関連付けられたＢＥＲを含むことができる。
【００２１】
第４の態様において、モバイルデバイスは、分析物データを無線通信するように構成される。モバイルデバイスは、無線信号を伝送および受信するように構成されたトランシーバを含む。モバイルデバイスは、トランシーバに動作的に結合された回路を含む。さらに、モバイルデバイスは、回路に動作的に結合され、命令を記憶し、該命令が実行されたときに、表示デバイスにいくつかの動作を行わせる、非一時的コンピュータ可読媒体を含む。１つのそのような動作は、第１のリンクを介して、一組の分析物センサシステムのうちの１つの分析物センサシステムから第１の信号を受信することである。別のそのような動作は、第１の信号の導出物を判定することである。別のそのような動作は、第１の信号の導出物に基づいて、選択のための分析物センサシステムを識別することである。
【００２２】
一般に適用可能であり得るが、また、第４の態様の任意の他の実現形態と関連して特に適用可能でもある、第４の態様の特定の実現形態において、非一時的コンピュータ可読媒体は、命令をさらに記憶し、該命令は、実行されたときに、表示デバイスに追加的な動作を行わせる。１つのそのような動作は、第１の信号の導出物を第１の閾値と比較することである。別のそのような動作は、第１の信号の導出物が少なくとも第１の閾値を満たすかどうかを判定することである。さらに別のそのような動作は、第１の信号の導出物が少なくとも第１の閾値を満たすという判定に基づいて、接続のための分析物センサシステムを選択することである。
【００２３】
一般に適用可能であり得るが、また、第４の態様の任意の他の実現形態と関連して特に適用可能でもある、第４の態様の特定の実現形態において、非一時的コンピュータ可読媒体は、命令をさらに記憶し、該命令は、実行されたときに、表示デバイスに追加的な動作を行わせる。１つのそのような動作は、分析物センサシステムから第２の信号を受信することである。別のそのような動作は、第２の信号の導出物を判定することである。さらに別のそのような動作は、第２の信号の導出物に基づいて、接続のための分析物センサシステムを選択することである。実施形態において、別のそのような動作は、第２の信号の導出物を第２の閾値と比較することである。実施形態において、別のそのような動作は、第２の信号の導出物が少なくとも第２の閾値を満たすかどうかを判定することである。表示デバイスは、第２の信号の導出物が少なくとも第２の閾値を満たすという判定にさらに基づいて、接続のための分析物センサシステムを選択することができる。
【００２４】
一般に適用可能であり得るが、また、第４の態様の任意の他の実現形態と関連して特に適用可能でもある、第４の態様の特定の実現形態において、非一時的コンピュータ可読媒体は、命令をさらに記憶し、該命令は、実行されたときに、表示デバイスに追加的な動作を行わせる。１つのそのような動作は、第１の信号の導出物を第２の閾値と比較することである。別のそのような動作は、第１の信号の導出物が少なくとも第２の閾値を満たさないかどうかを判定することである。実施形態において、別のそのような動作は、第１の信号の導出物が少なくとも第２の閾値を満たさないという判定にさらに基づいて、接続のための分析物センサシステムを選択することである。
【００２５】
一般に適用可能であり得るが、また、第４の態様の任意の他の実現形態と関連して特に適用可能でもある、第４の態様の特定の実現形態において、非一時的コンピュータ可読媒体は、命令をさらに記憶し、該命令は、実行されたときに、表示デバイスに追加的な動作を行わせる。１つのそのような動作は、第２の信号の導出物を第１の閾値と比較することである。別のそのような動作は、第２の信号の導出物が少なくとも第１の閾値を満たさないかどうかを判定することである。さらに別のそのような動作は、第２の信号の導出物が少なくとも第１の閾値を満たすという判定にさらに基づいて、接続のための分析物センサシステムを選択することである。
【００２６】
第５の態様において、接続のためのデバイスを識別するための方法は、表示デバイスが、一組の分析物センサシステムのうちの１つの分析物センサシステムから第１の信号を受信すること含む。第１の信号は、第１のリンクを介して受信される。本方法はまた、表示デバイスが、第１の信号の導出物を取得することも含む。さらに、本方法は、第１の信号の導出物が下限閾値を満たすこと、またはそれを超えることに基づいて、表示デバイスが、選択のための表示デバイスを識別することを含む。
【００２７】
一般に適用可能であり得るが、また、第５の態様の任意の他の実現形態と関連して特に適用可能でもある、第５の態様の特定の実現形態において、本方法は、第１の信号の導出物が下限閾値を満たすこと、またはそれを超えることに基づいて、接続のための分析物センサシステムを選択することを追加的に含む。実施形態において、本方法は、表示デバイスが、分析物センサシステムから第２の信号を受信することをさらに含む。第２の信号は、第２のリンクを介して受信することができる。実施形態において、本方法はまた、表示デバイスが、第２の信号の導出物を取得することも含む。接続のための分析物センサシステムを選択することは、第２の信号の導出物が下限閾値未満であることにさらに基づくことができる。
【００２８】
一般に適用可能であり得るが、また、第５の態様の任意の他の実現形態と関連して特に適用可能でもある、第５の態様の特定の実現形態において、本方法は、表示デバイスが、分析物センサシステムから第２の信号を受信することをさらに含む。実施形態において、第２の信号は、第２のリンクを介して受信される。実施形態において、第２の信号は、第１のリンクを介して受信される。実施形態において、本方法はまた、表示デバイスが、第２の信号の導出物を取得することも含む。本方法はまた、第２の信号の導出物が上限閾値を満たすこと、またはそれを超えることに基づいて、表示デバイスが、接続のための分析物センサシステムを選択することも含むことができる。いくつかの事例において、接続のための分析物センサシステムを選択することは、第１の信号の導出物が上限閾値を満たさないこと、またはそれを超えないことにさらに基づく。
【００２９】
一般に適用可能であり得るが、また、第５の態様の任意の他の実現形態と関連して特に適用可能でもある、第５の態様の特定の実現形態において、本方法はまた、第１の信号の導出物が上限閾値未満であることに基づいて、第２のリンクに従って表示デバイスを構成するための指示を生成することも含む。実施形態において、指示は、表示デバイスを分析物センサシステムのより近くに移動させるための命令を表す通信を含む。本方法はまた、置換デバイスが、表示デバイスのユーザに指示を提供することも含むことができる。指示は、可聴通信、視覚通信、および触覚通信のうちの１つ以上を含む。
【００３０】
一般に適用可能であり得るが、また、第５の態様の任意の他の実現形態と関連して特に適用可能でもある、第５の態様の特定の実現形態において、本方法はまた、第１の信号の導出物が上限閾値を満たすこと、またはそれを超えることに基づいて、第２のリンクに従って表示デバイスを構成するための指示を生成することも含む。
【００３１】
一般に適用可能であり得るが、また、第５の態様の任意の他の実現形態と関連して特に適用可能でもある、第５の態様の特定の実現形態において、本方法は、表示デバイスが、分析物センサシステムから第３の信号を受信することを含み、第３の信号は、第３のリンクを介して受信される。実施形態において、本方法はまた、表示デバイスが、第３の信号の導出物を取得することも含む。さらに、本方法は、表示デバイスが、接続のための分析物センサシステムを選択することは、第３の信号の導出物が下限閾値未満であることにさらに基づくことができる。
【００３２】
一般に適用可能であり得るが、また、第５の態様の任意の他の実現形態と関連して特に適用可能でもある、第５の態様の特定の実現形態において、本方法は、表示デバイスが、分析物センサシステムから第３の信号を受信することを含み、第３の信号は、第３のリンクを介して受信される。実施形態において、本方法はまた、表示デバイスが、第３の信号の導出物を取得することも含む。表示デバイスが、接続のための分析物センサシステムを選択することは、第３の信号の導出物が下限閾値未満であることにさらに基づくことができる。
【００３３】
一般に適用可能であり得るが、また、第５の態様の任意の他の実現形態と関連して特に適用可能でもある、第５の態様の特定の実現形態において、本方法は、表示デバイスが、分析物センサシステムから第２の信号を受信することを含み、第２の信号は、第２のリンクを介して受信される。実施形態において、本方法は、表示デバイスが、第２の信号の導出物を取得することをさらに含む。加えて、本方法は、第２の信号の導出物と第１の信号の導出物との比較に基づいて、表示デバイスが、接続のための分析物センサシステムを選択することを含むことができる。実施形態において、接続のための分析物センサシステムを選択することは、第１の信号の導出物が上限閾値を満たすこと、またはそれを超えることにさらに基づき、第２の信号の導出物は、第１の信号の導出物未満である。実施形態において、接続のための分析物センサシステムを選択することは、第２の信号の導出物が上限閾値を満たすこと、またはそれを超えることにさらに基づき、第１の信号の導出物は、第２の信号の導出物未満である。
【００３４】
一般に適用可能であり得るが、また、第５の態様の任意の他の実現形態と関連して特に適用可能でもある、第５の態様の特定の実現形態において、本方法はまた、表示デバイスが、分析物センサシステムから第３の信号を受信することも含み、第３の信号は、第３のリンクを介して受信される。実施形態において、本方法は、表示デバイスが、第３の信号の導出物を取得することをさらに含む。加えて、表示デバイスが、接続のための分析物センサシステムを選択することは、第３の信号の導出物と第２の信号の導出物との比較にさらに基づくことができる。本方法の実施形態において、第２の信号の導出物は、上限閾値を超え、第３の信号の導出物は、第２の信号の導出物未満である。本方法の実施形態において、第２の信号の導出物は、上限閾値を下回り、第３の信号の導出物は、第２の信号の導出物を超える。
【００３５】
一般に適用可能であり得るが、また、第５の態様の任意の他の実現形態と関連して特に適用可能でもある、第５の態様の特定の実現形態において、本方法はまた、表示デバイスが、第１のリンクを介して、分析物センサシステムに第１の応答信号を送信することも含む。実施形態において、本方法はまた、表示デバイスが、第１の応答信号の導出物を取得することも含む。また、表示デバイスが、選択のための分析物センサシステムを識別することは、第１の信号の導出物と第１の応答信号の導出物との比較にさらに基づくことができる。実施形態において、本方法はまた、表示デバイスが、分析物センサシステムから第１の応答信号の導出物を受信することも含み、第１の応答信号の導出物は、分析物センサシステムによって生成される。
【００３６】
一般に適用可能であり得るが、また、第５の態様の任意の他の実現形態と関連して特に適用可能でもある、第５の態様の特定の実現形態において、分析物センサシステムの各々は、センサが分析物システムのセンサ電子機器モジュールに接続されたときから所定の時間量の後にアドバタイズメント信号の伝送を開始する、ウェークアップ回路を含む。実施形態において、所定の時間量は、分析物センサシステムに共通である。
【００３７】
第６の態様において、モバイルデバイスは、分析物データを無線通信するように構成される。モバイルデバイスは、無線信号を伝送および受信するように構成されたトランシーバを含む。モバイルデバイスはまた、トランシーバに動作的に結合された回路も含む。加えて、モバイルデバイスは、回路に動作的に結合され、命令を記憶し、該命令は、実行されたときに、表示デバイスにいくつかの動作を行わせる、非一時的コンピュータ可読媒体を含む。１つのそのような動作は、第１のリンクを介して、一組の分析物センサシステムのうちの１つの分析物センサシステムから第１の信号を受信することである。別のそのような動作は、第１の信号の導出物を取得することである。さらに別のそのような動作は、第１の信号の導出物が下限閾値を満たすこと、またはそれを超えることに基づいて、選択のための分析物センサシステムを識別することである。
【００３８】
一般に適用可能であり得るが、また、第６の態様の任意の他の実現形態と関連して特に適用可能でもある、第６の態様の特定の実現形態において、非一時的コンピュータ可読媒体は、命令をさらに記憶し、該命令は、実行されたときに、表示デバイスに追加的な動作を行わせる。１つのそのような動作は、第１の信号の導出物が上限閾値を満たすこと、またはそれを超えることに基づいて、接続のための分析物センサシステムを選択することである。１つのそのような動作は、第２のリンクを介して、分析物センサシステムから第２の信号を受信することである。そのような別の動作は、第２の信号の導出物を取得することである。さらに別のそのような動作は、第２の信号の導出物が下限閾値未満であること、または上限閾値を満たすこと、もしくはそれを超えることに基づいて、接続のための分析物センサシステムを選択することである。別のそのような動作は、第１の信号の導出物が上限閾値未満であるという判定に基づいて、第２のリンクに従って表示デバイスを構成するための指示を生成することである。さらに別のそのような動作は、第１の信号の導出物が上限閾値を満たす、またはそれを超えるという判定に基づいて、第２のリンクに従って表示デバイスを構成するための指示を生成することである。
【００３９】
第７の態様において、接続のためのデバイスを識別するための方法は、分析物センサシステムが、一組の表示デバイスのうちの１つの表示デバイスから第１の信号を受信することを含み、第１の信号は、第１のリンクを介して受信される。本方法はまた、第１の信号の導出物が下限閾値を満たすこと、またはそれを超えることに基づいて、分析物センサシステムが、選択のための表示デバイスを識別することも含む。
【００４０】
一般に適用可能であり得るが、また、第７の態様の任意の他の実現形態と関連して特に適用可能でもある、第７の態様の特定の実現形態において、本方法はまた、第１の信号の導出物が上限閾値を満たすこと、またはそれを超えることに基づいて、接続のための表示デバイスを選択することも含む。実施形態において、本方法はまた、分析物センサシステムが、表示デバイスから第２の信号を受信することも含む。第２の信号は、第２のリンクを介して受信することができる。接続のための表示デバイスを選択することは、第２の信号の導出物が下限閾値未満であることにさらに基づくことができる。
【００４１】
一般に適用可能であり得るが、また、第７の態様の任意の他の実現形態と関連して特に適用可能でもある、第７の態様の特定の実現形態において、本方法はまた、分析物センサシステムが、表示デバイスから第２の信号を受信することも含む。第２の信号は、第２のリンクを介して受信することができる。第２の信号は、第１のリンクを介して受信することができる。実施形態において、方法はまた、分析物センサシステムが、第２の信号の導出物を取得することも含む。実施形態において、本方法は、第２の信号の導出物が上限閾値を満たすこと、またはそれを超えることに基づいて、分析物センサシステムが、接続のための表示デバイスを選択することをさらに含む。接続のための表示デバイスを選択することは、第１の信号の導出物が上限閾値を満たすこと、またはそれを超えることにさらに基づくことができる。
【００４２】
一般に適用可能であり得るが、また、第７の態様の任意の他の実現形態と関連して特に適用可能でもある、第７の態様の特定の実現形態において、本方法はまた、第１の信号の導出物が上限閾値未満であることに基づいて、第２のリンクに従って表示デバイスを構成するための指示を生成することも含む。指示は、表示デバイスを分析物センサシステムのより近くに移動させるための命令を表す通信を含むことができる。実施形態において、本方法はまた、指示が表示デバイスのユーザに提供されるように、置換デバイスに指示を送信することも含む。指示は、可聴通信、視覚通信、および触覚通信のうちの１つ以上を含むことができる。実施形態において、本方法はまた、第１の信号の導出物が上限閾値を満たすこと、またはそれを超えることに基づいて、第２のリンクに従って表示デバイスを構成するための指示を生成することも含む。
【００４３】
一般に適用可能であり得るが、また、第７の態様の任意の他の実現形態と関連して特に適用可能でもある、第７の態様の特定の実現形態において、本方法はまた、分析物センサシステムが、表示デバイスから第３の信号を受信することも含み、第３の信号は、第３のリンクを介して受信される。本方法はまた、分析物センサシステムが、第３の信号の導出物を取得することも含むことができる。分析物センサシステムが、接続のための表示デバイスを選択することは、第３の信号の導出物が下限閾値未満であることにさらに基づくことができる。
【００４４】
一般に適用可能であり得るが、また、第７の態様の任意の他の実現形態と関連して特に適用可能でもある、第７の態様の特定の実現形態において、本方法はまた、分析物センサシステムが、表示デバイスから第３の信号を受信することも含み、第３の信号は、第３のリンクを介して受信される。実施形態において、本方法は、分析物センサシステムが、第３の信号の導出物を判定することをさらに含む。分析物センサシステムが、接続のための表示デバイスを選択することは、第３の信号の導出物が下限閾値未満であることにさらに基づくことができる。
【００４５】
一般に適用可能であり得るが、また、第７の態様の任意の他の実現形態と関連して特に適用可能でもある、第７の態様の特定の実現形態において、本方法はまた、分析物センサシステムが、表示デバイスから第２の信号を受信することも含む。第２の信号は、第２のリンクを介して受信することができる。実施形態において、方法はまた、分析物センサシステムが、第２の信号の導出物を取得することも含む。実施形態において、方法はまた、第２の信号の導出物と第１の信号の導出物との比較に基づいて、分析物センサシステムが、接続のための表示デバイスを選択することも含む。接続のための表示デバイスを選択することは、第１の信号の導出物が上限閾値を満たすこと、またはそれを超えることにさらに基づくことができ、第２の信号の導出物は、第１の信号の導出物未満である。接続のための表示デバイスを選択することは、第２の信号の導出物が上限閾値を満たすこと、またはそれを超えることにさらに基づくことができ、第１の信号の導出物は、第２の信号の導出物未満である。
【００４６】
一般に適用可能であり得るが、また、第７の態様の任意の他の実現形態と関連して特に適用可能でもある、第７の態様の特定の実現形態において、本方法はまた、分析物センサシステムが、表示デバイスから第３の信号を受信することも含む。第３の信号は、第３のリンクを介して受信することができる。実施形態において、方法はまた、分析物センサシステムが、第３の信号の導出物を取得することも含む。分析物センサシステムが、接続のための表示デバイスを選択することは、第３の信号の導出物と第２の信号の導出物との比較にさらに基づくことができる。実施形態において、第２の信号の導出物は、上限閾値を満たし、または超え、第３の信号の導出物は、第２の信号の導出物未満である。実施形態において、第２の信号の導出物は、上限閾値を下回り、第３の信号の導出物は、第２の信号の導出物を超える。
【００４７】
一般に適用可能であり得るが、また、第７の態様の任意の他の実現形態と関連して特に適用可能でもある、第７の態様の特定の実現形態において、本方法はまた、加速度計からのユーザ入力の表現を生成することも含む。実施形態において、接続のための表示デバイスを選択することは、加速度計からのユーザ入力の表現にさらに基づく。実施形態において、本方法はまた、ユーザがユーザ入力を提供するためのプロンプトを開始することも含む。ユーザ入力は、ユーザが分析物センサシステムに物理的に接触することに基づくことができる。
【００４８】
第８の態様において、分析物センサシステムは、分析物データを無線通信するように構成される。分析物センサシステムは、分析物センサを含む。分析物センサシステムは、無線信号を伝送および受信するように構成されたトランシーバ含む。分析物センサシステムはまた、分析物センサおよびトランシーバに動作的に結合され、また、分析物センサシステムにいくつかの動作を行わせるように構成されたプロセッサも含む。１つのそのような動作は、第１のリンクを介して、表示デバイスの一組のうちの１つの表示デバイスから第１の信号を受信することである。別のそのような動作は、第１の信号の導出物を取得することである。そのような別の動作は、第１の信号の導出物が下限閾値を満たす、またはそれを超えることに基づいて選択のための表示デバイスを識別することである。
【００４９】
一般に適用可能であり得るが、また、第８の態様の任意の他の実現形態と関連して特に適用可能でもある、第８の態様の特定の実現形態において、プロセッサは、分析物センサシステムにいくつかの追加的な動作を行わせるようにさらに構成される。１つのそのような動作は、第１の信号の導出物が上限閾値を満たすこと、またはそれを超えることに基づいて、接続のための表示デバイスを選択することである。別のそのような動作は、第２のリンクを介して、表示デバイスから第２の信号を受信することである。さらに別のそのような動作は、第２の信号の導出物を取得することである。そのような別の動作は、第２の信号の導出物が上限閾値を満たすこと、またはそれを超えることにさらに基づいて、接続のための表示デバイスを選択することである。別のそのような動作は、第１の信号の導出物が上限閾値未満であるという判定に基づいて、第２のリンクに従って表示デバイスを構成するための指示を生成することである。別のそのような動作は、第１の信号の導出物が上限閾値を満たす、またはそれを超えるという判定に基づいて、第２のリンクに従って表示デバイスを構成するための指示を生成することである。
【００５０】
第９の態様において、接続のためのデバイスを識別するための方法は、表示デバイスが、第１のリンクを介して受信される第１の信号の導出物を取得することを含む。本方法はまた、第１の信号の導出物が下限閾値を満たすこと、またはそれを超えることに基づいて、表示デバイスが、選択のための識別を生成することも含む。
【００５１】
一般に適用可能であり得るが、また、第９の態様の任意の他の実現形態と関連して特に適用可能でもある、第９の態様の特定の実現形態において、本方法はまた、第１の信号の導出物が上限閾値を満たすこと、またはそれを超えることに基づいて、接続のための選択を生成することも含む。実施形態において、本方法は、表示デバイスが、第２のリンクを介して受信される第２の信号の導出物を取得することをさらに含む。接続のための選択を生成することは、第２の信号の導出物が下限閾値未満であることにさらに基づくことができる。
【００５２】
一般に適用可能であり得るが、また、第９の態様の任意の他の実現形態と関連して特に適用可能でもある、第９の態様の特定の実現形態において、本方法はまた、表示デバイスが、第２の信号の導出物を取得することも含む。第２の信号は、第２のリンクを介して受信することができる。第２の信号は、第１のリンクを介して受信することができる。実施形態において、本方法はまた、第２の信号の導出物が上限閾値を満たすこと、またはそれを超えることに基づいて、表示デバイスが、接続のための選択を生成することも含む。接続のための選択を生成することは、第１の信号の導出物が上限閾値を満たさないこと、またはそれを超えないことにさらに基づくことができる。
【００５３】
一般に適用可能であり得るが、また、第９の態様の任意の他の実現形態と関連して特に適用可能でもある、第９の態様の特定の実現形態において、本方法はまた、第１の信号の導出物が上限閾値未満であることに基づいて、第２のリンクに従って表示デバイスを構成するための指示を生成することも含む。指示は、表示デバイスを分析物センサシステムのより近くに移動させるための命令を表す通信を含むことができる。実施形態において、本方法は、指示が表示デバイスのユーザに提供されるように、置換デバイスに指示を送信することをさらに含む。指示は、可聴通信、視覚通信、および触覚通信のうちの１つ以上を含むことができる。実施形態において、本方法はまた、第１の信号の導出物が上限閾値を満たすこと、またはそれを超えることに基づいて、第２のリンクに従って表示デバイスを構成するための指示を生成することも含む。
【００５４】
一般に適用可能であり得るが、また、第９の態様の任意の他の実現形態と関連して特に適用可能でもある、第９の態様の特定の実現形態において、本方法はまた、表示デバイスが、第３のリンクを介して受信される第３の信号の導出物を取得することも含む。表示デバイスが、接続のための選択を生成することは、第３の信号の導出物が下限閾値未満であることにさらに基づくことができる。
【００５５】
一般に適用可能であり得るが、また、第９の態様の任意の他の実現形態と関連して特に適用可能でもある、第９の態様の特定の実現形態において、本方法はまた、表示デバイスが、第３のリンクを介して受信される第３の信号の導出物を取得することも含む。表示デバイスが、接続のための選択を生成することは、第３の信号の導出物が下限閾値未満であることにさらに基づく。
【００５６】
一般に適用可能であり得るが、また、第９の態様の任意の他の実現形態と関連して特に適用可能でもある、第９の態様の特定の実現形態において、本方法はまた、表示デバイスが、第２のリンクを介して受信される第２の信号の導出物を取得することも含む。実施形態において、本方法はまた、第２の信号の導出物と第１の信号の導出物との比較に基づいて、表示デバイスが、接続のための選択を生成することも含む。実施形態において、表示デバイスが、接続のための選択を生成することは、第１の信号の導出物が上限閾値を満たすこと、またはそれを超えることにさらに基づき、第２の信号の導出物は、第１の信号の導出物未満である。実施形態において、表示デバイスが、接続のための選択を生成することは、第２の信号の導出物が上限閾値を満たすこと、またはそれを超えることにさらに基づき、第１の信号の導出物は、第２の信号の導出物未満である。
【００５７】
一般に適用可能であり得るが、また、第９の態様の任意の他の実現形態と関連して特に適用可能でもある、第９の態様の特定の実現形態において、本方法はまた、表示デバイスが、第３のリンクを介して受信される第３の信号の導出物を取得することも含む。接続のための選択を生成することは、第３の信号の導出物と第２の信号の導出物との比較にさらに基づいていてもよい。本方法の実施形態において、第２の信号の導出物は、上限閾値を満たし、またはそれを超え、第３の信号の導出物は、第２の信号の導出物未満である。本方法の実施形態において、第２の信号の導出物は、上限閾値未満であり、かつ第３の信号の導出物は、第２の信号の導出物を超える。
【００５８】
一般に適用可能であり得るが、また、第９の態様の任意の他の実現形態と関連して特に適用可能でもある、第９の態様の特定の実現形態において、本方法はまた、加速度計へのユーザ入力の表現を受信することも含む。実施形態において、接続のための選択を生成することは、ユーザ入力の表現にさらに基づく。実施形態において、本方法はまた、ユーザがユーザ入力を分析物センサシステムに提供するためのプロンプトを提示することも含む。ユーザ入力は、ユーザが分析物センサシステムをタップすることに基づくことができる。
【００５９】
一般に適用可能であり得るが、また、第９の態様の任意の他の実現形態と関連して特に適用可能でもある、第９の態様の特定の実現形態において、本方法はまた、分析物センサシステムをトリガーして表示デバイスに第１の信号を送信するために、表示デバイスが、分析物センサシステムに物理的に接触するようユーザに促すことも含む。
【００６０】
第１０の態様において、モバイルデバイスは、分析物データを無線通信するように構成される。モバイルデバイスは、無線信号を伝送および受信するように構成されたトランシーバを含む。モバイルデバイスはまた、トランシーバに動作的に結合された回路も含む。さらに、モバイルデバイスは、回路に動作的に結合され、命令を記憶し、該命令は、実行されたときに、表示デバイスにいくつかの動作を行わせる、非一時的コンピュータ可読媒体を含む。１つのそのような動作は、第１のリンクを介して受信される第１の信号の導出物を取得することである。別のそのような動作は、第１の信号の導出物が下限閾値を満たすこと、またはそれを超えることに基づいて、選択のための識別を生成することである。
【００６１】
一般に適用可能であり得るが、また、第１０の態様の任意の他の実現形態と関連して特に適用可能でもある、第１０の態様の特定の実現形態において、非一時的コンピュータ可読媒体は、命令をさらに記憶し、該命令は、実行されたときに、モバイルデバイスにいくつかの追加的な動作を行わせる。１つのそのような動作は、第１の信号の導出物が上限閾値を満たすこと、またはそれを超えることに基づいて、接続のための選択を生成することである。別のそのような動作は、第２のリンクを介して受信される第２の信号の導出物を取得することである。さらに別のそのような動作は、第２の信号の導出物が下限閾値未満であること、または上限閾値を満たすもしくはそれを超えることにさらに基づいて、接続のための選択を生成することである。別のそのような動作は、第１の信号の導出物が上限閾値を満たさない、またはそれを超えないことにさらに基づいて、接続のための選択を生成することである。別のそのような動作は、第３のリンクを介して受信される第３の信号の導出物を取得することである。さらに別のそのような動作は、第３の信号の導出物が上限閾値を満たす、もしくはそれを超えること、または下限閾値未満であることにさらに基づいて、接続のための選択を生成することである。
【００６２】
一般に適用可能であり得るが、また、第１０の態様の任意の他の実現形態と関連して特に適用可能でもある、第１０の態様の特定の実現形態において、非一時的コンピュータ可読媒体は、命令をさらに記憶し、該命令は、実行されたときに、モバイルデバイスにいくつかの追加的な動作を行わせる。１つのそのような動作は、第２のリンクを介して受信される第２の信号の導出物を取得することである。別のそのような動作は、第２の信号の導出物と第１の信号の導出物との比較に基づいて、接続のための選択を生成することである。別のそのような動作は、第３のリンクを介して受信される第３の信号の導出物を取得することである。さらに別のそのような動作は、第３の信号の導出物と第２の信号の導出物との比較にさらに基づいて、接続のための選択を生成することである。
【００６３】
一般に適用可能であり得るが、また、第１０の態様の任意の他の実現形態と関連して特に適用可能でもある、第１０の態様の特定の実現形態において、非一時的コンピュータ可読媒体は、命令をさらに記憶し、該命令は、実行されたときに、モバイルデバイスにいくつかの追加的な動作を行わせる。１つのそのような動作は、加速度計へのユーザ入力の表現を受信することである。別のそのような動作は、ユーザ入力の表現の比較にさらに基づいて、接続のための選択を生成することである。
【００６４】
第１１の態様において、接続のためのデバイスを識別するための方法は、表示デバイスが、第１のリンクを介して受信される第１の信号の導出物を取得することを含む。本方法はまた、表示デバイスが、第２のリンクを介して受信される第２の信号の導出物を取得することも含む。加えて、本方法は、第１の信号の導出物と第２の信号の導出物との比較に基づいて、表示デバイスが、接続のための選択を生成することを含む。
【００６５】
一般に適用可能であり得るが、また、第１１の態様の任意の他の実現形態と関連して特に適用可能でもある、第１１の態様の特定の実現形態において、本方法はまた、第１の信号の導出物と第２の信号の導出物との差を算出することも含む。実施形態において、本方法はまた、この差を所定の値を比較することによって、比較を生成することも含む。
【００６６】
一般に適用可能であり得るが、また、第１１の態様の任意の他の実現形態と関連して特に適用可能でもある、第１１の態様の特定の実現形態において、本方法はまた、第１の信号の導出物と第２の信号の導出物との差を算出することも含む。実施形態において、本方法はまた、この差の絶対値を所定の値と比較することによって、比較を生成することも含む。
【００６７】
一般に適用可能であり得るが、また、第１１の態様の任意の他の実現形態と関連して特に適用可能でもある、第１１の態様の特定の実現形態において、本方法はまた、表示デバイスが、第３のリンクを介して受信される第３の信号の導出物を取得することも含む。実施形態において、表示デバイスが、接続のための選択を生成することは、第２の導出物と第３の導出物との比較にさらに基づく。
【００６８】
一般に適用可能であり得るが、また、第１１の態様の任意の他の実現形態と関連して特に適用可能でもある、第１１の態様の特定の実現形態において、本方法はまた、第１の信号の導出物と第２の信号の導出物との第１の差を算出することも含む。実施形態において、本方法は、表示デバイスが、第３のリンクを介して受信される第３の信号の導出物を取得することをさらに含む。実施形態において、本方法は、第３の信号の導出物と第２の信号の導出物との第２の差を算出することを含む。実施形態において、表示デバイスが、接続のための選択を生成することは、第１の差と第２の差との比較にさらに基づく。
【００６９】
第１２の態様において、モバイルデバイスは、分析物データを無線通信するように構成される。モバイルデバイスは、無線信号を伝送および受信するように構成されたトランシーバを含む。モバイルデバイスはまた、トランシーバに動作的に結合された回路も含む。さらに、モバイルデバイスは、回路に動作的に結合され、命令を記憶し、該命令は、実行されたときに、モバイルデバイスにいくつかの動作を行わせる、非一時的コンピュータ可読媒体を含む。１つのそのような動作は、第１のリンクを介して受信される第１の信号の導出物を取得することである。別のそのような動作は、第２のリンクを介して受信される第２の信号の導出物を取得することである。さらに別のそのような動作は、第１の信号の導出物と第２の信号の導出物との比較に基づいて、接続のための選択を生成することである。
【００７０】
一般に適用可能であり得るが、また、第１２の態様の任意の他の実現形態と関連して特に適用可能でもある、第１２の態様の特定の実現形態において、非一時的コンピュータ可読媒体は、命令をさらに記憶し、該命令は、実行されたときに、モバイルデバイスにいくつかの追加的な動作を行わせる。１つのそのような動作は、第１の信号の導出物と第２の信号の導出物との差を算出することである。別のそのような動作は、この差を所定の値と比較することによって、比較を生成することである。
【００７１】
第１２の態様において、接続のためのデバイスを識別するための方法は、一組の表示デバイスのうちの１つの表示デバイスが、一組の分析物センサシステムのうちの１つの分析物センサシステムとの接続を確立することを含む。本方法は、接続の持続時間が所定の時間量を超えることに基づいて、表示デバイスが、分析物センサシステムへの接続のための確認を生成することをさらに含む。
【００７２】
第１３の態様において、一組のモバイルデバイスのうちの１つモバイルデバイスは、分析物データを無線通信するように構成される。モバイルデバイスは、無線信号を伝送および受信するように構成されたトランシーバを含む。モバイルデバイスはまた、トランシーバに動作的に結合された回路も含む。加えて、モバイルデバイスは、回路に動作的に結合され、命令を記憶し、該命令は、実行されたときに、モバイルデバイスにいくつかの動作を行わせる、非一時的コンピュータ可読媒体を含む。１つのそのような動作は、一組の分析物センサシステムのうちの１つの分析物センサシステムとの接続を確立することである。別のそのような動作は、接続の持続時間が所定の時間量を超えることに基づいて、分析物センサシステムへの接続のための確認を生成することである。
【００７３】
第１４の態様において、接続のためのデバイスを識別するための方法は、表示デバイスと分析物センサシステムとの接続のための選択を生成するための複数のモードのうちの１つで動作することを含む。複数のモードのうちの第１のモードで動作することは、一組の分析物センサシステムの中からその分析物センサシステムを識別する、分析物センサシステムに関する入力を受信することを含む。第１のモードで動作することはまた、入力に基づいて、分析物センサシステムとの接続のための選択を生成することを含む。複数のモードのうちの第２のモードで動作することは、第１のリンクを介して受信される第１の信号の導出物を取得することを含む。第２のモードで動作することはまた、第１の信号の導出物に基づいて、選択のための識別を生成することも含む。第２のモードで動作することはまた、選択のための識別、ならびに第２の信号の導出物およびユーザ入力のうちの１つ以上に基づいて、接続のための選択を生成することも含む。複数のモードのうちの第３のモードで動作することは、表示デバイスと分析物センサシステムとの間の接続を形成することを含む。第３のモードで動作することはまた、少なくとも所定の時間量にわたって接続を維持することに基づいて、接続のための確認を生成することを含む。
【００７４】
一般に適用可能であり得るが、また、第１４の態様の任意の他の実現形態と関連して特に適用可能でもある、第１４の態様の特定の実現形態において、分析物センサシステムを識別する、分析物センサシステムに関する入力は、分析物センサシステムの識別番号、分析物センサシステムの文字識別子、獲得したコード化された要素、獲得した画像、およびリストから分析物センサシステムを選択する入力、のうちの１つを含む。
【００７５】
一般に適用可能であり得るが、また、第１４の態様の任意の他の実現形態と関連して特に適用可能でもある、第１４の態様の特定の実現形態において、第１の信号の導出物は、第１の信号のＲＳＳＩに基づき、第２の信号の導出物は、第２の信号のＲＳＳＩに基づく。実施形態において、本方法はまた、第１の信号の導出物と第２の信号の導出物との差を算出することも含む。さらに、本方法は、この差を閾値と比較することを含む。方法はまた、この差が閾値を超えた場合に、接続のための選択を確認することも含む。
【００７６】
一般に適用可能であり得るが、また、第１４の態様の任意の他の実現形態と関連して特に適用可能でもある、第１４の態様の特定の実現形態において、本方法はまた、分析物センサシステムが第１の信号の伝送を開始するために、分析物センサシステムの加速度計への入力を提供させるための命令をユーザに提示することも含む。
【００７７】
第１５の態様において、システムは、接続のためのデバイスを識別するための分析物センサシステムを含む。本システムはまた、モバイルデバイスも含む。分析物センサシステムおよびモバイルデバイスは、モバイルデバイスと分析物センサシステムとの、接続のための選択を生成するための複数のモードのうちの１つで動作するように構成される。複数のモードのうちの第１のモードでの動作のために、モバイルデバイスは、いくつかの動作を行うように構成される。１つのそのような動作は、一組の分析物センサシステムの中から１つの分析物センサシステムを識別する、分析物センサシステムに関する入力を受信することである。別のそのような動作は、入力に基づいて、分析物センサシステムとの接続のための選択を生成することである。複数のモードのうちの第２のモードでの動作のために、モバイルデバイスは、いくつかの動作を行うように構成される。１つのそのような動作は、第１のリンクを介して受信される第１の信号の導出物を取得することである。別のそのような動作は、第１の信号の導出物に基づいて、選択のための識別を生成することである。さらに別のそのような動作は、選択のための識別、ならびに第２の信号の導出物およびユーザ入力のうちの１つ以上に基づいて、接続のための選択を生成することである。複数のモードのうちの第３のモードでの動作のために、モバイルデバイスは、いくつかの動作を行うように構成される。１つのそのような動作は、表示デバイスと分析物センサシステムとの間の接続を形成することである。別のそのような動作は、少なくとも所定の時間量にわたって接続を維持することに基づいて、接続のための確認を生成することである。
【００７８】
第１６の態様において、分析物データを無線通信するための方法は、分析物センサシステムと表示デバイスとの間の第１の接続を確立することを含む。本方法はまた、第１の接続中に、分析物センサシステムと表示デバイスとの間で認証に関連する情報を交換することも含む。認証に関連する情報は、アプリケーション鍵を含む。本方法は、分析物センサシステムが、表示デバイスに暗号化された分析物値を伝送することをさらに含む。暗号化された分析物値は、アプリケーション鍵に基づいて生成されている。
【００７９】
一般に適用可能であり得るが、また、第１６の態様の任意の他の実現形態と関連して特に適用可能でもある、第１６の態様の特定の実現形態において、本方法はまた、所定の時間量の経過、分析物センサシステムまたは表示デバイスの再起動、分析物センサシステムに接続しようと試みる別のデバイスに関連するトリガー、およびユーザ入力、のうちの１つ以上に応答して、アプリケーション鍵を修正することも含む。
【００８０】
一般に適用可能であり得るが、また、第１６の態様の任意の他の実現形態と関連して特に適用可能でもある、第１６の態様の特定の実現形態において、アプリケーション鍵は、表示デバイスによってサーバから受信したものである。実施形態において、各分析物センサシステムについて、サーバは、アプリケーション鍵を分析物センサシステムの識別情報と関連付ける。実施形態において、アプリケーション鍵は、表示デバイスがサーバに分析物センサシステムの識別情報を提供することに応答して、表示デバイスによってサーバから受信したものである。
【００８１】
第１７の態様において、分析物センサシステムは、分析物データを無線通信するように構成される。分析物センサシステムは、分析物センサを含む。分析物センサシステムは、無線信号を伝送および受信するように構成されたトランシーバ含む。分析物センサシステムはまた、分析物センサおよびトランシーバに動作的に結合され、また、分析物センサシステムにいくつかの動作を行わせるように構成されたプロセッサも含む。１つのそのような動作は、分析物センサシステムと表示デバイスとの間の第１の接続を確立することである。別のそのような動作は、第１の接続中に、分析物センサシステムと表示デバイスとの間で認証に関連する情報を交換することであり、認証に関連する情報は、アプリケーション鍵を含む。さそのような別の動作は、第１の間隔中に認証が行われたかどうかに関する判定を行うことである。さらに別のそのような動作は、表示デバイスに暗号化された分析物値を伝送することであり、暗号化された分析物値は、アプリケーション鍵に基づいて生成したものである。実施形態において、アプリケーション鍵は、サーバに分析物センサシステムの識別情報が提供されることに応答して、サーバから受信したものである。
【００８２】
第１８の態様において、分析物データを無線通信するための方法は、接続パラメータの提案を受信することを含む。この提案は、接続パラメータの１つ以上の提案値を含む。本方法はまた、提案が許容可能であるかどうかを判定することも含む。本方法は、提案が許容可能であるかどうかを判定することに基づいて、提案に対する応答を生成することを含む。
【００８３】
一般に適用可能であり得るが、また、第１８の態様の任意の他の実現形態と関連して特に適用可能でもある、第１８の態様の特定の実現形態において、本方法はまた、応答が許容可能な提案値の受諾を示す場合に、１つ以上の提案値の許容可能な提案値に基づいて、表示デバイスと分析物センサシステムとの接続を修正することも含む。
【００８４】
一般に適用可能であり得るが、また、第１８の態様の任意の他の実現形態と関連して特に適用可能でもある、第１８の態様の特定の実現形態において、本方法はまた、応答が許容可能な提案値の受諾を示す場合に、１つ以上の提案値の許容可能な提案値に基づいて、表示デバイスと分析物センサシステムとの接続を確立することも含む。
【００８５】
一般に適用可能であり得るが、また、第１８の態様の任意の他の実現形態と関連して特に適用可能でもある、第１８の態様の特定の実現形態において、本方法はまた、応答が接続パラメータの提案値以外の接続パラメータの値の選好を示す場合に、反対提案を送信することも含む。反対提案は、接続パラメータの１つ以上の反対提案値を含む。
【００８６】
一般に適用可能であり得るが、また、第１８の態様の任意の他の実現形態と関連して特に適用可能でもある、第１８の態様の特定の実現形態において、本方法はまた、反対提案に対する応答を受信することも含む。実施形態において、本方法は、反対提案に対する応答が反対提案値のうちの１つ以上の受諾を示す場合に、反対提案値のうちの少なくとも１つに基づいて、表示デバイスと分析物センサシステムとの接続を修正することをさらに含む。
【００８７】
一般に適用可能であり得るが、また、第１８の態様の任意の他の実現形態と関連して特に適用可能でもある、第１８の態様の特定の実現形態において、本方法はまた、反対提案に対する応答を受信することも含む。実施形態において、本方法は、反対提案に対する応答が反対提案値の否認を示す場合に、表示デバイスと分析物センサシステムとの接続を終了することをさらに含む。
【００８８】
一般に適用可能であり得るが、また、第１８の態様の任意の他の実現形態と関連して特に適用可能でもある、第１８の態様の特定の実現形態において、本方法はまた、反対提案に対する応答を受信することも含む。実施形態において、本方法は、反対提案に対する応答が反対提案値のうちの１つ以上の受諾を示す場合に、反対提案値のうちの少なくとも１つに基づいて、表示デバイスと分析物センサシステムとの接続を確立することをさらに含む。
【００８９】
一般に適用可能であり得るが、また、第１８の態様の任意の他の実現形態と関連して特に適用可能でもある、第１８の態様の特定の実現形態において、本方法はまた、反対提案に対する応答を受信することも含む。実施形態において、本方法は、反対提案に対する応答が反対提案値の否認を示す場合に、接続拒否決定を生成することをさらに含む。
【００９０】
一般に適用可能であり得るが、また、第１８の態様の任意の他の実現形態と関連して特に適用可能でもある、第１８の態様の特定の実現形態において、接続パラメータは、接続間隔、スレーブ待ち時間、および監視タイムアウトのうちの１つである。
【００９１】
一般に適用可能であり得るが、また、第１８の態様の任意の他の実現形態と関連して特に適用可能でもある、第１８の態様の特定の実現形態において、提案は、分析物センサシステムの予期される動作時間に基づく。
【００９２】
一般に適用可能であり得るが、また、第１８の態様の任意の他の実現形態と関連して特に適用可能でもある、第１８の態様の特定の実現形態において、提案は、グルコースレベルに基づく。
【００９３】
一般に適用可能であり得るが、また、第１８の態様の任意の他の実現形態と関連して特に適用可能でもある、第１８の態様の特定の実現形態において、提案は、サービス品質、時刻、場所、または、バッテリの状態、のうちの１つ以上に基づく。
【００９４】
一般に適用可能であり得るが、また、第１８の態様の任意の他の実現形態と関連して特に適用可能でもある、第１８の態様の特定の実現形態において、本方法はまた、第１の接続モデルに従って接続を要求することを含む。実施形態において、本方法は、提案が許容可能でないと判定することに応答して、第２の接続モデルに従って接続を要求することをさらに含む。
【００９５】
一般に適用可能であり得るが、また、第１８の態様の任意の他の実現形態と関連して特に適用可能でもある、第１８の態様の特定の実現形態において、本方法はまた、提案が許容可能でないと判定することに応答して、表示デバイスと分析物センサシステムとの接続を終了することも含む。実施形態において、本方法はまた、接続を終了することに関連する通知を提供することも含む。
【００９６】
第１９の態様において、分析物センサシステムは、分析物データを無線通信するように構成される。分析物センサシステムは、分析物センサを含む。分析物センサシステムは、無線信号を伝送および受信するように構成されたトランシーバ含む。分析物センサシステムは、分析物センサおよびトランシーバに動作的に結合され、また、分析物センサシステムにいくつかの動作を行わせるように構成されたプロセッサを含む。１つのそのような動作は、接続パラメータの提案を受信することであり、該提案は、接続パラメータの１つ以上の提案値を含む。別のそのような動作は、提案が許容可能かどうかを判定することである。さらに別のそのような動作は、提案が許容可能であるという判定に基づいて、提案に対する応答を生成することである。
【００９７】
一般に適用可能であり得るが、また、第１９の態様の任意の他の実現形態と関連して特に適用可能でもある、第１９の態様の特定の実現形態において、プロセッサは、いくつかの追加的な動作を行うようにさらに構成される。１つのそのような動作は、応答が許容可能な提案値を許容可能であると示す場合に、１つ以上の提案値のうちの許容可能な提案値に基づいて、表示デバイスと分析物センサシステムとの接続を修正することである。別のそのような動作は、応答が許容可能な提案値を許容可能であると示す場合に、１つ以上の提案値のうちの許容可能な提案値に基づいて、表示デバイスと分析物センサシステムとの接続を確立することである。別のそのような動作は、応答が接続パラメータの提案値以外の接続パラメータの値の選好を示す場合に、反対提案を送信することである。反対提案は、接続パラメータの１つ以上の反対提案値を含むことができる。別のそのような動作は、反対提案に対する応答を受信することである。別のそのような動作は、反対提案に対する応答が反対提案値のうちの１つ以上の受諾を示す場合に、反対提案値の少なくとも１つに基づいて、表示デバイスと分析物センサシステムとの間の接続を修正することである。別のそのような動作は、反対提案に対する応答が反対提案値の否認を示す場合に、表示デバイスと分析物センサシステムとの接続を終了することである。別のそのような動作は、反対提案に対する応答が反対提案値のうちの１つ以上の受諾を示す場合に、反対提案値の少なくとも１つに基づいて、表示デバイスと分析物センサシステムとの間の接続を確立することである。別のそのような動作は、第１の接続モデルに従って接続を要求することである。別のそのような動作は、提案が許容可能でないという判定に応答して、第２の接続モデルに従って接続を要求することである。
【００９８】
第２０の態様において、分析物データを無線通信するための方法は、表示デバイス上で動作するアプリケーションからの入力に応答して、表示デバイスが、接続パラメータの値を含むメッセージを分析物センサシステムに送信することを含む。本方法はまた、表示デバイスが、分析物センサシステムから接続パラメータの値を受信することも含む。加えて、本方法は、値が許容可能であるという判定に基づいて、表示デバイスのオペレーティングシステムが、接続パラメータの値を適用することを含む。
【００９９】
一般に適用可能であり得るが、また、第２０の態様の任意の他の実現形態と関連して特に適用可能でもある、第２０の態様の特定の実現形態において、値が許容可能であるという判定は、表示デバイスによって分析物センサシステムから受信される。
【０１００】
第２１の態様において、分析物データを無線通信するための方法は、第１のモードで動作することを含む。第１のモードで動作することは、分析物センサシステムおよび表示デバイスが接続を維持するように、分析物センサシステムが、表示デバイスと定期的にメッセージを交換することを含む。第１のモードで動作することは、分析物センサシステムおよび表示デバイスが接続を維持している間、分析物センサシステムが表示デバイスに分析物データを伝送することを含む。本方法はまた、第２のモードで動作することも含む。第２のモードで動作することは、分析物センサシステムと表示デバイスとの接続を定期的に確立することを含む。第２のモードで動作することは、接続が確立されている間、表示デバイスに分析物データを伝送することを含む。
【０１０１】
一般に適用可能であり得るが、また、第２１の態様の任意の他の実現形態と関連して特に適用可能でもある、第２１の態様の特定の実現形態において、本方法は、第１のモードで動作することから第２のモードで動作することに切り換えること、または第２のモードで動作することから第１のモードで動作することに切り換えることを含む。実施形態において、切り換えは、ユーザ入力に基づく。実施形態において、切り換えは、１つ以上の切り替え基準に基づく。実施形態において、切り換え基準は、表示デバイスのタイプと、ユーザ情報と、接続のための表示デバイスの利用可能性と、表示デバイスに関する優先順位スキーム、サービス品質と、バッテリ寿命と、時刻と、場所とを含む。
【０１０２】
一般に適用可能であり得るが、また、第２１の態様の任意の他の実現形態と関連して特に適用可能でもある、第２１の態様の特定の実現形態において、本方法は、バッテリ管理に関連する指示を受信することをさらに含み、切り換えは、指示に基づいて行われる。
【０１０３】
一般に適用可能であり得るが、また、第２１の態様の任意の他の実現形態と関連して特に適用可能でもある、第２１の態様の特定の実現形態において、本方法はまた、切り換えに関連するユーザへの通知を提示することも含む。
【０１０４】
一般に適用可能であり得るが、また、第２１の態様の任意の他の実現形態と関連して特に適用可能でもある、第２１の態様の特定の実現形態において、分析物センサシステムおよび表示デバイスが接続を維持する間、分析物センサシステムが表示デバイスに分析物データを伝送することは、分析物データを伝送に利用可能になった時点で行われる。
【０１０５】
第２２の態様において、分析物センサシステムは、分析物データを無線通信するように構成される。分析物センサシステムは、分析物センサを含む。分析物センサシステムは、無線信号を伝送および受信するように構成されたトランシーバ含む。分析物センサシステムは、分析物センサおよびトランシーバに動作的に結合され、また、分析物センサシステムにいくつかの動作を行わせるように構成されたプロセッサを含む。１つのそのような動作は、第１のモードで動作することである。第１のモードでの動作について、分析物センサシステムは、いくつかの動作を行うように構成される。第１のモードの１つのそのような動作は、分析物センサシステムおよび表示デバイスが接続を維持するように、表示デバイスと定期的にメッセージを交換することである。第１のモードの別のそのような動作は、分析物センサシステムおよび表示デバイスが接続を維持している間、表示デバイスに分析物データを伝送することである。そのような別の動作は、第２のモードで動作することである。第２のモードでの動作について、分析物センサシステムは、いくつかの動作を行うように構成される。第２のモードの１つのそのような動作は、表示デバイスをとの接続を定期的に確立することである。第２のモードの別のそのような動作は、接続が確立されている間、表示デバイスに分析物データを伝送することである。別のそのような動作は、第１のモードの動作と第２のモードの動作とを切り換えることである。
【０１０６】
第２３の態様において、分析物データを無線通信するための方法は、分析物センサシステムおよび表示デバイスが接続を維持するように、分析物センサシステムが表示デバイスと定期的にメッセージを交換することである。方法はまた、分析物センサシステムおよび表示デバイスが接続を維持している間、分析物センサシステムが表示デバイスに分析物データを伝送することも含む。
【０１０７】
一般に適用可能であり得るが、また、第２３の態様の任意の他の実現形態と関連して特に適用可能でもある、第２３の態様の特定の実現形態において、本方法はまた、表示デバイスから接続要求を受信することに応答して、分析物センサシステムが、表示デバイスに一組の接続パラメータの提案を送信することも含む。一組の接続パラメータは、接続間隔と、スレーブ待ち時間と、監視タイムアウトとを含むことができる。実施形態において、本方法はまた、表示デバイスから接続決定を受信することも含み、接続決定は、提案に基づく。実施形態において、定期的にメッセージを交換することは、提案の受諾を含む接続決定に応答して、一組の接続パラメータに基づいて行われる。
【０１０８】
一般に適用可能であり得るが、また、第２３の態様の任意の他の実現形態と関連して特に適用可能でもある、第２３の態様の特定の実現形態において、本方法はまた、接続パラメータのうちの１つ以上の違反に基づいて、接続を終了することも含む。実施形態において、本方法はまた、接続を終了することに応答して、分析物センサシステムが、アドバタイズメントメッセージを伝送することも含む。
【０１０９】
一般に適用可能であり得るが、また、第２３の態様の任意の他の実現形態と関連して特に適用可能でもある、第２３の態様の特定の実現形態において、本方法はまた、接続パラメータのうちの１つ以上の違反に応答して、接続パラメータのうちの１つ以上を修正するように要求することも含む。
【０１１０】
第２４の態様において、分析物センサシステムは、分析物データを無線通信するように構成される。分析物センサシステムは、分析物センサを含む。分析物センサシステムは、無線信号を伝送および受信するように構成されたトランシーバ含む。分析物センサシステムはまた、分析物センサおよびトランシーバに動作的に結合され、また、分析物センサシステムにいくつかの動作を行わせるように構成されたプロセッサも含む。１つのそのような動作は、分析物センサシステムおよび表示デバイスが接続を維持するように、表示デバイスと定期的にメッセージを交換することである。１つのそのような動作は、分析物センサシステムおよび表示デバイスが接続を維持している間、表示デバイスに分析物データを伝送することである。
【０１１１】
第２５の態様において、分析物データを無線通信するための方法は、分析物センサシステムと表示デバイスとの間の接続を確立することを含む。本方法はまた、分析物センサシステムと関連付けられた一組の特性を受信することも含む。この特性は、シーケンスで配列される。本方法はまた、分析物センサシステムに、シーケンスと異なる順序で特性のうちの１つ以上を読み取る要求を送信することを含む。
【０１１２】
一般に適用可能であり得るが、また、第２５の態様の任意の他の実現形態と関連して特に適用可能でもある、第２５の態様の特定の実現形態において、特性のうちの１つ以上を読み取る要求は、推定グルコース値を読み取る要求を含む。
【０１１３】
一般に適用可能であり得るが、また、第２５の態様の任意の他の実現形態と関連して特に適用可能でもある、第２５の態様の特定の実現形態において、本方法はまた、一組の特性のうちの１つの特性を実装することも含む。実施形態において、特性は、推定グルコース値を読み取ることと関連付けられる。実施形態において、特性は、シーケンス内の特性に先行する１つ以上の他の特性を実装することなく行われる。
【０１１４】
第２６の態様において、モバイルデバイスは、分析物データを無線通信するように構成される。モバイルデバイスは、無線信号を伝送および受信するように構成されたトランシーバを含む。モバイルデバイスは、トランシーバに動作的に結合された回路を含む。また、加えて、モバイルデバイスは、回路に動作的に結合され、命令を記憶し、該命令は、実行されたときに、モバイルデバイスにいくつかの動作を行わせる、非一時的コンピュータ可読媒体を含む。１つのそのような動作は、分析物センサシステムとの接続を確立することである。別のそのような動作は、分析物センサシステムと関連付けられた一組の特性を受信することである。特性は、シーケンスで配列することができる。別のそのような動作は、分析物センサシステムに、シーケンスと異なる順序で特性のうちの１つ以上を読み取る要求を送信することである。
【０１１５】
第２７の態様において、分析物データを無線通信するための方法は、第１のリンクを介して受信される第１の信号の導出物を取得することを含む。本方法はまた、第１の信号の導出物に基づいて、選択のための識別を生成することも含む。本方法はまた、第２のリンクを介して受信される第２の信号の導出物を取得することも含む。さらに、本方法は、第２の信号の導出物に基づいて、接続のための選択を生成することを含む。本方法は、接続のための選択に基づいて、表示デバイスと分析物センサシステムとの間の接続を確立することを含む。また、本方法は、メッセージを定期的に交換して、接続を維持することを含む。
【０１１６】
一般に適用可能であり得るが、また、第２７の態様の任意の他の実現形態と関連して特に適用可能でもある、第２７の態様の特定の実現形態において、本方法はまた、分析物センサシステムおよび表示デバイスが接続を維持している間、分析物センサシステムが表示デバイスに分析物データを伝送することも含む。実施形態において、本方法はまた、表示デバイスから接続決定を受信することも含み、接続決定は、提案に基づく。
【０１１７】
一般に適用可能であり得るが、また、第２７の態様の任意の他の実現形態と関連して特に適用可能でもある、第２７の態様の特定の実現形態において、本方法はまた、表示デバイスから接続要求を受信することに応答して、分析物センサシステムが、表示デバイスに一組の接続パラメータの提案を送信することも含む。
【０１１８】
一般に適用可能であり得るが、また、第２７の態様の任意の他の実現形態と関連して特に適用可能でもある、第２７の態様の特定の実現形態において、定期的にメッセージを交換することは、提案の受諾を含む接続決定に応答して、一組の接続パラメータに基づいて行われる。
【０１１９】
第２８の態様において、分析物データを無線通信するための方法は、分析物センサシステムと表示デバイスとの間の認証に関連する情報を交換することによって、第１の接続のための表示デバイスを認証することを含む。本方法はまた、表示デバイスを認証することに基づいて、分析物センサシステムが、表示デバイスとメッセージを定期的に交換して、第１の接続を維持することも含む。さらに、本方法は、第１の接続が維持されている時間中に、分析物センサシステムが、表示デバイスに暗号化された分析物データを伝送することを含む。
【０１２０】
一般に適用可能であり得るが、また、第２８の態様の任意の他の実現形態と関連して特に適用可能でもある、第２８の態様の特定の実現形態において、本方法はまた、第１の接続を終了することも含む。実施形態において、本方法はまた、分析物センサシステムと表示デバイスとの間の第２の接続を確立することも含む。実施形態において、本方法はまた、分析物センサシステムが、表示デバイスとメッセージを定期的に交換して、第２の接続を維持することも含む。実施形態において、本方法はまた、第２の接続が維持されている時間中に、分析物センサシステムが、表示デバイスに暗号化された分析物データを伝送することも含む。第２の接続のために、いくつかの事例において、メッセージを定期的に交換し、暗号化された分析物データ伝送することは、第１の接続のための表示デバイスを認証することに基づく。
【０１２１】
第２９の態様において、表示デバイスと１つ以上の分析物センサシステムとの間で分析物データを無線通信するための方法は、表示デバイスが、１つ以上の分析物センサシステムの第１の分析物センサシステムから、または第１の分析物センサシステム以外の分析物センサシステムの１つ以上から受信される、第１の信号の導出物を取得することを含む。本方法は、表示デバイスが、第１の信号の導出物および状態を使用して、第１の分析物センサシステムとの接続のための選択を生成することを追加的に含む。さらに、本方法は、接続のための選択を使用して、表示デバイスと第１の分析物センサシステムとの間の第１の接続を確立することを含む。ある時間量中に、表示デバイスが第１の分析物センサシステム以外の１つ以上の分析物センサシステムからアドバタイズメントメッセージを受信しない場合に、または表示デバイスが状態を満たす第２の信号の導出物を取得しない場合に、第１の接続が確立される。第２の信号は、第１の分析物センサシステム以外の１つ以上の分析物センサシステムから受信される。
【０１２２】
一般に適用可能であり得るが、また、第２９の態様の任意の他の実現形態と関連して特に適用可能でもある、第２９の態様の特定の実現形態において、本方法はまた、第１の分析物センサシステム以外の１つ以上の分析物センサシステムの中の１つの第２の分析物センサシステムから受信される信号の導出物を取得することを含む。実施形態において、本方法はまた、少なくとも第２の分析物センサシステムから受信される信号の導出物を使用して、表示デバイスと第２の分析物センサシステムとの間の第２の接続を確立することを含む。
【０１２３】
第３０の態様において、分析物データを無線通信するための方法は、表示デバイスが、いくつかの分析物センサシステムからアドバタイズメントメッセージを受信することを含む。数は、２つ以上である。この数が閾値を超えない場合、本方法は、以下のようなさらなる動作を含む。本方法は、表示デバイスが、いくつかの分析物センサシステムから受信されるそれぞれの信号の導出物を取得することをさらに含むことができる。本方法はまた、表示デバイスが、ある時間量の間に導出物のいずれかが状態を満たすかどうかを判定することも含む。加えて、本方法は、表示デバイスが、ある時間量の間に導出物のうちの第１の導出物が状態を満たすと判定することに応答して、表示デバイスが、いくつかの分析物センサシステムのうちの第１の分析物センサシステムとの接続のための選択を生成することを含むことができる。第１の分析物センサシステムは、第１の導出物を取得するために使用される信号を送信する。さらに、本方法は、接続のための選択を使用して、表示デバイスと第１の分析物センサシステムとの間の第１の接続を確立することを含むことができる。
【０１２４】
一般に適用可能であり得るが、また、第３０の態様の任意の他の実現形態と関連して特に適用可能でもある、第３０の態様の特定の実現形態において、数が閾値を超えた場合に、本方法は、以下のようなさらなる動作を含む。本方法は、表示デバイスが、表示デバイスのユーザにプロンプトを提供することを含むことができ、プロンプトは、接続確立に関する。本方法は、プロンプトに応答して、表示デバイスによって受信される入力を使用して、接続するために選択される表示デバイスと分析物センサシステムのうちの１つとの間の第２の接続を確立することをさらに含むことができる。
【０１２５】
さらなる本開示の態様は、添付図面を参照しながら、下で説明される種々の開示された実施形態の詳細な説明を考察したときに、より容易に認識されるであろう。
【図面の簡単な説明】
【０１２６】
【図１Ａ】本開示の実施形態の実施と関連して使用することができる例示的なシステムの態様を例示する図である。
【図１Ｂ】本開示の実施形態の実施と関連して使用することができる例示的なシステムの態様を例示する図である。
【図２Ａ】分析物センサシステムの実施と関連して使用することができる例示的な筐体の斜視図である。
【図２Ｂ】分析物センサシステムの実施と関連して使用することができる例示的な筐体の側面図である。
【図３Ａ】本開示の実施形態の実施と関連して使用することができる例示的なシステムの態様を例示する図である。
【図３Ｂ】本開示の実施形態の実施と関連して使用することができる例示的なシステムの態様を例示する図である。
【図３Ｃ】本開示の実施形態の実施と関連して使用することができる例示的なシステムの態様を例示する図である。
【図３Ｄ】本開示の実施形態の実施と関連して使用することができる例示的なシステムの態様を例示する図である。
【図３Ｅ】本開示の実施形態の実施と関連して使用することができる例示的なシステムの態様を例示する図である。
【図３Ｆ】本開示の実施形態による、例示的なユーザインターフェースの態様を例示する図である。
【図３Ｇ】本開示の実施形態による、例示的なユーザインターフェースの態様を例示する図である。
【図４】本開示の実施形態による、例示的な分析物センサシステムの態様を例示するブロック図である。
【図５】本開示の実施形態による、例示的な分析物センサシステムの態様を例示するブロック図である。
【図６】本開示の実施形態に従って行うことができる種々の動作を例示する動作フロー図である。
【図７Ａ】本開示の実施形態に従って行うことができる種々の動作を例示する動作フロー図である。
【図７Ｂ】本開示の実施形態に従って行うことができる種々の動作を例示する動作フロー図である。
【図７Ｃ】本開示の実施形態に従って行うことができる種々の動作を例示する動作フロー図である。
【図７Ｄ】本開示の実施形態に従って行うことができる種々の動作を例示する動作フロー図である。
【図７Ｅ】本開示の実施形態に従って行うことができる種々の動作を例示する動作フロー図である。
【図７Ｆ】本開示の実施形態に従って行うことができる種々の動作を例示する動作フロー図である。
【図７Ｇ】本開示の実施形態に従って行うことができる種々の動作を例示する動作フロー図である。
【図７Ｈ】本開示の実施形態に従って行うことができる種々の動作を例示する動作フロー図である。
【図７Ｊ】本開示の実施形態に従って行うことができる種々の動作を例示する動作フロー図である。
【図７Ｋ】本開示の実施形態に従って行うことができる種々の動作を例示する動作フロー図である。
【図８】本開示の実施形態に従う、アドバタイズメントメッセージの例示的な構造を例示する図である。
【図９】本開示の実施形態に従う、アドバタイズメントメッセージの伝送を例示するタイミング図である。
【図１０Ａ】本開示の実施形態の実施と関連して使用することができる例示的なシステムの態様を例示する図である。
【図１０Ｂ】本開示の実施形態の実施と関連して使用することができる例示的なシステムの態様を例示する図である。
【図１０Ｃ】本開示の実施形態の実施と関連して使用することができる例示的なシステムの態様を例示する図である。
【図１０Ｄ】本開示の実施形態の実施と関連して使用することができる例示的なシステムの態様を例示する図である。
【図１０Ｅ】本開示の実施形態の実施と関連して使用することができる例示的なシステムの態様を例示する図である。
【図１１】本開示の実施形態従う例示的なコンピュータモジュールを例示する図である。
【図１２Ａ】本開示の実施形態に従って行うことができる種々の動作を例示する動作フロー図である。
【図１２Ｂ】本開示の実施形態に従って行うことができる種々の動作を例示する動作フロー図である。
【図１３Ａ】本開示の実施形態に従って行うことができる種々の動作を例示する動作フロー図である。
【図１３Ｂ】本開示の実施形態に従って行うことができる種々の動作を例示する動作フロー図である。
【図１３Ｃ】本開示の実施形態に従って行うことができる種々の動作を例示する動作フロー図である。
【図１３Ｄ】本開示の実施形態に従って行うことができる種々の動作を例示する動作フロー図である。
【図１３Ｅ】本開示の実施形態に従って行うことができる種々の動作を例示する動作フロー図である。
【図１３Ｆ】本開示の実施形態に従って行うことができる種々の動作を例示する動作フロー図である。
【図１３Ｇ】本開示の実施形態に従って行うことができる種々の動作を例示する動作フロー図である。
【図１３Ｈ】本開示の実施形態に従って行うことができる種々の動作を例示する動作フロー図である。
【図１３Ｊ】本開示の実施形態に従って行うことができる種々の動作を例示する動作フロー図である。
【図１３Ｋ】本開示の実施形態に従って行うことができる種々の動作を例示する動作フロー図である。
【図１３Ｌ】本開示の実施形態に従って行うことができる種々の動作を例示する動作フロー図である。
【図１３Ｍ】本開示の実施形態に従って行うことができる種々の動作を例示する動作フロー図である。
【図１３Ｎ】本開示の実施形態に従って行うことができる種々の動作を例示する動作フロー図である。
【図１３Ｐ】本開示の実施形態に従って行うことができる種々の動作を例示する動作フロー図である。
【図１３Ｑ】本開示の実施形態に従って行うことができる種々の動作を例示する動作フロー図である。
【図１４】本開示の実施形態に従って行うことができる種々の動作を例示する動作フロー図である。
【図１５Ａ】本開示の実施形態に従って行うことができる種々の動作を例示する動作フロー図である。
【図１５Ｂ】本開示の実施形態に従って行うことができる種々の動作を例示する動作フロー図である。
【図１６Ａ】本開示の実施形態に従って行うことができる種々の動作を例示する動作フロー図である。
【図１６Ｂ】本開示の実施形態に従って行うことができる種々の動作を例示する動作フロー図である。
【図１６Ｃ】本開示の実施形態に従って行うことができる種々の動作を例示する動作フロー図である。
【図１７】本開示の実施形態に従って行うことができる種々の動作を例示する動作フロー図である。
【図１８】本開示の実施形態に従って行うことができる種々の動作を例示する動作フロー図である。
【図１９】本開示の実施形態に従って行うことができる種々の動作を例示する動作フロー図である。
【図２０】本開示の実施形態に従って行うことができる種々の動作を例示する動作フロー図である。
【発明を実施するための形態】
【０１２７】
図は、下の説明および実施例においてさらに詳細に説明され、例示の目的でのみ提供されており、また、単に本開示の典型的または例示的な実施形態を表すだけのものである。図は、包括的であることを意図せず、または本開示を開示される正確な形態に限定することを意図しない。また、本開示は、修正または変更を伴って実践され得ること、および本開示は、特許請求の範囲およびその等価物だけによって限定され得ることも理解されたい。
【０１２８】
本開示の実施形態は、分析物データを無線通信するためのシステム、方法、およびデバイスを対象とする。本明細書で説明される種々の配置において、分析物データは、表示デバイスおよび同類のものに接続するように構成された分析物センサシステムによって生成される、グルコースデータである。本明細書で詳細に説明するように、本開示の態様を実施することで、分析物センサシステムおよび他のデバイス無線通信に関する分析物センサシステムの効率を高めることによって、その電力消費を低減させることができる。その上、本開示の態様を実施することはまた、電力消費の低減も可能にし、一方で、無線通信の信頼性、速度、および精度に関する性能、ならびにそれらと関連付けられる接続プロトコルを維持および／または改善することも可能にすることができる。加えて、いくつかの事例において、電力の消費は、他の性能の態様（例えば、信頼性および／または待ち時間）ほど重要でない場合があり、そのような事例において、異なる接続モードを用いて、性能を高めることができる。特に、本開示のいくつかの態様は、例えば、認証および暗号化、デバイスの接続プロトコルおよびタイミング、アドバタイズメントメッセージの構造およびコンテンツ、ならびにデバイスのペアリングに関する。
【０１２９】
本開示のシステム、方法、およびデバイスのいくつかの例示的な実施形態の詳細は、この説明の中に記載され、またいくつかの事例では、本開示の他の部分に記載される。本開示のその他の特徴、目的、および利点は、本開示、説明、図面、実施例、および特許請求の範囲を検討した時点で当業者に明らかになるであろう。全ての当該の追加的なシステム、方法、デバイス、特徴、および利点は、（明示的に、または参照によって）本説明に含まれること、本開示の範囲内であること、および添付の請求項のうちの１つ以上によって保護されることを意図する。
【０１３０】
Ａ．概要
いくつかの実施形態において、システムは、受容体の分析物の連続測定に提供される。本システムは、受容体の分析物の濃度を連続的に測定するように構成された連続分析物センサと、センサの使用中に連続分析物センサに物理的に接続されるセンサ電子機器モジュールと、を含むことができる。特定の実施形態において、センサ電子機器モジュールは、例えば、未処理のセンサデータ、変換されたセンサデータ、および／または任意の他のセンサデータを含むセンサ情報を生成するために、連続分析物センサによって測定した分析物濃度と関連付けられたデータストリームを処理するように構成された電子機器を含む。センサ電子機器モジュールは、異なる表示デバイスが異なるセンサ情報を受信することができるように、それぞれの表示デバイス用にカスタマイズされたセンサ情報を生成するようにさらに構成されることができる。
【０１３１】
本明細書で使用される場合、「分析物」という用語は、広義の用語であり、その通常の、かつ慣例的な意味が当業者に示されるものであり（かつ特別な、またはカスタマイズされた意味に限定されるものではなく）、さらに、分析することができる生体液（例えば、血液、間質液、脳脊髄液、リンパ液、または尿）中の物質または化学成分を指すが、これらに限定されない。分析物としては、自然発生物質、人工物質、代謝物質、および／または反応生成物を挙げることができる。いくつかの実施形態において、センサヘッド、デバイス、および方法による測定のための分析物は、分析物である。しかしながら、他の分析物も同様に企図され、アカルボキシプロトロンビン、アシルカルニチン、アデニンホスホリボシルトランスフェラーゼ、アデノシンデアミナーゼ、アルブミン、アルファ−フェトプロテイン、アミノ酸プロファイル（アルギニン（クレブス回路）、ヒスチジン／ウロカニン酸、ホモシステイン、フェニルアラニン／チロシン、トリプトファン）、アンドレノステンジオン、アンチピリン、アラビニトールエナンチオマー、アルギナーゼ、ベンゾイルエクゴニン（コカイン）、ビオチニダーゼ、ビオプテリン、Ｃ−反応性タンパク質、カルニチン、カルノシナーゼ、ＣＤ４、セルロプラスミン、ケノデオキシコール酸、クロロキン、コレステロール、コリンエステラーゼ、共役１−βヒドロキシコール酸、コルチゾール、クレアチンキナーゼ、クレアチンキナーゼＭＭアイソザイム、シクロスポリンＡ、ｄ−ペニシラミン、デ−エチルクロロキン、デヒドロエピアンドロステロンサルフェート、ＤＮＡ（アセチル化多型、アルコール脱水素酵素、α１−抗トリプシン、嚢胞性線維症、デュシェンヌ型／ベッカー型筋ジストロフィー、分析物−６−リン酸デヒドロゲナーゼ、ヘモグロビンＡ、ヘモグロビンＳ、ヘモグロビンＣ、ヘモグロビンＤ、ヘモグロビンＥ、ヘモグロビンＦ、Ｄパンジャブ、β−サラセミア、Ｂ型肝炎ウイルス、ＨＣＭＶ、ＨＩＶ−１、ＨＴＬＶ−１、レーベル遺伝性視神経症、ＭＣＡＤ、ＲＮＡ、ＰＫＵ、三日熱マラリア原虫、性分化、２１−デオキシコルチゾール）、デスブチルハロファントリン、ジヒドロプテリジン還元酵素、ジフテリア／破傷風抗毒素、赤血球アルギナーゼ、赤血球プロトポルフィリン、エステラーゼＤ、脂肪酸／アシルグリシン、遊離β−ヒト絨毛性ゴナドトロピン、遊離赤血球ポルフィリン、遊離チロキシン（ＦＴ４）、遊離トリ−ヨードチロニン（ＦＴ３）、フマリルアセトアセターゼ、ガラクトース／ｇａｌ−１−リン酸塩、ガラクトース−１−リン酸ウリジルトランスフェラーゼ、ゲンタマイシン、アナライト−６−リン酸デヒドロゲナーゼ、グルタチオン、グルタチオンペリオキシダーゼ、グリココール酸、グリコシル化ヘモグロビン、ハロファントリン、ヘモグロビン変異体、ヘキソサミニダーゼＡ、ヒト赤血球炭酸脱水酵素Ｉ、１７−α−ヒドロキシプロゲステロン、ヒポキサンチンホスホリボシルトランスフェラーゼ、免疫反応性トリプシン、乳酸塩、鉛、リポタンパク質（（ａ）、Ｂ／Ａ−１、β）、リゾチーム、メフロキン、ネチルマイシン、フェノバルビトン、フェニトイン、フィタン酸／プリスタン酸、プロゲステロン、プロラクチン、プロリダーゼ、プリンヌクレオシドホスホリラーゼ、キニン、逆位トリ−ヨードチロニン（ｒＴ３）、セレン、血清膵臓リパーゼ、シソマイシン、ソマトメジンＣ、特異的抗体（アデノウイルス、抗核抗体、抗ゼータ抗体、アルボウイルス、オーエスキー病ウイルス、デング熱ウイルス、メジナ虫、単包条虫、赤痢アメーバ、エンテロウイルス、ランブル鞭毛虫（Ｇｉａｒｄｉａ  ｄｕｏｄｅｎａｌｉｓａ）、ヘリコバクターピロリ、Ｂ型肝炎ウイルス、ヘルペスウイルス、ＨＩＶ−１、ＩｇＥ（アトピー性疾患）、インフルエンザウイルス、ドノバンリーシュマニア、レプトスピラ、麻疹／流行性耳下腺炎／風疹、らい菌、肺炎マイコプラズマ、ミオグロビン、回旋糸状虫、パラインフルエンザウイルス、熱帯熱マラリア原虫、ポリオウイルス、緑膿菌、呼吸系発疹ウイルス、リケッチア（ツツガムシ病）、マンソン住血吸虫、トキソプラズマ原虫、梅毒トレポネーマ（Ｔｒｅｐｅｎｏｍａ  ｐａｌｌｉｄｉｕｍ）、クルーズ／ランゲルトリパノソーマ、水疱性口炎ウイルス（ｖｅｓｉｃｕｌａｒ  ｓｔｏｍａｔｉｓ  ｖｉｒｕｓ）、バンクロフト糸状虫、黄熱病ウイルス）、特異的抗原（Ｂ型肝炎ウイルス、ＨＩＶ−１）、スクシニルアセトンスルファドキシン、テオフィリン、チロトロピン（ＴＳＨ）、チロキシン（Ｔ４）、チロキシン結合グロブリン、微量元素、トランスフェリン、ＵＤＰ−ガラクトース−４−エピメラーゼ、尿素、ウロポルフィリノーゲンＩシンターゼ、ビタミンＡ、白血球、および亜鉛プロトポルフィリンが挙げられるが、これらに限定されない。血液または腸液中に天然に存在する塩、糖、タンパク質、脂質、ビタミン、およびホルモンもまた、特定の実施形態において分析物を構成し得る。分析物は、生体液中に天然に存在し得、例えば、代謝産物、ホルモン、抗原、抗体等である。あるいは、分析物は、体内に導入され得、例えば、撮像のための造影剤、放射性同位体、化学薬剤、フルオロカーボン系合成血液、または薬物もしくは薬学的組成物であり、インスリン、エタノール、大麻（マリファナ、テトラヒドロカンナビノール、ハシッシュ）、吸入剤（亜酸化窒素、亜硝酸アミル、亜硝酸ブチル、塩化炭化水素、炭化水素）、コカイン（クラックコカイン）、興奮剤（アンフェタミン、メタンフェタミン、Ｒｉｔａｌｉｎ、Ｃｙｌｅｒｔ、Ｐｒｅｌｕｄｉｎ、Ｄｉｄｒｅｘ、ＰｒｅＳｔａｔｅ、Ｖｏｒａｎｉｌ、Ｓａｎｄｒｅｘ、Ｐｌｅｇｉｎｅ）、抑制剤（バルビツール酸塩、メタカロン、Ｖａｌｉｕｍ、Ｌｉｂｒｉｕｍ、Ｍｉｌｔｏｗｎ、Ｓｅｒａｘ、Ｅｑｕａｎｉｌ、Ｔｒａｎｘｅｎｅ等の精神安定剤）、幻覚剤（フェンシクリジン、リセルグ酸、メスカリン、ペヨーテ、シロシビン）、麻薬（ヘロイン、コデイン、モルヒネ、アヘン、メペリジン、Ｐｅｒｃｏｃｅｔ、Ｐｅｒｃｏｄａｎ、Ｔｕｓｓｉｏｎｅｘ、Ｆｅｎｔａｎｙｌ、Ｄａｒｖｏｎ、Ｔａｌｗｉｎ、Ｌｏｍｏｔｉｌ）、デザイナードラッグ（フェンタニル、メペリジン、アンフェタミン、メタンフェタミン、およびフェンシクリジンの類似体、例えば、Ｅｃｓｔａｓｙ）、タンパク質同化ステロイド、ならびにニコチンが挙げられるが、これらに限定されない。薬物および薬学的組成物の代謝産物もまた、企図される分析物である。���えば、アスコルビン酸、尿酸、ドーパミン、ノルアドレナリン、３−メトキシチラミン（３ＭＴ）、３，４−ジヒドロキシフェニル酢酸（ＤＯＰＡＣ）、ホモバニリン酸（ＨＶＡ）、５−ヒドロキシトリプタミン（５ＨＴ）、および５−ヒドロキシインドール酢酸（ＦＨＩＡＡ）等の、神経化学物質および体内で生成される他の化学物質等の分析物もまた、分析することができる。
【０１３２】
Ｂ．アラート
特定の実施形態では、１つ以上のアラートがセンサ電子機器モジュールと関連付けられる。例えば、各アラートは、それぞれのアラートをいつトリガーされたのかを示す、１つ以上のアラート条件を含むことができる。例えば、低血糖アラートは、最小値グルコースレベルを示すアラート条件を含むことができる。アラート条件はまた、傾向データ等の変換されたセンサデータ、および／または多数の異なるセンサからのセンサデータにも基づくことができる（例えば、アラートは、グルコースセンサおよび温度センサの両方からのセンサデータに基づくことができる）。例えば、低血糖アラートは、アラートをトリガーする前に存在していなければならない受容体のグルコースレベルにおける最小限必要な傾向を示すアラート条件を含むことができる。「傾向」という用語は、本明細書で使用される場合、一般に、例えば連続的グルコースセンサからの較正またはフィルタリングされたデータ等の、経時的に獲得されるデータの何らかの属性を示すデータを指す。傾向は、変換済みのまたは未処理のセンサデータを含む、センサデータ等のデータの振幅、変化率、加速度、方向等を示すことができる。
【０１３３】
特定の実施形態において、アラートの各々は、アラートをトリガーすることに応答して行われるべき１つ以上のアクションと関連付けられる。アラートアクションとしては、例えば、センサ電子機器モジュールのディスプレイに情報を表示すること、もしくはセンサ電子機器モジュールに結合された可聴のまたは振動によるアラームを起動すること等の、アラームを起動すること、ならびに／またはセンサ電子機器モジュールの外部にある１つ以上の表示デバイスにデータを伝送すること、を挙げることができる。トリガーされたアラートと関連付けられる送達アクションの場合、１つ以上の送達オプションは、伝送されるべきデータのコンテンツおよび／もしくはフォーマット、データが伝送されるべきデバイス、いつデータを伝送するべきか、ならびに／またはデータを送達するための通信プロトコルを定義する。
【０１３４】
特定の実施形態では、多数の送達アクション（各々が、それぞれの送達オプションを有する）を単一のアラートと関連付けることができ、よって、異なるコンテンツおよびフォーマットを有する表示可能なセンサ情報が、例えば、単一のアラートのトリガーに応答して、それぞれの表示デバイスに伝送される。例えば、携帯電話は、（特に、携帯電話に表示するようにフォーマットすることができる）最小限の表示可能なセンサ情報を含むデータパッケージを受信することができ、一方で、デスクトップコンピュータは、共通のアラートをトリガーすることに応答してセンサ電子機器モジュールによって生成される表示可能なセンサ情報の大部分（または全て）を含むデータパッケージを受信することができる。好都合に、センサ電子機器モジュールは、単一の表示デバイスに結び付けられているのではなく、むしろ、直接的に、系統的に、同時に（例えば、ブロードキャスティングを介して）、規則的に、定期的に、ランダムに、オンデマンドで、クエリに応答して、アラートもしくはアラームに基づいて、ならびに／または同類のもので、複数の異なる表示デバイスと通信するように構成される。
【０１３５】
いくつかの実施形態において、現在のまたは予測される危険性を推定するインテリジェントで動的な推定アルゴリズムと、より高い精度、差し迫った危険における適時性、誤アラームの回避、より少ない患者の不快感とを組み合わせたアラート条件を含む、臨床的リスクのアラートが提供される。一般に、臨床リスクのアラートは、分析物値、変化率、加速度、臨床的リスク、統計学的確立、既知の生理学的制約、および／または個々の生理学的パターンに基づく、動的でインテリジェントな推定アルゴリズムを含み、それによって、より適切で、臨床的に安全で、かつ患者に優しいアラームを提供する。参照によりその全体が本明細書に組み込まれる、米国特許出願公開第２００７／０２０８２４６号は、本明細書で説明される臨床的リスクのアラート（またはアラーム）と関連付けられたいくつかのシステムおよび方法を記載している。いくつかの実施形態において、臨床的リスクのアラートは、ユーザが自分の状態に注意を払うことを可能にするために、所定の期間にわたってトリガーすることができる。加えて、臨床的リスクのアラートは、患者の状態が改善しているときに、臨床的アラーム（例えば、視覚的、聴覚的、または振動的）が繰り返されることによって患者を不快にさせないように、臨床的リスクの領域を出たときに停止することができる。いくつかの実施形態において、動的でインテリジェントな評価は、分析物濃度、変化率、および動的でインテリジェントな評価アルゴリズムの他の態様に基づいて、患者が臨床的リスクを回避する可能性を判定する。臨床的リスクを回避する可能性が最小であるか、または全くない場合、臨床的リスクのアラートがトリガーされることになる。しかしながら、臨床的リスクを回避する可能性がある場合、本システムは、所定の時間量待機し、臨床的リスクを回避する可能性を再分析するように構成される。いくつかの実施形態において、臨床的リスクを回避する可能性がある場合、本システムは、目標、治療の推奨、または患者が積極的に臨床的リスクを回避することを支援することができる他の情報を提供するようにさらに構成される。
【０１３６】
いくつかの実施形態において、センサ電子機器モジュールは、センサ電子機器モジュールの通信範囲内の１つ以上の表示デバイスを検索し、該表示デバイスにセンサ情報（例えば、表示可能なセンサ情報、１つ以上のアラーム条件、および／または他のアラーム情報を含むデータパッケージ）を無線で通信するように構成される。故に、表示デバイスは、センサ情報の少なくともいくつかおよび／またはアラームを受容体（および／または看護者）に表示するように構成され、アラーム機構は、表示デバイス上に位置付けられる。
【０１３７】
いくつかの実施形態において、センサ電子機器モジュールは、センサ電子機器モジュールを介して、および／またはデータパッケージの伝送を介して、アラームが１つまたは複数の表示デバイスによって（例えば、順次および／または同時に）開始されるべきであることを示す、１つまたは複数の異なるアラームを提供するように構成される。特定の実施形態において、センサ電子機器モジュールは、単にアラーム条件が存在することを示すデータフィールドを提供するに過ぎず、表示デバイスは、アラーム条件の存在を示すデータフィールドを読み出した時点で、アラームをトリガーすることを決定することができる。いくつかの実施形態において、センサ電子機器モジュールは、トリガーされる１つ以上のアラートに基づいて、１つ以上のアラートのうちのどれをトリガーするのかを判定する。例えば、アラートトリガーが重度の低血糖を示すときに、センサ電子機器モジュールは、センサ電子機器モジュール上のアラームを起動すること、監視デバイスにディスプレイ上のアラームの起動を示すデータパッケージを伝送すること、および文字メッセージとして介護担当者にデータパッケージを伝送すること、等の、多数のアクションを行うことができる。一例として、受容体の状態（例えば、「重度の低血糖」）を示す表示可能なセンサ情報を含む文字メッセージを、カスタム監視デバイス、携帯電話、ページャーデバイス、および／または同類のものに出現させることができる。
【０１３８】
いくつかの実施形態において、センサ電子機器モジュールは、（例えば、センサ電子機器モジュールおよび／または表示デバイス上のスヌーズおよび／またはオフ機能および／またはボタンを押すこと、または選択することによって）トリガーされたアラートに受容体が応答するのをある期間待機し、その後に、１つ以上のアラートに応答するまで、（例えば、増大する様式で）追加的なアラートをトリガーするように構成される。いくつかの実施形態において、センサ電子機器モジュールは、インスリンポンプ等の、アラーム条件（例えば、低血糖）と関連付けられた医療用デバイスに制御信号（例えば、停止信号）を送信するように構成され、停止アラートは、ポンプを介したインスリン送達の停止をトリガーする。
【０１３９】
いくつかの実施形態において、センサ電子機器モジュールは、直接的に、系統的に、同時に（例えば、ブロードキャスティングを介して）、規則的に、定期的に、ランダムに、オンデマンドで、（表示デバイスからの）クエリに応答して、アラートもしくはアラームに基づいて、ならびに／または同類のものにより、アラート情報を伝送するように構成される。いくつかの実施形態において、本システムは、センサ電子機器モジュールの無線通信距離が、例えば１０、２０、３０、５０、７５、１００、１５０、または２００メートル以上に増加させることができるように、リピータをさらに含み、該リピータは、センサ電子機器モジュールから、センサ電子機器から遠隔に位置付けられた表示デバイスへの無線通信を繰り返すように構成される。リピータは、糖尿病を患う子供のいる家族にとって有用であり得る。例えば、親が子供から離れて睡眠をとる大きい家等において、親が、表示デバイスを担持すること、または固定位置に置くことを可能にする。
【０１４０】
Ｃ．表示デバイス
いくつかの実施形態において、センサ電子機器モジュールは、表示デバイスのリストから表示デバイスを検索するように、および／または該表示デバイスとの無線通信を試みるように構成される。いくつかの実施形態において、センサ電子機器モジュールは、所定の順序および／またはプログラム可能な順序（例えば、等級付けおよび／または段階的増大）で、表示デバイスのリストを検索するように、および／または該表示デバイスとの無線通信を試行するように構成され、例えば、第１の表示デバイスとの通信および／または該第１の表示デバイスへのアラーミングの試行の失敗が、第２の表示デバイスとの通信および／または該第２の表示デバイスへのアラーミングの試行をトリガーする、その他である。１つの例示的な実施形態において、センサ電子機器モジュールは、（１）デフォルト表示デバイスまたはカスタム分析物監視デバイス、（２）受容体および／もしくは介護担当者への文字メッセージ、受容体および／もしくは介護担当者への音声メッセージ、ならびに／または９１１等の、聴覚的および／または視覚的方法を介した携帯電話、（３）タブレット、（４）スマートウォッチ、等の、表示デバイスのリストを逐次的に使用して、受容体または介護担当者を検索し、それらへのアラームを試行するように構成される。
【０１４１】
実施形態に応じて、センサ電子機器モジュールからデータパッケージを受信する１つ以上の表示デバイスは、「ダミーディスプレイ」であり、該表示デバイスは、追加的な処理（例えば、センサ情報のリアルタイム表示に必要な予測アルゴリズム処理）を行うことなく、センサ電子機器モジュールから受信した表示可能なセンサ情報を表示する。いくつかの実施形態において、表示可能なセンサ情報は、表示可能なセンサ情報を表示する前に、表示デバイスによる処理を必要としない、変換されたセンサデータを含む。いくつかの表示デバイスは、表示可能なセンサ情報をそこに表示することを可能にするように構成された表示命令（表示可能なセンサ情報を表示し、また随意に、表示可能なセンサ情報を取得するようにセンサ電子機器モジュールにクエリを行うように構成された命令を含み、ソフトウェアプログラミング）を含むソフトウェアを含むことができる。いくつかの実施形態において、表示デバイスは、製造業者において表示命令でプログラムされ、また、表示デバイスの盗用を回避するためにセキュリティおよび／または認証を含むことができる。いくつかの実施形態において、表示デバイスは、ダウンロード可能なプログラム（例えば、インターネットを介してダウンロード可能なＪａｖａ  Ｓｃｒｉｐｔ（登録商標））を介して、表示可能なセンサ情報を表示するように構成され、よって、プログラムのダウンロードをサポートする任意の表示デバイス（例えば、Ｊａｖａ（登録商標）アプレットをサポートする任意の表示デバイス）が、それによって、表示可能なセンサ情報を表示するように構成することができる（例えば、携帯電話、タブレット、ＰＤＡ、ＰＣ、および同類のもの）。
【０１４２】
いくつかの実施形態において、特定の表示デバイスは、センサ電子機器モジュールと直接無線通信することができるが、中間ネットワークハードウェア、ファームウェア、および／またはソフトウェアを直接無線通信に含むことができる。いくつかの実施形態において、リピータ（例えば、Ｂｌｕｅｔｏｏｔｈ（登録商標）リピータ）を使用して、伝送された表示可能なセンサ情報を、センサ電子機器モジュールのテレメトリモジュールの隣接する範囲から遠く離れた場所に再伝送することができ、リピータは、表示可能なセンサ情報の実質的な処理が生じないときに、直接無線通信を可能にする。いくつかの実施形態において、受信機（例えば、Ｂｌｕｅｔｏｏｔｈ（登録商標）受信機）を使用して、伝送された表示可能なセンサ情報を、ＴＶ画面への文字メッセージ等の、場合により異なる形式で再伝送することができ、受信機は、センサ情報の実質的な処理が生じないときに、直接無線通信を可能にする。特定の実施形態において、センサ電子機器モジュールは、１つまたは複数の表示デバイスに表示可能なセンサ情報を直接無線で伝送し、よって、センサ電子機器モジュールから伝送された表示可能なセンサ情報が、表示可能なセンサ情報の中間処理を行うことなく、表示デバイスによって受信される。
【０１４３】
特定の実施形態において、１つ以上の表示デバイスは、内蔵型認証機構を含み、センサ電子機器モジュールと表示デバイスとの間の通信には、認証が必要とされる。いくつかの実施形態において、センサ電子機器モジュールと表示デバイスとの間のデータ通信を認証するために、鍵認証等のチャレンジ−応答プロトコルが提供され、チャレンジは、鍵または鍵に基づくもしくは鍵に由来するハッシュもしくは他の値の要求であり、有効な応答は、正しい鍵または鍵に基づくもしくは鍵に由来するハッシュもしくは他の値であり、よって、センサ電子機器モジュールと表示デバイスとのペアリングは、鍵を介してユーザおよび／または製造業者によって達成することができる。これは、いくつかの事例において、双方向認証と称され得る。鍵は、ソフトウェアまたはハードウェアレベルの鍵とすることができる。加えて、鍵は、パスワード（例えば、ユーザまたは他のエンティティによってランダムに生成または設定される）とすることができ、および／または特徴（例えば、指紋または網膜情報）または情報、その他を一意的に識別することから導出することができる。
【０１４４】
いくつかの実施形態において、１つ以上の表示デバイスは、表示可能なセンサ情報についてセンサ電子機器モジュールにクエリを行うように構成され、表示デバイスは、例えばクエリに応答して、センサ電子機器モジュール（例えば、スレーブデバイス）からオンデマンドでセンサ情報を要求するマスターデバイスとして機能する。いくつかの事例では、表示デバイスがマスターとして作用し、センサ電子機器モジュールがスレーブとして作用するが、他の事例では、これらの役割を逆にすることができる。例えば、役割は、通信の性質、その他に依存して、役割を逆にすることができる。いくつかの実施形態において、センサ電子機器モジュールは、定期的に、系統的に、規則的に、および／または定期的に（例えば、１、２、５、または１０分またはそれ以上毎に）、１つ以上の表示デバイスにセンサ情報を伝送するように構成される。いくつかの実施形態において、センサ電子機器モジュールは、（例えば、１つ以上のアラート条件によってトリガーされた）トリガーされたアラートと関連付けられたデータパッケージを伝送するように構成される。しかしながら、上で説明したデータ伝送のステータスの任意の組み合わせを、ペアリングしたセンサ電子機器モジュールおよび表示デバイス（複数可）の任意の組み合わせで実施することができる。例えば、１つ以上の表示デバイスを、センサ電子機器モジュールのデータベースにクエリを行うように、および１つ以上のアラーム条件を満たすことによってトリガーされるアラーム情報を受信するように構成することができる。加えて、センサ電子機器モジュールは、１つ以上の表示デバイス（先の例で説明したものと同じまたは異なる表示デバイス）にセンサ情報を定期的に伝送するように構成することができ、それによって、システムは、センサ情報を取得する方法に関して異なって機能する表示デバイスを含むことができる。
【０１４５】
いくつかの実施形態において、表示デバイスは、センサ電子機器モジュールのメモリ内のデータベースへの直接クエリおよび／またはそこからのデータコンテンツの構成されたもしくは構成可能なパッケージに対する要求を含む、特定の種類のデータコンテンツについて、センサ電子機器モジュール内のデータ記憶メモリにクエリを行うように構成され、すなわち、センサ電子機器モジュールに記憶されたデータは、センサ電子機器モジュールが通信している表示デバイスに基づいて、構成すること、クエリを行うこと、予め定めること、および／または予めパッケージ化することができる。いくつかの追加または代替の実施形態において、センサ電子機器モジュールは、どの表示デバイスが特定の伝送を受信するのかというその知識に基づいて、表示可能なセンサ情報を生成する。加えて、いくつかの表示デバイスは、較正情報の手動入力、較正情報の自動送達、および／または表示デバイスに組み込まれた統合型基準分析物モニタ等を通して、較正情報を取得し、較正情報をセンサ電子機器モジュールに無線で伝送することができる。米国特許出願公開第２００６／０２２２５６６号、同第２００７／０２０３９６６号、同第２００７／０２０８２４５号、および同第２００５／０１５４２７１号（これらの全ては、参照によりそれらの全体が本明細書に組み込まれる）は、表示デバイスに組み込まれた統合型基準分析物モニタ、および／または本明細書で開示される実施形態によって実施することができる他の較正方法を提供するためのシステムおよび方法を説明する。
【０１４６】
一般に、複数の表示デバイス（例えば、カスタム分析物監視デバイス（分析物表示デバイスとも称され得る）、携帯電話、タブレット、スマートウォッチ、基準分析物モニタ、薬物送達デバイス、医療用デバイス、およびパーソナルコンピュータ）は、センサ電子機器モジュールと無線通信するように構成することができる。複数の表示デバイスは、センサ電子機器モジュールから無線通信される表示可能なセンサ情報のうちの少なくとも一部を表示するように構成することができる。表示可能なセンサ情報としては、例えば、分析物濃度値、変化率情報、傾向情報、アラート情報、センサ診断情報、および／または較正情報等の、未処理データおよび／または変換されたセンサデータ等のセンサデータを挙げることができる。
【０１４７】
Ｄ．連続センサ
図１Ａを参照すると、いくつかの実施形態において、分析物センサ１０は、連続グルコースセンサ、例えば、皮下、経皮性の（例えば、経皮的）、または血管内デバイスを含む。いくつかの実施形態において、そのようなセンサまたはデバイスは、複数の断続的血液サンプルを分析することができる。グルコースセンサは、酵素的、化学的、物理的、電気化学的、分光光度的、偏光測定的、熱量測定的、イオン泳動的、放射測定的、免疫化学的、および同類のものを含む、任意のグルコース測定方法を使用することができる。
【０１４８】
グルコースセンサは、侵襲性、最小侵襲性、および非侵襲性の検知技術（例えば、蛍光モニタリング）を含む、任意の既知の方法を使用して、受容体におけるグルコースの濃度を示すデータストリームを提供することができる。データストリームは、典型的には、未処理データ信号であり、これは、有用なグルコース値を、患者または看護者（例えば、患者、親戚、保護者、教師、医師、看護師、または受容体の健康状態に関心がある任意の他の個人）等のユーザに提供するために使用される、較正されたおよび／またはフィルタリングされたデータストリームに変換される。
【０１４９】
グルコースセンサは、グルコースの濃度を測定することができる任意のデバイスとすることができる。下で説明される１つの例示的な実施形態によれば、埋め込み可能なグルコースセンサを使用することができる。しかしながら、本明細書で説明されるデバイスおよび方法は、グルコースの濃度を検出し、（例えば、分析物データの形態として）グルコースの濃度を表す出力信号を提供することができる任意のデバイスに適用することができることを理解されたい。
【０１５０】
特定の実施形態において、分析物センサ１０は、米国特許第６，００１，０６７号および米国特許出願公開第２００５／００２７４６３−Ａ１号を参照して説明されるような、埋め込み可能なグルコースセンサである。実施形態において、分析物センサ１０は、米国特許出願公開第２００６／００２０１８７−Ａ１号を参照して説明されるような、経皮的なグルコースセンサである。実施形態において、分析物センサ１０は、米国特許出願公開第２００７／００２７３８５−Ａ１号、２００６年１０月４日に出願された同時係属の米国特許出願公開第２００８／０１１９７０３−Ａ１号、２００７年３月２６日に出願された米国特許出願公開第２００８／０１０８９４２−Ａ１号、および２００７年２月１４日に出願された米国特許出願第２００７／０１９７８９０−Ａ１号で説明されるように、受容体の血管内に、または体外に埋め込むように構成される。実施形態において、連続グルコースセンサは、例えば、Ｓａｙ他に対する米国特許第６，５６５，５０９号で説明されるような、経皮的センサを含む。実施形態において、分析物センサ１０は、例えば、Ｂｏｎｎｅｃａｚｅ他に対する米国特許第６，５７９，６９０号またはＳａｙ他に対する米国特許第６，４８４，０４６号を参照して説明されるような皮下センサを含む、連続グルコースセンサである。実施形態において、連続グルコースセンサは、例えば、Ｃｏｌｖｉｎ他に対する米国特許第６，５１２，９３９号を参照して説明されるような、補充可能な皮下センサを含む。連続グルコースセンサは、例えば、Ｓｃｈｕｌｍａｎ他に対する米国特許第６，４７７，３９５号を参照して説明されるような、血管内センサを含むことができる。連続グルコースセンサは、例えば、Ｍａｓｔｒｏｔｏｔａｒｏ他に対する米国特許第６，４２４，８４７号を参照して説明されるような、血管内センサを含むことができる。
【０１５１】
図２Ａおよび２Ｂは、本開示の特定の態様による、分析物センサシステム８の実施形態の実施と関連して使用することができる筐体２００の斜視図および側面図である。筐体２００は、特定の実施形態において該筐体に取り付けられた載置ユニット２１４およびセンサ電子機器モジュール１２を含む。筐体２００は、機能的位置に示され、該筐体内で噛合係合された載置ユニット２１４およびセンサ電子機器モジュール１２を含む。いくつかの実施形態において、ハウジングまたはセンサポッドとも称される載置ユニット２１４は、受容体またはユーザの皮膚に締結するように適合された基部２３４を含む。基部２３４は、様々な硬質または軟質材料から形成することができ、また、使用中に受容体からデバイスが突出することを最小にするための低プロファイルを含むことができる。いくつかの実施形態において、基部２３４は、可撓性材料から少なくとも部分的に形成され、これは、残念ながら受容体がデバイスを使用しているときに受容体の運動と関連付けられた運動関連のアーチファクトを被る可能性がある他の経皮的センサに勝る、多数の利点を提供することができる。載置ユニット２１４および／またはセンサ電子機器モジュール１２は、センサ挿入部位の上に位置付けて、その部位を保護すること、および／または最小のフットプリント（受容体の皮膚の表面積の利用）を提供することができる。
【０１５２】
いくつかの実施形態において、載置ユニット２１４とセンサ電子機器モジュール１２との間の取り外し可能な接続部が提供され、これは、製造性の向上を可能にし、すなわち、潜在的に比較的安価な載置ユニット２１４は、分析物センサシステム８を改良または保守するときに廃棄することができ、一方で、比較的高価なセンサ電子機器モジュール１２は、多数のセンサシステムとともに再使用することができる。いくつかの実施形態において、センサ電子機器モジュール１２は、例えばフィルタリングするように、較正するように、ならびに／またはセンサ情報を較正および／もしくは表示するのに有用な他のアルゴリズムを実行するように構成された、信号処理（プログラミング）によって構成される。しかしながら、統合型の（取り外し不可能な）センサ電子機器モジュールを構成することができる。
【０１５３】
いくつかの実施形態において、接点２３８は、載置ユニット２１４の基部２３４およびヒンジ２４８内で嵌合するように構成された、以下本明細書で接点サブアセンブリ２３６と称されるサブアセンブリ上に、またはその中に載置され、該ヒンジは、接点サブアセンブリ２３６が、載置ユニット２１４に対して第１の位置（挿入時）と第２の位置（使用時）との間で枢動することを可能にする。「ヒンジ」という用語は、本明細書で使用される場合、広義の用語であり、限定されないが、接着ヒンジ、摺動ジョイント、および同類のもの等の、様々な枢動、関節、および／またはヒンジング機構のうちのいずれかを指すことを含み、ヒンジという用語は、必ずしもそこを中心に関節動作が生じる支点または固定点を意味するわけではない。いくつかの実施形態において、接点２３８は、センサ１０がそこを通って延在する、カーボンブラックエラストマー等の導電性エラストマー材料から形成される。
【０１５４】
図２Ａおよび２Ｂをさらに参照すると、特定の実施形態において、載置ユニット２１４は、載置ユニットの背面に配置され、解放可能なバッキング層を含む、接着パッド２０８を備える。したがって、バッキング層を取り外し、載置ユニット２１４の基部２３４の少なくとも一部分を受容体の皮膚に押圧することで、載置ユニット２１４を受容体の皮膚に接着させる。追加的または代替的に、接着パッドは、センサ挿入が完了した後に、センサシステム８および／または１０の一部または全てを覆って配置して、接着を確実にすることができ、また随意に、傷口の出口部位（またはセンサ挿入部位）（図示せず）の周囲の気密封止または水密封止を確実にすることができる。適切な接着パッドは、その領域（例えば、受容体の皮膚）に対して、伸縮、伸長、合致、および／または通気するように選択し、設計することができる。図２Ａおよび２Ｂを参照して説明される実施形態は、米国特許第７，３１０，５４４号を参照してより詳細に説明され、参照によりその全体が本明細書に組み込まれる。構成および配設は、本明細書で説明される載置ユニット／センサ電子機器モジュールの実施形態と関連付けられる耐水、防水、および／または密閉特性を提供することができる。
【０１５５】
いくつかの実施形態の態様と併せて使用するのに適した種々の方法およびデバイスは、米国特許出願公開第２００９／０２４０１２０−Ａ１号に開示され、全ての目的に対して参照によりその全体が本明細書に組み込まれる。
【０１５６】
Ｅ．例示的な構成
図１Ａを再度参照すると、分析物センサシステムの態様の実施と関連して使用することができるシステム１００が表される。いくつかの事例では、システム１００を使用して、本明細書で説明される種々のシステムを実施することができる。実施形態のシステム１００は、本開示の特定の態様によれば、分析物センサシステム８と、表示デバイス１１０、１２０、１３０、および１４０と、を含む。分析物センサシステム８は、例示される実施形態において、センサ電子機器モジュール１２と、センサ電子機器モジュール１２と関連付けられた連続分析物センサ１０と、を含む。センサ電子機器モジュール１２は、表示デバイス１１０、１２０、１３０、および１４０のうちの１つ以上と（例えば、直接的または間接的に）無線通信することができる。実施形態において、システム１００はまた、医療用デバイス１３６およびサーバシステム１３４も含む。センサ電子機器モジュール１２はまた、医療用デバイス１３６および／またはサーバシステム１３４と（例えば、直接的または間接的に）無線通信することもできる。同様に、いくつかの実施例において、表示デバイス１１０〜１４０もまた、医療用デバイス１３６および／またはサーバシステム１３４と（例えば、直接的または間接的に）無線通信することができる。図１Ａに示される種々の結合は、下で言及されるように、無線アクセスポイント１３８によって容易にすることができる。
【０１５７】
特定の実施形態において、センサ電子機器モジュール１２は、センサデータの処理および較正と関連付けられた予測アルゴリズムを含む、連続分析物センサデータの測定および処理と関連付けられた電子回路を含む。センサ電子機器モジュール１２は、連続分析物センサ１０に物理的に接続することができ、また、連続分析物センサ１０と統合する（そこに解放不可能に取り付ける）こと、または解放可能に取り付けることができる。センサ電子機器モジュール１２は、グルコースセンサを介して分析物レベルの測定を可能にする、ハードウェア、ファームウェア、および／またはソフトウェアを含むことができる。例えば、センサ電子機器モジュール１２は、ポテンショスタットと、センサに電力を供給するための電源と、信号処理およびデータ記憶に有用な他の構成要素と、センサ電子機器モジュールから１つ以上の表示デバイスにデータを伝送するためのテレメトリモジュールと、を含むことができる。電子機器は、プリント回路基板（ＰＣＢ）または同類のものに固定することができ、また、様々な形態をとることができる。例えば、電子機器は、特定用途向け集積回路（ＡＳＩＣ）、マイクロコントローラ、および／またはプロセッサ等の、集積回路（ＩＣ）の形態をとることができる。
【０１５８】
センサ電子機器モジュール１２は、センサデータ等のセンサ情報を処理し、変換されたセンサデータおよび表示可能なセンサ情報を生成するように構成された、センサ電子機器を含むことができる。センサ分析物データを処理するためのシステムおよび方法の実施例は、本明細書で、ならびに米国特許第７，３１０，５４４号および同第６，９３１，３２７号、ならびに米国特許出願公開第２００５／００４３５９８号、同第２００７／００３２７０６号、同第２００７／００１６３８１号、同第２００８／００３３２５４号、同第２００５／０２０３３６０号、同第２００５／０１５４２７１号、同第２００５／０１９２５５７号、同第２００６／０２２２５６６号、同第２００７／０２０３９６６号、および同第２００７／０２０８２４５号でさらに詳細に説明されており、これらの全ては、全ての目的に対して参照によりそれらの全体が本明細書に組み込まれる。
【０１５９】
図１Ａを再度参照すると、表示デバイス１１０、１２０、１３０、および／または１４０は、（例えば、それぞれの選好に基づいて、表示デバイスに伝送されるカスタマイズされたデータパッケージで）センサ電子機器モジュール１２によって伝送することができる表示可能なセンサ情報を表示する（および／またはアラームする）ように構成される。表示デバイス１１０、１２０、１３０、または１４０の各々は、ユーザにセンサ情報および／または分析物データを表示する、および／またはユーザから入力を受信するための、タッチスクリーンディスプレイ１１２、１２２、１３２、／または１４２等の、ディスプレイを含むことができる。例えば、そのような目的で、グラフィカルユーザインターフェースをユーザに提示することができる。いくつかの実現形態において、表示デバイスは、タッチスクリーンディスプレイの代わりに、またはそれに加えて、センサ情報を表示デバイスのユーザに通信し、および／またはユーザ入力を受信するための、音声ユーザインターフェース等の他の種類のユーザインターフェースを含むことができる。いくつかの実施形態において、表示デバイスのうちの１つ、いくつか、または全ては、（例えば、それぞれの表示デバイスに伝送されるデータパッケージで）センサ電子機器モジュールから通信されたときに、センサ情報の較正およびリアルタイム表示に必要とされるいかなる追加的な予測的処理も伴わずに、センサ情報を表示または別様には通信するように構成することができる。
【０１６０】
医療用デバイス１３６は、本開示の例示的な実施形態において、パッシブデバイスとすることができる。例えば、医療用デバイス１３６は、図１Ｂに示されるように、ユーザにインスリンを投与するためのインスリンポンプとすることができる。様々な理由で、そのようなインスリンポンプは、分析物センサシステム８から伝送されるグルコース値を受信し、追跡することが望ましくなり得る。１つの理由は、グルコース値が閾値よりも低い／高いことに基づいて、インスリン投与を停止／起動する能力をインスリンポンプに提供することである。分析物センサシステム８に接合することなくパッシブデバイス（例えば、医療用デバイス１３６）が分析物データ（例えば、グルコース値）を受信することを可能にする１つの解決策は、分析物センサシステム８から伝送されるアドバタイズメントメッセージに分析物データを含むことである。アドバタイズメントメッセージに含まれるデータは、分析物センサシステム８と関連付けられた識別情報を有するデバイスだけが分析物データを復号化することができるように、コード化することができる。医療用デバイス１３６は、入力／出力部分１３６ａを含むことができ、該部分では、グルコースおよび他の値を表示することができ、また、ボタン、無線接続、または他の機構を介して入力を受信することができる。医療用デバイス１３６はまた、取り付け部分１３６ｂも含むことができ、該取り付け部分は、ユーザとインターフェースして、例えば、入力／出力部分１３６ａで受信した入力に応答してインスリンを管理することができる。いくつかの事例において、取り付け部分１３６ｂは、例えば入力／出力部分１３６ａにおいて受信した入力および／または算出した値に基づいて、ユーザに感覚的アラートまたは他の通知を提供することができる。
【０１６１】
図１Ａをさらに参照すると、複数の表示デバイスは、センサ電子機器モジュール１２から受信した分析物値と関連付けられた特定の種類の表示可能なセンサ情報（例えば、いくつかの実施形態では、数値および矢印）を表示するように特別に設計されたカスタム表示デバイスを含むことができる。分析物表示デバイス１１０は、そのようなカスタムデバイスの一例である。いくつかの実施形態において、複数の表示デバイスのうちの１つは、Ａｎｄｒｏｉｄ、ｉＯＳ、または他のオペレーティングシステムに基づく携帯電話１２０等のスマートフォンであり、また、連続センサデータ（例えば、現在および過去のデータを含む）のグラフィカル表現を表示するように構成される。他の表示デバイスとしては、タブレット１３０、スマートウォッチ１４０、医療用デバイス１３６（例えば、インスリン送達デバイス、または、血中グルコースメーター）、および／またはデスクトップもしくはラップトップコンピュータ等の、他のハンドヘルドデバイスを挙げることができる。
【０１６２】
異なる表示デバイスは、異なるユーザインターフェースを提供するので、データパッケージのコンテンツ（例えば、表示されるデータの量、フォーマット、および／または種類、アラーム、および同類のもの）は、それぞれの特定の表示デバイス毎にカスタマイズする（例えば、製造業者によって、および／またはユーザによって、異なってプログラムする）ことができる。故に、図１Ａの実施形態において、複数の異なる表示デバイスは、センサセッション中に、センサ電子機器モジュール（例えば、連続分析物センサ１０に物理的に接続される皮膚上のセンサ電子機器モジュール１２）と直接無線通信して、複数の異なる種類および／またはレベルの、表示可能なセンサ情報と関連付けられた表示および／または機能を可能にすることができ、これは、本明細書の他の場所でより詳細に説明される。
【０１６３】
図１Ａにさらに例示されるように、システム１００はまた、無線アクセスポイント（ＷＡＰ）１３８も含むことができ、これを使用して、分析物センサシステム８、複数の表示デバイス、サーバシステム１３４、および医療用デバイス１３６のうちの１つ以上に互いに結合することができる。例えば、ＷＡＰ１３８は、システム１００内にＷｉＦｉおよび／またはセルラー接続性を提供することができる。近距離無線通信（ＮＦＣ）もまた、システム１００のデバイスの間で使用することができる。サーバシステム１３４は、分析物センサシステム８および／または複数の表示デバイスから分析物データを収集するために使用して、例えば、該分析物データの分析、グルコースレベルおよびプロファイルに関する汎用または個別モデルの生成、その他を行うことができる。
【０１６４】
以下、図３Ａを参照すると、システム３００が表される。システム３００は、開示されるシステム、方法、およびデバイスの実施形態の実施と関連して使用することができる。一例として、図３Ａの種々の後述する構成要素を使用して、例えば分析物センサシステムと複数の表示デバイス、医療用デバイス、サーバ、その他との間に、グルコースデータの無線通信を提供することができる。
【０１６５】
図３Ａに示されるように、システム１００は、分析物センサシステム３０８と、１つ以上の表示デバイス３１０と、を含むことができる。加えて、例示される実施形態において、システム３００は、サーバシステム３３４を含み、これが次に、プロセッサ３３４ｃおよび記憶装置３３４ｂに結合されたサーバ３３４ａを含む。分析物センサシステム３０８は、通信媒体３０５を介して、表示デバイス３１０および／またはサーバシステム３３４に結合することができる。分析物センサシステム３０８および／または表示デバイス３１０、その他によるデータの処理、収集、および交換の数多くの詳細は、例えば図６を参照して、下で提供される。
【０１６６】
本明細書において下で詳細に説明するように、分析物センサシステム３０８および表示デバイス３１０は、通信媒体３０５を介してメッセージングを交換することができ、通信媒体３０５はまた、分析物データを表示デバイス３１０および／またはサーバシステム３３４に送達するために使用することもできる。上で暗に言及したように、表示デバイス３１０としては、例えば、スマートフォン、タブレット、ラップトップ、ウェアラブルデバイス、その他等の、様々な電子コンピューティングデバイスを挙げることができる。表示デバイス３１０はまた、分析物表示デバイス１１０と、医療用デバイス１３６と、を含むことができる。ここで、表示デバイス３１０のＧＵＩは、ユーザ入力を受け付けたときに当該の機能を行い、メニューならびに分析物データから導出された情報を表示することができることに気が付くであろう。ＧＵＩは、例えばｉＯＳ、Ａｎｄｒｏｉｄ、Ｗｉｎｄｏｗｓ  Ｍｏｂｉｌｅ、Ｗｉｎｄｏｗｓ、Ｍａｃ  ＯＳ、Ｃｈｒｏｍｅ  ＯＳ、Ｌｉｎｕｘ（登録商標）、Ｕｎｉｘ、ゲーミングプラットフォームＯＳ（例えば、Ｘｂｏｘ、ＰｌａｙＳｔａｔｉｏｎ、Ｗｉｉ）、その他等の、当技術分野で知られている種々のオペレーティングシステムによって提供することができる。種々の実施形態において、通信媒体３０５は、Ｂｌｕｅｔｏｏｔｈ（登録商標）、Ｂｌｕｅｔｏｏｔｈ（登録商標）低エネルギー（ＢＬＥ）、ＺｉｇＢｅｅ、ＷｉＦｉ、８０２．１１プロトコル、赤外線（ＩＲ）、無線周波数（ＲＦ）、２Ｇ、３Ｇ、４Ｇ、その他等の１つ以上の無線通信プロトコル、ならびに／または有線プロトコルおよび媒体に基づくことができる。
【０１６７】
種々の実施形態において、システム３００の要素を使用して、本明細書で説明される種々のプロセスを行うことができ、また、および／または該要素を使用して、１つ以上の開示されるシステムおよび方法に関して本明細書で説明される種々の動作を実行することができる。本開示を研究すれば、当業者は、システム３００が、多数の分析物センサシステム、通信媒体３０５、および／またはサーバシステム３３４を含むことができることを認識するであろう。
【０１６８】
上で述べたように、通信媒体３０５を使用して、分析物センサシステム３０８、表示デバイス３１０、および／またはサーバシステム３３４を互いに、またはネットワークに接続すること、または通信的に結合することができ、通信媒体３０５は、様々な形態で実施することができる。例えば、通信媒体３０５は、ローカルエリアネットワーク（ＬＡＮ）、ワイドエリアネットワーク（ＷＡＮ）、光ファイバネットワーク、電力線を通じたインターネット、ハードワイヤード接続（例えば、バス）、および同類のもの等のインターネット接続、または任意の他の種類のネットワーク接続を含むことができる。通信媒体３０５は、ルータ、ケーブル、モデム、スイッチ、光ファイバ、ワイヤ、無線（例えば、マイクロ波／ＲＦリンク）、および同類のものの任意の組み合わせを使用して実施することができる。さらに、通信媒体３０５は、Ｂｌｕｅｔｏｏｔｈ（登録商標）、ＢＬＥ、Ｗｉ−Ｆｉ、３ＧＰＰ規格（例えば、２Ｇ  ＧＳＭ（登録商標）／ＧＰＲＳ／ＥＤＧＥ、３Ｇ  ＵＭＴＳ／ＣＤＭＡ２０００、または４Ｇ  ＬＴＥ／ＬＴＥ−Ｕ）、その他等の、種々の無線標準を使用して実施することができる。本開示を一読すれば、当業者は、通信する目的で通信媒体３０５を実施するための他の方式を認識するであろう。
【０１６９】
サーバ３３４ａは、分析物データに応答した入力、または分析物センサシステムもしくは表示デバイス３１０で動作する分析物監視アプリケーションと関連して受信した入力等の、分析物センサシステム３０８および／または表示デバイス３１０から、分析物データおよび関連する情報を含む情報を受信、収集、または監視することができる。そのような事例において、サーバ３３４ａは、通信媒体３０５を介してそのような情報を受信するように構成することができる。この情報は、記憶装置３３４ｂに記憶することができ、また、プロセッサ３３４ｃによって処理することができる。例えば、プロセッサ３３４ｃは、通信媒体３０５を介してサーバ３３４ａが収集、受信、その他を行った情報の分析を行うことができる分析エンジンを含むことができる。実施形態において、サーバ３３４ａ、記憶装置３３４ｂ、および／またはプロセッサ３３４ｃは、Ｈａｄｏｏｐ（登録商標）ネットワーク等の分散型コンピューティングネットワークとして、またはリレーショナルデータベースもしくは同類のものとして実施することができる。
【０１７０】
サーバ３３４ａは、例えば、インターネットサーバ、ルータ、デスクトップもしくはラップトップコンピュータ、スマートフォン、タブレット、プロセッサ、モジュール、または同類のものを含むことができ、また、例えば集積回路もしくはその集合体、プリント回路基板もしくはその集合体を含む種々の形態で、または別々のハウジング／パッケージ／ラック、またはそれらの複合物で実施することができる。実施形態において、サーバ３３４ａは、通信媒体３０５を通じて行われる通信を少なくとも部分的に対象とする。そのような通信は、送達および／またはメッセージング（例えば、アドバタイズメント、コマンド、または他のメッセージング）、ならびに分析物データを含む。例えば、サーバ３３４ａは、周波数帯域、伝送のタイミング、セキュリティ、アラーム、およびその他に関連するメッセージを処理し、分析物センサシステム３０８と表示デバイス３１０との間で交換することができる。サーバ３３４ａは、例えばアプリケーションをそこに送達することによって、分析物センサシステム３０８および／または表示デバイス３１０に記憶された情報を更新することができる。サーバ３３４ａは、分析物センサシステム３０８および／または表示デバイス３１０に／からリアルタイムで、または散発的に情報を送信／受信することができる。さらに、サーバ３３４ａは、分析物センサシステム３０８および／または表示デバイス３１０に対するクラウド計算能力を実施することができる。
【０１７１】
図３Ｂは、分析物センサシステムを実施する接続で使用することができる追加的な本開示の態様の実施例を含む、システム３０２を表す。分析物センサシステム３０８および／または表示デバイス３１０、その他によるデータの処理、収集、および交換の数多くの詳細は、例えば図６を参照して、下で提供される。図３Ｂに例示されるように、システム３０２は、分析物センサシステム３０８を含むことができる。示されるように、分析物センサシステム３０８は、センサデータを処理し、管理するためのセンサ測定回路３７０に結合された分析物センサ３７５（例えば、図１Ａでは数字１０で示すことができる）を含むことができる。センサ測定回路３７０は、プロセッサ／マイクロプロセッサ３８０（例えば、図１Ａのアイテム１２の一部とすることができる）に結合することができる。いくつかの実施形態において、プロセッサ３８０は、センサ３７５からセンサ測定値を取得し、処理するためのセンサ測定回路３７０の機能の一部または全体を行うことができる。プロセッサ３８０は、センサデータを送信するための、ならびに表示デバイス３１０等の外部デバイスからの要求およびコマンドを受信するための無線ユニットまたはトランシーバ３２０（例えば、図１Ａのアイテム１２の一部とすることができる）にさらに結合することができ、これを使用して、ユーザにセンサデータ（または、分析物データ）を表示すること、または別様には提供することができる。本明細書で使用される場合、「無線ユニット」および「トランシーバ」という用語は、交換可能に使用され、また、一般に、データを無線で伝送および受信することができるデバイスを指す。分析物センサシステム３０８は、センサデータを記憶し、追跡するための、記憶装置３６５（例えば、図１Ａのアイテム１２の一部とすることができる）と、リアルタイムクロック（ＲＴＣ）３８０（例えば、図１Ａの項目１２の一部とすることができる）と、をさらに含むことができる。
【０１７２】
上で暗に言及したように、無線通信プロトコルは、通信媒体３０５を介して、分析物センサシステム３０８と表示デバイス３１０との間でデータを伝送および受信するために使用することができる。そのような無線プロトコルは、近距離にある多数のデバイスに対する定期的で小規模なデータ転送（必要な場合に、低速で伝送することができる）のために最適化される無線ネットワーク（例えば、パーソナルエリアネットワーク（ＰＡＮ））で使用するように設計することができる。例えば、１つのこのようなプロトコルは、定期的なデータ転送に最適化することができ、その場合、トランシーバは、短い間隔にわたってデータを伝送し、次いで、長い間隔にわたって低電力モードに入るように構成することができる。プロトコルは、電力消費を低減させるために、通常のデータ転送および（例えば、オーバーヘッドを低減させることによって）通信チャネルの初期セットアップ設定の両方に関して、低いオーバーヘッド要件を有する場合がある。いくつかの実施形態では、バーストブロードキャスティングスキーム（例えば、一方向通信）を使用することができる。これは、肯定応答信号に必要とされるオーバーヘッドを排除することができ、ほとんど電力を消費しない定期的な伝送を可能にすることができる。他の実施形態において、パッシブまたはアクティブの近接度に基づくプロトコルを用いて、オーバーヘッド（例えば、典型的なペアリング動作と関連付けられたオーバーヘッド）を低減させることができ、および／またはセキュリティを低減させることができ、ＮＦＣがその１つの具体的な例である。
【０１７３】
プロトコルは、多数のデバイスとの通信チャネルを確立し、一方で、干渉回避スキームを実施するようにさらに構成されることができる。いくつかの実施形態において、プロトコルは、複数のデバイスとの通信のための種々のタイムスロットおよび周波数帯域を定義する、適応型等時性ネットワークトポロジを使用することができる。したがって、プロトコルは、干渉に応答して、および多数のデバイスとの通信をサポートするために、伝送ウインドウおよび周波数を修正することができる。故に、無線プロトコルは、時間および周波数分割多重化（ＴＤＭＡ）に基づくスキームを使用することができる。無線プロトコルはまた、直接シーケンススペクトラム拡散（ＤＳＳＳ）および周波数ホッピングスペクトラム拡散スキームも用いることができる。種々のネットワークトポロジを使用して、ＷｉＦｉ、Ｂｌｕｅｔｏｏｔｈ（登録商標）、およびＢｌｕｅｔｏｏｔｈ（登録商標）  Ｌｏｗ  Ｅｎｅｒｇｙ（ＢＬＥ）等の、ピアツーピア、スタート、ツリー、またはメッシュネットワークトポロジ等の、近距離および／または低電力の無線通信をサポートすることができる。無線プロトコルは、２．４ＧＨｚ等のオープンＩＳＭ帯域等の、種々の周波数帯域で動作することができる。さらに、電力使用を低減させるために、無線プロトコルは、電力消費に従ってデータ速度を適応的に構成することができる。
【０１７４】
図３Ｂをさらに参照すると、システム３０２は、通信媒体３０５を介して、分析物センサシステム３０８に通信的に結合された表示デバイス３１０を含むことができる。例示される実施形態において、表示デバイス３１０は、接続性インターフェース３１５（これが次に、トランシーバ３２０を含む）と、記憶装置３２５（これが次に、分析物センサアプリケーション３３０および／または追加的なアプリケーションを記憶する）と、プロセッサ／マイクロプロセッサ３３５と、表示デバイス３１０のディスプレイ３４５を使用して提示することができるグラフィカルユーザインターフェース（ＧＵＩ）３４０と、リアルタイムクロック（ＲＴＣ）３５０と、を含む。バス（図示せず）を使用して、表示デバイス３１０の種々の要素を相互接続し、これらの要素間でデータを転送することができる。
【０１７５】
表示デバイス３１０は、ユーザにセンサ情報または分析物データをアラートし、提供するために使用することができ、また、センサデータを処理し、管理するためのプロセッサ／マイクロプロセッサ３３５を含むことができる。表示デバイス３１０は、センサデータを表示、記憶、および追跡するための、ディスプレイ３４５と、記憶装置３２５と、分析物センサアプリケーション３３０と、およびリアルタイムクロック３５０と、を含むことができる。表示デバイス３１０は、接続性インターフェース３１５および／またはバスを介して、表示デバイス３１０の他の要素に結合された無線ユニットまたはトランシーバ３２０をさらに含むことができる。トランシーバ３２０は、センサデータを受信するために、および分析物センサシステム３０８に要求、命令、および／またはデータを送信するために使用することができる。トランシーバ３２０は、通信プロトコルをさらに用いることができる。記憶装置３２５はまた、表示デバイス３１０、および／またはトランシーバと表示デバイス３１０との間でデータを無線通信するように設計されたカスタム（例えば、専用）アプリケーションのためのオペレーティングシステムを記憶するためにも使用される。記憶装置３２５は、単一のメモリデバイスまたは多数のメモリデバイスとすることができ、また、ソフトウェアプログラムおよびアプリケーションのデータおよび／または命令を記憶するための揮発性または不揮発性メモリとすることができる。命令は、プロセッサ３３５によって実行して、トランシーバ３２０を制御し、管理することができる。
【０１７６】
いくつかの実施形態において、標準化された通信プロトコルが使用されるときには、市販のトランシーバ回路を利用することができ、該回路は、データのコード化、伝送周波数、ハンドシェイクプロトコル、および同類のものの管理等の、低レベルのデータ通信機能を扱うために、処理回路を組み込む。これらの実施形態において、プロセッサ３３５、３８０は、これらの活動を管理する必要はなく、むしろ、伝送に望ましいデータ値を提供し、また、電力を上げるまたは下げる、メッセージが伝送される速度を設定する、および同類のもの等の、高レベルの機能を管理する。これらの高レベル機能を行うための命令およびデータ値は、トランシーバ３２０、３６０の製造業者によって確立されたデータバスおよび転送プロトコルを介して、トランシーバ回路に提供することができる。
【０１７７】
分析物センサシステム３０８の構成要素は、定期的な交換が必要であり得る。例えば、分析物センサシステム３０８は、センサ電子機器モジュールに取り付けることができる埋め込み可能なセンサ３７５を含むことができ、該モジュールは、センサ測定回路３７０と、プロセッサ３８０と、記憶装置３６５と、トランシーバ３６０と、バッテリ（図示せず）と、を含む。センサ３７５は、定期的な交換（例えば、７〜３０日毎）が必要であり得る。センサ電子機器モジュールは、バッテリの交換が必要になるまで、センサ３７５よりもはるかに長い間（例えば、３〜６か月、またはそれ以上）にわたって給電され、起動するように構成することができる。これらの構成要素を交換することは、困難であり得、また、訓練された人員の支援を必要とし得る。そのような構成要素、特にバッテリを交換する必要性を低減させることで、ユーザも含めて、分析物センサシステム３０８を使用する便利さおよびコストを大幅に改善する。いくつかの実施形態において、センサ電子機器モジュールは、初めて使用する（またはいくつかの事例において、バッテリを交換した後に再起動した）ときに、センサ３７５に接続し、センサセッションを確立することができる。下でさらに説明するように、モジュールを初めて使用するまたは再起動する（例えば、バッテリを交換した）ときには、最初に、表示デバイス３１０とセンサ電子機器モジュールとの間で通信を確立するためのプロセスが存在し得る。表示デバイス３１０およびセンサ電子機器モジュールが通信を確立すると、表示デバイス３１０およびセンサ電子機器モジュールは、例えばバッテリの交換が必要になるまで、複数のセンサ３７５の寿命を通じて定期的および／または連続的に通信することができる。センサ３７５が交換されるたびに、新しいセンサセッションを確立することができる。新しいセンサセッションは、表示デバイス３１０を使用して完了したプロセスを通して開始することができ、プロセスは、センサセッション全体にわたって持続し得るセンサ電子機器モジュールと表示デバイス３１０との間の通信を介した新しいセンサの通知によってトリガーすることができる。
【０１７８】
分析物センサシステム３０８は、例示的な実現形態において、センサ３７５から分析物データを収集し、それを表示デバイス３１０に伝送する。分析物値に関するデータ点は、センサ３７５の寿命（例えば、１〜３０日以上の範囲）を通じて収集し、伝送することができる。新しい測定値は、しばしば、グルコースレベルを適切に監視するのに十分伝送することができる。分析物センサシステム３０８および表示デバイス３１０の各々の伝送および受信回路に連続的に通信させるのではなく、分析物センサシステム３０８および表示デバイス３１０は、それらの間で通信チャネルを規則的および／または定期的に確立することができる。したがって、分析物センサシステム３０８は、いくつかの事例において、所定の時間間隔で、表示デバイス３１０（例えば、ハンドヘルドコンピューティングデバイス、医療用デバイス、または専用のデバイス）との無線伝送を介して通信することができる。所定の時間間隔の持続時間は、分析物センサシステム３０８が必要とされるよりも頻繁にデータを伝送することによって過剰な電力を消費しないよう、十分長くなるように、それでも、実質的にリアルタイムでセンサ情報（例えば、測定されたグルコース値または分析物データ）を、（例えば、ディスプレイ３４５を介して）ユーザに出力するための表示デバイス３１０に提供するのに十分高い頻度になるように選択することができる。いくつかの実施形態において、所定の時間間隔は、５分毎であるが、この時間間隔は、任意の所望の時間になるように変動し得ることが認識される。
【０１７９】
引き続き図３Ｂを参照すると、示されるように、接続性インターフェース３１５は、通信媒体３０５に表示デバイス３１０をインターフェースし、よって、表示デバイス３１０は、通信媒体３０５を介して、分析物センサシステム３０８に通信的に結合することができる。接続性インターフェース３１５のトランシーバ３２０は、異なる無線規格で動作可能な多数のトランシーバモジュールを含むことができる。トランシーバ３２０は、分析物センサシステム３０８から、分析物データならびに関連付けられたコマンドおよびメッセージを受信するために使用することができる。加えて、接続性インターフェース３１５は、いくつかの事例において、ベースバンドおよび／またはイーサネット（登録商標）モデム、オーディオ／ビデオコーデック、ならびにその他等の、無線および／または有線接続を制御するための追加的な構成要素を含むことができる。
【０１８０】
記憶装置３２５は、揮発性メモリ（例えば、ＲＡＭ）および／または不揮発性メモリ（例えば、フラッシュストレージ）を含むことができ、ＥＰＲＯＭ、ＥＥＰＲＯＭ、キャッシュのうちのいずれかを含むことができ、またはこれらのいくつかの組み合わせ／バリエーションを含むことができる。種々の実施形態において、記憶装置３２５は、表示デバイス３１０によって収集されたユーザ入力データおよび／または他のデータ（例えば、分析物センサアプリケーション３３０を介して収集された、他のユーザからの入力）を記憶することができる。記憶装置３２５はまた、後の検索および使用のために、例えば傾向を判定し、アラートをトリガーするために、分析物センサシステム３０８から受信した大量の分析物データを記憶するために使用することもできる。加えて、本明細書において下でさらに詳細に説明するように、記憶装置３２５は、分析物センサアプリケーション３３０を記憶することができ、該アプリケーションは、プロセッサ３３５を使用して実行されたときに、例えば、（例えば、従来のハード／ソフトキーまたはタッチスクリーン、音声検出、または他の入力機構によって）入力を受信し、ユーザが、ＧＵＩ３４０を介して、分析物データおよび関連するコンテンツと相互作用することを可能にする。
【０１８１】
種々の実施形態において、ユーザは、ＧＵＩ３４０を介して、分析物センサアプリケーション３３０と相互作用することができ、該ＧＵＩ３４０は、表示デバイス３１０のディスプレイ３４５によって提供することができる。一例として、ディスプレイ３４５は、種々のハンドジェスチャーを入力として受け付ける、タッチスクリーンディスプレイとすることができる。アプリケーション３３０は、本明細書で説明される種々の動作に従って、表示デバイス３１０によって受信した分析物に関連するデータを処理および／または提示することができ、また、ディスプレイ３４５を介してそのようなデータを提示することができる。加えて、アプリケーション３３０は、本明細書でさらに詳細に説明するように、分析物センサシステム３０８と関連付けられた分析物データならびに関連するメッセージングおよびプロセスに関して、取得、アクセス、表示、制御、および／またはインターフェースするために使用することができる。
【０１８２】
アプリケーション３３０は、ディスプレイデバイス３１０にダウンロードし、インストールし、初期構成／セットアップすることができる。例えば、表示デバイス３１０は、サーバシステム３３４から、またはアプリケーションストアもしくは同類のもの等の通信媒体（例えば、通信媒体３０５）を介してアクセスした別のソースから、アプリケーション３３０を取得することができる。インストレーションおよびセットアップに続いて、アプリケーション３３０を使用して、（例えば、サーバシステム３３４への記憶、記憶装置３２５からローカルに記憶、または分析物センサシステム３０８からの記憶にかかわらず）分析物データに関して、アクセスおよび／またはインターフェースすることができる。例示として、アプリケーション３３０は、分析物センサシステム３０８および１つ以上の表示デバイス３１０の動作と関連して実行することができる種々の制御またはコマンドを含むメニューを提示することができる。アプリケーション３３０はまた、本明細書で説明されるように、他の表示デバイス３１０をインターフェースまたは制御して、例えば、他の表示デバイス３１０に対して分析物データを直接受信／送信することによって、ならびに／または接続されるべき分析物センサシステム３０８および他の表示デバイス３１０に対する命令を送信することによって、その他を含めて、例えば、該表示デバイスに分析物データを送達すること、それらが該分析物データを利用可能にすることもできる。加えて、アプリケーション３３０は、いくつかの実現形態において、例えば関連するデータを検索または供給するように、表示デバイス３１０によってサポートされる１つ以上の追加的なアプリケーションと相互作用することができる。そのようなアプリケーションとしては、一例として、フィットネス／ライフスタイル監視アプリケーション、ソーシャルメディアアプリケーション、その他を挙げることができる。
【０１８３】
分析物センサアプリケーション３３０は、（例えば、開示される方法に関連して）本明細書の種々の機能の説明に照らして明らかになるように、ディスプレイモジュール、メニューモジュール、リストモジュール、その他等の、種々のコード／機能モジュールを含むことができる。これらのモジュールは、別個にまたは組み合わせて実施することができる。各モジュールは、コンピュータ可読媒体を含むことができ、またそこに記憶されたコンピュータ実行可能コードを有することができ、よって、プロセッサ３３５（例えば、当該の実行のための回路を含むことができる）にコードを動作的に結合して、および／または該プロセッサによって実行して、分析物データとインターフェースすること、およびそれに関連するタスクを行うことに関する（例えば、種々の動作およびフローチャートに関して本明細書で説明されるような）特定の機能を行うことができる。下でさらに説明されるように、表示モジュールは、（例えば、ディスプレイ３４５を介して）ユーザに種々の画面を提示することができ、画面は、アプリケーション３３０によって提供される情報のグラフィカル表現を含む。さらなる実施形態では、アプリケーション３３０を使用して、ユーザに、分析物センサシステム３０８に接続可能であり得る種々の表示デバイス、ならびに分析物センサシステム３０８自体を閲覧し、相互作用するための環境を表示することができる。センサアプリケーション３３０は、本明細書で説明される機能／特徴を実行するために、（例えば、オペレーティングシステムに依存する）ソフトウェア設計キットによって修正されたネイティブアプリケーションを含むことができる。
【０１８４】
図３Ｂを再度参照すると、表示デバイス３１０はまた、プロセッサ／マイクロコントローラ３３５も含む。プロセッサ３３５は、プロセッササブモジュールを含むことができ、これは、一例として、表示デバイス３１０の他の要素（例えば、接続性インターフェース３１５、アプリケーション３３０、ＧＵＩ３４０、ディスプレイ３４５、ＲＴＣ３５０、その他）とインターフェースし、および／または該要素を制御するアプリケーションプロセッサを含む。プロセッサ３３５は、コントローラおよび／またはマイクロコントローラを含むことができ、これは、（例えば、利用可能なまたは以前にペアリングされていたデバイスのリスト、測定値に関連する情報、ネットワークの状態（例えば、リンクの質、および同類のもの）に関連する情報、分析物センサシステム３０８と表示デバイス３１０の間で交換されるメッセージングのタイミング、種類、および／または構造に関連する情報、その他等の、デバイス管理に関連する種々の制御（例えば、ボタンおよびスイッチとのインターフェース）を提供する。加えて、コントローラは、例えば（例えば、データに対するユーザのアクセスを許可するための、または分析物データを含むデータの許可／暗号化に使用するための）ユーザの指紋等のユーザ入力、ならびに分析物データの収集に関連する種々の制御を含むことができる。
【０１８５】
プロセッサ３３５は、周辺構成要素および音声構成要素のための論理回路、メモリ、バッテリおよび電力回路、ならびに他の回路ドライバ等の、回路を含むことができる。プロセッサ３３５およびその任意のサブプロセッサは、表示デバイス３１０に対して受信および／または入力されたデータ、ならびに表示デバイス３１０によって伝送または送達されるデータを受信、処理、および／または記憶するための論理回路を含むことができる。プロセッサ３３５は、バスによって、ディスプレイ３４５に、ならびに接続性インターフェース３１５および記憶装置３２５（アプリケーション３３０を含む）に結合することができる。したがって、プロセッサ３３５は、これらのそれぞれの要素によって生成された電気信号を受信し、処理し、したがって、種々の機能を行うことができる。一例として、プロセッサ３３５は、アプリケーション３３０の指示で、記憶装置３２５からの記憶されたコンテンツにアクセスし、記憶されたコンテンツを処理して、ディスプレイ３４５によって表示および／または出力することができる。加えて、プロセッサ３３５は、記憶されたコンテンツを処理して、接続性インターフェース３１５および通信媒体３０５を介して、他の表示デバイス３１０、分析物センサシステム３０８、またはサーバシステム３３４に伝送することができる。表示デバイス３１０は、図３Ｂに詳細に示されない、他の周辺構成要素を含むことができる。
【０１８６】
さらなる実施形態において、プロセッサ３３５は、ある期間を通じて、ディスプレイ３４５もしくはＧＵＩ３４０を介してユーザによって入力されたデータ、または分析物センサシステム３０８から受信したデータ（例えば、分析物センサデータまたは関連するメッセージング）を、さらに取得、検出、算出、および／または記憶することができる。プロセッサ３３５は、この入力を使用して、データおよび／または他の要因（例えば、時刻、場所、その他）に対するユーザの肉体的および／または精神的応答を測定することができる。種々の実施形態において、本明細書において下でさらに詳細に説明されるように、ユーザの応答または他の要因は、特定の状況下での特定の表示デバイス３１０の使用、および／または種々の条件下での特定の接続／伝送スキームの使用に関して選好を示すことができる。
【０１８７】
現時点で、表示デバイス３１０と分析物センサシステム３０８との間の同じ名前の要素は、同じ特徴、構造、および／または能力を含み得ることに留意されたい。したがって、そのような要素に関して、上での表示デバイス３１０の説明は、いくつかの事例において、分析物センサシステム３０８に適用することができる。
【０１８８】
以下、図３Ｃを参照すると、システム３０４が、本開示の実施形態に従って表される。示されるように、システム３０４は、通信媒体３０５ａを介して表示デバイス３１０ａ、３１０ｂに通信的に結合された、分析物センサシステム３０８を含む。表示デバイス３１０ａはまた、通信媒体３０５ｂを介して表示デバイス３１０ｂに通信的に結合される。一例として、図３Ｃは、本開示の例示的な実現形態において、表示デバイス３１０ａが、第１の接続スキームおよび第１の無線プロトコル（例えば、ＢＬＥ）を使用して、分析物センサシステム３０８に接続することができることを例示する。次に、表示デバイス３１０ａはまた、第２の接続スキームおよび第２の無線プロトコル（例えば、Ｗｉ−Ｆｉ、ＮＦＣ、その他）を使用して、表示デバイス３１０ｂに接続することができる。実施形態において、表示デバイス３１０ａと分析物センサシステム３０８との間の接続は、その後に閉じることができ、表示デバイス３１０ｂは、分析物センサシステム３０８との接続を確立し、一方で、表示デバイス３１０ａとの接続を維持することができる。さらに、例えば、表示デバイス３１０ａおよび３１０ｂは、通信媒体３０５ｂを介して、分析物データを交換することができ、各表示デバイス３１０ａ、３１０ｂは、通信媒体３０５ａを介して、すなわち、分析物センサシステム３０８から、分析物データを受信する。表示デバイス３１０ｃはまた、通信媒体３０５ｃを介して、表示デバイス３１０ｂに接続することもできる。図３Ｃによって表される追加的な態様および特徴は、一例として図３Ｄおよび３Ｅを含む、本開示の全体を研究すれば明らかになるであろう。
【０１８９】
図３Ｆは、本開示の実施形態に従って用いることができる、ＧＵＩ３４０の例示的な実現形態を例示する。図３Ｆに示されるように、ＧＵＩ３４０は、例えばセンサアプリケーション３３０と関連して、表示デバイス３１０のディスプレイ３４５を介して提示することができる。全般的に言えば、ＧＵＩ３４０の機能および特徴は、本明細書で説明されるシステムおよび方法を参照してさらに詳細に説明される。例示として、ＧＵＩ３４０は、例えば表示デバイスマネージャを含む、アプリケーション３３０と関連付けられたインターフェースを提示することができる。そのような表示デバイスマネージャは、（一例として、図３Ａ〜３Ｅを参照して）システム３００、３０２、３０４、３０６ａ、および３０６ｂ等の、分析物監視を含むシステムの態様を構成するために使用することができる。例えば、（一例として、図３Ａ〜３Ｅを参照して）表示デバイスマネージャ（およびいくつかの事例では、より一般的に、アプリケーション３３０と関連付けられたインターフェース）を使用して、分析物３０８と表示デバイス３１０との間に確立される（または確立されるべき）接続の接続パラメータをセットアップすることができ、それを使用して、専用の表示デバイス３１０を選択することができ、それを使用して、ある表示デバイス３１０ａを別の表示デバイス３１０ｂにテザリングすることができ、また、その他のことを行うことができる。
【０１９０】
図３Ｆに示されるように、表示デバイスマネージャは、分析物センサシステム３０８に結合することができる（図３Ａおよび３Ｂを参照されたい）１つ以上の表示デバイス３１０の各々のインターフェースモジュールを含むことができる。インターフェースモジュール３９０ａは、表示デバイス３１０のうちの第１の表示デバイス（「表示デバイス１」または「ＤＤ１」）とインターフェースするために使用することができ、インターフェースモジュール３９０ｂは、表示デバイス３１０のうちの分析物表示デバイス（「分析物表示」）とインターフェースするために使用することができ、インターフェースモジュール３９０ｃは、表示デバイス３１０のうちの第２の表示デバイス（「表示デバイス２」または「ＤＤ２」）とインターフェースするために使用することができる。各インターフェースモジュール３９０ａ、３９０ｂ、３９０ｃは、次に、構成メニュー３９５を含むことができ、これは、管理されているデバイスの種々の設定を構成するためのいくつかのボタン（例えば、タッチセンシティブソフトキー）を含むことができる。構成メニュー３９５およびそれらの機能の利用可能なボタンは、例えば管理されている表示デバイスの特性ならびに他のパラメータに基づいて、修正することができる。
【０１９１】
図３Ｇと関連して説明されるように、構成メニュー３９５を使用して、対象の表示デバイスの特定の管理オプションを選択するために使用することができるサブメニューにアクセスすることができる。ＧＵＩ３４０に含むことができる追加的なボタンは、ボタン３１２ａ〜ｅである。例えば、ボタン３１２ａは、デバイスをデバイスマネージャに加えるために使用することができ、ボタン３１２ｂは、予め設定された構成をデバイスマネージャに適用するために使用することができ、ボタン３１２ｃは、ユーザにアラートを通知するために、またはアラートの設定を管理するために使用することができ、ボタン３１２ｄは、（例えば、アプリケーション３３０と関連して）ＧＵＩ３４０に示される前画面に戻ることをナビゲートするために使用することができ、ボタン３１２ｅは、表示デバイス３１０のホーム画面に戻るためのソフトキーとして使用することができる。
【０１９２】
以下、図３Ｇを参照すると、ＧＵＩ３４０と関連して実施することができる追加的な態様が提供される。図３Ｇに示されるように、ＧＵＩ３４０の実施形態は、インターフェースモジュール３９０ａと、３９０ｂと、３９０ｃのサブメニュー３１４ａ〜ｇと、を含む。サブメニュー３１４ａは、インターフェースモジュール３９０ａの構成メニュー３９５を介してアクセスすることができる。この事例において、サブメニュー３１４ａは、「システム」オプションに対応する。これに関して、（例えば、ディスプレイ３４５上のタッチジェスチャーを介して）選択されたときに、サブメニュー３１４ａは、「表示デバイス１」のバッテリ特性、「表示デバイス１」の無線構成および測定値、ならびに他のデバイスの態様を管理および閲覧するためのオプション３１６ａを提示する。オプション３１６ａを使用して、（「他のデバイス」オプション３１６ａを通して）テザリングするデバイスを選択することができる。具体的な実施例として図３Ｃを参照すると、テザリングは、この事例において、例えば、通信媒体３０５ｂを介して接続している２つの表示デバイス３１０ａおよび３１０ｂを含むことができる。いくつかの事例において、「分析物表示」および「表示デバイス２」は、既知のデバイスに対応することができるのに対して、「他のデバイス」オプションを選択することで、接続に利用可能な他の表示デバイス３１０のスキャンを開始することができる。他の実施例では、「他のデバイス」オプションを使用して、既知のデバイスにテザリングすることができる。サブメニュー３１４ａは、任意の他のインターフェースモジュール（例えば、３９０ｂ、その他）と関連して実施できることが認識されるであろう。
【０１９３】
サブメニュー３１４ｂは、「交換／削除」オプションに対応する。これに関して、（例えば、ディスプレイ３４５上のタッチジェスチャーを介して）選択されたときに、サブメニュー３１４ｂは、オプション３１６ｂを提示し、これは、分析物表示を別の表示デバイス３１０と、すなわち、「表示デバイス３」（「ＤＤ３」）または他のデバイスと交換するためのオプションを含む。オプション３１６ｂ内で、本明細書でさらに説明されるように、サブメニュー３１４ｂはまた、デバイスのリスト（例えば、ホワイトリスト）から「分析物表示」を「削除」するためのオプションも提示する（例えば、図１０Ｂを参照されたい）。ここでも同じく、いくつかの事例において、「表示デバイス３」は、既知のデバイスに対応することができるのに対して、「他のデバイス」オプションを選択することで、「分析物表示」への接続が利用可能な他の表示デバイス３１０のスキャンを開始することができる。サブメニュー３１４ｂは、任意の他のインターフェースモジュール（例えば、３９０ａ、その他）と関連して実施できることが認識されるであろう。例えば、サブメニューを使用して、分析物センサシステム３０８との使用に関して、ユーザの古いスマートフォンをユーザの新しいスマートフォンと交換することができる。
【０１９４】
サブメニュー３１４ｃは、「構成パラメータ（Ｃｏｎｆｉｇ．Ｐａｒａｍｓ．）」または「構成パラメータ（Ｃｏｎｆｉｇｕｒａｔｉｏｎ  Ｐａｒａｍｅｔｅｒｓ）」オプションに対応する。これに関して、（例えば、ディスプレイ３４５上のタッチジェスチャーを介して）選択されたときに、サブメニュー３１４ｃは、オプション３１６ｃを提示し、これは、分析物センサシステム８との接続およびそこからのデータの伝送に関する種々の構成パラメータを修正または設定するためのオプションを含む。オプション３１６ｃ内で、サブメニュー３１４ｃは、特定の「設定パラメータ」が「有効」であるかどうかに関するオプションを提示し、次いで、ユーザによって特に制御することができる「設定パラメータ」に関連する追加的なオプションを列記する。いくつかの実施例において、これらの接続パラメータは、例えば監視パラメータ値と所定のおよび／または構成可能な／適合可能な閾値とを比較することによって、（例えば、表示デバイス３１０および／または分析物センサシステム３０８による）ユーザの介入を伴わずに、追加的または代替的に監視し、調整することができる。これに関して、ユーザは、表示デバイス３１０によってどのパラメータを監視／調整するべきかを選択することが可能であり得る。他の事例において、選択は、監視パラメータ値および／または他の入力に基づいてオンザフライで行うことができる。したがって、いくつかの事例において、ユーザは、接続パラメータへのアクセス、またはそれに関する許可を有しない場合があることが認識されるであろう。
【０１９５】
故に、上記にかかわらず、ＧＵＩ３４０の実施形態では、構成３９５（３９５ａ、その他）、サブメニュー３１４ａ〜ｇ、およびオプション３１６ａ〜ｇの種々の組み合わせおよび実現形態が、本開示と関連して企図されることが認識されるであろう。一例として、「構成パラメータ」に対応するサブメニュー３１４ｃを省略することができ、よって、接続パラメータは、デフォルトでユーザが視認できず、および／またはユーザによってアクセスまたは変更することができない。そのような例において、接続パラメータは、表示デバイス３１０の記憶装置３２５に記憶することができ、また、表示デバイス３１０と分析物センサシステム３０８（および／またはいくつかの事例において別の表示デバイス３１０）との接続を確立および／または維持することと併用することができる。
【０１９６】
実施形態において、「質」オプション（図示せず）は、本明細書でさらに説明されるように、サービス品質（ＱｏＳ）に関連する「構成パラメータ」を制御またはインターフェースするように、ユーザによって調整することができる。さらに、本明細書の他の場所でさらに詳細に言及されるように、ＱｏＳ関連のパラメータはまた、例えばリンクの質、その他に関連する閾値に基づいて、分析物センサシステム３０８および／または表示デバイス３１０によって監視／調整することができる。「質」オプションは、「選好構成」３９５を通してアクセスすることができる。「場所」オプションは、本明細書でさらに説明されるように、場所に関連する「構成パラメータ」を制御またはインターフェースするように、ユーザによって調整することができる。「時間」オプションは、本明細書でさらに説明されるように、時刻に関連する「構成パラメータ」を制御またはインターフェースするように、ユーザによって調整することができる。「電力」オプションは、本明細書でさらに説明されるように、バッテリ電力に関連する「構成パラメータ」を少なくとも間接的に制御および／またはインターフェースするように、ユーザによって調整することができる。これらのオプションは、例えば、「選好構成」３９５を通してアクセスすることができる。
【０１９７】
サブメニュー３１４ｄは、インターフェースモジュール３９０ａが関係するデバイス（すなわち、この実施例では、「表示デバイス１」（ＤＤ１））に関連するポップアップウインドウオプションに対応する。より具体的には、本明細書でさらに説明されるように、サブメニュー３１４ｄは、グレー表示したオプション３１６ｄを介して、対象のデバイスがホワイトリストにあるかどうかを示す。オプション３１６ｄは、この実施例において、グレー表示されて、いくつかの事例では、オプションが選択可能であることではなく、ホワイトリストステータスに関する情報を提示するために使用されることを示す。図３Ｇを参照して具体的に説明されない、異なるサブメニュー（「ホワイトリスト／ブラックリスト」）は、ホワイトリストに対して（またはブラックリストに対して）特定のデバイスを加える／削除するために使用することができる。サブメニュー３１４ｄは、任意の他のインターフェースモジュール（例えば、３９０ａ、その他）と関連して実施できることが認識されるであろう。
【０１９８】
サブメニュー３１４ｅは、「専用」オプションに対応する。これに関して、（例えば、ディスプレイ３４５上のタッチジェスチャーを介して）選択されたときに、サブメニュー３１４ｅは、オプション３１６ｅを提示し、これは、分析物センサシステム３０８への接続およびそこからのデータの受信、および／またはそれとの制御シグナリングの交換に関して、対象の表示デバイス（ここでは、「分析物ディスプレイ」）を専用の表示デバイスにするためのオプションを含む。サブメニュー３１４ｅのオプション３１６ｅは、本明細書でさらに説明されるように、「分析物ディスプレイ」が専用の表示デバイスであるかどうかに関する「はい」または「いいえ」を示すためのオプションを提示する。サブメニュー３１４ｅは、任意の他のインターフェースモジュール（例えば、３９０ａ、その他）と関連して実施できることが認識されるであろう。
【０１９９】
サブメニュー３１４ｆは、「接続状態」オプションに対応する。これに関して、（例えば、ディスプレイ３４５上のタッチジェスチャーを介して）選択されたときに、サブメニュー３１４ｆは、オプション３１６ｆを提示し、これは、例えば、対象の表示デバイス（ここでは、「表示デバイス２」）と分析物センサシステム３０８との間の接続モードを設定または構成するためのオプションを含む。オプション３１６ｆ内で、本明細書でさらに説明されるように、サブメニュー３１４ｆは、接続に関する「接続モデル」、「接続済」、および「その他」のオプションを提示する。一例として、サブメニュー３１４ｆは、ユーザが一組のオプションの中から接続モデルまたは選択を修正することを可能にすることなく用いられる、接続モデルに関する情報をユーザに提供することができる。しかしながら、他の事例において、ユーザは、このオプションを使用して接続モデルを手動で選択することが可能であり得る。加えて、「接続済」オプション３１６ｆは、「表示デバイス２」が現在分析物センサシステム３０８に接続されているかどうかをユーザに示すことができる。サブメニュー３１４ｆは、任意の他のインターフェースモジュール（例えば、３９０ａ、その他）と関連して実施できることが認識されるであろう。
【０２００】
サブメニュー３１４ｇは、「ペアリング」オプションに対応する。これに関して、（例えば、ディスプレイ３４５上のタッチジェスチャーを介して）選択されたときに、サブメニュー３１４ｇは、オプション３１６ｇを提示し、これは、分析物センサシステム３０８および／または表示デバイス３１０ａ、３１０ｂ、その他の識別、選択、および／またはそれらとのペアリングに関するオプションを含む。オプション３１６ｇ内で、サブメニュー３１４ｇは、（例えば、分析物センサシステム３０８に関する）識別関連情報に関連する「ＩＤ番号」、一組の識別された表示デバイス３１０ａ、３１０ｂ、その他に関する「発見済デバイス」、ユーザが分析物センサシステム３０８と表示デバイス３１０との接続の選択を手動で確認することができる「確認選択」、およびペアリングプロセスと関連してデバイスの識別および／または選択に関して用いられるべきユーザ相互作用の量を設定および／または修正するために使用することができる「相互作用レベル」、といったオプションを提示する。サブメニュー３１４ｆは、任意の他のインターフェースモジュール（例えば、３９０ａ、その他）と関連して実施できることが認識されるであろう。
【０２０１】
特定のサブメニューおよび／またはオプション、その他が図３Ｇに関連して開示されており、本開示は、ここでは図３Ｇを参照して詳細に説明していないが、図３Ｇに示される実施形態の態様が下でさらに説明される。加えて、当業者は、本開示を研究すれば、ＧＵＩ３４０が、種々の追加的なサブメニューおよび／またはオプションを提示することができることを認識するであろうし、また、追加的なサブメニューおよびオプションが本開示の範囲および主旨の範囲内であることも認識するであろう。
【０２０２】
図４は、断続接続モデルに従う動作と関連付けられた例示的な実現形態である、本開示の実施形態による、分析物センサシステム４０８の潜在的態様を例示しているブロック図である。図４で示される分析物センサシステム４０８の態様は、分析物センサシステム４０８のサブシステム４００内で実施することができ、また、一般に、ＢＬＥ等の無線プロトコルを介して通信的に結合された分析物センサシステム４０８と任意の表示デバイスとの間の無線インターフェースを管理するために使用することができる。例えば、アプリケーションプログラミングインタフェース（ＡＰＩ）４５０は、無線４２５を介して表示デバイスがプロセッサ４２０（例えば、プロセッサ３８０）と通信するために提供することができ、該無線としては、ＢＬＥもしくは他のＲＦ、またはマイクロ波トランシーバ（例えば、トランシーバ３６０）を挙げることができる。プロセッサ４２０は、センサ４０５（例えば、センサ３７５）によって収集された分析物データを処理するために使用することができる。
【０２０３】
示されるように、分析物センサシステム４０８内で、サブシステム４００は、センサ４０５（例えば、センサ１０）と、アナログフロントエンド（ＡＦＥ）４１０（例えば、センサ電子機器モジュール１２）と、バッテリ４１５と、プロセッサ４２０と、無線４２５と、を含むことができる。サブシステム４００ならびに関連するソフトウェアに関するものを含む、分析物センサシステム４０８の設計は、そのようなマルチチップ動作および／または管理を可能にし、特にその場合、そのような動作および管理は、本明細書で説明される電力節約の原理に従って実行され、また、電力節約をサポートする／最大にするシステム構成を実施することを含み得る。例えば、本設計は、システムの起動、チップ間の通信、アプリケーションタスクのスケジューリング、記憶ならびに起動モードにおけるバッテリ寿命の最大化、ならびに無線４２５と関連付けられたＡＰＩ４５０による制御点および指示の利用を可能にする。
【０２０４】
記憶モードは、分析物センサシステム４０８が受容体の中へ挿入される前に、分析物センサシステム４０８を動作させるために使用することができる。例えば、センサ４０５が受容体の中へ挿入されたことを検出すると、分析物センサシステム４０８は、自動的に記憶モードを出て、起動モードに入ることができる。記憶モードにおいて、無線４２５は、電力を節約するために、少なくとも部分的に無効にすることができる。同様に、プロセッサ４２０は、例えばプロセッサ４２０によって使用されるクロック（例えば、ＲＴＣ３５０）を無効にすることによって、少なくとも部分的に無効にすることができる。さらに、記憶モードにおいて、無線４２５は、ディープスリープモードになるように構成できることが企図される。これは、分析物センサシステム４０８のバッテリ寿命を好都合に延長する／最大にすることができる。実現形態において、例えばＮＦＣを介して表示デバイス３１０と相互作用した時点で、分析物センサシステム４０８が記憶モードを出ることができることがさらに企図される。
【０２０５】
起動モードでは、（例えば、バッテリ寿命を延長する／最大にするために）依然として低電力モード（ＬＰＭ）を使用することができるが、ＲＴＣ３５０を起動する／有効にすることができる。これは、プロセッサ４２０が、時間を正確に追跡し、他のクロックに基づく機能を行うことを可能にし、それでも、電力節約を可能にすることができる。例えば、ＲＴＣ３５０は、時間に基づくカウンタおよび割り込みを使用してエラー回復を行うために使用することができる。以下のエラー回復のシナリオは、例示として提供される。１つの例において、所与の時間量にわたっていかなる応答メッセージも無線４２５から受信されなかった場合、プロセッサ４２０は、無線４２５をリセットすることができる。別の例では、定期的な割り込みを使用することができ、そこで、ＲＴＣ３５０の論理が機能しない場合、分析物センサシステム４０８は、ハードウェア論理によってリセットすることができる。追加的な実現形態において、ウェークソース４３５（または、ＡＦＥ４１０）と関連付けられたメッセージまたは信号が受信されない、または機能しない場合は、割り込み（例えば、ＲＴＣ割り込み）を使用して、プロセッサ４２０のＬＰＭを解除して、通信機能を行うことができる。
【０２０６】
プロセッサ４２０は、分析物センサシステム４０８内のサブシステム４００のシステムコントローラとして作用することができる。例えば、初期化した後に、無線４２５は、スリープ状態に入り、プロセッサ４２０からの命令を待機することができる。ＡＦＥ４１０は、デフォルト状態に初期化し、同様に、プロセッサ４２０から構成命令／コマンドを待機することができる。プロセッサ４２０は、エラーが検出された場合に、ＡＦＥ４１０および／または無線４２５のリセットを制御することができる。プロセッサ４２０はまた、（例えば、ハードウェアウォッチドッグを使用して）内部エラー条件が検出された場合に、自己リセットすることもできる。
【０２０７】
分析物センサシステム８のサブシステム４００は、マルチチップ（またはマルチモジュール）設計を利用することができ、その場合、ハードウェア通信バスは、種々のチップ（またはモジュール）間でのデータ交換に使用することができる。ハードウェア通信バスの有望なオプションの例としては、Ｉｎｔｅｒ−Ｉｎｔｅｇｒａｔｅｄ  Ｃｉｒｃｕｉｔ（Ｉ２ＣまたはＩ２Ｃ）およびシリアル周辺機器インターフェース（ＳＰＩ）が挙げられる。ＳＰＩは、電力の低減ならびにＩ２Ｃに対する速度の増加を達成するために使用することができる。
【０２０８】
ウェークソース４３５および未処理のセンサデータ４３０を使用して、分析物センサシステム４０８のバッテリ寿命を最大にすることができる。ＡＦＥ４１０は、実施例において、サブシステム４００の構成要素のためのウェークソースとし使用することができる。それでもやはり、他のウェークソースを利用することができる。通常動作中に、ＡＦＥ４１０は、プロセッサ４２０が、エネルギー効率の良い低電力モード（ＬＰＭ）に入ることを可能にする。ウェークソース４３５は、例えば実施例ではＬＰＭ中に利用できない場合がある動作をプロセッサ４２０が実行することができるように、ＬＰＭを出るようにプロセッサ４２０にシグナリングするために使用することができる。ウェークソース４３５は、この様態で定期的にプロセッサ４２０にシグナリングし、プロセッサ４２０処理または実行動作の開始をトリガーすることができる。分析物センサシステム４０８は、多数のプロセッサを含むことができ、図５を参照して下で述べるように、全てのプロセッサが同時にアクティブにならないように、いくつかの事例においてウェークソース４３５と関連して、段階的なタスク処理を実施することができる。この技法は、電力消費を低減させることができ、そのため、バッテリ寿命を延長することができる。一例として、ウェークソース４３５は、最初に、ＬＰＭを出るようにプロセッサ４２０にシグナリングし、そして、分析物センサシステム４０８の関連するハードウェアおよびソフトウェアを構成し始めて、ＡＦＥ４１０から未処理のセンサ（分析物）データの転送を開始することができる。
【０２０９】
未処理のセンサデータ４３０は、センサ４０５によって収集されたセンサデータをＡＦＥ４１０からプロセッサ４２０に転送する、ハードウェアを含むことができる。そのようなデータは、本明細書において、未処理のセンサデータまたは未処理の分析物データと称することができる。構成４４０は、プロセッサ４２０とＡＦＥ４１０との間の双方向インターフェースとすることができる。いくつかの事例において、構成４４０は、Ｉ２Ｃを使用して実施することができるが、ＳＰＩまたは別のインターフェース構成も使用することができる。プロセッサ４２０および無線４２５は、同様に、通信およびデータ転送のために、ＳＰＩおよび／またはＩ２Ｃバスを使用することができる。いくつかの事例において、追加的なハードウェアおよびソフトウェアを使用して、同期プロトコル（例えば、ＳＰＩおよび同類のもの）を使用するときに、プロセッサ４２０と無線４２５との間の非同期インターフェースを作成することができる。
【０２１０】
以下、図５を参照すると、いくつかの事例において断続接続モデルに従う動作と関連付けられる、本開示の実施形態に従う、分析物センサシステム５０８の潜在的態様を例示するブロック図が提供される。図５に示される分析物センサシステム５０８の態様は、分析物センサシステム５０８のサブシステム５００内で実施することができる。特に、サブシステム５００は、プロセッサ５２０および無線５２５を含むことができ、これらは、通信インターフェース４４５に対するＳＰＩバスおよび追加的な汎用の入力／出力（ＧＰＩＯ）を含み、したがって、プロセッサ５２０を無線５２５に結合する非同期インターフェース５４５を作成するように修正することができる。非同期インターフェース５４５は、いくつかの事例において、メッセージ転送層と称され得る。
【０２１１】
図５の実施例に示されるように、非同期インターフェース５４５は、プロセッサ５２０のチップ選択（ＣＳ）入力５０５ａに無線５２５のＣＳ出力５０５ｃを提供する、接続５０５ｂを含む。さらに、非同期インターフェース５４５は、プロセッサ５２０のＣＬＫ入力５１０ａに無線５２５のＳＰＩクロックアウト５１５ｃを提供する、接続５１０ｂを含む。非同期インターフェース５４５は、無線５２５のＭＩＳＯ入力５３０ｃにプロセッサ５２０のＭＩＳＯ（多入力単一出力）５３０ａを提供する、接続５１５ｂを含む。非同期インターフェース５４５は、プロセッサ５２０のＭＯＳＩ入力５３０ａに無線５２５のＭＯＳＩ（多出力単一入力）出力５３０ｃを提供する、接続５３０ｂをさらに含む。加えて、非同期インターフェース５４５は、無線５２５の要求入力５３５ｃにプロセッサ５２０の要求出力５３５ａを提供する、接続５３５ｂを含む。非同期インターフェース５４５はまた、プロセッサ５２０のＡＣＫ／ＮＡＣＫ入力５４０ａに無線５２５のＡＣＫ／ＮＡＣＫ（肯定応答／否定応答）出力５４０ｃを提供する、接続５４５ｂも含む。
【０２１２】
非同期インターフェース５４５は、プロセッサ５２０（プロセス分析物データに使用することができる）と無線５２５内の無線プロセッサ（例えば、ベースバンドプロセッサ）との間の非同期通信リンクを提供することができる。さらに、非同期インターフェース５４５は、アプリケーション層論理からのマスター／スレーブトポロジの削除を可能にすることができる。非同期インターフェース５４５はまた、インターフェースを通じて完了メッセージを通信する準備ができるまでプロセッサ５２０および／または無線プロセッサが低電力モードを維持するように、割り込みコンテキストにおいてメッセージを送信／受信することを可能にする。例示的な実現形態において、プロセッサ５２０によって送信されるメッセージは、ＡＣＫ／ＮＡＣＫならびに応答パケットを使用して、メッセージの受信を確認／拒否する。サブシステム５００に関して、できる限りランタイムのオーバーラップが少なくなるように、プロセッサ５２０および無線５２５内のプロセッサ各々のランタイムを制限するために、段階的なタスク処理も使用することができる。これは、バッテリ４１５に対するストレスを低減させ、また、非同期メッセージングの課題を最小にすることができる。
【０２１３】
図４を再度参照すると、ＡＦＥ４１０は、ある期間（例えば、５分）にわたってセンサ４０５から未処理の分析物データをサンプリングする。サンプリング中に、プロセッサ４２０および無線４２５内のプロセッサ（例えば、ベースバンドプロセッサ）は、低電力モード（ＬＰＭ）に保持することができる。ＡＦＥ４１０がサンプリングを完了すると、ＡＦＥ４１０は、プロセッサ４２０がＬＰＭから出るべきである（すなわち、ウェークアップするべきである）ことを示す信号をプロセッサ４２０に送信することができる。ＡＦＥ４１０は、次いで、構成４４０を介して、プロセッサ４２０に未処理の分析物データを転送することができる。ＡＦＥ４１０は、次いで、再度ＬＰＭに入ることができる。次いで、プロセッサ４２０は、（例えば、推定グルコース値を生成するために）未処理の分析物データを処理し、処理された分析物データを記憶することができる。プロセッサ４２０は、通信インターフェース４４５を介して、無線４２５のプロセッサにシグナリングして、無線４２５に処理された分析物データを通信することができる。その後に、無線４２５が表示デバイス（例えば、表示デバイス３１０）への接続を待機している間、プロセッサ４２０は、ＬＰＭに入ることができる。そのような接続が行われると、プロセッサ４２０は、ＬＰＭから出ることができ、表示デバイスおよびプロセッサ４２０は、無線４２５を介して、データ、コマンド、および／またはメッセージングを交換することができる。
【０２１４】
ＡＰＩ４５０は、種々の無線プロトコルを通じて、分析物センサシステム４０８から離れたデバイスとインターフェースするために使用することができる。そのようなプロトコルの１つの例は、ＢＬＥである。これに関して、ＡＰＩ４５０は、分析物センサアプリケーション３３０等のアプリケーションを動作させる表示デバイス（例えば、表示デバイス３１０）のユーザによって、分析物センサシステム４０８を構成することを可能にする。分析物センサアプリケーション３３０は、分析物センサシステム４０８および／または表示デバイス３１０の製造業者によって開発されたものであり得、または任意の個人またはエンティティによって開発することができる。表示デバイスを分析物センサシステム４０８に結合するためにＢＬＥ規格が使用される事例において、ＢＬＥ特性は、システム設計パラメータに従って構成することができる。
【０２１５】
図６は、本開示による方法６００の実施形態と関連して、例えば分析物センサシステム４０８によって実施することができる、種々の動作を例示する動作フロー図であり、そのような実施形態は、実施例において、断続接続モデルに従う動作と関連付けられる。しかしながら、本開示を研究すれば、図６が、連続接続モデルに従う動作のために修正され得ることが認識されるであろう。コンテキストの目的で、図６は、分析物センサシステム６０８およびサブシステム６０２を含む。示されるように、サブシステム６０２内で、分析物センサシステム６０８は、ＡＦＥ６１０と、プロセッサ６２０（ＣＧＭデータを処理するために使用することができる）と、無線６２５と、を含むことができる。分析物センサシステム６０８は、図６で示される種々の動作を実行して、表示デバイス（例えば、表示デバイス３１０または医療用デバイス１３６）等の遠隔デバイスに（例えば、無線で）接続することができる。この様態で、分析物データを表示デバイスに伝送し、そこで処理することができる。さらに、分析物センサシステム６０８および表示デバイスは、分析物センサシステムと表示デバイスとの接続に使用される通信プロトコルを構成することに関連するメッセージングを交換することができる。図６に示される動作は、ＢＬＥプロトコルを参照して本明細書のいくつかの事例において説明することができるが、いずれの事例においても、当業者は、本開示を研究すれば、図６に示され、説明される態様を他の通信プロトコルに適用することができることを認識するであろう。
【０２１６】
動作６１０ａの前に、分析物センサシステム６０８は、ＬＰＭまたは電力消費が低減される関連するモード、例えば「スリープモード」であり得る。動作６１０ａで、ＡＦＥ６１０は、プロセッサ６２０に処理を開始するようにシグナリングする。例えば、ＡＦＥ６１０は、プロセッサ６２０に低電力モードから出るように指示するウェークイベントで、プロセッサ６２０にシグナリングすることができる。上で暗に言及したように、ＡＦＥ６１０は、ウェークソースとして作用することができ、動作６１０ａは、図４で参照されるウェークソース４３５に対応することができる。動作６１０ｂで、ＡＦＥ６１０は、プロセッサ６２０にセンサデータ（例えば、未処理の分析物またはセンサデータ）を渡す。分析物データがグルコースデータに関連する例示的な実現形態において、プロセッサ６２０は、連続グルコースモニタ（ＣＧＭ）プロセッサと称することができる。
【０２１７】
処理を開始するように（例えば、動作６１０ａで）シグナリングされると、プロセッサ６２０は、動作６２０ａで、動作６１０ｂでそこに渡されたセンサデータを処理することができる。例えば、図６で参照されるように、プロセッサ６２０は、センサデータから推定グルコース値（ＥＧＶ）を算出することができる。プロセッサ６２０はまた、センサデータおよび／またはそこから導出された別の値（例えば、ＥＧＶ）を、記憶装置および／またはデータベース（例えば、図３Ｂで示される、いくつかの事例においてフラッシュメモリである、記憶装置３６５）に記憶することもできる。動作６２０ｂで、プロセッサ６２０は、無線６２５（いくつかの事例では、ＢＬＥ無線とすることができる）に通信を開始するようシグナリングすることができる。動作６２０ｃで、プロセッサ６２０は、次いで、ＬＰＭまたは電力消費が低減される関連するモード、例えば「スリープモード」に入ることができる。実施形態では、動作６２０ｃを省略することができ、よって、プロセッサは、必ずしもＬＰＭモード、その他に入るわけではない。動作６２０ｂで送信された、通信を開始する信号に応答して、無線６２５は、動作６２５ａで、表示デバイスにアドバタイズおよび／または接続することができる。アドバタイズメントメッセージングおよび関連付けられた接続／切断プロトコルの例は、本明細書でさらに詳細に説明される。
【０２１８】
動作６２５ａでのアドバタイズメント／接続の後、無線６２５は、動作６３０ａで、要求シグナリング（例えば、コマンド要求）を受信することができる。要求シグナリングは、表示デバイスから受信することができ、また、分析物データの伝送の要求とすることができ、ならびに／またはアドバタイズメントおよび／もしくはデータ伝送と関連付けられた分析物センサシステム６０８の種々の構成パラメータに関連し得る。シグナリングを受信することに応答して、動作６２５ｂで、無線６２５は、プロセッサ６２０にシグナリングを渡すことができる。これは、インターフェース４４５または５４５（例えば、メッセージ転送層）を使用して行うことができる。換言すれば、無線６２５は、メッセージ転送層を使用してプロセッサ６２０へそのようなシグナリングを渡すように構成することができ、よって、例えば、分析物センサシステム６０８は、シグナリングを送信する表示デバイスに対して、マルチチップシステムであるように見えない。プロセッサ６２０に（動作６２５ｂで）シグナリングを渡した後に、動作６２５ｃで、無線６２５は、電力消費が低減されるＬＰＭまたは関連するモード、例えば「スリープモード」に入ることができる。連続接続モデルの場合は、動作６２５ｃを省略することができ、よって、例えば、スリープモードには入らないが、代わりに、接続は、図７Ｊを参照して本明細書で説明されるように維持される。
【０２１９】
動作６２５ｄで、無線６２５から要求シグナリングを受信した後に（動作６２５ｂ）、プロセッサ６２０は、シグナリングを処理して、応答シグナリング（例えば、コマンド応答）を生成することができる。応答シグナリングは、動作６２０ｅで、無線６２５に渡すことができる。これは、インターフェース４４５または５４５（例えば、メッセージ転送層）を使用して行うことができる。換言すれば、プロセッサ６２０は、メッセージ転送層を使用して無線６２５へそのような信号を渡すように構成することができる。応答シグナリング（動作６２０ｅで送信したもの）を受信すると、無線６２５は、（動作６２５ｃで入った）ＬＰＭまたは関連するモードから出て、表示デバイスに応答シグナリングを送信することができる。簡潔には、一例として、（動作６３０ａで）表示デバイスからの分析物データの要求を受信した後に、分析物センサシステム６０８は、応答シグナリング（動作６２５ｄで）を伝送することができる。
【０２２０】
動作６２０ｆで、プロセッサ６２０は、無線６２５にシグナリングして通信を停止させる。この様態で、（動作６２５ｄで）応答シグナリングを送信した後に、無線６２５は、表示デバイスとの接続を閉じ、動作６２５ｅで、ＬＰＭまたは同類のものに入ることができる。同様に、プロセッサ６２０は、無線６２５にシグナリングして通信を停止させた後に、動作６２０ｇで、ＬＰＭまたは同類のものに入ることができる。実施形態では、動作６２０ｇを省略することができ、よって、プロセッサは、必ずしもＬＰＭモード、その他に入るわけではない。分析物センサシステム６０８は、ＡＦＥ６１０がその後に、プロセッサ６２０にシグナリングして上で説明した種々の動作の実現形態を再模倣するまで、ＬＰＭまたは同類のものを維持することができる。連続接続モデルの場合は、動作６２５ｅを省略することができ、よって、例えば、スリープモードには入らない、および／または接続が閉じられないが、代わりに、接続は、図７Ｊを参照して本明細書で説明されるように維持される。
【０２２１】
分析物データを無線通信するための本開示のシステムおよび方法の態様の上の説明によって、以下、いくつかの特定の改善が提供される。当業者は、本開示を研究すれば、これらの改善が、上で説明した例示的な構成の特徴および特徴の組み合わせに対する明示的な参照が行われるかどうかにかかわらず、それらを使用して実施することができることを認識するであろう。その上、図４、図５、および図６に関して、それらに関連する実施形態は、いくつかの事例において、断続接続モデルに従う動作と関連付けられるが、当業者は、本開示を研究すれば、そのような実施形態が、本明細書で説明される連続接続モデルに従う動作のために修正され得ることが認識されるであろう。
【０２２２】
Ｆ．アドバタイズメントのタイミングおよび構造
追加的な態様は、種々のデバイス（例えば、表示デバイス７１０）を分析物センサシステム（例えば、分析物センサシステム７０８）に接続する順序および様態を含み、そのような表示デバイス７１０のデバイスに伝送されたアドバタイズメントメッセージの順序、タイミング、構造、および様態に依存することができる。ここで、数字７０８および７１０が参照されるが、本開示を研究すれば当業者が理解できるように、説明は、本明細書で説明される分析物センサシステムおよび／または表示デバイスのいずれかに適用することができることに気が付くであろう。種々のデバイスに関する接続の順序付けの１つの潜在的なスキームは、以下のように説明することができる
【０２２３】
分析物センサシステム７０８は、接続に利用可能である表示デバイス７１０に、すなわち、範囲内の表示デバイス７１０にアドバタイズし、接続する。これは、例えば、アドバタイズメントメッセージを伝送することによって行うことができる。一例として、図７Ａに示される動作７０５ａを参照する。表示デバイス側で、分析物センサシステム７０８に接続しようとしている表示デバイス７１０は、例示的な実施形態において、分析物センサシステム７０８または別の同様なセンサシステムへの接続をスキャンすることができる。これは、一般に、分析物センサシステム７０８、その他によってブロードキャストされているアドバタイズメントメッセージを受信し、処理して、任意のそのようなメッセージが互換の／望ましい分析物センサシステム７０８によって伝送されているかどうかを判定することを伴う。
【０２２４】
次いで、表示デバイス７１０は、分析物センサシステム７０８に接続要求を返信することによって、アドバタイズメントメッセージに応答することができる。一例として、図７Ａに示される動作７０５ｂを参照する。接続要求を受信すると、分析物センサシステム７０８は、要求を受諾、拒否、または単に無視することができる。例示的な実現形態において、分析物センサシステム７０８は、一度に１つの表示デバイス７１０接続だけを提供する。したがって、接続要求を拒否または無視する１つの理由は、分析物センサシステム７０８が表示デバイス７１０に既に接続されていることである。接続要求を拒否または無視するいかなる理由もない場合、分析物センサシステム７０８は、要求を受諾し、要求を送信した表示デバイス７１０に接続することができる。例えば、動作７０５ｂは、分析物センサシステム７０８が、接続が許可されたことを示すシグナリングを表示デバイス７１０に送信することによって要求を受諾することを示す。アドバタイズメントおよび関連するコンテキストの態様はまた、一例として、図７Ｂ〜７Ｋも参照して例示される。例えば、動作７３５ａ、７６５ａ、７９５ａを参照されたい。これらの図に関する詳細な議論が下にさらに含まれる。
【０２２５】
図７Ａを再度参照すると、表示デバイス７１０および分析物センサ７０８は、接続されると、分析物センサシステム７０８が表示デバイス７１０に分析物データを伝送することを含む、メッセージングを交換することができる。一例として、図７Ａに示される動作７０５ｄを参照する。実施形態において、表示デバイス７１０が、予期されるまたは望まれるよりも長く分析物センサシステム７０８に接続した状態を保つことを阻止するために、分析物センサシステム７０８は、タイムアウトを実施すること、および／またはタイムアウトを実施させることができる。すなわち、例えば、接続の持続時間に関して設定された所定の制限を存在させることができ、その終了時に、分析物センサシステム７０８への接続を終了することができる。一例として、図７Ａに示される動作７１５を参照する。これは、他の表示デバイス７１０が分析物センサシステム７０８に接続すること、または接続しようとすることを可能にすることができる。分析物センサシステム７０８は、分析物センサシステム７０８に最近接続した表示デバイス７１０のリストを維持することができる。いくつかの事例において、これは、ホワイトリストとして知られ得る。分析物センサシステム７０８は、このリストを使用して、リストに入っている（すなわち、最近接続した）表示デバイスだけが分析物センサシステム７０８に接続することを可能にすることができる。
【０２２６】
図９は、本開示に従ってアドバタイズメントメッセージを伝送する一実施例を例示するタイミング図である。より具体的には、図９は、表示デバイス７１０および／または分析物表示デバイス１１０に分析物センサシステム７０８をペアリングまたは接続することと関連して使用することができる、アドバタイズメント持続時間構造９３５の例示的な一実施形態を提供する。上記と関連して、およびアドバタイズメント持続時間構造９３５の実施形態に従って、アドバタイズメントメッセージ９２０は、スケジュールに基づいて定期的に生じる時間間隔に従って送信することができる。これは、いくつかの事例において、アドバタイズメントウインドウ間隔９０５として知られ得る。この間隔のこの発生の繰り返し期間は、任意の時間とすることができるが、１つの具体的な例は、５分である。それでもやはり、アドバタイズメントウインドウ間隔は、分析物データを収集し、処理することに関する分析物センサシステム７０８の動作の性質に依存して変動するように構成または設定することができる。したがって、（この実施例では）５分毎に、アドバタイズメントメッセージが伝送される時間ウインドウが存在することになる。アドバタイズメントメッセージの時間ウインドウは、アドバタイズメントメッセージを実際に伝送することができる持続時間とみなすことができる。これはまた、いくつかの事例において、アドバタイズメント持続時間９１０とも称され得る。一例として、このウインドウは、７〜２２秒の範囲とすることができる。しかしながら、本開示を研究すれば、当業者によって、アドバタイズメント持続時間のウインドウを０から任意の適切な時間量の範囲とすることができることが認識されるであろう。いくつかの事例において、ウインドウの持続時間は、アドバタイズメントウインドウ間隔９０５よりも短い。
【０２２７】
アドバタイズメント持続時間ウインドウ９１０中に、アドバタイズメントメッセージ９２０は、いくつかの事例において、必ずしもそうとは限らないが、アドバタイズメントメッセージ間隔９１５に従って定期的に伝送することができる。アドバタイズメントメッセージ間隔９１５は、順次または連続のアドバタイズメントメッセージ９２０間の時間間隔とみなすことができる。アドバタイズメント間隔９１５の１つの具体的な例示的範囲は、２０〜９０ミリ秒であるが、本開示を研究すれば、アドバタイズメントメッセージ空間９１５は、関連する状況に応じて、アドバタイズメント持続時間ウインドウ９１０中にメッセージ間隔９１５を適合させること、または再構成することを含む、より長く、もしくはより短くすることができ、ならびに／または適応的に可変もしくは構成可能な長さとすることができることが認識されるであろう。アドバタイズメントウインドウ間隔が経過した後に、アドバタイズメントメッセージ９２０の伝送を再開することができ、アドバタイズメント持続時間構造９３５を（例えば、９３５’として）繰り返すことができる。また、アドバタイズメントメッセージ間隔、アドバタイズメント持続時間の長さ、およびアドバタイズメントウインドウ間隔、のうちの１つ以上を、アドバタイズメント持続時間構造９３５および９３５’の間で、および／またはそれぞれのアドバタイズメント持続時間構造９３５、９３５’、その他の範囲内で再構成することができることにも留意されたい。
【０２２８】
以下の議論に対する便宜上の目的で、表示デバイスは、表示デバイス７１０と称さるのに対して、分析物表示デバイスは、分析物表示デバイス１１０と称される。しかしながら、本明細書の他の場所において、表示デバイス７１０という用語は、分析物表示デバイス１１０および医療用デバイス１３６を含む、任意の表示デバイスまたは表示デバイスの集合体を網羅するのに十分な範囲の広さであることが認識されるであろう。
【０２２９】
上で述べたアドバタイズメントウインドウ間隔９０５、アドバタイズメント持続時間９１０、およびアドバタイズメントメッセージ間隔９１５は、それぞれ、様々な要因に基づいて変動させることができる。例えば、これらのパラメータの値は、存在する表示デバイス７１０の種類および／もしくは数に基づいて、ならびに／またはそのような表示デバイス７１０を最近どのように分析物センサシステム７０８に接続したのかに基づいて変動させることができる。これらのパラメータのこれらの値はまた、バッテリ寿命を最適化するために、接続時間の速度を上げるために、その他のために変動させることができる。減少させたアドバタイズメントウインドウ間隔９０５、増加させたアドバタイズメント持続時間９１０、および減少させたアドバタイズメントメッセージ間隔９１５、のうちのいずれか１つは、特定の表示デバイス７１０が対象の分析物センサシステム７０８に成功裏に接続する可能性を高めることができる。しかしながら、実施例では、電力消費の増加が同時に生じる場合がある。
【０２３０】
特定の順序で表示デバイス７１０に接続するという観点から、アドバタイズメント持続時間９１０に対応する時間ウインドウ中に、分析物センサシステム７０８は、いくつかの事例において、最初に、表示デバイス７１０（例えば、スマートフォン）との接続を試み、次いで、表示デバイス１１０（例えば、分析物データを受信し、提示することを目的として設計したものとすることができる、専用のデバイス）との接続を試みることができる。この接続プロトコルによる１つの潜在的な課題は、使用される順序に関して、例えば専用の表示デバイスにするために、分析物表示デバイス１１０を分析物センサシステム７０８との使用に最適化する場合があるので、分析物表示デバイス１１０との接続と比較して、表示デバイス７１０との接続専用にするために、より長いアドバタイズメント持続時間９１０が必要になり得ることである。
【０２３１】
さらに、時として、表示デバイス７１０との接続することが困難な場合がある。表示デバイス７１０が、特に表示デバイス７１０に割り当てられたアドバタイズメント持続時間９１０の時間セグメント（図９に図示せず）中に接続することができない場合、分析物表示デバイス１１０は、依然として、アドバタイズメント持続時間９１０内の他の部分または時間セグメント中に、アドバタイズメントメッセージ９２０を送信することによって、その後に接続することが可能な場合がある。しかし、いくつかの事例において、アドバタイズメント持続時間９１０内に表示デバイス７１０に割り当てられた時間セグメントは、分析物表示デバイス１１０専用の別の時間セグメントによって制限され、よって、表示デバイス７１０に接続するための追加的な時間セグメントを割り当てることが不可能な場合がある。代替的に、アドバタイズメント持続時間９１０からの追加的な時間が表示デバイス７１０に割り当てられた場合、分析物表示デバイス１１０は、接続を行うために利用できる十分な時間を残せない場合がある。
【０２３２】
故に、本開示の態様はまた、分析物表示デバイス１１０と関連するものを含む、種々の表示デバイス７１０の接続の順序を構成すること、ならびにアドバタイズメントウインドウ間隔９０５、アドバタイズメント持続時間９１０、およびアドバタイズメントメッセージ間隔９１５を構成すること、ならびにアドバタイズメントメッセージングと関連付けられた、および／またはそれに関連する他の特徴も含む。本開示に従って種々の表示デバイス７１０および分析物表示デバイス１１０の接続の順序を構成することは、一方では表示デバイス７１０および分析物表示デバイス１１０、他方では分析物センサシステム７０８を含む、そのような表示デバイスの間の接続を確立する可能性を高めることができ、さらに、接続プロトコルの向上した効率のため、電力消費を低減させることができる。この様態で、分析物データに関する通信の全体的な信頼性が高まり、一方で、電力消費が減少する。これに関して、分析物表示デバイス１１０および表示デバイス７１０に分析物センサシステム７０８を接続するための方法が提供される。
【０２３３】
Ｇ．アドバタイズメントメッセージ
図８は、本開示の種々の態様により（例えば、図７Ａを参照して、動作７０５および同類のもので）、いくつかの事例において、２つのデバイスの間の接続を確立する目的で伝送することができるアドバタイズメントメッセージ８００の例示的な構造を例示する。いくつかの事例において、アドバタイズメントメッセージ８００は、パケットまたはアドバタイズメントパケットであるとみなすことができる。例示される実施例において、アドバタイズメントメッセージ８００は、行（フィールド）８００ａ〜８００ｉと、列８０５’、８１０’、および８１５’と、を含む。アドバタイズメントメッセージ８００は、視覚的／編成的な便宜のために、マトリックス形態で表されるが、当業者は、本開示を研究すれば、デジタル信号に関して、アドバタイズメントメッセージ８００を、例えばフィールドおよびサブフィールドに従って、所定の様式で配設することができるビットまたはバイトの一次元アレイによって表すことができることを認識するであろう。換言すれば、アドバタイズメントメッセージ８００のマトリックスフォーマットの行８００ａ〜ｉがスタック解除され、エンドツーエンドで連結される場合、メッセージ８００は、一次元アレイとして現れる。各フィールド８００ａ、８００ｂ、・・・、８００ｉは、アドバタイズメントメッセージ８００の行に対応するとみなすことができ、一方で、サブフィールドは、特定の行内の特定の列のセルに対応するとみなすことができる。故に、例示的な実現形態において、フィールド８００ａ内で、範囲８０５ａは、列８０５’に対応するサブフィールドまたはセルである。
【０２３４】
列８０５’は、例示的な実施形態において、アドレス８０５に対応する。アドレス８０５は、範囲８０５ａ〜ｉを含み、各範囲８０５ａ〜ｉは、対応するフィールドに予約されたバイトの範囲を表すことができる。各フィールド８００ａ〜ｉ内で、いくつかのバイトは、各セルに予約することができる。すなわち、例示として、１バイト（アドレス８０５ａは、バイトゼロ「０」をメッセージ８００内のフィールド８００ａのアドレスと称することができる）を、プリアンブル８１０ａに使用することができる。バイト数は、そうする必要はないが、いくつかの事例において、種々のフィールド８００ａ〜ｉ全体にわたって列の各セルについて同じとすることができる。すなわち、例示として、２バイトをアドレス８０５の各セル８０５ａ〜ｉに使用することができ、２バイトを説明８１０の各セル８１０ａ〜ｉに使用することができる。その上、可変のバイト数を、値８１５のセル８１５ａ〜ｉにおいて使用することができる。他の実施例では、異なるバイト数を使用することができ、本開示の範囲および主旨の範囲内で多数の変動が企図される。また、任意の数の行および列を使用すること、当然ながら物理法則に従うこと、およびいくつかの事例においては、標準化された通信プロトコルとすることができることも認識されるであろう。
【０２３５】
図８をさらに参照すると、列８０５’は、この実施例において、アドレス８０５に対応する。セル８０５ａ〜ｉは、それぞれ、対応するフィールド８００ａ〜ｉの長さを表す値（例えば、バイナリまたは１６進数、または同類のもの）を含むことができる。各長さは、いくつかの事例において、それぞれのフィールドの開始および終了位置によって表すことができる。列８１０’は、この実施例において、説明８１０に対応する。セル８１０ａ〜ｉは、それぞれ、対応するフィールド８００ａ〜ｉの説明を表す値を含むことができる。例えば、フィールド８００ａは、この実施例において、アドバタイズメントメッセージ８００のプリアンブルとして、セルの８１０ａの値によって説明される。例示される実施例の列８１５’は、値８１５に対応する。セル８１５ａ〜ｉは、それぞれ、（例えば、アドレスまたは説明とは対照的に）対応するフィールド８００ａ〜ｉの値を表す値を含むことができる。一例として、セルの８１５ｅは、（例えば、分析物センサシステム７０８の）デバイスの名前を表す値を意味するバイトを含むことができる。ＭＡＣアドレス８１０ｄは、分析物センサシステム７０８のアドレスを含むことができる。
【０２３６】
本開示の実施形態は、メッセージ８００の態様を利用して、分析物データの無線通信に関連する態様の信頼性、速度、および／または効率を改善することを含むことができる。いくつかの事例において、ＭＡＣアドレスフィールド８１０ｄの値８１５ｄは、特定の表示デバイス７１０または一組の表示デバイス７１０に固有に、または分析物センサシステム７０８に接続可能であり、それが対象とする他の遠隔デバイスに固有になるように、動的に構成可能とすることができる。いくつかの事例において、分析物データおよび／または関連する制御シグナリング、ならびに同類のもの、またはその一部分は、アドバタイズメントパケット内の予約スロットに含むことができる（例えば、図７Ｅを参照して、動作７６５ａ）。例えば、分析物データおよびそのようなものは、製造データフィールド８００ｈに含むことができる。他のスロットは、種々の実現形態に従って、類似する目的に使用することができる。アドバタイズメントメッセージ８００の態様を好都合に利用する他のそのような実施形態は、本開示を研究すれば明らかになるであろう。
【０２３７】
Ｈ．識別、選択、およびペアリング
例示的な実施形態において、分析物センサシステム３０８が、（図３Ａを参照して）表示デバイス３１０等のデバイスに接続される前に、適切な分析物センサシステム３０８および／または表示デバイス３１０を識別および／または選択することが必要な場合がある。いくつかの例示的な使用事例において、表示デバイス３１０には、接続に利用できる２つ以上の分析物センサシステム３０８を提示することができる。１つのそのような使用は、例えば、病室において生じる場合があり、そこでは、患者に対して多数の分析物センサシステム３０８が起動される。そのような一事例において、各患者のそれぞれの表示デバイス３１０をその患者の分析物センサシステム３０８に接続することについて、適切な分析物センサシステム３０８を識別するための技法が本明細書で論じられる。
【０２３８】
いくつかの例示的な使用事例において、単一の分析物センサシステム３０８には、２つ以上の表示デバイス３１０に接続する機会が提供される場合がある。１つのそのような使用事例は、例えば、ユーザの自宅において生じる場合があり、そこでは、ユーザが、数あるデバイスの中でも、分析物表示デバイス、スマートフォン、タブレット、時計、およびテレビ等の、多数の表示デバイス３１０に近接している場合がある。そのような一事例において、接続のための表示デバイス３１０のうちの１つ以上を識別するための、ならびに適切である接続の態様を判定するための技法が本明細書で論じられる。
【０２３９】
適切なシステム／デバイスが識別され、選択されると、表示デバイス３１０および分析物センサシステム３０８をペアリングおよび／またはボンディングすることができる。さらに、いくつかの事例において、例えばデータセキュリティ／プライバシーの目的で、認証プロシージャを実施することができる。最終的に、分析物データおよび制御シグナリング等のデータは、次いで、（下で論じられるように、連続接続モデルを使用するか、断続接続モデルを使用するかにかかわらず）確立された接続に従って、分析物センサシステム３０８と表示デバイス３１０との間で交換することができる。
【０２４０】
本開示の実施形態と関連して、デバイス／システム選択は、接続するデバイスの選択を指すことができ、ペアリングは、情報を交換して、接続する／確立することを指すことができ、ボンディングは、記憶された情報をその後の接続を確立する際に使用することができるように、以前の交換からのペアリング情報を記憶することを指すことができる。さらに、本開示を研究すれば当業者に明らかになるように、ペアリングという用語は、本明細書で使用される場合、いくつかの事例において、追加的に、識別、選択、および／またはボンディングを含むことができ、また、いくつかの事例において、識別選択、ペアリング、およびボンディングのうちの１つ以上を指すために使用することができる。
【０２４１】
分析物センサシステム３０８および表示デバイス３１０をペアリングすることは、いくつかの事例において、ユーザ相互作用を含むことが認識されるであろう。例えば、ユーザは、選択されるべき分析物センサシステム３０８に関連する情報等の情報を提供することができる。そのような情報は、（例えば、ＧＵＩ３４０を介して）表示デバイス３１０に手動で提供して、上で論じた識別、選択、ペアリング、および認証プロセスの態様を開始し、行うことができる。この手動のプロセスは、利点を有するが、いくつかの事例では、より少ないユーザ相互作用を含むいくつかのより自動化された選択／識別／ペアリングプロセスが好ましい場合がある。故に、本開示の実施形態は、選択／識別／ペアリングプロセスに含まれるユーザ相互作用の量を調整することを含む。例えば、関係するユーザ相互作用の量は、接続のための表示デバイス３１０および／または分析物センサシステム３０８を識別および／または選択（またはそれらとペアリング）する際に含まれる階層またはユーザ相互作用のレベルに従って調整することができる。
【０２４２】
一例として、関係するユーザ相互作用の量は、関係するユーザ相互作用の量を修正することに直接的または間接的に関連するユーザ入力に基づいて、および／またはユーザ入力の非存在下で、階層に従って調整することができる。実施形態において、ユーザ相互作用の量は、自動的に調整する（例えば、オンザフライを含む）ことができる。自動調整は、以前の試行に関連するアーカイブにおいて収集する情報（成功または失敗）に基づいて、下で説明される階層に従って分析物センサシステム３０８および／または３１０を識別し、選択することができる。いくつかの事例において、下の階層で説明される手法のうちの１つ以上は、時刻、デバイスのバッテリ寿命、サービス品質、無線環境、場所、および／または同類のもの等の基準に基づくことが好ましくなり得る。階層のうちの１つ以上の適合性は、これらの基準および／または他の基準に基づいて判定し、実施することができる。
【０２４３】
選択／識別プロセスに含まれるユーザ相互作用の第１の階層またはレベルは、ユーザ相互作用のより高いレベルと関連付けることができる。例えば、第１の階層に従うユーザは、分析物センサシステム３０８の選択および／または識別（またはそれとのペアリング）を容易にするために、手動で情報を提供することができる。これは、例えば、ユーザが、分析物センサシステム３０８と関連付けられた識別番号および／または他の識別情報を手動で入力することによって行うことができる。例えば、図３Ｇを参照すると、表示デバイス３１０のＧＵＩ３４０は、オプション３１４ｇを使用して、分析物センサシステム３０８と関連付けられた識別情報の入力を提供することができる。表示デバイス３１０は、次いで、一例として、分析物センサシステム３０８によって送信されるアドバタイズメントメッセージから受信される情報に基づいて、対応する分析物センサシステム３０８を識別することができる。そのようなアドバタイズメントメッセージは、識別情報（例えば、識別番号、製造情報、その他）を含むことができる。
【０２４４】
例示的な実施形態において、ユーザ相互作用の量は、表示デバイス３１０が、（例えば、図３Ａを参照して）例えばサーバシステム３３４等のリモートソースから、（例えば、分析物センサシステム３０８および／またはその製造業者と関連付けられた識別番号を含む）分析物センサシステム３０８に関連する識別情報を受信することによって、低減または変更することができる。すなわち、ユーザが手動で表示デバイス３１０に識別情報を入力することの代わりに、またはそれに加えて、表示デバイス３１０は、サーバシステム３３４または別のリモートソースからこの情報を受信することができる。
【０２４５】
これを行うことができる１つの方式では、分析物センサシステム３０８の製造業者、小売業者、その他が、サーバシステム３３４に識別情報をアップロードすること、または別様に提供するができ、該情報は、サーバ３３４ａを介して受信すること、プロセッサ３３４ｃによって処理すること、および／または記憶装置３３４ｂに記憶することができる。ユーザ、または個人、その他は、次いで、分析物センサシステム３０８を購入または取得することができる。例えば、購入は、従来型の店舗において、オンライン市場から、または、分析物センサシステム３０８の製造業者によって提供される専用のウェブマーケットにおいて行うことができる。いくつかの事例において、購入時に、ユーザは、例えば販売者に、または製造業者に（例えば、ログイン、パスワード、メールアドレス、電話番号、その他、のうちの１つ以上）と関連付けられたユーザ情報を直接的または間接的に提供することができる。この情報は、次いで、サーバシステム３３４に提供し、（例えば、サーバシステム３３４内に存在するデータベースまたはクラスタにおいて）ユーザが購入した分析物センサシステム３０８の識別情報と関連付けることができる。
【０２４６】
分析物センサシステム３０８を取得した後に、ユーザは、例えば、ユーザの表示デバイス３１０上のアプリケーション３３０を取得および／または開始することができる。ユーザは、アプリケーション３３０にログインすることができ、その後、表示デバイス３１０は、サーバシステム３３４と通信することができる。ユーザはまた、アプリケーション３３０に、ユーザと関連付けられた追加的な情報を提供することができる。次いで、アプリケーション３３０は、サーバシステム３３４とインターフェースして、サーバシステム３３４に、ユーザによってアプリケーション３３０に提供されたユーザ情報の少なくとも一部を提供することができる。次いで、サーバシステム３３４は、受信したユーザ情報の少なくとも一部を使用して、ユーザが購入した分析物センサシステム３０８の識別情報を識別することができる。次いで、関連する識別情報を表示デバイス３１０に提供することができる。いくつかの事例において、この情報は、アプリケーションプログラムインタフェースを介して、表示デバイス３１０に伝送し、アプリケーション３３０に伝達することができる。いくつかの事例において、情報は、Ｅメールまたは他のメッセージを介してユーザに提供することができる。表示デバイス３１０は、この識別情報を使用して、分析物センサシステム３０８とペアリングすること、および／または識別／選択した分析物センサシステム３０８を確認／検証することができる。
【０２４７】
代替的または追加的に、ユーザは、表示デバイス３１０を使用して、コードまたは画像をスキャンすることができる。これは、手動で入力した識別番号を検証するためのチェックを提供することができる。または、例えば、これは、トランスミッタの識別番号の入力を少なくとも部分的に自動化することを可能にすることができる。すなわち、ユーザは、識別番号を手動で入力することを必要とせず、コード化された識別番号をスキャンすることだけしか必要としない。識別番号は、例示的な実施形態において、容量性インク、サーもクロマチックインク、蛍光インク、いくつかの事例ではそのようなインクを用いることができるバーコードもしくはＱＲコード（登録商標）、および取り外し可能なステッカー、のうちの１つ以上に含めることができる。これらの各々は、分析物センサシステム３０８のパッケージングに含めることができ、または、いくつかの事例では、別の様態で（例えば、Ｅメール、テキストメッセージ、実体的なもの、その他を介して）提供することができる。実施形態において、画像認識／マッチングは、識別番号の入力を容易にすることができ、または入力に使用することができる。
【０２４８】
実施形態では、利用可能な分析物センサシステム３０８のリストを、表示デバイス３１０のＧＵＩ３４０を介して提供することができる。このリストは、表示デバイス３１０が発見可能な分析物センサシステム３０８を含むことができ、また、表示デバイス３１０に関するコード、アイコン、または他の識別情報を含むことができる。対応するコード、アイコン、その他は、分析物センサシステム３０８上に印刷すること、１枚の紙もしくは同類のものに印刷することができ、または（例えば、Ｅメール、その他を介して）電子的に提供することができる。次いで、ユーザは、所望の分析物センサシステム３０８からのコード／アイコン／その他を、表示デバイス３１０上に示された対応する要素とマッチさせ、所望の要素を選択することができる。いくつかの事例において、コード／アイコン／その他は、ハッシュ関数を、分析物センサシステム３０８と関連付けられた識別情報に適用することによって形成することができる。
【０２４９】
代替的または追加的に、提供されるリストは、分析物センサシステム３０８が発見可能な表示デバイス３１０を含むことができる。これらのリストは、種々の因子（例えば、ＲＳＳＩ、ＢＥＲ、デバイスのタイプ、最近接続したデバイス、または別様には既知の他の識別情報、その他）に従ってソート／フィルタリングすることができる。次いで、ユーザは、接続のための分析物センサシステム３０８および／または表示デバイス３１０を選択することができる。図３Ｇを参照すると、例えば、オプション３１４ｇを使用して、表示デバイス３１０をリストから選択すること、および／または表示デバイス３１０の選択を確認することができる。いくつかの事例では、（例えば、受信したアドバタイズメントメッセージまたは他の方法を使用して）デバイスの識別情報がスキャンされると、デバイスの選択を確認するようユーザに促すことができる。情報を手動で入力することによって、および／または情報をスキャンすることによって選択を容易にする場合を含む、選択を行うために使用される表示デバイス３１０が、最終的に分析物センサシステム３０８に接続されるデバイスではない場合がある。むしろ、いくつかの事例では、第１の表示デバイス３１０を使用して、分析物センサシステム３０８の第２の表示デバイス３１０への接続を容易にすることができる。
【０２５０】
図１３Ａは、例えばユーザ相互作用の第１の階層またはレベルに関連して、本開示の実施形態に従って行うことができる種々の動作を例示する動作フロー図である。例示の目的で、ここでは、図１０Ｄおよび１０Ｅ、ならびにその中に示される構成要素の符号を参照する。それでもやはり、当業者は、本開示を研究すれば、本開示の他の図からの類似する構成要素が、図１３Ａの説明の範囲に含まれ得ることを認識するであろう。
【０２５１】
図１３Ａに示される実施形態は、接続のためのデバイスを識別するための方法１３００の態様を含む。方法１３００は、随意に、動作１３０５Ａで、（例えば、ＧＵＩ３４０を介して）一組の分析物センサシステム３０８の中から（例えば、図１０Ｄおよび１０Ｅを参照して）１つ以上の分析物センサシステム３０８ａ、３０８ｂのリストを提示することを含む。動作１３０５Ｂで、方法１３００は、表示デバイス３１０が、（例えば、ＧＵＩ３４０を介して、および／または接続性インターフェース３１５もしくはそのサブシステムを介して）一組の分析物センサシステム３０８の中から分析物センサシステム３０８ａを識別する入力を受信することを含む。動作１３０５Ｃで、方法１３００は、表示デバイス３１０が、受信した入力に基づいて、接続の分析物センサシステム３０８ａを選択することを含む。
【０２５２】
図１３Ｂは、図１３Ａを参照して上で述べた動作１３０５Ｂに関するさらなる詳細を含む、方法１３０２を例示する。図１３Ｂに示されるように、動作１３０５Ｂは、動作１３１０で、分析物センサシステム３０８ａまたは分析物センサシステム３０８ｂの製品パッケージングからコード化された要素をスキャンすることを含む。したがって、動作１３１０は、例えば表示デバイス３１０への接続に適切な分析物センサシステムとして、一組の分析物センサシステム３０８の中から分析物センサシステム３０８ａを識別する入力を受信することに関する、例示的な配置を提供することができる。
【０２５３】
ユーザ相互作用の第１の階層またはレベルは、数多くの事例に適するが、一部のユーザまたは使用事例では、より少ないユーザ相互作用が好ましい場合がある。故に、選択／識別／ペアリングプロセスに含まれるユーザ相互作用の第２の階層またはレベルは、中程度の量のユーザ相互作用と関連付けることができる。例えば、第２の階層による選択／識別／ペアリングおよび接続プロセスは、半自動とすることができ、いくつかの事例において、ユーザは、特定の分析物センサシステム３０８および／または表示デバイス３１０の選択および／または識別を容易にするために、比較的単純な、および／または短時間のタスクを手動で行うことができる。
【０２５４】
例示的な実施形態において、第２の階層に関連する選択／識別／ペアリングプロセスのより自動化された部分に関連して、表示デバイス３１０は、１つ以上の分析物センサシステム３０８からの１つ以上の信号の存在を検出するように構成することができ、また、そのような信号を監視するようにさらに構成して、信号のいずれかが、例えば信号または同類のものの導出物に基づいて、一組の選択基準を満たすかどうかを判定することができる。信号またはその導出物が１つ以上の選択基準を満たす場合は、例えば、信号を送信する特定の分析物センサシステム３０８を、最初に、表示デバイス３１０との接続のために選択することができる。
【０２５５】
いくつかの検出された信号が、この選択プロセスの実施形態と併せて監視される場合は、測定値および／または特徴付けを用いて、検出された信号に関連する統計的な測定値および／または他の導出物を導出または別様に生成することができる。一例として、そのような導出物は、ある測定期間にわたって判定したときの、検出された信号の強度または質を含むことができ、または関連し得る。例えば、信号の強度または質は、（所定の、または調整可能／適合可能な）測定期間にわたって測定した、ビットエラー率（ＢＥＲ）または受信信号強度指示（ＲＳＳＩ）から収集することができる。検出された信号に基づいて導出された１つ以上のそのような測定値または情報は、閾値と比較することができ、よって、判定は、該比較に基づくことができる。例えば、それらの間に再少量の距離を有する一対の表示デバイス３１０および分析物センサシステム３１０は、いくつかの事例において、最も大きいＲＳＳＩ測定値と関連付けられ、したがって、ＲＳＳＩまたは同類のものと閾値との比較に基づいて、ペアリングおよび／または接続のために選択することができる。同様に、発見可能な表示デバイス３１０および／または分析物センサシステム３０８のフィールドは、そのＲＳＳＩが閾値を超えないデバイスをフィルタリングすることによって狭くすることができる。別の例では、最も低いＢＥＲを有する一対の表示デバイス３１０および分析物センサシステム３０８をペアリングのために選択することができる。
【０２５６】
分析物センサシステム３０８もしくは表示デバイス３１０、またはどちらも、信号を監視し、該信号から導出物を生成し、そして、該信号が、用いられている一組の選択基準を満たすかどうかを判定することができる。いくつかの事例では、信号を監視するデバイスに応じて、および／または信号を送信するデバイスに応じて、異なる選択基準を使用することができる。ＲＳＳＩに関して、分析物センサシステム３０８および表示デバイス３１０はどちらも、受信信号のＲＳＳＩまたは同類のものの導出物を判定するために使用することができる。次いで、それぞれのＲＳＳＩ値のうちの１つ以上は、分析物センサシステム３０８と表示デバイス３１０との間で共有し、比較することができる。互いに一致した、または互いの所定の範囲内である場合に、ＲＳＳＩのペアリングを確認することができる。ＲＳＳＩ値が一致しているかどうかの判定は、分析物センサシステム３０８、表示デバイス３１０、または両方で行うことができる。例示として、第１のＲＳＳＩ値は、分析物センサシステム３０８から受信される信号に基づいて、表示デバイス３１０で算出することができる。第２のＲＳＳＩ値は、表示デバイス３１０から受信される少なくとも類似する信号に基づいて、分析物センサシステム３０８で算出することができる。次いで、第１のＲＳＳＩ値を分析物センサシステム３０８に送信して、第２のＲＳＳＩ値と比較することができ、および／または、次いで、第２のＲＳＳＩ値を表示デバイス３１０に送信して、第１のＲＳＳＩ信号と比較することができる。次いで、第１の／第２のＲＳＳＩ値の一致を使用して、ペアリングを確認することができる。
【０２５７】
図１０Ｄは、受信または検出された信号の特性を、どのようにデバイス識別、選択、および／またはペアリングに関連する機能に使用することができるのかに関する一実施例を例示する。すなわち、図１０Ｄは、分析物センサシステム３０８ａおよび３０８ｂ、ならびに表示デバイス３１０ａを含む、配設１０２０ａを示す。分析物センサシステム３０８ａ、３０８ｂは、本明細書で論じられる種々の接続モデルを用いることを含む、通信媒体３０５を介して、表示デバイス３１０ａ、３１０ｂに接続可能である。
【０２５８】
表示デバイス３１０ａは、リンク１０３２ａによって、分析物センサシステム３０８ａに接続可能である（例えば、信号は、リンク１０３２ａを介して、分析物センサシステム３０８ａと表示デバイス３１０との間で渡すことができる）。リンク１０３２ａは、本明細書で説明される種々の配設および／または構成を表すことができる。例えば、リンク１０３２ａは、分析物センサシステム３０８ａと表示デバイス３１０ａとの間の距離と関連付けることができる。いくつかの事例において、リンク１０３２ａは、表示デバイス３１０ａと分析物センサシステム３０８ａとの間の信号または経路の状態（例えば、信号強度、フェーディング、その他）と関連付けることができる。表示デバイス３１０ａは、リンク１０３２ｄによって（例えば、通信媒体３０５を介して）、分析物センサシステム３０８ｂに接続可能である。ここでも、リンク１０３２ｄは、距離と、および／または信号もしくは経路の状態と関連付けることができる。表示デバイス３１０ｂは、リンク１０３２ｂによって分析物センサシステム３０８ａに、およびリンク１０３２ｃによって分析物センサシステム３０８ｂに接続可能である。
【０２５９】
図１０Ｄにさらに例示されるように、配設１０２０ａは、この実施例において、測定プロファイル１０３０ａをもたらすことができる。すなわち、測定プロファイル１０３０ａに関して、図１０Ｄは、上限閾値１０２４および下限閾値１０２６、ならびに、この実施例において、上限閾値１０２４と下限閾値１０２６との差を表す閾値デルタ１０２８を示す。そのような差は、２つの信号または信号の導出物を互いに比較することによって判定することができる。さらに、リンク１０３２ａ〜１０３２ｄの各々に対応する測定値が示される。より具体的には、測定値１０３４ａ〜１０３４ｄは、それぞれ、測定１０２２ａ〜１０２２ｄに対して示され、測定値１０２２ａ〜１０２２ｄは、それぞれ、リンク１０３２ａ〜１０３２ｄに対応する。すなわち、例えば、測定１０２２ａの測定値１０３４ａは、リンク１０３２ａに対応する、その他である。この特定の例示的な図に示されるように、測定値１０３４ａおよび１０３４ｄは、上限閾値１０２４および下限閾値１０２６以内である（例えば、測定値１０３４ａは、第１の閾値１０２６の上限を満たす、またはそれを超えるが、第２の閾値１０２４未満である）が、測定値１０３４ｂは、下限閾値１０２６未満であり、測定値１０３４ｃは、上限閾値１０２４および下限閾値１０２６の両方を超える。
【０２６０】
上限閾値１０２４および下限閾値１０２６は、種々の方式で本開示の実施形態に従って用いることができる。例えば、ユーザ相互作用の第１および第２の階層またはレベルの両方を参照すると、上限閾値１０２４および／または下限閾値１０２６のうちのどちらかまたは両方を、手動または半自動の識別、選択、ペアリング、および／または接続プロセスに関連して使用することができる。上で論じたより手動のプロセスに関して、例えば、上限閾値１０２４および／または下限閾値１０２６を用いて、ユーザに提示可能な、接続に利用可能なデバイス（例えば、発見可能なデバイス）のリスト上に現れるものから、分析物センサシステム３０８および／または表示デバイス３１０をフィルタリングすることができる。これに関して、例えば、分析物センサシステム３０８ａに関して、表示デバイス３１０ｂは、測定値１０３４ｂが下限閾値１０２６を下回った後にフィルタリングすることができる。代替的または追加的に、上限閾値１０２４および／または下限閾値１０２６を用いて、特定の分析物センサシステム３０８および／または表示デバイス３１０を自動的に選択することができ、次いで、選択されたデバイスに関する情報を、手動の検証のために（例えば、ＧＵＩ３４０を介して）ユーザに提示することができる。表示デバイス３１０ｂに関して、例えば、測定値１０３４ｃが上限閾値１０２４を超えた後に、分析物センサシステム３０８ｂを選択することができる。
【０２６１】
実施形態において、特定の分析物センサシステム３０８および／または表示デバイス３１０が最初に選択されると、比較的単純な、および／または短時間の入力、タスク、アクション、および／またはイベントを提供して、行って、および／または生じさせて、選択が適切であること／望ましいことを確認／検証することができる。例えば、初期の選択に続いて、ユーザに、（例えば、ＧＵＩ３４０ならびに／または音声および／もしくは触覚フィードバック等の他の手段を介して）そのようなタスクを行うよう、および／またはそのような入力、または同類のものを提供するよう促すことができる。導出物がＲＳＳＩ測定に基づく信号の導出物を含む例示的な実施形態では、表示デバイス３１０および分析物センサシステム３０８が、ペアリング／接続のために最初に選択されると、ユーザに、表示デバイス３１０を分析物センサシステム３０８のより近くに、またはそこからより遠くに移動させるよう促すことができる。以下、これらの特徴をどのように接続デバイスの選択／ペアリング／その他で使用することができるかに関する実施例が、図１０Ａ〜１０Ｅを参照して提供される。
【０２６２】
図１０Ａは、分析物センサシステム３０８および表示デバイス３１０の配設１０００ａを例示する。示されるように、分析物センサシステム３０８は、通信媒体３０５を介して表示デバイス３１０に接続可能であり、また、リンク１０１２ａによって表示デバイス３１０に接続可能である。図１０Ａはまた、環境１０００ａから生じ得る測定プロファイル１０１０ａも例示する。具体的には、測定プロファイル１０１０ａに関して、図１０Ａは、上限閾値１００４および下限閾値１００６、ならびに、この実施例において、上限閾値１００４と下限閾値１００６との差を表す閾値デルタ１００８を含む。その上、測定プロファイル１０１０ａにおいて、測定１００２ａの測定値１０１４ａは、表示デバイス３１０と分析物センサシステム３０８との間のリンク１０１２ａに対応する（例えば、測定値１０１４ａは、分析物センサシステム３０８と表示デバイス３１０との間のＲＳＳＩに関連する導出物とすることができる）。本明細書での測定値は、リンク（例えば、リンク１０１２ａ、その他）を介して受信される信号の導出物とすること、もしくはそれを表すこと、それを生成するために使用することができることを認識されたい。
【０２６３】
測定プロファイル１０１０ａにおいて、測定値１０１４ａは、上限閾値１００４および下限閾値１００６の範囲内である。すなわち、この実施例において、測定値１０１４ａは、下限閾値１００６を満たす、またはそれを超える（またはそれ以上である）が、上限閾値１００４を下回る（またはそれ以下である）。例示的な実施形態では、測定値１０１４ａが下限閾値１００６を満たす、またはそれ未満であるので、表示デバイス３１０および／または分析物センサシステム３０８を最初に識別／選択することができる。実施形態において、この時点で、ユーザに、（例えば、視覚的、聴覚的、触覚的、またはこれらの１つ以上の組み合わせで）表示デバイス３１０を分析物センサ３０８により近づけて、初期の選択を確認／検証するよう促すことができる。代替的に、ユーザに、表示デバイス３１０を分析物センサ３０８からより遠くに移動させて、初期の選択を確認／検証するよう促すことができる。これらの２つのシナリオは、図１０Ｂおよび１０Ｃに関連してさらに説明される。
【０２６４】
図１０Ｂは、分析物センサシステム３０８および表示デバイス３１０の配設１０００ｂを例示する。示されるように、分析物センサシステム３０８は、通信媒体３０５を介して、およびリンク１０１２ｂによって表示デバイス３１０に接続可能である。例示的な実施形態において、配設１０００ｂは、ユーザに、図１０Ａに示される配設１０００ａに対して、表示デバイス３１０を分析物センサ３０８のより近くに移動させるよう促した結果とすることができる。適用可能な場合、これは、リンク１０１２ａ／ｂの相対的な表現によって例示することができる。それに応じて、測定プロファイル１０１０ｂには、表示デバイス３１０と分析物センサシステム３０８との間のリンク１０１２ｂに対応する、測定１００２ｂの測定値１０１４ｂ（例えば、リンク１０１２ｂを介して受信される信号の導出物を生成または取得するために使用することができる）が示される。測定プロファイル１０１０ｂには、測定値１０１４ａ、およびこの実施例では測定値１０１４ｂと１０１４ａとの差を表す測定デルタ１０１６ａがさらに示される。本明細書で説明される測定値に関して、いくつかの事例において、ユーザに、より正確な測定値を取得することができるように、ある持続時間にわたって特定の配設を維持するよう促すことができる。持続時間が経過すると、および／または正確な測定値が取得されると、例えば、ユーザに、可聴、視覚、および／または触覚フィードバックを介して、表示デバイス３１０および／または分析物センサシステム３０８によって通知することができる。
【０２６５】
配設１０００ａから配設１０００ｂまで移行することに関して、表示デバイス３１０および分析物センサシステム３０８の初期の選択／識別を確認／検証するために、複数の技法を用いることができる。実施形態では、測定値１０１４ｂを、監視／判定／取得すること、および閾値１００４と比較することができる。このように、配設１０００ａの場合、配設１０００ｂへの移行中／後に、測定値１０１４ａは、上限閾値１００４未満であるが、測定値１０１４ｂは、上限閾値１００４を満たす、またはそれを超えていると判定することができる。上限閾値１００４と（正または負の方向に）交差している測定値１０１４ｂを使用して、選択のための初期の識別および／または接続のための選択が適切／妥当であったことを示すことができる。暗に言及されるように、実施形態において、測定値１０１４ｂ／ａ間の変化は、正ではなくむしろ負であり得る。例えば、測定値１０１４ｂを最初に測定することができ、これは、上限閾値１００４を満たす、または超える。次いで、ユーザに、表示デバイス３１０を分析物センサシステム３０８からより遠くに移動させるよう促すことができ、したがって、測定値１０１４ａが上限閾値１００４未満である配設１０００ａのような配設に移行する。
【０２６６】
例示的な実施形態において用いることができる別の技法は、測定デルタ１０１６ａまたは同類のものを閾値と比較することを含むことができる。例示として、測定デルタの閾値は、測定デルタ１０１６ａが閾値を超えた場合に、選択のための初期の識別または接続のための選択が確認されるように、あらかじめ定めることができる。いくつかの事例では、測定デルタの絶対値を比較の目的で使用することができ、よって、分析物センサシステム３０８により近づける、またはそこからより離す運動を使用して、初期の識別／選択が適切／妥当であったことを示すことができる。この様態において、例えば、移動距離が、ある点において、結果として生じる測定値の変化（または対応するリンクを介して受信される信号の導出物）に関連する、ある特定の距離だけ、ユーザが、表示デバイス３１０を分析物センサシステム３０８のより近くに、またはそこからより遠くに移動させることで、識別／選択が適切であることを確認／検証することができる。いくつかの事例において、測定デルタ１０１６ａの使用は、選択の検証のために交差閾値１００４に依存するよりもロバストであり得る。いくつかの事例において、測定デルタ１０１６ａは、（例えば、ノイズ、反射、および／または不用意な運動のため）測定値１０１４ａ／ｂの比較的僅かな変動に基づく偽陽性検証を回避するように設定することができる。いくつかの事例では、ペアリングを確認するために、多数の測定デルタを用いることができる。例えば、第１の測定デルタ１０１６ａを第１および第２の配設と関連して使用することに加えて、第２の測定デルタは、第２および第３の配設に関連して判定することができる。次いで、第１および第２の測定デルタを比較することができ、少なくとも互いの所定の範囲内である場合に、ペアリングを確認することができる。表示デバイス３１０を分析物センサシステム３０８のより近くに、次いで、そこからより遠くに移動させること、またはその逆に移動させることと関連して、多数の測定デルタを使用することができる。
【０２６７】
図１０Ｃは、分析物センサシステム３０８および表示デバイス３１０の配設１０００を例示する。示されるように、分析物センサシステム３０８は、通信媒体３０５を介して表示デバイス３１０に接続可能であり、また、リンク１０１２ｃによって表示デバイス３１０に接続可能である。図１０Ｃは、特に中程度の量のユーザ相互作用が適切であるとみなされる場合に、表示デバイス３１０および分析物センサシステム３０８の初期の選択または識別を確認／検証することを含む本開示の種々の実施形態と関連して参照される。
【０２６８】
例示的な実施形態において、配設１０００ｃは、ユーザに、図１０Ａに示される配設１０００ａに対して、表示デバイス３１０を分析物センサ３０８からより遠くに移動させるよう促した結果とすることができる。これは、リンク１０１２ａ／ｃの相対的な表現によって例示される。それに応じて、測定プロファイル１０１０ｃには、リンク１０１２ｃに対応する測定１００２ｃの測定値１０１４ｃが示される（例えば、測定値１００２は、表示デバイス３１０と分析物センサシステム３０８との間の距離、ならびに／または表示デバイス３１０と分析物センサシステム３０８間の経路等の無線状態に対応することができる）。いくつかの事例において、第１および第２のリンクは、一般に距離、伝送、無線状態、その他に関して、物理的に同じであり得るが、時間的に異なるインスタンスであることを表す、またはみなすことができ、したがって、異なるリンクであるとみなすことができる。例えば、信号は、第１の時間に第１のリンクを通じて送信することができ、（例えば、距離、その他に関して）同じ物理的リンクを通じて第２の時間に送信される信号は、時間的に異なるため、第２のリンクを介して送信されるとみなすことができる。測定プロファイル１０１０ｃには、この実施例では測定値１０１４ａと１０１４ｃとの差を表す、測定値１０１４ａおよび測定デルタ１０１６ｂがさらに示される。
【０２６９】
配設１０００ａから配設１０００ｃまで移行することに関して、表示デバイス３１０および分析物センサシステム３０８の初期の選択／識別を確認／検証するために、複数の技法を用いることができる。実施形態では、測定値１０１４ｃを、監視／判定すること、および下限閾値１００６と比較することができる。このように、配設１０００ａの場合、測定値１０１４ａは、下限閾値１００６を満たす、またはそれを超えるが、配設１０００ｃへの移行中／後に、測定値１０１４ｃは、下限閾値１００６を下回ると判定することができる。下限閾値１００６と（正または負の方向に）交差している測定値１０１４ｃを使用して、初期の識別／選択が適切／妥当であったことを示すことができる。暗に言及されるように、実施形態において、測定値１０１４ｃ／ａ間の変化は、負ではなくむしろ正であり得る。例えば、測定値１０１４ｃを最初に測定することができ、これは、下限閾値１００６を超えない。そして、ユーザに、表示デバイス３１０を分析物センサシステム３０８のより近くに移動させるよう促すことができ、したがって、測定値１０１４ａが下限閾値１００６を超える配設１０００ａのような配設に移行する。図１０Ａおよび１０Ｂに関連して説明されるように、測定デルタは、ここでも用いることができる。
【０２７０】
以下、図１０Ａ〜１０Ｃをさらに参照して、表示デバイス３１０および分析物センサシステム３０８の初期の選択／識別を確認／検証することに関する本開示の追加的な特徴が説明される。特に、マルチステップのプロセスを確認／検証に使用することができる。例えば、最初に、測定値１０１４ａは下限閾値１００６を超えるが、上限閾値１００４は超えないと判定することができる。次いで、ユーザに、表示デバイス３１０を分析物センサシステム３０８の比較的近くに移動させるよう促すことができる。いくつかの事例において、プロンプトは、表示デバイス３１０をユーザの身体および／または分析物センサシステム３０８に対して極めて近くに、または定義された位置に、例えばユーザの臀部、もしくは腹部、その他に、または例えば分析物センサシステム３０８の６インチもしくは同類の距離以内に移動させるものとすることができる。これは、上限閾値１００４を満たす、またはそれを超える測定値１０１４ｂをもたらすことができ、また、測定デルタ１０１６ａももたらすことができる。
【０２７１】
次に、上限閾値１００４を満たす、またはそれを超えることに応答して、ユーザに、表示デバイス３１０を分析物センサシステム３０８からより遠くに移動させるよう促すことができる。実施形態において、プロンプトは、表示デバイス３１０を、およそ腕の長さもしくは同類の長さだけ遠くに、または、ユーザの身体に対して定義された位置に、または初期の位置から特定の距離（例えば、２４インチ）だけ遠くに移動させるものとすることができる。これは、下限閾値１００６未満である測定値１０１４ｃをもたらすことができ、また、測定デルタ１０１６ｃをもたらすことができる。したがって、測定値に関して、最初に、（例えば、正方向において）上限閾値１００４に交差し、次いで、（例えば、負方向において）下限閾値１００６に交差するシーケンスを使用して、表示デバイス３１０および分析物センサシステム３０８の初期の選択／識別を確認／検証することができる。その反対に、最初に、（例えば、負方向において）下限閾値１００６に交差し、次いで、（例えば、正方向において）を上限閾値１００４に交差することを含むシーケンスも同様に用いることができる。
【０２７２】
本開示と関連して、上記に対する数多くの変形例が企図される。例えば、いくつかの事例において、初期の配設（例えば、配設１０００ｂ）では、測定値１０１４ｂまたは同類のものが上限閾値１００４を超え得るように、表示デバイス３１０が分析物センサシステム３０８の比較的近くに位置付けられる場合がある。例えば、ユーザは、表示デバイス３１０を分析物センサシステム３０８の極めて近くで保持する場合がある。これは、例えば、分析物センサシステム３０８が、ユーザの腹部上に配置され、ユーザが、表示デバイス３１０をユーザの腹部の近くのユーザの前ポケットから取り外す場合に生じ得る。ここで、ある単一の測定値または導出物（例えば、表示デバイス３１０および分析物センサシステム３０８への近接に基づくＲＳＳＩ測定）が、正確な識別／選択を行うのに十分でない場合がある。この事例において、ユーザは、表示デバイス３１０を分析物センサシステム３０８のより近くに移動させることができない場合がある。したがって、ユーザに、最初に、表示デバイス３１０を分析物センサシステム３０８から遠くに、例えば、下限閾値１００６等の閾値に交差し、測定値１０１４ｃまたは同類のものが取得されるように十分遠くに移動させるよう促すことができる。次いで、ユーザに、表示デバイス３１０を分析物表示デバイス３１０のより近くに移動させて、上限閾値１００４に交差し、測定値１０１４ｂまたは同類のものが取得されるように、本質的に配設１０００ｂを復元するよう促すことができる。
【０２７３】
故に、上で説明したように、例示的な解決策は、多数の閾値を用いることを含む。例えば、検出されたＲＳＳＩが上限閾値１００４を満たす、またはそれを超える場合（例えば、表示デバイス３１０および分析物センサシステム３０８が比較的近いとき）、表示デバイス３１０は、ユーザに、表示デバイス３１０を分析物センサシステム３０８からより遠くに移動させるよう促すように構成することができる。いくつかの事例において、ユーザは、ＲＳＳＩが下限閾値１００６未満になるまで、表示デバイス３１０をより遠くに移動させるよう促される。その逆も同じである。いくつかの事例において、下限閾値１００６未満である測定値は、下限閾値１００６を満たす測定値と称することができる。２つの測定値に基づいて、さらに、動作を実施して、ＲＳＳＩのペアリングを確認することができる。例えば、上限閾値１００４および下限閾値１００６を互いに比較することができる。代替的に、上限閾値１００４と下限閾値１００６との間の閾値デルタ１００８（例えば、閾値間の有効な差とすることができる）を算出することができる。または、これらの動作の両方を組み合わせることができる。そこから導出された測定値または算出値が特定の要件を満たす場合に、ＲＳＳＩのペアリングを確認することができる。
【０２７４】
検証／確認の目的で閾値および／または測定デルタを用いる例示的な実現形態に関して、本開示と関連して、種々の構成が企図される。実施形態において、上で述べたように、閾値デルタは、検証、確認に使用することができる。例えば、図１０Ａおよび１０Ｂを参照して、配設１０００ａに関連して測定値１０１４ａを取得することができる。次いで、表示デバイス３１０を配設１０００ｂ内に配設することができ、測定値１０１４ｂを取得することができる。次いで、測定デルタ１０１６ａを閾値デルタと比較することができ、閾値デルタを超えた場合に、ペアリングを確認することができる。
【０２７５】
実施形態において、閾値デルタは、分析物センサシステム３１０の製造および／またはセットアッププロセスと併せて設定することができる。例えば、閾値デルタは、最初に、測定値の予期される、または平均のデルタに基づいて設定することができる。ＲＳＳＩに基づくペアリング技法に関して、閾値デルタは、表示デバイス３１０および分析物センサシステム３０８のペアリングについて予期される使用事例に基づいて設定することができる。１つの例示的な予期される使用事例は、ユーザが、表示デバイス３１０を見るまた同類のことのために、表示デバイス３１０をユーザのポケットまたは他の典型的な場所から取り出し、外で保持することである。そのようなアクションを行う典型的なユーザは、表示デバイス３１０の、または一例として約１６インチの位置変化をもたらし得る。故に、閾値デルタの初期値は、約１６インチの値の位置変化に対応する、ＲＳＳＩの予期される変化に設定することができる。いくつかの具体的な実施例において例示として、ＲＳＳＩの変化は、約２０ｄＢｍ（例えば、デバイスが互いに近くに移動する場合は、＋２０ｄＢｍ、デバイスが互いから遠くに移動する場合は、−２０ｄＢｍ）であり得る。実施形態において、閾値デルタの初期値は、分析物センサシステム３０８の態様の性質に基づいて判定することができる。例えば、予期されるユーザの特性に基づいて、センサ１０等の分析物センサシステム３０８の態様が（例えば、サイズに関して）可変的になる場合、（例えば、ユーザのサイズ差に基づいて、予期される位置変化に適応するために）閾値デルタについて最初に確立される値も同様に変動させることができる。いくつかの事例において、閾値デルタは、表示デバイス３１０のデバイスのタイプに基づくことができる。
【０２７６】
しかしながら、他の表示デバイス３１０が分析物センサシステム３０８の範囲内にある場合があり、また、それに対して位置が変化する場合があり、したがって、潜在的に、確立された閾値デルタを満たすことができるＲＳＳＩに変化が生じることが認識されるであろう。ペアリングに妥当／適切な表示デバイス３１０に注目すると、閾値デルタと併せて追加的な特徴を使用することができる。例えば、より近い位置において、測定値（例えば、測定値１０１４ｂ）が上限閾値１００４を超えるかどうかを判定するために、上限閾値１００４を用いることができる。別の例では、表示デバイス３１０を再配設した結果として、上限閾値１００４および／または下限閾値１００６に交差するかどうかを判定することができる。代替的または追加的に、（例えば、閾値デルタの判定または別の方法と併せて）種々の測定値を互いに比較することができ、最も大きい値を選択することができる。適用される特徴または一組の基準は、分析物センサシステムの範囲内にある表示デバイス３１０の数および／または１つ以上の表示デバイス３１０について検出された測定値等の環境条件に基づいて適合させることができる。
【０２７７】
例示的な実施形態において、最初に確立した閾値デルタは、分析物センサシステム３０８の配置後に、適合させる、および／または再プログラム／再調整することができる。例示として、分析物センサシステム３０８のセットアップ中に、例えば、（例えば、分析物センサシステム３０８によって受信される入力に基づいて）ユーザのサイズに関するものを含む、ユーザ情報／特性を判定することができる。この情報を使用して、例えばユーザのサイズまたは予期されるデバイスの使用に基づいて、初期の閾値デルタをユーザに合わせて調整することができる。実施形態において、経時的に検証／確認の事例を分析することに基づいて、プロファイルを確立することができ、次いで、該プロファイルを使用して、最初に確立した閾値デルタを調整することができる。例えば、最初に確立した閾値デルタが１６インチに設定した場合に、ユーザは、最も頻繁に表示デバイス３１０をユーザのオフィスデスクから遠ざけたままにすることができる。経時的に検証／確認の事例に関して情報を記憶／分析した後に、閾値デルタは、例えば閾値デルタが２０インチに増加させることができるように、ユーザの実際の行動および／またはデバイスの確認に基づいて修正することができる。
【０２７８】
以下は、ＲＳＳＩ等の測定を使用して、初期の識別／選択を確認／検証するために使用することができる動作の具体的な例である。最初に、ユーザは、（例えば、図２Ａ、２Ｂを参照して）分析物センサ１０を分析物センサシステム３０８のセンサ電子機器モジュール１２に接続することができる。次いで、分析物センサシステム３０８は、（例えば、図７Ａおよび／または図７Ｊを参照して）アドバタイズメントメッセージの送信を開始することができる。次に、表示デバイス３１０は、分析物センサシステム３０８からアドバタイズメントメッセージを受信する。これは、例えば、（図１０Ａを参照して）配設１０００ａと関連して生じ得る。例示として、この事例においてＲＳＳＩに対応する測定値１０１４ａは、約−２０ｄＢｍであり得る。例えば、測定値１０１４ａは、リンク１０１２ａを介して受信される信号の導出物とすることができる。
【０２７９】
次いで、表示デバイス３１０は、測定値１０１４ａが下限閾値１００６を超えることに基づいて、ユーザに、接続に利用できる発見可能な分析物センサシステム３０８が存在することを通知することができる。表示デバイス３１０からのユーザ通知としては、例えば、照明もしくはスクリーン／ディスプレイ効果、バナー、またはポップアップ等の視覚的指標、ビープ音または他の音等の聴覚的指標、および／または触覚フィードバック、のうちの１つ以上を挙げることができる。通知は、分析物センサシステム３０８、表示デバイス３１０、または両方に由来し得る。次いで、表示デバイス３１０は、ユーザに、例えば、表示デバイス３１０を分析物センサシステム３０８のより近くに移動させるよう促すことができる。
【０２８０】
次いで、ユーザは、表示デバイス３１０を分析物センサシステム３０８のより近くに移動させることができる。実施形態において、これは、表示デバイス３１０、分析物センサシステム３０８、または両方の位置を変化させることを伴い得る。これは、例えば、（図１０Ｂを参照して）配設１０００ｂをもたらし得る。例示として、この事例においてＲＳＳＩに基づく信号の導出物に対応する、測定値１０１４ｂは、約０ｄＢｍであり得る。測定値１０１４ｂが上限閾値１００４を超えること（または、例えば、測定デルタ１０１６ａが閾値デルタを超えること）に基づいて、表示デバイス３１０は、識別／選択を検証／確認し、それをユーザに通知することができる。
【０２８１】
実施形態において、識別／選択は、中程度の量のユーザ相互作用によって、およびＲＳＳＩ測定値に加えてまたは代替として種々の因子に基づいて、確認／検証することができる。例えば、（例えば、ＲＳＳＩのペアリングのための上記ステップにより、または識別／選択に関して本明細書で説明される他の動作を通して）表示デバイス３１０が以前に分析物センサシステム３０８を識別した、および／またはそこに接続したと判定することができ、検証／確認は、この判定に基づくことができる。また、表示デバイス３１０の範囲内に多数の分析物センサシステム３０８が存在する場合であっても、および／または分析物センサシステム３０８範囲内に多数の表示デバイス３１０が存在する場合であっても、上の例示的な動作を使用して、表示デバイス３１０を所望の分析物センサシステム３０８と接続することができることも認識されるであろう。
【０２８２】
図１０Ｄを再度参照すると、配設１０２０ａおよび測定プロファイル１０３０ａが例示される。いくつかの事例において、多数の分析物センサシステム３０８ａ、３０８ｂは、単一の表示デバイス（例えば、表示デバイス３１０ａ）に接続しようと試みる場合がある。例えば、医院において、２人の患者が、それぞれの分析物センサシステム３０８ａおよび３０８ｂを使用しており、比較的互いに近接している場合があり、どちらの患者もそれぞれの表示デバイス３１０ａおよび３１０ｂを有する場合がある。分析物センサシステム３０８ａ、３０８ｂと表示デバイス３１０ａ、３１０ｂとの近接のため、分析物センサシステム３０８ａ、３０８ｂの両方が、表示デバイス３１０ａおよび３１０ｂのうちの１つに接続しようと試みる場合がある。特に、配設１０２０ａおよび測定プロファイル１０３０ａを参照して、例えば、表示デバイス３１０ａと分析物センサシステム３０８ａ（例えば、測定値１０３４ａに対応する）および分析物センサシステム３０８ｂ（例えば、測定値１０３４ｄに対応する）との近接のため、ならびに表示デバイス３１０ｂと分析物センサシステム３０８ｂ（例えば、測定値１０３４ｄに対応する）との近接のため、測定値１０３４ａ、１０３４ｃ、および１０３４ｄは全て、最初に、確立することができる接続を示すものとして識別することができる。これらの測定値の各々が閾値１００６を超えるのに対して、測定値１０３４ｂは、閾値１００６を下回り、したがって、分析物センサシステム３０８ａは、表示デバイス３１０ｂへの接続に利用可能であると識別することができない。そのような状況では、表示デバイス３１０ａ、３１０ｂのうちの１つが、どの分析物センサシステム３０８ａ、３０８ｂが接続に適切であるのかを判定することがより困難であり得、多数のデバイスの近接のため、単一のＲＳＳＩの測定が、ペアリングに不十分であり得る。
【０２８３】
故に、本開示の実施形態において、例えば、表示デバイス３１０ａは、（例えば、ＲＳＳＩに基づいて）分析物センサシステム３０８ａおよび３０８ｂの各々から受信される信号の測定値１０３４ａおよび１０３４ｄを判定すること、ならびに測定値のうちの１つが、上限閾値１０２４および／または下限閾値１０２６等の所定の、調節可能な、プログラム可能な、適合可能な閾値を超えることに基づいて、２つの分析物センサシステム３０８ａおよび３０８ｂを区別することができる。代替的に、例えば、表示デバイス３１０ａは、２つの測定値（例えば、リンクを介して受信されるＲＳＳＩまたは導出物信号）を互いに比較し、２つの値のうちの大きい方（ここでは、ＲＳＳＩ値であり得る測定値１０３４ａ）と関連付けられた分析物センサシステム３０８ａを選択することができる。
【０２８４】
いくつかの事例において、例えば、（例えば、ＲＳＳＩ値であり得る）測定値１０３４ａおよび１０３４ｄの両方が、下限閾値１０２６を超える、および／または大きさが比較的近くなる場合があり、したがって、表示デバイス３１０ａは、１つの配設だけからの測定値に基づいて、分析物センサシステム３０８ａと３０８ｂを容易に区別することができない場合がある。同様に、いくつかの事例において、分析物センサシステム３０８ａは、単一のデバイス配設の測定値を使用して、表示デバイス３１０ａ、３１０ｂを区別することができない場合がある。
【０２８５】
デバイスを区別する１つの方式は、図１０Ａ〜１０Ｃに関連して上で暗に言及したように、１つ以上のデバイスを移動させることを含む。図１０Ｄおよび１０Ｅを参照すると、例えば配設１０２０ｂにおいて、表示デバイス３１０ａは、配設１０２０ａと比較して、分析物センサシステム３０８ａの比較的近くに移動している。その結果、測定値１０３４ａ’は、リンク１０３２ａ’と１０３２ａとの間の距離の変化に関連する測定デルタ１０３６ａに従って増加している。測定デルタ１０３６ａは、閾値デルタと比較することができ、該比較に基づいて、表示デバイス３１０ａがペアリングについて検証／確認されると判定することができる。さらに、測定値１０３４ｄ’もまた、測定値１０３４ｄに対して増加しているが、この増加は、比較的小さく、閾値デルタと比較することによって区別することができる。実施形態においては、本明細書で説明される追加的な閾値との追加的な比較を用いることができる。実施形態において、選択／識別を確認／検証することができるいかなる状態も満たしていない場合、閾値（閾値デルタを含む）のうちの１つ以上を調整することができ、また、測定値を再度取ることができる。
【０２８６】
実施形態において、上で暗に言及したように、閾値デルタを用いることができ、よって、測定値の変化によって閾値デルタを満たす、またはそれを超えるように、表示デバイス３１０および分析物センサシステムを互いに近づけたときにペアリングが確認され、次いで、測定値の変化によって閾値デルタを再度満たす、またはそれを超えるように、表示デバイス３１０および分析物センサシステムをより遠くに移動させる。ここでは、閾値デルタの絶対値を用いることができる。いくつかの事例では、両方の方向において閾値デルタを超えることに基づくのではなく、ペアリングは、閾値デルタがエラーの範囲またはマージンを満たすことに基づくことができる。例えば、これは、第１の方向（例えば、より近く）に移動した距離が、負方向（例えば、より遠く）に移動した距離に近い、または同じであることを表すことができる。より近くに、次いで、より遠くに、またはその逆に移動させることは、より近い配設およびより遠い配設に対応するリンクで受信される信号の導出物を取得し、そして、例えば、最初に上限閾値に（正方向に）交差し、次いで、下限閾値に（負方向に）交差したと判定することによって、検出することができる。逆のことも用いることができる。代替的または追加的に、より近くに、次いで、より遠くに、またはその逆に移動させることは、より近い配設およびより遠い配設に対応するリンクで受信される信号の導出物を取得し、そして、例えば、（より近くに移動させることに起因する）導出物の間の第１の差が、少なくとも正閾値デルタを満たし、次いで、（より遠くに移動させることに起因する）導出物の第２の差が、少なくとも負閾値デルタを満たすと判定することによって、検出することができる。逆のことも用いることができる。いくつかの事例において、１つの信号の導出物または複数の信号の導出物が負方向で閾値に交差したかどうかを判定するために閾値を使用している場合、導出物が閾値を下回ることは、（例えば、負方向において）閾値を満たす、または超えるとみなすことができる。
【０２８７】
分析物センサシステム３０８ａ、３０８ｂを区別する別の方式は、以下の通りである。実施形態において、表示デバイス３１０ａは、分析物センサシステム３０８ａ、３０８ｂの各々について識別情報（例えば、識別番号または同類のもの）を検出し、スキャンし、そして、利用可能な分析物センサシステム３０８ａ、３０８ｂ、その他、およびそれらのそれぞれの識別情報をユーザに提供することができる。次いで、ユーザは、表示デバイスＧＵＩ３４０を使用して、所望の識別情報を有する分析物センサシステム３０８ａ、３０８ｂを選択することができる。
【０２８８】
分析物センサシステム３０８等の分析物センサシステムの選択／識別に含まれる別の潜在的な課題は、いくつかの事例において、全ての分析物センサシステム３０８ａ、３０８ｂ、その他がウェークアップするとは限らない、または分析物センサ１０が分析物センサシステム３０８のセンサ電子機器モジュール１２に結合された後に一様な時間量だけ起動する、といった可能性から生じる。すなわち、センサ電子機器モジュール１０の分析物センサ１２への物理的／電気的接続と、センサ電子機器モジュール１２の給電と、アドバタイズメントメッセージの伝送との間には、不均一な時間遅延が存在し得る。暗に言及されるように、この時間遅延は、分析物センサシステム３０８ａ、３０８ｂ、その他の間で変動し得る。
【０２８９】
この変動は、例えば、接続に適切な分析物センサシステム３０８ｂが、まだ起動またはウェークアップしていない第２の分析物センサシステム３０８ｂである場合であっても、表示デバイス３１０は、起動またはウェークアップした第１の分析物センサシステム３０８ａに接続しようとすることをもたらす場合がある。このように、表示デバイス３１０は、好ましい分析物センサシステム３０８ｂの代わりに、あまり好ましくない分析物センサシステム３０８ａに接続する場合がある。
【０２９０】
故に、本開示の実施形態は、ウェークアップ回路を含み、これは、分析物センサシステム３０８で用いて、一様なウエークアップタイムを実施する、または（例えば、一例として図７Ｊを参照して、動作７９５ａで）センサ電子機器モジュール１２の分析物センサ１０への物理的／電気的接続と、センサ電子機器モジュール１２の給電と、アドバタイズメントメッセージの伝送との間に生じる一様な時間遅延を実施することができる。時間遅延は、分析物センサ１０をセンサ電子機器モジュール１２に接続したほぼ直後にウェークアップが生じるように、可変またはプログラム可能とすることができ、また、非常に小さい、またはゼロ値に設定することができる。または、時間遅延は、比較的より大きくすることができる。時間遅延の実際値にかかわらず、分析物センサシステム３０８ａ、３０８ｂ、その他の全体にわたって一様な値を適用するために、ウェークアップ回路を用いることができる。この様態で、例えば、第１の分析物センサシステム３０８ａおよび第２の分析物センサシステム３０８ｂは、ほぼ同時にウェークアップするか、または起動し、そして、表示デバイス３１０は、例えば種々の量のユーザ相互作用を含む種々のペアリング技法に関連して上で説明したように、適切な分析物センサシステム３０８ｂを選択し、そこに接続することができる。
【０２９１】
分析物センサシステム３０８の選択／識別に含まれるさらに別の潜在的な課題は、分析物センサシステム３０８のアンテナに存在し得るサイドローブから生じる。これらのサイドローブは、信号の間の干渉を引き起こし、ＲＳＳＩおよび他の測定値の算出に影響を及ぼす場合があり、したがって、上で説明した半自動化された測定に基づくペアリング技法（例えば、ＲＳＳＩを含む技法を含む）を潜在的に妨げる。
【０２９２】
本開示の実施形態において、およびいくつかの事例において、特に複数の分析物センサシステム３０８が互いに地理的に近接しているときに、複数の分析物センサシステム３０８ａ、３０８ｂ、その他の中から分析物センサシステム３０８ａを選択／識別するために、表示デバイス３１０によって帯域外のペアリングを使用することができる。例えば、近距離無線通信（ＮＦＣ）を使用して、表示デバイス３１０ａによって分析物センサシステム３０８ａを選択／接続し、それとのペアリング／接続を開始することができる。
【０２９３】
実施形態において、複数の分析物センサシステム３０８ａ、３０８ｂ、その他の中から分析物センサシステム３０８ａを選択／識別するために、他の技法を用いることができる。そのような技法は、表示デバイス３１０ａの１つ以上が、選択／識別されることが所望される分析物センサシステム３０８ａに関する情報の写真を撮ること、分析物センサシステム３０８ａまたは関連するパッケージングからバーコードまたはＱＲコード（登録商標）をスキャンすること、分析物センサシステム３０８ａおよび／またはその製品パッケージング上の不可視インクを使用すること、および分析物センサシステム３０８ａおよび／またはパッケージング上の熱インクを使用すること、を含むことができる。
【０２９４】
実施形態において、分析物センサシステム３０８および／または表示デバイス３１０は、加速度計、光学もしくは赤外線検出器、マイクロホン、または分析物センサシステム３０８および／もしくは表示デバイス３１０を選択／識別する際の援助に使用することができる他のセンサを含むことができる。例えば、表示デバイス３１０は、ユーザに、分析物センサシステム３０８を１回以上タップするよう促すことができる。これは、分析物センサシステムに、アドバタイズメントメッセージの送信を開始させることができる。その後に、ユーザは、ＲＳＳＩ、または上で説明した技法のうちの別のものを使用して、分析物センサシステム３０８の選択／識別を開始することができる。代替的または追加的に、加速度計、光学的もしくは赤外線検出器、マイクロホン、または（例えば、ＲＳＳＩのペアリングによって）選択／識別された分析物センサシステムが好ましいデバイスであることを確認／検証するために使用することができる他のセンサへの入力。いくつかの実施形態において、表示デバイス３１０は、複数の分析物センサシステム３０８ａ、３０８ｂ、その他の中から分析物センサシステム３０８ａを選択／識別し、分析物センサシステム３０８ａおよびモバイルアプリケーションをともに認証することによってペアリングすることができ、さらに、データ暗号化、安全な接続もしくはリンク、およびデバイスのプライバシーのための鍵を交換することができる。そのような実施形態において、表示デバイス３１０は、最初に、変調信号（例えば、変調赤外線信号）を使用して、短期鍵を生成し、交換することができて、分析物センサシステム３０８ａは、光検出器、光パイプまたはＩＲエミッタを用いて、そのような信号を受信し、復号化または復調することができる。これに続いて、短期鍵を使用して暗号化されたＢＬＥリンクを通じて、表示デバイスと分析物センサシステムとの間で、最終的な鍵の交換を行うことができる。
【０２９５】
実施形態において、選択／識別された表示デバイスおよび／または分析物センサシステムを確認／検証するために、表示デバイス３１０を保持するユーザによってジェスチャーを行うことができる。例えば、８の字または同類の形にデバイスを移動させることによって、ユーザは、選択／識別を確認／検証することができる。実施形態では、聴覚的入力（例えば、音声認識）をデバイスの確認／検証に使用することができる。実施形態において、ユーザはまた、検証／確認をトリガーするために、分析物センサ３０８および／または表示デバイス３１０をタップする、または振るように指示され得る。そのようなジェスチャー／加速度計に基づくイベントは、アドバタイズメントメッセージによって生じる衝突を検出できるように、また、潜在的に限定するために、時間を限定することができるアドバタイズメントをトリガーすることができる。
【０２９６】
中程度の量のユーザ相互作用に関する上で説明した特徴に関して、いくつかの事例において、説明される技法は、第１のインスタンスにおいてデバイスを識別／選択する目的で用いることができ、単に初期の識別／選択を確認／検証するためではないことを認識されたい。
【０２９７】
図１３Ｃ〜１３Ｐは、例えば上で説明したユーザ相互作用の第２の階層またはレベルに関連して、本開示の実施形態に従って行うことができる種々の動作を例示する動作フロー図を提供する。例示の目的で、ここでは、図１０Ａ〜１０Ｅ、ならびにその中に示される構成要素の符号を参照する。それでもやはり、当業者は、本開示を研究すれば、本開示の他の図からの類似する構成要素が、図１３Ｃ〜１３Ｐの説明の範囲に含まれ得ることを認識するであろう。
【０２９８】
図１３Ｃに示される実施形態は、接続のためのデバイスを識別するための方法１３０４の態様を含む。動作１３１５Ａで、方法１３０４は、表示デバイス３１０ａが、一組の分析物センサシステム３１０ａ、３１０ｂ、その他の中の分析物センサシステム３１０ａから第１の信号を受信することを含む。第１の信号は、第１のリンク（例えば、リンク１０３２ａ）を介して受信される。動作１３１５Ｂは、表示デバイスが、第１の信号の導出物を判定すること（例えば、測定値１０３４ａをもたらすこと）を含む。動作１３１５Ｃは、表示デバイス３１０ａが、第１の信号の導出物に基づいて、選択のための分析物センサシステム３０８ａを識別することを含む。
【０２９９】
以下、図１３Ｄを参照すると、図１３Ｃを参照して上で述べた動作１３１５Ｃに関するさらなる詳細を含む、方法１３０６の態様を含む実施形態が示される。図１３Ｄに示されるように、動作１３１５Ｃは、動作１３２０Ａで、第１の信号の導出物を第１の閾値と比較することを含むことができる。さらに、動作１３１５Ｃは、動作１３２０Ｂで、第１の信号の導出物が少なくとも第１の閾値を満たすかどうかを判定することを含むことができる。動作１３２０Ｃで、方法１３０６は、第１の信号の導出物が少なくとも第１の閾値を満たすと判定することに基づいて、接続のための分析物センサシステム３０８ａを選択することを含むことができる。
【０３００】
図１３Ｃを再度参照すると、動作１３１５Ｄで、方法１３０４は、表示デバイス３１０ａが、（例えば、第１のリンク１０３２ａまたは第２のリンク１０３２ａ’を介して）分析物センサシステム３０８ａから第２の信号を受信することを含むことができる。動作１３１５Ｅは、表示デバイス３１０ａが、第２の信号の導出物を判定することを含む。動作１３１５Ｆで、方法１３０４は、第２の信号の導出物に基づいて、接続のための分析物センサシステム３１０ａを選択することを含むことができる。
【０３０１】
図１３Ｅは、図１３Ｃを参照して上で述べた動作１３１５Ｆに関するさらなる詳細を含む、方法１３０８の態様を含む実施形態を例示する。図１３Ｅに示されるように、動作１３１５Ｆは、動作１３２５Ａで、第２の信号の導出物を第２の閾値と比較することを含むことができる。さらに、動作１３１５Ｆは、動作１３２５Ｂで、第２の信号の導出物が少なくとも第２の閾値を満たすかどうかを判定することを含むことができる。動作１３２５Ｃで、動作１３１５Ｆは、随意に、第１の信号の導出物を第２の閾値と比較することを含む。動作１３２５Ｄで、動作１３１５Ｆは、第２の信号の導出物が少なくとも第２の閾値を満たすかどうか、または満たさないかどうかを判定することを含むことができる。
【０３０２】
図１３Ｆは、図１３Ｃを参照して上で述べた動作１３１５Ｆに関するさらなる詳細を含む、方法１３１２の態様を含む実施形態を例示する。図１３Ｆに示されるように、動作１３１５Ｆは、動作１３３０Ａで、第２の信号の導出物を第１の閾値と比較することを含むことができる。さらに、動作１３１５Ｆは、動作１３３０Ｂで、少なくとも第２の信号の導出物が満たすかどうか、または少なくとも第１の閾値を満たさないかどうかを判定することを含むことができる。
【０３０３】
図１３Ｇに示される実施形態は、接続のためのデバイスを識別するための方法１３１４の態様を含む。動作１３３５Ａで、方法１３１４は、表示デバイス３１０ａが、一組の分析物センサシステム３０８ａ、３０８ｂ、その他の中の分析物センサシステム３０８ａから第１の信号を受信することを含む。第１の信号は、第１のリンク（例えば、リンク１０３２ａ）を介して受信される。動作１３３５Ｂは、表示デバイスが、第１の信号の導出物（例えば、測定値１０３４ａ）を取得することを含む。方法１３１４は、随意に、動作１３３５Ｃで、表示デバイス３１０ａが、第１のリンクを介して、分析物センサシステム３０８ａに第１の応答信号を送信することを含む。動作１３３５Ｄで、方法１３１４は、表示デバイス３１０ａが、（例えば、分析物センサシステム３０８ａから）第１の応答信号の導出物を取得することを含むことができる。第１の応答信号の導出物は、分析物センサシステム３０８ａによって生成し、そこから受信することができる。動作１３３５Ｅで、方法１３１４は、第１の信号の導出物が下限閾値（例えば、下限閾値１０２６）を満たす、またはそれを超えることに基づいて、接続のための分析物センサシステム３１０ａを識別することを含む。動作１３３５Ｅで識別することはまた、第１の応答信号の導出物を第１の信号の導出物と比較することに基づくこともできる。動作１３３５Ｆで、方法１３１４は、随意に、第２のリンク（例えば、配設１０２０ｂ内のリンク１０３２ａ’）に従って表示デバイス３１０ａを構成するための指示を生成することを含む。動作１３１５Ｃは、表示デバイス３１０ａが、第１の信号の導出物に基づいて、選択のための分析物センサシステム３０８ａを識別することを含む。動作１３３５Ｇは、表示デバイス３１０ａおよび／または分析物センサシステム３０８ａが、表示デバイス３１０ａのユーザに指示を提供することを含む。
【０３０４】
動作１３３５Ｈで、方法１３１４は、表示デバイス３１０ａが、（例えば、リンク１０３２ａ’等の第２のリンクを介して）分析物センサシステム３０８ａから第２の信号を受信することを含むことができる。動作１３３５Ｊは、表示デバイス３１０ａが、第２の信号の導出物を取得することを含む（例えば、表示デバイス３１０ａは、導出物自体を生成することができ、または分析物センサシステム３０８ａもしくは別のリモートソースから導出物を受信することができる）。動作１３３５Ｋで、方法１３１４は、表示デバイス３１０ａが、（例えば、第３のリンクを介して）分析物センサシステム３０８ａから第３の信号を受信することを含むことができる。いくつかの事例において、第３のリンクは、第１のリンクと同じもの、それに類似するもの、またはそれに対する値の所定のウインドウの範囲内とすることができる。動作１３３５Ｌは、表示デバイス３１０ａが、第３の信号の導出物を取得することを含む。動作１３３５Ｍで、方法１３１４は、表示デバイス３１０ａが、第１、第２、および第３の信号の導出物のうちの１つ以上に基づいて、接続のための分析物センサシステム３０８を選択することを含むことができる。例えば、表示デバイス３１０ａは、第１の信号の導出物が上限閾値（例えば、上限閾値１０２４）を満たす、またはそれを超えること、第１の信号の導出物が上限閾値を満たさない、またはそれを超えないこと、第２の信号の導出物が上限閾値を満たす、またはそれを超えること、第３の信号の導出物が下限閾値（例えば、閾値１０２６）未満であること、第２の信号の導出物と第１の信号の導出物との、またはその逆の比較、第１の信号の導出物が上限閾値を満たす、またはそれを超え、かつ第２の信号の導出物が第１の信号の導出物未満であること、第２の信号の導出物が上限閾値を満たす、またはそれを超え、かつ第２の信号の導出物が第１の信号の導出物未満であること、第３の信号の導出物と第２の信号の導出物との比較、その他、のうちの１つ以上に基づいて、接続のための分析物センサシステム３０８を選択することができる。
【０３０５】
図１３Ｈに示される実施形態は、接続のためのデバイスを識別するための方法１３１６の態様を含む。動作１３４０Ａで、方法１３１４は、分析物センサシステム３０８ａが、一組の表示デバイス３１０ａ、３１０ｂ、その他の中の表示デバイス３１０ａから第１の信号を受信することを含む。第１の信号は、第１のリンク（例えば、リンク１０３２ａ）を介して受信される。動作１３４０Ｂで、方法１３１６は、随意に、分析物センサシステム３０８ａが、第１の信号の導出物（例えば、測定値１０３４ａ）を取得することを含む。動作１３４０Ｃで、方法１３１６は、分析物センサシステム３０８ａが、応答信号を送信することを含むことができる。動作１３４０Ｄで、方法１３１６は、分析物センサシステム３０８ａが、（例えば、表示デバイス３１０ａから）応答信号の導出物を取得することを含むことができる。応答信号の導出物は、図１３Ｇに関連して説明されるものと同様の様式で使用することができる。動作１３４０Ｅで、方法１３１６は、第１の信号の導出物が下限閾値（例えば、下限閾値１０２６）を満たす、またはそれを超えることに基づいて、分析物センサシステム３０８ａが、選択のための表示デバイス３１０ａを選択することを含む。この選択は、追加的に、図１３Ｇに関して上で説明した様態に類似して、応答信号の導出物に基づくことができる。
【０３０６】
動作１３４０Ｆで、方法１３１６は、第２のリンク（例えば、リンク１０３２ａ’）に従って表示デバイス３１０ａを構成するための指示を生成することを含むことができる。この指示は、第１の信号の導出物が上限閾値（例えば、閾値１０２４）未満であることに基づいて生成することができる。この指示は、いくつかの事例において、第１の信号の導出物が上限閾値（例えば、閾値１０２４）満たす、またはそれを超えることに基づくことができる。方法１３１６は、動作１３４０Ｇで、指示が表示デバイス３１０ａのユーザに提供されるように、表示デバイス３１０ａに指示を送信することを含むことができる。実施形態において、分析物センサシステム３０８ａは、ユーザに指示を（例えば、視覚的に、聴覚的に、および／または触覚的に、その他で）直接提供することができる。
【０３０７】
動作１３４０Ｈで、方法１３１６は、随意に、分析物センサシステム３０８ａが、（例えば、第１または第２のリンクを介して）表示デバイス３１０ａから第２の信号を受信することを含む。動作１３４０Ｊは、分析物センサシステム３０８ａが、第２の信号の導出物を取得することを含む。動作１３４０Ｋで、方法１３１６は、分析物センサシステム３０８ａが、表示デバイス３１０ａから第３の信号を受信することを含むことができる（例えば、図１３Ｇに関連して上に記載される第３のリンクの説明を参照されたい）。動作１３４０Ｌは、分析物センサシステム３０８ａが、第３の信号の導出物を取得することを含む。実施形態または方法１３１６は、動作１３４０Ｍで、加速度計からユーザ入力の表現を生成することを含む。
【０３０８】
動作１３４０Ｎで、方法１３１６は、随意に、接続のための表示デバイス３１０ａを選択することを含む。この選択することは、第１の信号の導出物が上限閾値を満たす、またはそれを超えること、第２の信号の導出物が下限閾値未満であること、第２の信号の導出物が上限閾値を満たす、またはそれを超えること、第１の信号の導出物が上限閾値を満たさない、またはそれを超えないこと、第３の信号の導出物が下限閾値未満であること、第２の信号の導出物と第１の信号の導出物との比較、第１の信号の導出物が上限閾値を満たす、またはそれを超え、かつ第２の信号の導出物が第３の信号の導出物未満である、またはその逆であること、第３の信号の導出物と第２の信号の導出物との比較、加速度計からのユーザ入力の表現、その他、のうちの１つ以上に基づくことができる。
【０３０９】
図１３Ｊに示される実施形態は、接続のためのデバイスを識別するための方法１３１８の態様を含む。動作１３４５Ａで、方法１３１８は、随意に、表示デバイス３１０ａが、分析物センサシステム３０８ａをトリガーして表示デバイス３１０ａに第１の信号を送信するために、ユーザに、分析物センサシステム３０８ａに物理的に接触するよう促すことを含む。動作１３４５Ｂで、方法１３１８は、表示デバイス３１０ａが、第１のリンク（例えば、第１のリンク１０３２ａ）を介して受信される第１の信号の導出物を取得することを含む。動作１３４５Ｃは、表示デバイス３１０ａが、選択のための識別を生成することを含む。この生成することは、第１の信号の導出物が下限閾値（例えば、下限閾値１０２６）を満たす、またはそれを超えることに基づくことができる。
【０３１０】
方法１３１８は、随意に、動作１３４５Ｄで、第２のリンク（例えば、配設１０２０ｂのリンク１０３２ａ’）に従って表示デバイス３１０ａを構成するための指示を生成することを含む。この生成は、第１の信号の導出物が上限閾値（例えば、上限閾値１０２４）未満であることに基づくことができる。代替的に、この生成は、第１の信号の導出物が上限閾値を満たす、またはそれを超えることに基づくことができる。指示は、例えば、ユーザに、表示デバイス３１０ａを分析物センサシステム３０８ａのより近くに移動させるための命令を含むことができる。動作１３４５Ｅで、方法１３１８は、（例えば、ＧＵＩ３４０を介して）指示が表示デバイス３１０ａのユーザに提供されるように、表示デバイス３１０ａに指示を送信することを含むことができる。
【０３１１】
動作１３４５Ｆで、方法１３１８の実施形態は、表示デバイス３１０ａが、（例えば、第２のリンクまたは第１のリンクを介して受信される）第２の信号の導出物を取得することを含む。動作１３４５Ｇで、方法１３１８は、表示デバイス３１０ａが、第３の信号の導出物を取得することを含むことができる。第３の信号は、第３のリンクを介して受信することができ、これは、性質の点で、上で説明した第３のリンクに実質的に類似し得る。
【０３１２】
動作１３４５Ｈで、方法１３１８は、ユーザに、（例えば、分析物センサシステム３０８ａおよび／または表示デバイス３１０ａ等の、加速度計を収容するデバイスの加速度計をタップすることによって）加速度計にユーザ入力を提供させるためのプロンプトを提示することを含むことができる。動作１３４５Ｊで、方法１３１８は、加速度計へのユーザ入力の表現を受信することを含むことができる。
【０３１３】
方法１３１８は、動作１３４５Ｋで、表示デバイス３１０ａが、接続のための選択を生成することを含むことができる。この生成は、第１の信号の導出物が上限閾値を満たす、またはそれを超えること、第２の信号の導出物が下限閾値未満であること、第２の信号の導出物が上限閾値を満たす、またはそれを超えること、第１の信号の導出物が上限閾値を満たさない、またはそれを超えないこと、第３の信号の導出物が上限閾値を満たす、またはそれを超えること、第２の信号の導出物と第１の信号の導出物との比較、第１の信号の導出物が上限閾値を満たす、またはそれを超え、かつ第２の信号の導出物が第１の信号の導出物未満である、またはその逆であること、第３の信号の導出物と第２の信号の導出物との比較、第２の信号の導出物が上限閾値を満たす、またはそれを超え、かつ第３の信号の導出物が第２の信号の導出物を超える、またはその逆であること、その他、のうちの１つ以上に基づくことができる。
【０３１４】
図１３Ｋに示される実施形態は、接続のためのデバイスを識別するための方法１３２２の態様を含む。動作１３５０Ａで、方法１３２２は、表示デバイス３１０ａが、第１のリンク（例えば、第１のリンク１０３２ａ）を介して受信される第１の信号の導出物を取得することを含む。動作１３５０Ｂは、表示デバイス３１０ａが、第２のリンク（例えば、リンク１０３２ａ’）を介して受信される第２の信号の導出物を取得することを含む。動作１３５０Ｃで、方法１３２２は、随意に、第１の信号の導出物と第２の信号の導出物との差を算出することを含む。動作１３５０Ｃは、例えば差または差の絶対値と所定の値（例えば、閾値デルタ）とを比較することによって、第１の信号の導出物と第２の信号の導出物との比較を生成することを含む。動作１３５０Ｅで、方法１３２２は、随意に、表示デバイス３１０ａが、第３のリンクを介して受信される第３の信号の導出物を取得することを含む。動作１３５０Ｆで、方法１３２２は、第３の信号の導出物と第２の信号の導出物との差を算出することを含むことができる。そのような事例では、第３の信号の導出物と第２の信号の導出物との差（例えば、第２の差）と、第１の信号の導出物と第２の信号の導出物との差（例えば、第２の差）との比較を生成することができる。
【０３１５】
動作１３５０Ｇは、表示デバイス３１０ａが、接続のための選択を生成することを含む。この生成は、第１の信号の導出物と第２の信号の導出物との比較、第２の信号の導出物と第３の信号の導出物との比較、第１および第２の差の比較、その他、のうちの１つ以上に基づくことができる。
【０３１６】
要約すれば、ユーザ相互作用の第２の階層に関して、上で説明した特徴の組み合わせは、適用可能な使用事例に応じて用いることができる。
【０３１７】
分析物センサシステム３０８および／または表示デバイス３１０の選択／識別を含むユーザ相互作用の第３の階層またはレベルは、最小量のユーザ相互作用と関連付けることができる。１つの例において、表示デバイス３１０および／またはいくつかの事例において分析物センサシステム３０８に、アプリケーション（例えば、分析物センサアプリケーション３３０）をダウンロードすること、または常駐させることができる。アプリケーション３３０は、表示デバイス３１０と分析物センサシステム３０８との間に確立された接続の持続時間を監視することができ、また、接続の持続時間に基づいて、分析物センサシステム３０８が好ましいと判定することができる。例えば、表示デバイス３１０および分析物センサシステム３０８が、所定の、可変の、適合可能な、またはプログラム可能な時間量（例えば、１時間）よりも長く接続を維持した場合、アプリケーション３３０は、表示デバイス３１０が接続のための適切な分析物センサシステム３８０を選択／識別したと判定することができる。
【０３１８】
図１３Ｌは、例えば上で説明したユーザ相互作用の第３の階層またはレベルと関連して本開示の実施形態に従って行うことができる種々の動作を例示する動作フロー図を提供する。例示の目的で、ここでは、図１０Ａ〜１０Ｅ、ならびにその中に示される構成要素の符号を参照する。それでもやはり、当業者は、本開示を研究すれば、本開示の他の図からの類似する構成要素が、図１３Ｌの説明の範囲に含まれ得ることを認識するであろう。
【０３１９】
図１３Ｌに示される実施形態は、接続のためのデバイスを識別するための方法１３２４の態様を含む。動作１３５５Ａで、方法１３３４は、一組の表示デバイス３１０ａ、３１０ｂ、その他のうちの表示デバイス３１０ａが、一組の分析物センサシステム３０８ａ、３０８ｂ、その他のうちの分析物センサシステム３０８ａとの接続を確立することを含む。動作１３５５Ｂで、方法１３３４は、表示デバイス３１０ａが、接続の持続時間が所定の、プログラム可能な、適合可能な、および／または可変の時間量を超えることに基づいて、分析物センサシステム３０８ａへの接続のための確認を生成することを含む。
【０３２０】
選択／識別プロセスに含まれるユーザ相互作用の第４の階層またはレベルは、ユーザ相互作用の可調の、可変の、および／または混成の量と関連付けることができる。１つの例において、アプリケーション３３０は、表示デバイス３１０にダウンロードすること、または常駐させることができる。ユーザ相互作用の第４の階層に従う動作は、階層１〜３に関して上で説明した種々の技法の組み合わせを用いることを含むことができる。１つの具体的な実施例において、階層１の検索および選択方法は、使用されることができて、階層２において説明されるＲＳＳＩのペアリング、ならびに／または階層２および３に関連して説明される他の技法を使用し、それらと組み合わせることができる。さらに、適用可能なユーザ相互作用の量は、例えば、いかなる発見可能なデバイスのペアリングにも成功しなかった場合に、接続が予想外に、または予期されるよりも頻繁に中断される場合に、使用入力に基づいて、ある期間にわたって多数のシステムから収集される性能特性に基づいて、その他の場合に、オンザフライで調整することができる。
【０３２１】
以下、選択／識別プロセスに含まれるユーザ相互作用の階層またはレベルに関連するいくつかの実施形態が説明される。この点で、実施形態は、表示デバイス３１０が、表示デバイス３１０の近くにある、またはそれが発見可能である分析物センサシステム３０８ａ、３０８ｂ、その他をスキャンすること、および分析物センサシステム３０８ａ、３０８ｂ、その他を監視して、それらとの接続を確立するかどうか、およびどのように確立するのかを確認することを含む。
【０３２２】
一例として、表示デバイス３１０は、分析物センサ３０８ａからアドバタイズメントメッセージを受信することができ、１つ以上の分析物センサシステム３０８ａ、３０８ｂ、その他は、表示デバイス３１０の近くにあり得るか、またはそれが発見可能であり得る。アドバタイズメントメッセージはまた、特定の状況の分析物センサシステム３０８ｂ、その他からも受信することができる。表示デバイス３１０は、次いで、分析物センサシステム３０８ａ、３０８ｂ、その他のうちのいずれかから受信される第１の信号の導出物（例えば、ＲＳＳＩ）を取得し、該導出物および状態（例えば、導出物の閾値）を使用して、接続のための選択を識別し、生成することができる。実施形態において、受信信号は、センサシステム３０８ａ、３０８ｂ、その他によって送信されるアドバタイズメントメッセージであり得る。特定の条件に基づいて、表示デバイス３１０は、接続のための選択を使用して、分析物センサシステム３０８ａを識別し、次いで、それとの第１の接続を確立することができる。例えば、第１の接続は、（例えば、所定の、調節可能な、適合可能な、プログラム可能な、可変の、その他のものであり得る）ある時間量中に、表示デバイス３１０が、分析物センサシステム３０８ａ以外の分析物センサシステム３０８ｂ、その他からアドバタイズメントメッセージを受信しない場合に、または表示デバイス３１０が、状態を満たす第２の信号の導出物を取得しなかった場合に確立することができ、第２の信号は、分析物センサシステム３０８ａ以外の分析物センサシステム３０８ｂ、その他によって送信される。
【０３２３】
換言すれば、この実施例において、ある時間量にわたって、１つだけの分析物センサシステム３０８ａが表示デバイス３１０の近くに存在する場合、または別様に、表示デバイス３１０によって発見可能である、もしくは識別可能である場合に、これは分析物センサシステム３０８ａと表示デバイス３１０との間の接続確立をトリガーすることができる。代替的または追加的に、追加的な分析物センサシステムが表示デバイス３１０の近くに存在する場合、または別様に、表示デバイス３１０によって発見可能であり、ある時間量にわたって、分析物センサシステム３０８ａだけが、その導出物が閾値を満たす信号を送信する場合、これは、表示デバイスに、好ましい分析物センサシステムとして分析物センサシステム３０８ａを識別させて、分析物センサシステム３０８ａとペアリングし、次いで、それとの接続確立をトリガーすることができる。特定の事例において、これは、接続に適切な／的確な時間量中に、いかなる他のセンサシステム３０８ｂ、その他も（例えば、ＲＳＳＩに基づいて）十分な強度の信号を送信していないので、分析物センサシステム３０８ａと表示デバイス３１０との間に接続を確立するべきであることを示すことができる。ペアリングおよびその後のデータ接続は、本明細書で説明される種々の方法およびプロセスに基づいて確立することができることが企図される。
【０３２４】
いくつかの実施形態において、表示デバイス３１０は、分析物センサシステム３０８ａに接続され、導出物を使用してそれを識別し、表示デバイスとそれとの間の第２の接続を確立しながら、種々の状態（例えば、ある期間にわたる信号）を監視すること、および他の分析物センサシステム３０８ｂ、その他のうちの１つから信号の導出物を取得することを継続することができる。例えば、これは、表示デバイス３１０が、最適である、または的確な分析物センサシステム３０８ｂ、３０８ｃ、その他を識別し、次いで、それに接続することを容易にすることができ、上で説明したように分析物センサシステム３０８ａと確立した第１の接続は、おそらく最も適切または最も的確でなかったか、またはそういった状態になった。
【０３２５】
別の例において、これは、いくつかの分析物センサシステム３０８ａ、３０８ｂ、その他が近くに存在する場合、または表示デバイス３１０にアドバタイズメントメッセージを送信することが表示デバイス３１０の所定の数を超える場合があり得る。そのような場合、導出物および時間量単独では、識別および接続確立の目的に十分でない場合がある。このように、一例として、表示デバイス３１０は、表示デバイス３１０のユーザにプロンプトを提供することができ、このプロンプトは、分析物センサシステムおよびその後の接続確立の識別に関する。１つの例において、接続は、識別のためのプロンプトに応答して表示デバイス３１０で受信される入力に基づいて、表示デバイス３１０と、分析物センサシステム３０８ａ、３０８ｂ、その他のうちの１つとの間に確立することができる。そのような入力は、限定されないが、ユーザ相互作用の第１の階層と関連して上で説明した種々の形態のうちのいずれかとすることができる。
【０３２６】
図１３Ｍに示される実施形態は、上で説明したユーザ相互作用の第１、第２、第３、および第４の階層またはレベルのうちの１つ以上に関するものを含む、接続のためのデバイスを識別するための方法１３２６の態様を含む。動作１３６０Ａで、方法１３２６は、随意に、ユーザに、（例えば、例えば視覚的、聴覚的、および／または触覚的なものを含む、表示デバイス３４０のＧＵＩ３４０を介して、または分析物センサシステム３０８ａを介して）分析物センサシステム３０８ａおよび／または表示デバイス３１０ａに収容された加速度計に入力を提供させるための命令を提示することを含み、この入力は、信号（例えば、アドバタイズメントメッセージ、パイロット信号、その他）の伝送を開始する。動作１３６０Ｂで、方法１３２６は、表示デバイス３１０ａと分析物センサシステム３０８ａとの、接続のための選択を生成するための複数のモードのうちの１つで動作することを含む。複数のモードは、ユーザ相互作用の第１、第２、第３、その他の階層に対応することができる。
【０３２７】
図１３Ｎは、図１３Ｍを参照して上で述べた動作１３６０Ｂに関するさらなる詳細を含む、方法１３２８の態様を含む実施形態を例示する。図１３Ｎに示されるように、動作１３６０Ｂの実施形態は、複数のモードのうちの第１のモードで動作することを含む。第１のモードは、ユーザ相互作用の第１の階層またはレベルと関連付けることができる。第１のモードで動作することに関して、動作１３６０Ｂは、動作１３６５Ａを含み、これは、一組の分析物センサシステム３０８ａ、３０８ｂ、その他の中から分析物センサシステム３０８ａを識別する分析物センサシステム３０８ａに関する入力を受信することを含む。動作１３６５Ｂで、動作１３６０Ｂは、受信した入力に基づいて、分析物センサシステム３０８ａとの接続のための選択を生成することを含むことができる。この入力は、分析物センサシステム３０８ａおよび表示デバイス３１０ａの一方または両方で受信することができる。
【０３２８】
図１３Ｐは、図１３Ｍを参照して上で述べた動作１３６０Ｂに関するさらなる詳細を含む、方法１３３２の態様を含む実施形態を例示する。図１３Ｐに示されるように、動作１３６０Ｂの実施形態は、複数のモードのうちの第２のモードで動作することを含む。第２のモードで動作することは、ユーザ相互作用の第２の階層またはレベルと関連付けることができる。第２のモードで動作することに関して、動作１３６０Ｂは、動作１３７０Ａを含み、これは、第１のリンク（例えば、リンク１０３２ａ）を介して受信される第１の信号の導出物を取得することを含む。この取得は、分析物センサシステム３０８ａおよび表示デバイス３１０ａの一方または両方によって行うことができる。動作１３７０Ｂで、方法１３３２は、第１の信号の導出物に基づいて、選択のための識別を生成することを含む。動作１３７０Ｃで、方法１３３２は、随意に、第２のリンク（例えば、リンク１０３２ａ’）を通じて受信される第２の信号の導出物を取得することを含む。方法１３３２は、動作１３７０Ｄで、接続のための選択、ならびに第２の信号の導出物およびユーザ入力のうちの１つ以上に基づいて、（例えば、分析物センサシステム３０８ａおよび／または表示デバイス３１０ａの）選択を生成することをさらに含む。
【０３２９】
実施形態において、方法１３３２に従って第２のモードで動作することは、動作１３７０Ｅで、第１の信号の導出物と第２の信号の導出物との差を算出することをさらに含む。動作１３７０Ｆで、方法１３３２は、この差を（例えば、所定の、適合可能な、可変の、プログラム可能な、その他の）閾値と比較することを含むことができる。この差が閾値を満たす、または超える場合、方法１３３２は、動作１３７０Ｇで、接続のための選択を確認することを含むことができる。
【０３３０】
図１３Ｑは、図１３Ｍを参照して上で述べた動作１３６０Ｂに関するさらなる詳細を含む、方法１３３４の態様を含む実施形態を例示する。図１３Ｑに示されるように、動作１３６０Ｂの実施形態は、複数のモードのうちの第３のモードで動作することを含む。第３の動作モードは、ユーザ相互作用の第３の階層またはレベルと関連付けることができる。第３のモードで動作することに関して、動作１３６０Ｂは、動作１３７５Ａを含み、これは、表示デバイス３１０ａと分析物センサシステム３０８ａとの間の接続を形成することを含む。動作１３７５Ｂで、方法１３３４は、少なくとも所定の、適合可能な、可変の、および／またはプログラム可能な時間量にわたって接続を維持することに基づいて、接続の確認を生成することを含む。
【０３３１】
故に、いくつかの事例においてその組み合わせを含む、上で説明したユーザ相互作用の階層を柔軟に用いることによって、本開示の実施形態は、種々の使用事例、ネットワークおよびバッテリの状態およびシナリオ、ユーザ選好および／または特性、その他にわたって最適に構成することができる。
【０３３２】
Ｉ．認証および暗号化
ネットワーク（無線または他の）を通じた２つのデバイスの接続を対象とするシナリオでは、無許可のデバイスが接続を行うことを防止しようとする際に、認証を使用することができる。例えば、機密データが交換されている場合は、無許可のデバイスまたはエンティティがデータへのアクセスを得ることを防止しようとする際に、認証を使用することができる。これに関して、認証プロトコルを使用して、接続デバイスの識別情報を確立または検証することができる。いくつかの事例において、認証技術は、用いられている接続モデルに依存して異なり得る。例えば、断続接続モデルが用いられている場合、連続接続モデルが用いられている場合とは異なる認証技術を実施することができる。
【０３３３】
図７Ａは、分析物センサシステム７０８と表示デバイス７１０との間の分析物データの無線通信のための方法７００の実施形態と関連して、ならびに関連するシステム、装置、およびデバイスの実施形態と関連して行うことができる種々の動作を例示する動作フロー図である。いくつかの場合において、方法７００は、（例えば、双方向認証において）表示デバイス７１０および／または分析物センサシステム７０８を認証することと関連して使用することができ、よって、許可された条件下で分析物データを交換することができる。
【０３３４】
図７Ａで例示されるプロシージャに関連して行われる種々のタスクは、例えば、非一時的コンピュータ可読媒体で具現化された命令を実行するプロセッサによって行うことができる。プロシージャと関連して行われるタスクまたは動作は、分析物センサシステム７０８および表示デバイス７１０のうちの１つ以上等の、コンピューティングデバイスの１つ以上に組み込まれたハードウェア、ソフトウェア、ファームウェア、またはそれらの任意の組み合わせによって行うことができる。本開示を研究すれば、プロシージャが、任意の数の追加または代替のタスクまたは動作を含むことができることが認識されるであろう。図７Ａで一例として示される動作は、例示された順序で行う必要はなく、プロシージャは、図７Ａを特に参照して本明細書で詳細に説明されない追加的な機能を有する、より総合的なプロシージャまたはプロセスに組み込むことができる。
【０３３５】
下で説明されるいくつかの実施例において、分析物値は、例示の目的で、（図１Ａ、図２Ａ、および２Ｂを参照して）分析物センサ１０によって、および／または（図４を参照して）センサ４０５によって行われる１つ以上の測定値に基づくグルコース値である。それでもやはり、本開示を研究すれば、分析物値は、本明細書で説明される任意の他の分析物値とすることができることが理解されるはずである。分析物センサシステム７０８と表示デバイス７１０の１つ以上との間の無線データ通信は、「Ｔ間隔」として示される更新間隔によって分離された時間で定期的に生じさせることができ、該更新間隔は、（図３Ｂを参照して）分析物センサシステム７０８のトランシーバ３６０と表示デバイス７１０のトランシーバ３２０との間の２つの連続する無線通信セッション間の持続時間に対応することができる。代替的または追加的に、更新間隔は、最近測定されたグルコース値を取得し、送信する期間とみなすことができる。アドバタイズメント信号またはメッセージの伝送、データ接続（例えば、通信チャネル）の確立し、ならびにデータの要求および送信は、各々が更新間隔のＴ間隔内で「Ｔ起動」で示される起動時間または期間の間持続する、無線通信セッション中に生じ得る。ここで１つ注意すべきは、Ｔ間隔および／またはＴ起動がセッション間で変動し得ることである。２つの連続する無線通信セッションの間に、分析物センサシステム７０８（例えば、トランシーバ３６０）の構成要素は、「Ｔ停止」として表される停止期間にわたる停止またはスリープモード等の、ＬＰＭまたは同様なモードに入ることができる。これは、例えば、バッテリ寿命の保護を可能にすること、および／またはピーク電圧要件を低減させることができる。
【０３３６】
故に、分析物データの通信に使用されるいくつかの認証および接続スキームにおいて、分析物センサシステム７０８は、表示デバイス７１０に定期的に接続することができる。例えば、通信セッション７２０は、１つのこのような認証および接続スキームを実施することができる。より具体的には、図７Ａに示されるように、通信セッション７２０は、時間間隔Ｔ間隔中に実施することができる。上で暗に言及したように、Ｔ間隔は、Ｔ起動に対応する起動部分と、Ｔ停止に対応する停止部分と、を含むことができる。全般的に言えば、Ｔ起動中には、分析物センサシステム７０８および表示デバイス７１０が接続され、（例えば、動作７０５および／またはそのサブ動作に従って）メッセージングをアクティブに交換しているが、上で説明したように、Ｔ起動中には、システム７０８がＬＰＭまたは同類のものに入る期間が存在し得る。
【０３３７】
接続の観点から、例示的な実施形態において、分析物センサシステムは、動作７０５で、通信セッション７２０中に１つ以上のアドバタイズメントメッセージを伝送することができる。アドバタイズメントメッセージは、表示デバイス７１０が（例えば、トランシーバ３６０を介して）分析物センサシステム７０８とのデータ接続を確立するための招待とみなすことができる。図８は、本開示の種々の態様により（例えば、図７Ａを参照して、動作７０５および同類のもので）、いくつかの事例において、２つのデバイスの間の接続を確立する目的で伝送することができるアドバタイズメントメッセージ８００の例示的な構造を例示する。次いで、伝送されたアドバタイズメントメッセージは、（例えば、トランシーバ３２０を介して）表示デバイス７１０において受信することができる。認証の目的で、分析物センサシステムは、表示デバイスと識別番号を共有することができ、識別番号は、分析物センサシステムと関連付けられる。
【０３３８】
図７Ａで一例として例示されるいくつかの実施形態では、例えば、分析物センサシステム８が最近初めてオンにさたものであり、および／または現在いかなる表示デバイス７１０ともペアリングされていないので、分析物センサシステム７０８が初期のシステム設定に従事しなければならないことが想定される。例示として、ディスプレイ３４５（例えば、タッチスクリーンディスプレイ）に提示することができるＧＵＩ３４０を使用して、表示デバイス７１０で動作するカスタムアプリケーション（例えば、アプリケーション３３０）を介して、分析物センサシステム７０８と関連付けられた識別情報（例えば、シリアル番号）を入力することによって、表示デバイス７１０のユーザは、分析物センサシステム７０８が新しいのか、または表示デバイス７１０とのペアリングに今まで使用されたことがないのかを確認することができる。
【０３３９】
上で暗に言及したように、通信セッション７２０中に、認証プロシージャは、動作７０５ｂに対応するデータ接続プロセスおよび／または動作７０５ｄに対応するデータ伝送プロセスと関連して行う必要があり得る。分析物センサシステム７０８とのデータ接続を確立するために、分析物センサシステム７０８によって伝送されたアドバタイズメントメッセージを受信するまで、表示デバイス７１０は、連続的にリッスンまたはスキャンすることができる。動作７０５ａで、分析物センサシステムがアドバタイズメントメッセージを伝送し始めると、表示デバイス７１０がアドバタイズメントメッセージを受信し、それに応答するために、１つ、２つ、またはそれ以上のアドバタイズメントメッセージを受け取ることができる。いくつかの実施形態において、表示デバイス７１０のうちの１つが、例えば（例えば、動作７０５ｂの一部として）肯定応答を介して、および／または接続要求を送信することによって、アドバタイズメントメッセージを受信し、それに応答すると、分析物センサシステム７０８は、追加的なアドバタイズメントメッセージの送信を停止する。他の実施形態において、分析物センサシステムは、１つの表示デバイス７１０から応答を受信した後であっても、追加的なアドバタイズメントメッセージの送信を継続することができ、よって、別の表示デバイス７１０が、追加的なアドバタイズメントメッセージの１つを受信し、応答することができる。
【０３４０】
故に、動作７０５ｂは、分析物センサシステムが、表示デバイス７１０から接続要求を受信し、要求を許可または拒否することによって、該接続要求に応答することを含むことができる。分析物センサシステム７０８が接続要求を許可した場合は、動作７０５ｂの一部として、肯定応答または他のメッセージを表示デバイス７１０に伝送することができる。次いで、分析物センサシステム７０８と表示デバイス７１０との間のデータ接続を確立することができる。それでもやはり、動作７０５ｃに従って、動作７０５ｄでデータが実際に交換される前に、認証プロシージャを用いることができる。認証は、一方向または双方向ハンドシェイクプロセスに従って、分析物センサシステムと表示デバイスとの間で、チャレンジおよびハッシュ値、ならびにそれらに関連するシグナリングを含む種々のメッセージを交換することを含むことができる。
【０３４１】
例えば、動作７０５ｃの一部として、表示デバイス７１０は、分析物センサシステム７０８からチャレンジ値を要求することができる。この要求に応答して、分析物センサシステム７０８は、表示デバイス７１０にチャレンジ値を送信する。次いで、表示デバイスは、分析物センサシステム７０８から受信したチャレンジ値および分析物センサシステム７０８と関連付けられた識別情報の両方に基づいて、ハッシュ値を生成することができる。動作７０５ｃのさらに別の一部として、表示デバイスは、次いで、分析物センサシステム７０８にハッシュ値を伝送することができる。表示デバイス７１０は、追加的な情報（例えば、表示デバイスが医療用デバイスであるか、パーソナル電子デバイスであるかといった、例えば、表示デバイス７１０の種類に関連する情報）も伝送することができる。
【０３４２】
分析物センサシステム７０８は、（例えば、トランシーバ３６０を介して）表示デバイス７１０からハッシュ値を受信し、ハッシュ値から識別情報を復号化し、そして、受信した識別情報が、分析物センサシステム７０８の記憶装置３６５に事前（分析物センサシステム７０８の製造／セットアップ中等）に記憶されたものであり得る分析物センサシステム７０８と関連付けられた識別情報にマッチすることを検証する。分析物センサシステム７０８はまた、（例えば、以前に送信したチャレンジ値に基づいて）受信したハッシュ値と分析物センサ７０８が生成したミラーハッシュ値とを比較することによって、表示デバイス７１０から受信したハッシュ値を検証することができる。検証に応じて、分析物センサシステム７０８は、表示デバイス７１０に、認証の成功を確認する信号を送信することができる。認証されると、分析物センサシステム８および表示デバイス１１０、１２０、１３０、１４０は、情報を交換して、データをどのように交換するのか（例えば、特定の周波数、タイムスロットの割り当て、暗号化、その他）を判定することができる。図１２Ｃはまた、上で説明したハンドシェイクプロセスの態様も例示する。
【０３４３】
上で説明したプロセスは、一方向認証プロシージャとみなすことができる。双方向認証プロシージャ（図７Ａには特に図示しないが、例えば、図１２Ｂを参照されたい）中に、動作７０５ｃの一部として追加的な動作を行うことができる。例えば、表示デバイス７１０から分析物センサシステム７０８に伝送されるハッシュ値に加えて、表示デバイス７１０はまた、分析物センサシステム７０８に新しいチャレンジ値を送信することができる。次いで、分析物センサシステム７０８は、表示デバイス７１０から受信した新しいチャレンジ値を使用して、追加的なハッシュ値を生成し、表示デバイス７１０に追加的なハッシュ値を伝送し戻すことができる。追加的なハッシュ値を受信すると、表示デバイス７１０は、追加的なハッシュ値を検証することができる。例示的な実現形態において、分析物センサシステム７０８から受信した追加的なハッシュ値の検証は、表示デバイス７１０によって、受信した追加的なハッシュ値と（例えば、以前に送信した新しいチャレンジ値に基づいて）表示デバイス７１０が生成したミラーハッシュ値とを比較することによって行うことができる。この様態で、双方向認証を分析物センサシステム７０８と表示デバイス７１０との間で行うことができる。認証に続いて、データが有効な（または、承認された）デバイスによって、およびそこから受信されているという理解の下で、データを交換することができる。数多くの様々な動作７０５ｃおよびそのサブ動作が本開示において企図されることが認識されるであろう。例えば、分析物センサシステム７０８および表示デバイス７１０は、動作７０５ｃに関する役割を逆にすることができる。すなわち、動作７０５ｃは、分析物センサシステム７０８が表示デバイス７１０からチャレンジ値を要求することによって開始し、したがって、上で説明した動作をトリガーすることができるが、分析物センサシステム７０８と表示デバイス７１０との間で逆の方向である。
【０３４４】
さらに、通信セッション７２０はまた、分析物センサシステム７０８と表示デバイス７１０との間でアプリケーション鍵を交換することも含むことができる。例えば、上で述べた認証プロセスにおいて、分析物センサシステム７０８と関連付けられた識別情報は、分析物センサシステム７０８と表示デバイス７１０との間で伝送されるデータおよび他のシグナリングを暗号化するために、アプリケーション鍵として使用することができる。動作７０５ｃと関連して説明したチャレンジおよびハッシュ値の交換によって、そのようなアプリケーション鍵は、分析物センサシステム７０８と表示デバイス７１０との間で効果的に共有することができる。したがって、本開示の実施形態において、アプリケーション鍵は、認証および暗号化両方の目的で使用することができる。アプリケーション鍵は、いくつかの事例において、乱数とすることができる。いくつかの場合において、アプリケーション鍵は、（例えば、チャレンジ値、その他として）分析物センサシステム７０８と表示デバイス７１０との間で（暗号化または非暗号化にかかわらず）そのまま交換することができる。他の事例では、実際のアプリケーション鍵が交換されるのではなく、チャレンジおよびハッシュ値を交換することによって、アプリケーション鍵を、分析物センサシステム７０８および表示デバイス７１０によってそれぞれ導出することができる。このように、例えば、アプリケーション鍵は、例えば分析物センサシステム７０８によって使用して、表示デバイス７１０に伝送する分析物データを暗号化することができ、表示デバイス７１０は、アプリケーション鍵を使用して、受信した分析物データを解読することができる。当然ながら、他の交換情報も同様に暗号化することができる。
【０３４５】
例示的な配置において、アプリケーション鍵は、分析物センサシステム７０８および／または表示デバイス７１０のソフトウェア／アプリケーションレベルで生成することができる。いくつかのそのような配置では、アプリケーション鍵だけを交換し（すなわち、いかなるハッシュおよびチャレンジも交換しない）、次いで、認証および暗号化に使用することができる。アプリケーション鍵は、例えば、ランダムに生成された数とすることができる。代替的に、ソフトウェア生成のアプリケーション鍵を、認証および暗号化の目的で、ハッシュ／チャレンジ値に加えて交換することができる。暗号化は、例えば上で説明したように、種々の実施形態において、認証中に、または認証後に、またはその両方において、並行して行うことができる。
【０３４６】
アプリケーション鍵は、例示的な実施形態において、サーバシステム３３４から取得することができる。いくつかのそのような実施形態において、記憶装置３３４ｂは、分析物センサシステム７０８（例えば、識別番号）およびアプリケーション鍵と関連付けられた識別情報を含むことができる。識別情報は、単にアプリケーション鍵にマッピングすることができ、および／または識別情報は、いくつかの事例において、ハッシュすること、または別様にアプリケーション鍵と組み合わせることができる。表示デバイス７１０は、サーバシステム３３４にメッセージを送信することによって、そのような情報を要求することができ、該メッセージは、識別情報の少なくとも一部を含む。一例として、表示デバイス７１０は、サーバシステム３３４に、特定の分析物センサシステム７０８の識別番号を含むアドバタイズメントメッセージを送信することができる（この識別番号は、分析物センサシステム７０８との少なくとも部分的なペアリングを通して受信したものであり得る）。それに応じて、サーバシステム３３４は、表示デバイス７１０に、関連する分析物センサシステム７０８のアプリケーション鍵を提供することができる。アプリケーション鍵を受信した後に、表示デバイス７１０は、この鍵を使用して、分析物センサシステム７０８を認証／通信し、そこから受信した暗号化された情報を解読することができる（さらに、そこに送信される情報を暗号化することもできる）。
【０３４７】
いくつかの事例において、分析物センサシステム７０８は、分析物センサシステム７０８の識別情報に基づいて、特定のアプリケーション鍵を特定の表示デバイス７１０と関連付けるマッピングを（例えば、記憶装置３６５に）を含むことができる。このように、認証は、サーバシステム３３４から表示デバイス７１０によって受信したアプリケーション鍵に基づいて行うことができ、アプリケーション鍵は、分析物センサシステム７０８によって送信した分析物データの暗号化／解読のために使用することができる。このようにして、分析物センサ７０８と所与の表示デバイス７１０との間の通信（暗号化されたデータの共有を含む）に関する許可を管理／確立することができる。他の事例において、例えば、アプリケーション鍵が分析物センサシステム７０８の識別番号と関連付けられている場合、分析物センサシステム７０８は、該識別番号に基づいて、予期されるアプリケーション鍵を導出することができ、そして、該予期されるアプリケーション鍵を、表示デバイス７１０から受信したときに、アプリケーション鍵に関する情報と比較して、表示デバイス７１０とのデータ交換が許可されていることを判定することができる。
【０３４８】
代替的または追加的に、アプリケーション鍵を交換することは、ＷｉＦｉまたはＮＦＣを使用して、分析物センサシステム７０８と表示デバイス７１０との間で直接行うことができる。アプリケーション鍵を交換することは、外来または未知のデバイスによる傍受を回避するために、隔離したおよび／または安全な領域（ユーザの家等の）において、分析物センサシステム７０８と表示デバイス７１０との間でアプリケーション鍵を共有することを含むことができる。加えて、アプリケーション鍵は、次に、さらなるセキュリティのために、追加的な鍵によって暗号化することができる。鍵の特性は、暗号化されるデータの種類、ネットワーク環境、およびユーザ設定、のうちの１つ以上に基づくことができる。一例として、アプリケーション鍵を使用して適用される暗号化方法は、高度暗号化規格（ＡＥＳ）１２８に基づくことができる。代替的または追加的に、専用の暗号化方法を使用することができる。そのような暗号化方法は、いくつかの事例では表示デバイス７１０上で動作するアプリケーション（例えば、アプリケーション３３０）上を含む、表示デバイス７１０上で動作することができる。
【０３４９】
用いられる暗号化スキームの複雑さは、所望のセキュリティのレベルに基づくことができる。例えば、異なるレベルの複雑さを、異なる種類のデータに用いることができる。例えば較正データまたは時間同期化データと比較して、より複雑な暗号化スキームを、分析物データ（例えば、推定されたグルコース値）を交換するために用いることができる。アプリケーション鍵の特性はまた、異なるシナリオによって変動させることもできる。一例として、アプリケーション鍵の長さは、所望のセキュリティの量および／または用いられている暗号化スキームもしくはプロトコルに基づいて選択することができる。暗号化スキームは、いくつかの事例において、ハッシュ値の交換と関連して使用することができるソルトを用いることができ、ソルトは、暗号化し、分析物センサシステム７０８と表示デバイス７１０との間で交換することができる。
【０３５０】
アプリケーション鍵はまた、適宜、トリガーされたイベントに基づいて、ランダムに、および／または定期的に修正することもできる。これは、例えば、所定の時間量の経過、そのサブシステムの分析物センサシステム７０８、または表示デバイス７１０の再起動、分析物センサシステム７０８に接続しようとする別のデバイス（例えば、ルージュデバイス）に関連するトリガー、および／またはユーザ入力、に応答して行うことができる。例えば、アプリケーション鍵は、所定の時間量の経過後に期限切れになるように構成することができ、また、その後にリフレッシュまたは新しくすることができる。代替的または追加的に、分析物センサシステム７０８および／または表示デバイス７１０が再起動した、または遮断を経験した場合、新しいアプリケーション／暗号化キーを生成し、分析物センサシステム７０８と表示デバイス７１０との間で共有することができる。いくつかの事例において、アプリケーション鍵は、鍵ローテーションスキームに従って修正することができる。その上、アプリケーション鍵を修正することができる頻度は、所望のセキュリティレベルに従って変動させることができる（例えば、より頻繁な修正が、増加したセキュリティレベルに対応する）。
【０３５１】
さらに図７Ａを参照すると、動作７０５ｃによる認証プロセスの完了後に、分析物センサシステム７０８および接続された表示デバイス７１０は、動作７０５ｄで、データ通信に従事し、その間、接続された表示デバイス７１０は、分析物センサシステム７０８から所望の情報（例えば、分析物データ、制御情報、識別情報、および／または命令）を要求し、受信することができる。動作７０５ｄのデータ通信が完了したときに、動作７１５で、（例えば、確立した通信チャネルを閉じることによって）データ接続を終了することができる。この時点で、分析物センサシステム７０８のトランシーバ３６０および／またはプロセッサ３８０（または図４を参照して、無線４２５およびプロセッサ４２０）を停止することができる。これは、例えば、トランシーバ３６０および／またはプロセッサ３８０（その他）をＬＰＭモードまたは同類のもの、例えばスリープもしくは停止モードに入らせることによって行うことができる。いくつかの実施形態において、トランシーバ３６０（または無線４２５）は、スリープモード中に、完全に電力が遮断される。他の実施形態において、トランシーバ３６０は、通常の電流／電力のごくわずかな割合（例えば、１〜１０％）だけを使用する低電力モードである。図７Ａにおいて、一般に動作７１５に対応するこの期間は、Ｔ停止として表される。
【０３５２】
図７Ｂは、例示として、分析物センサシステム７０８と表示デバイス７１０との間で分析物データを無線通信するための方法７０２による、分析物センサシステム７０８と表示デバイス７１０との間の典型的な断続通信スキームの一実施例を提供する。図７Ｂに示されるように、方法７０２は、通信セッション７２０の多数の発生を含む。通信セッション７２０は、Ｔ間隔の時間長さを有して生じる。その後に、本明細書で説明される種々の実施形態において、Ｔ間隔と同じであり得るか、または異なり得る、Ｔ間隔’の時間長さを有する通信セッション７２０’が生じる。
【０３５３】
したがって、分析物センサシステム７０８と表示デバイス７１０との間の典型的な断続通信スキームにおいて、上で述べた接続および認証プロセスは、その後のデータ通信のそれぞれについて（例えば、Ｔ間隔によって表される時間に従って）定期的に繰り返すことができることが認識されるであろう。例えば、プロセスは、任意のデータ（例えば、分析物値）が通信される前に、最高で２０以上のメッセージの交換を含むことができる。さらに、プロセスは、メッセージの交換に失敗した場合、またはパケットをドロップした場合に再起動することができる。これは、分析物センサシステム７０８のバッテリの消耗をもたらす場合がある。
【０３５４】
故に、本開示の態様は、改善された認証スキームを含む。本開示の改善された認証スキームは、分析物センサシステム７０８とそれに接続している表示デバイス７１０との間で交換されるメッセージングの量を低減させ、一方で、分析物センサシステム７０８と表示デバイス７１０との間で通信される分析物および他のデータに対する十分なセキュリティレベルを維持する。この様態で、分析物センサシステム７０８と表示デバイス７１０との間の通信と関係する複雑さおよびネットワーク負荷を低減させることができ、したがって、そのような通信の全体的な信頼性、およびそれと関係する電力消費を改善させることができる。一般に、改善された認証スキームは、分析物センサシステム７０８と表示デバイス７１０との間の認証および接続に、ならびに実施形態におけるデータの暗号化にアプリケーション鍵を少なくとも使用する、上で述べた（例えば、動作７０５ｃでの）通信セッション７２０の認証プロセスを通してステップを進めることと、次いで、その後の接続および／または通信セッションの認証プロセスをバイパスすることと、を含む。
【０３５５】
したがって、断続接続モデルを用いた分析物センサシステム７０８と表示デバイス７１０との間のいくつかの断続通信スキームにおいて、上で述べた接続および認証プロセスは、その後のデータ通信のそれぞれについて（例えば、Ｔ間隔によって表される時間に従って）定期的に繰り返すことができることが認識されるであろう。例えば、プロセスは、任意のデータ（例えば、分析物値）が通信される前に、最高で２０以上のメッセージの交換を含むことができる。さらに、プロセスは、メッセージの交換に失敗した場合、またはパケットをドロップした場合に再起動することができる。これは、分析物センサシステム７０８のバッテリの消耗をもたらす場合がある。
【０３５６】
同様に、分析物センサシステム７０８と表示デバイス７１０との間に連続接続モデルを用いるいくつかの連続的に接続された通信スキームでは、例えば、接続が失われ、その後に再度獲得した場合、接続モデルが更新された場合、接続パラメータが更新された場合、接続モデルが断続接続モデルから連続接続モデルに切り換えられた場合、その他の場合等に、接続および認証プロセスを繰り返すことができることが認識されるであろう。例示の目的で簡潔に図７Ｊを参照すると、連続接続モデルに従って分析物データを通信するための方法７２２は、任意のデータを交換する前に通信することができる種々のメッセージを含む。例えば、動作７９５ａで、アドバタイズメントメッセージを送信することができ、次いで、動作７９５ｂで、データ接続および接続パラメータメッセージングを交換することができ、次いで、動作７９５ｃで、認証／暗号関連のメッセージを交換することができる。
【０３５７】
したがって、種々の接続モデルについて、一定間隔で、または別様に回避できるときに、認証プロセスを繰り返すことを低減させるために、またはいくつかの事例において、排除するために、認証プロセスを合理化し、一方で、セキュリティおよびデータ保護の十分なレベルを維持する必要性が存在する。
【０３５８】
故に、本開示の態様は、断続接続モデルおよび連続接続モデルのための改善された認証スキームを含む。本開示の改善された認証スキームは、そこに接続された分析物センサシステム７０８と表示デバイス７１０との間で交換されるメッセージングの量を低減させ、一方で、分析物センサシステム７０８と表示デバイス７１０との間で通信される分析物および他のデータの十分なセキュリティレベルを維持する。この様態で、分析物センサシステム７０８と表示デバイス７１０との間の通信と関係する複雑さおよびネットワーク負荷を低減させることができ、したがって、そのような通信と関係する全体的な信頼性および電力消費を改善させることができる。
【０３５９】
一般に、改善された認証スキームは、分析物センサシステム７０８と表示デバイス７１０との間の認証および接続に、ならびに実施形態におけるデータの暗号化にアプリケーション鍵を少なくとも使用する、上で述べた（例えば、動作７０５ｃでの）通信セッション７２０または（例えば７９５ｃでの）通信セッション７８０の認証プロセスを通してステップを進めることと、次いで、その後の接続、通信セッション、および／またはデータ交換において認証プロセスをバイパスすることと、を含む。例えば、本明細書で説明されるように、断続接続モデルおよび／または連続接続モデルの場合、認証プロセスは、その後の接続および／または通信セッションにおいてバイパスすることができる。および、いくつかの事例において、例えば連続接続モデルの場合、認証プロセスを繰り返すことは、認証された接続を維持し、続いて、認証を開始することによって、回避することができる。断続接続モデルおよび連続接続モデルの両方に関して、認証の目的で使用されるアプリケーション鍵はまた、その後に交換されるデータの暗号化／コード化にも使用することができる。
【０３６０】
以下、図７Ｃを参照すると、分析物センサシステム７０８と表示デバイス７１０との間で分析物データを無線通信するための方法７０４が、上で暗に言及した、改善された認証スキームの実現形態と関連して例示される。方法７０４は、分析物センサシステム７０８と表示デバイス７１０との間の第１の接続を確立することを含む。これは、通信セッション７２０と関連して生じ得る。このように、第１の接続を確立することは、（例えば、例えば動作７０５ｃで、アプリケーション鍵に関連する情報の交換に基づいて）分析物センサシステム７０８と表示デバイス７１０との間で双方向認証を行うことを含むことができる。
【０３６１】
方法７０４はまた、分析物センサシステムと表示デバイス７１０との間の第２の接続を確立することを含む。図７Ｃに示されるように、実施形態において、これは、通信セッション７２５と関連して生じさせることができる。より具体的には、図７Ｃに示されるように、通信セッション７２５は、Ｔ間隔と同じであり得るか、または異なり得る、時間間隔Ｔ間隔’中に実施することができる。Ｔ間隔’は、Ｔ起動’に対応する起動部分を含むことができ、停止部分は、Ｔ停止’に対応する。Ｔ起動’中に、通信セッション７２５は、動作７３５およびそのサブ動作を含むことができる。
【０３６２】
ここで、通信セッション７２５において、第２の接続を確立することが、（例えば、動作７０５ｃで）通信セッション７２０に含まれ得る認証プロセスを含む必要がないことに留意されたい。むしろ、動作７３５ａおよび７３５ｂで、アドバタイズメントおよび接続を生じさせることができ、この様態で第２の接続を確立した時点で、方法７０４は、動作７３５ｄでのデータ伝送を含む。より具体的には、動作７３５ｄで、分析物センサシステム７０８は、例えば、表示デバイス７１０によって送信されたデータの要求に応答して、表示デバイス７１０に暗号化された分析物値および他のデータを伝送することができる。暗号化された分析物値は、通信セッション７２０の認証プロセスにおいて、認証に使用されるアプリケーション鍵を使用して暗号化されたものであり得、および／または暗号鍵の使用を含むことができる。アプリケーション鍵を使用して伝送を暗号化することで、通信セッション７２５中に行われている認証プロシージャがない場合であっても、プライバシー／セキュリティを維持することができる。換言すれば、通信セッション７２５において、双方向認証を含む、上で説明した認証プロセスをバイパスすることができる。この様態で、第２の接続を確立する際に交換されるメッセージの数（したがって、電力消費）を低減させることができる。その上、アプリケーション鍵はまた、分析物センサ７０８と表示デバイス７１０との間で交換される暗号化されたデータを解読するためにも使用することができる。例えば、動作７３５ｄ中に、表示デバイス７１０は、分析物センサ７０８から受信した暗号化されたデータ（例えば、暗号化されたグルコースデータを含み得る、暗号化された分析物データ）を解読することができ、逆もまた同じである。
【０３６３】
動作７３５ｄで、データ通信が完了すると、動作７４５で、データ接続を終了することができる。この時点で、分析物センサシステム７０８のトランシーバ３６０および／またはプロセッサ３８０（または図４を参照して、無線４２５およびプロセッサ４２０）を停止することができる。図７Ｃにおいて、一般に動作７４５に対応するこの期間は、Ｔ停止’として表される。
【０３６４】
この時点で、用いられている接続モデル、または上で説明した通信セッションのうちのどれが使用されているのかにかかわらず、アプリケーション鍵は、所定の、構成可能な、可変の、プログラム可能な、および／または適合可能な間隔で更新すること、および／またはデバイス間で共有することができることに留意されたい。いくつかの事例において、接続確立中またはその後に、表示デバイス７１０および分析物センサシステム７０８は、アプリケーション鍵が共有される、および／または更新される間隔について交渉することができる。
【０３６５】
図７Ｄは、上に論じられる改善された認証スキームの実現形態と関連して、分析物センサシステム７０８と表示デバイス７１０との間で分析物データを無線通信するための方法７０６の例示的な実現形態を例示する。図７Ｄに示されるように、方法７０６は、通信セッション７２０を含む。通信セッション７２０は、Ｔ間隔の時間長さを有して生じる。その後に、本明細書で説明される種々の実施形態において、Ｔ間隔と同じであり得るか、または異なり得る、Ｔ間隔’の時間長さを有する通信セッション７２５のインスタンスが生じる。次いで、本明細書で説明される種々の実施形態において、Ｔ間隔’と同じであり得るか、または異なり得る、Ｔ間隔’’の時間長さを有する通信セッション７２５’のインスタンスが生じる。通信セッション７２５’は、潜在的に異なるインターバル長を有することを除いて、通信７２５と実質的に類似し得る。
【０３６６】
通信７２５、７２５’、その他の１つ以上のインスタンスを有する通信セッション７２０に従うことによって、分析物データの通信中に交換されるメッセージの全体的な数（したがって、電力消費）を低減させることができる。しかしながら、ここで、いくつかの事例において、１つ以上の接続について通信セッション７２５、７２５’、その他を実施した後に、方法７０６が通信セッション７２０に復帰することを含み得ることに気付くであろう。これは、適応的に、またはユーザ入力に基づいて行うことができ、また、セキュリティの目的で、ネットワーク状況またはトリガーされたイベント（例えば、危険なデバイスによる接続の試行）に基づいて行うことができる。換言すれば、上で論じたように、時々通信セッション７２０に復帰して、例えば新しい／修正されたアプリケーション鍵に関する情報を交換することは、セキュリティの強化を可能にすることができる。
【０３６７】
以下、図７Ｅを参照すると、分析物センサシステム７０８と表示デバイス７１０との間で分析物データを無線通信するための方法７１２が、上で暗に言及した、改善された認証スキームの実現形態と関連して例示される。方法７１２は、分析物センサシステム７０８と表示デバイス７１０との間の第１の接続を確立することを含む。これは、Ｔ間隔に対応する通信セッション７２０と関連して生じ得る。このように、第１の接続を確立することは、分析物センサシステム７０８と表示デバイス７１０と間で双方向認証を行うことを含むことができる。
【０３６８】
方法７１２はまた、Ｔ間隔と同じであり得るか、または異なり得る、時間間隔Ｔ間隔中に実施することができる、通信セッション７４０を確立することも含む。Ｔ間隔’は、Ｔ起動’に対応する起動部分を含むことができ、停止部分は、Ｔ停止’に対応する。Ｔ起動’中に、通信セッション７４０は、動作７６５およびそのサブ動作を含むことができる。
【０３６９】
ここで、通信セッション７４０が、分析物センサシステム７０８と表示デバイス７１０との間の第２の接続を確立することを含まない場合があることに留意されたい。例えば、通信セッション７４０は、例示されるように、通信セッション７２５と関連して図７Ｃに示される動作７３５ｂのデータ接続態様を含まない。通信セッション７４０はまた、例示されるように、（例えば、動作７０５ｃで）通信セッション７２０に含まれ得る認証プロセスも含まない。むしろ、動作７６５ａで、方法７１２は、表示デバイス７１０に１つ以上のアドバタイズメントメッセージを送信することを含む。
【０３７０】
このように、通信セッション７４０の一部として、分析物センサシステム７０８は、（例えば、動作７６５ａ中に）第１のアドバタイズメントメッセージを伝送することができる。第１のアドバタイズメントメッセージは、少なくとも分析物値の第１の部分を含むことができる。分析物値は、伝送の前に（例えば、アプリケーション鍵を用いて）暗号化されている必要がない場合がある。換言すれば、通信セッション７４０に関して、分析物センサシステム７０８は、１つ以上のアドバタイズメントメッセージを使用して、アドバタイズメントメッセージに含まれ得る他の情報に加えて、暗号化されたもしくは暗号化されていない分析物値もしくは分析物データ、ならびに／または他のシグナリング（例えば、例えばタイミングおよび制御情報）を伝送することができる。
【０３７１】
いくつかの事例において、図８を参照してさらに詳細に説明されるように、例えば、アドバタイズメントメッセージは、パケットの形態をとることができる。一例として、分析物値（暗号化されているかどうかにかかわらず）は、アドバタイズメントメッセージパケット内の予約済みフィールドに含むことができる。具体的には、いくつかの事例において、パケット内の製造データまたは他のスロットは、１バイト以上の予約済みフィールドを含むことができる。この予約済みフィールドは、分析物データまたはペイロードの他の形態をアドバタイズメントメッセージに含むことができる方法の１つの例である。上で暗に言及したように、分析物値に加えて、またはその代わりに、アドバタイズメントメッセージはまた、分析物値と関連付けられたタイムスタンプも含むことができる。
【０３７２】
しかしながら、いくつかの例示的な実現形態では、分析物値および関連付けられたタイムスタンプの両方のアドバタイズメントメッセージ／パケットの空間が不足する場合がある。いくつかのそのような事例において、方法７１２は、これは、（暗号化された）分析物値および関連付けられたデータを含み得るペイロードを多数の部分に分割することを含むことができる。次いで、第１のアドバタイズメントメッセージは、第２のアドバタイズメントメッセージが分析物値および／または関連付けられたデータの第２の部分を含むことを示すことができる。第１のアドバタイズメントは、ペイロードの第１の部分にタグ付けすることによってそのように示すことができ、タグは、表示デバイス７１０が、その後のアドバタイズメントメッセージがペイロードの第２の部分を含むことができるアドバタイズメントメッセージを受信することを表す。
【０３７３】
上で述べた、ペイロードの第１の部分にタグ付けすることは、種々の形態をとることができる。例えば、比較的シンプルなタグは、その後のアドバタイズメントメッセージがペイロードの第２の部分を含むことだけを示すことができる。比較的複雑なタグは、ペイロードの第２の部分に含まれるコンテンツの種類、またはアドバタイズメントメッセージの間でペイロードがどのように分割または分散されているのかを追加的に示すことができる。第１の部分は、例えば、暗号化された分析物値を含むことができ、適用されたタグは、その後のアドバタイズメントメッセージが、関連付けられたタイムスタンプを含むことを示すことができる。
【０３７４】
換言すれば、通信セッション７４０に従って、表示デバイス７１０に分析物データを通信する目的で、動作７６５ａ中に、アドバタイズメントメッセージを伝送することができる。アプリケーション鍵を使用してペイロードを暗号化することで、通信セッション７４０中に行われている認証プロシージャがない場合であっても、プライバシー／セキュリティを維持することができる。換言すれば、通信セッション７４０において、双方向認証を含む、上で説明した認証プロセスをバイパスすることができる。同様に、ペイロードがアドバタイズメントメッセージに含まれるので、データ接続要求およびデータ伝送プロセス（例えば、それぞれ、動作７３５ｂおよび７３５ｄ）もバイパスまたは回避することができる。この様態で、通信セッション７４０に従って交換されるメッセージの数（したがって、電力消費）を、他の通信セッションと比較して低減させることができる。
【０３７５】
図７Ｅに戻ると、通信セッション７４０はまた、動作７６５ｂで、肯定応答（ＡＣＫ）メッセージを送信することによって、表示デバイス７１０が、動作７６５ａ中に送信されたアドバタイズメントメッセージ（複数可）の確認応答を受信することを含むことができる。いくつかの事例において、この肯定応答は、分析物センサシステム７０８と確認応答する表示デバイス７１０との間のデータ接続プロセスをトリガーすることができる。例えば、分析物センサシステム７０８は、次に、表示デバイス７１０にＡＣＫを送信し、したがって、接続を形成することができる。動作７６５ｂと関連して確立されたデータ接続プロセスは、例示的な配置において、アプリケーションおよび／もしくは暗号化キー（複数可）を新しくするために、ならびに／または較正データ、タイミング情報、および同類のもの等の他のデータを交換するために使用することができる。動作７６５で通信が完了すると、データ伝送は、動作７７５で、終了することができる。この時点で、分析物センサシステム７０８のトランシーバ３６０および／またはプロセッサ３８０（または図４を参照して、無線４２５およびプロセッサ４２０）を停止することができる。図７Ｅにおいて、一般に動作７７５に対応するこの期間は、Ｔ停止’として表される。
【０３７６】
図７Ｆは、上に論じられる改善された認証スキームの実現形態と関連して、分析物センサシステム７０８と表示デバイス７１０との間で分析物データを無線通信するための方法７１４の例示的な実現形態を例示する。図７Ｆに示されるように、方法７１４は、通信セッション７２０を含む。通信セッション７２０は、Ｔ間隔の時間長さを有して生じる。その後に、本明細書で説明される種々の実施形態において、Ｔ間隔と同じであり得るか、または異なり得る、Ｔ間隔’の時間長さを有する通信セッション７４０のインスタンスが生じる。次いで、本明細書で説明される種々の実施形態において、Ｔ間隔’と同じであり得るか、または異なり得る、Ｔ間隔’’の時間長さを有する通信セッション７４０’のインスタンスが生じる。通信セッション７２５’は、潜在的に異なるインターバル長を有することを除いて、通信７２５と実質的に類似し得る。
【０３７７】
通信セッション７４０、７４０’、その他の１つ以上のインスタンスを有する通信セッション７２０に従うことによって、分析物データの通信中に交換されるメッセージの全体的な数（したがって、電力消費）を低減させることができる。しかしながら、ここで、いくつかの事例において、１つ以上の接続について通信セッション７４０、７４０’、その他を実施した後に、方法７１４が通信セッション７２０に復帰することを含み得ることに留意されたい。これは、適応的に、またはユーザ入力に基づいて行うことができ、また、セキュリティの目的で、ネットワーク状況またはトリガーされたイベント（例えば、危険なデバイスによる接続の試行）に基づいて行うことができる。換言すれば、時々通信セッション７２０に復帰することは、セキュリティの強化を可能にすることができる。
【０３７８】
図７Ｇは、上に論じられる改善された認証スキームの実現形態と関連して、分析物センサシステム７０８と表示デバイス７１０との間で分析物データを無線通信するための方法７１６の例示的な実現形態を例示する。図７Ｇに示されるように、方法７１６は、通信セッション７６０を含む。方法７１６の例示的な配置において、通信セッション７６０は、第１の無線プロトコルを使用して、分析物センサシステム７０８と表示デバイス７１０との間の潜在的な通信に関連する、ペアリング、アプリケーション鍵、およびタイミングパラメータに関連する情報の交換を含む。しかし、そのような交換は、特定の種類の無線プロトコルを使用して合理化することができる。一例として、第１の無線プロトコルは、ＷｉＦｉまたは近距離無線通信（ＮＦＣ）とすることができる。他の例において、第１の無線プロトコルは、ＲＦＩＤ、別の近接度に基づく無線接続、または同類のものを利用することができる。
【０３７９】
この様態においては、（例えば、図７Ａを参照して、動作７０５ｃに従って）ＢＬＥを使用して生じ得るような認証を、多数のメッセージの典型的に関連付けられた交換とともに、迂回することができる。例示として、ＮＦＣは、分析物センサシステム７０８と表示デバイス７１０との間で使用して、ペアリング、暗号化情報（例えば、アプリケーション鍵情報および／またはスキーム）、アドバタイジングパラメータ（例えば、頻度／期間、持続時間、タイミング、および／またはアドバタイズメントの性質を含む）、接続間隔情報、および表示デバイス７１０に関連する情報（例えば、表示デバイスの種類、選好、その他）等の情報を交換することができる。次いで、交換した情報を、表示デバイス７１０によって使用して、分析物センサシステム７０８によって伝送された分析物値を受信し、解読する（適用可能な場合）ことができる。この様式で、ＮＦＣを使用して、認証関連の情報を交換することで、分析物センサシステム７０８のバッテリ寿命を延ばすことができ、また、分析物センサシステム７０８と表示デバイス７１０との間の通信の信頼性を高めることができる。
【０３８０】
図７Ｇに示されるように、通信セッション７６０を使用して、情報を交換した後に、Ｔ間隔の時間長さを有する通信セッション７４０が生じる。いくつかの配置において、例えば接続を確立し、分析物値を伝送することを含む、通信セッション７４０は、通信セッション７６０と関連して使用される第１の無線プロトコルとは異なる、第２の無線プロトコルを使用して実行することができる。第２の無線プロトコルは、例えば、Ｂｌｕｅｔｏｏｔｈ（登録商標）低エネルギー（ＢＬＥ）とすることができる。本明細書で説明される種々の実施形態において、Ｔ間隔と同じであり得るか、または異なり得る、Ｔ間隔’の時間長さを有する通信セッション７４０が生じる。次いで、本明細書で説明される種々の実施形態において、Ｔ間隔と同じであり得るか、または異なり得る、Ｔ間隔’’の時間長さを有する通信セッション７４０’のインスタンスが生じ得る。
【０３８１】
図７Ｇをさらに参照すると、通信セッション７４０、７４０’、その他の１つ以上のインスタンスの前に通信セッション７６０を使用することに従うことによって、特に上で説明した認証プロセス、およびペアリング情報の交換、および同類のものをペアリングすることの交換に関して、分析物データを通信するために交換される全体的なメッセージの数（したがって、電力消費）を低減させることができる。しかしながら、ここで、いくつかの事例において、１つ以上の接続について通信セッション７４０、７４０’、その他を実施した後に、方法７１６が通信セッション７６０に復帰することを含み得ることに留意されたい。これは、適応的に、またはユーザ入力に基づいて行うことができ、また、セキュリティの目的で、ネットワーク状況またはトリガーされたイベント（例えば、危険なデバイスによる接続の試行）に基づいて行うことができる。換言すれば、時々通信セッション７６０に復帰することは、セキュリティの強化を可能にすることができる。
【０３８２】
図７Ｈは、上に論じられる改善された認証スキームの実現形態と関連して、分析物センサシステム７０８と表示デバイス７１０との間で分析物データを無線通信するための方法７１８の例示的な実現形態を例示する。いくつかの点において、方法７１８は、方法７１６に実質的に類似する。１つの違いは、通信セッション７６０を実施した後に、方法７１８が、通信セッション７４０ではなく、通信セッション７２５を実施することを含むことである。その後に、これは、本明細書で説明される種々の実施形態において、Ｔ間隔と同じであり得るか、または異なり得る、Ｔ間隔’’の時間長さを有する通信セッション７２５’のインスタンスが生じ得る。しかしながら、上で説明した種々の通信セッション（例えば、７２０、７２５、７４０、７６０）は、上で説明した方法に従って混合し、マッチさせることができることが認識されるであろう。
【０３８３】
改善された認証スキームはまた、図３Ａを参照してサーバシステム３３４の態様を含む、リモートサービスまたはクラウドサーバのユーザによって容易にすることもできる。これに関して、図１４は、例えば分析物データを無線通信するための方法に関連して本開示の実施形態に従って行うことができる種々の動作を例示する動作フロー図である。例示の目的で、ここでは、図３Ａおよび図７Ａ〜７Ｋ、図１０Ｄ、ならびにそれらの中に示される構成要素の符号を参照する。それでもやはり、当業者は、本開示を研究すれば、本開示の他の図からの類似する構成要素が、図１４の説明の範囲に含まれ得ることを認識するであろう。
【０３８４】
図１４に示される実施形態は、分析物データを無線通信するための方法１４００の態様を含む。方法１３００は、動作で１４０５Ａで、分析物センサシステム３０８と表示デバイス３１０の間の第１の接続を確立することを含み、ここで、分析物センサシステム３０８は、一組の分析物センサシステム３０８ａ、３０８ｂ、その他のうちの１つである。（例えば、図１０Ｄを参照されたい）。動作１４０５Ｂで、方法１４００は、随意に、サーバシステム３３４が、一組の分析物センサシステム（例えば、図１０Ｄを参照して、３０８ａ、３０８ｂ、その他）のうちの各分析物センサシステム（例えば、３０８）について、アプリケーション鍵を分析物センサシステム３０８の識別情報と関連付けることを含む。動作１４０５Ｃで、方法１４００は、随意に、表示デバイス３０８が、分析物センサシステム３０８の識別情報と関連付けられたサーバシステム３３４からアプリケーション鍵を受信することを含む。例えば、アプリケーション鍵は、表示デバイス３１０がサーバシステム３３４に分析物センサシステム３０８の識別情報を提供することに応答して、サーバシステム３３４から表示デバイス３１０によって受信することができる。
【０３８５】
動作１４０５Ｄで、方法１４００は、第１の接続中に、分析物センサシステム３０８と表示デバイス３１０との間の認証に関連する情報を交換することを含む。認証に関連する情報は、アプリケーション鍵を含む。動作１４０５Ｅで、方法１４００は、分析物センサシステム３０８が、表示デバイス３１０に暗号化された分析物値を伝送することを含み、暗号化された分析物値は、アプリケーション鍵に基づいて生成されたものである。動作１４０５Ｆで、方法１４００は、所定の、適合可能な、可変の、および／またはプログラム可能な時間量の経過、分析物センサシステム３０８および／または表示デバイス３１０を再起動すること、またはスリープもしくは電力遮断／シャットダウンモードを通して循環すること、分析物センサシステム３０８に接続しようと試みる別のデバイス（例えば、ルージュデバイス）に関連するトリガー、およびユーザ入力、のうちの１つ以上に応答するアプリケーション鍵を修正することを含むことができる。
【０３８６】
Ｊ．断続接続モデル
上で暗に言及したように、本開示の態様はまた、分析物センサシステム７０８と表示デバイス７１０との間で通信するための種々の被接続モデルも含む。通信の１つの接続モデルは、接続／切断または断続的／定期的な接続モデルと称することができる。断続または接続／切断スキームによれば、分析物センサシステム７０８と表示デバイス７１０との間の通信は、事実上定期的または断続的とすることができ、その後に、定義された、またはイベントに基づく／非同期スケジュールが続く。例えば、表示デバイス７１０は、分析物センサシステム７０８との接続を定期的に（例えば、５分に１回）確立して、分析物センサシステム７０８から分析物および他のデータを受信すること、ならびに／またはデータを伝送することができる。
【０３８７】
しかしながら、表示デバイス７１０が分析物センサシステム７０８への接続に成功した場合であっても（接続自体は保証されない）、分析物センサシステム７０８が、転送する準備のできたデータを有しない場合がある。そのような一事例においては、表示デバイス７１０によるデータの連続した受信の間の時間が長くなる場合がある。これは、いくつかの事例において、表示デバイス７１０によって受信され、提示される分析物データまたは値等の測定値データをステイルな状態でもたらす場合がある。それでもやはり、いくつかの使用事例において、断続接続モデルは、他の接続モデルと比較して、電力の節約をもたらすことができる。故に、バッテリ電力がパケット損失および／または待ち時間に対する主な懸念事項である場合は、断続接続モデルよりも連続接続モデルが好ましい場合がある。加えて、断続接続モデルによれば、例示的な実施形態では、２つの表示デバイス７１０が分析物センサシステム７０８に同時に接続されないことが認識されるであろう。むしろ、異なる表示デバイス７１０は、いくつかの事例において、異なる限定された時間量にわたって接続する。どの表示デバイス７１０を接続することができ、いつそのようなデバイスを分析物センサシステム７０８に接続することができるのかは、例えばホワイトリスト等のリストを使用して制御することができる。
【０３８８】
Ｋ．連続接続モデル
いくつかの状況では、断続モデルが適切である、および／または好ましい場合がある。１つのそのような状況は、ユーザが、多数の表示デバイスを使用して分析物値を監視することを好む場合であり得る。例えば、ユーザがＩ型糖尿病である場合、分析物（例えば、グルコース）データの監視は、比較的より重要であり得、そのため、より大きい適用範囲／冗長性のために多数の表示デバイスを用いる場合がある。しかしながら、他の状況において、
【０３８９】
連続接続モデルが適切である、および／または好ましい場合がある。例えば、ユーザは、単一の表示デバイスを使用することを好む場合、またはそうするように制限される場合がある（例えば、便宜上の目的で、またはユーザが旅行している場合、または他の表示デバイスが利用できない場合、例えば、デバイスが、破損した、そのバッテリが切れた、それを失くした、接続／機能することができない、または主に他の目的に使用されている場合）。また、例えば、ユーザがＩＩ型糖尿病であり、したがって、グルコースデータの監視が比較的あまり重要でなく、よって、多数の表示デバイスを冗長性／適用範囲の目的で用いる必要がない、といった他の状況も挙げられる。
【０３９０】
さらに追加的な状況において、分析物センサシステム７０８等の分析物センサシステムは、比較的短い時間量（例えば、２週間）にわたって使用される場合がある。そのような一事例において、分析物センサシステム７０８は、バッテリ／電力消費の制約に対してあまり敏感でない場合があり、代わりに、信頼性および／または待ち時間により高い優先順位が置かれる場合がある。そのような事例においては、本明細書でさらに詳細に説明されるような連続接続モデルが全体的に好ましくなり得る。加えて、比較的長い時間量の後に表示デバイス７１０等の表示デバイスに対して接続および／または接続解除しようと試みることは、いくつかの点で（例えば、電力消費または計算／処理／無線リソースに関して）分析物センサシステム７０８にとって負担となり得る。連続接続モデルは、そのような接続／接続解除と関連付けられ得る負担を減少させる、および／または取り除く方式として提供することができる。
【０３９１】
故に、本開示は、連続接続モデルを用いることを含む。そのような接続モデルは、いくつかの事例において、分析物センサシステム７０８での分析物データの収集と、そこに接続している表示デバイス７１０へのそのようなデータの伝送との間の待ち時間を低減させることができ、一方で、分析物センサシステム７０８について十分に低い電力消費を維持する。さらに、連続接続モデルは、分析物センサシステム７０８と表示デバイス７１０との間に接続の信頼性および予測性を高めることができる。高レベルにおいて、連続接続モデルは、分析物センサシステム７０８と表示デバイス７１０との間の最初のペアリングを含むことができ、その後に、分析物センサシステム７０８および表示デバイス７１０は、接続が維持され、本質的に接続を閉じたり、接続解除したりしない。すなわち、接続およびデータの交換は、（例えば、図７Ａ〜７Ｄを参照して論じたような）断続接続モデルと同様に、定期的または断続的に行われないが、代わりに、接続デバイスは、メッセージングを定期的に交換して、接続を維持する。データが（例えば、センサ４０５によって収集され、および／またはプロセッサ４２０によって処理されるが、図４は、示されるように、主に断続接続モデルに関係するが、上で説明されるように、連続接続モデルに関係するように修正することもできることに留意されたい）分析物センサシステム７０８で利用可能になると、データは、少なくともほぼリアルタイムで表示デバイス７１０にデータを伝送することができる。この様態で、分析物データに関連する通信の全体的な精度および応答を高めることができる。連続接続モデルと関連付けられた追加的な利点は、分析物センサシステム７０８が、分析物センサシステム７０８と接続しようとしている望ましくないデバイス（例えば、いくつかの事例において、望ましくない表示デバイス７１０）によって引き起こされる干渉をより良好に緩和することを可能にできることである。そのため、データ交換の信頼性を高めることができる。
【０３９２】
これに関して、図７Ｊは、上で暗に言及した連続接続モデルの例示的な実現形態による、分析物センサシステム７０８と表示デバイス７１０との間で分析物データを無線通信するための方法７２２の例示的な実現形態を例示する。
【０３９３】
通信セッション７８０は、方法７２２と関連して開始することができる。より具体的には、図７Ｊ示されるように、通信セッション７８０は、動作７９５ａ〜７９５ｇおよび７９５ａ’を含むことができるが、実施形態では、これらの動作の全てが行われるわけではない。連続接続モデルに関して、分析物データは、表示デバイスと分析物センサシステムとの間の接続が維持されない場合に、ドロップされる、または失われる場合がある。これは、次に、推定グルコース値等の分析物情報の不適切または不正確な表現につながり得る。したがって、連続接続モデルに関する本明細書の実施形態は、分析物センサシステム７０８と表示デバイス７１０との間で確立される接続を継続および／または維持することを含む。さらに、接続を維持することに関して、接続状態を監視して、それに関する指示を導出および／または提供することが有用な場合があり得る。これを行うことができる１つの方式は、図７Ｊを参照して本明細書でさらに説明されるように、接続パラメータを使用することである。
【０３９４】
動作７９５ａで、方法７２２は、分析物センサシステム７０８のトランスミッタを起動させること、および／またはアドバタイズメントメッセージを伝送することを含むことができる。アドバタイズメントメッセージのこの伝送は、上で説明した動作７０５ａに実質的に類似し得る。動作７９５ａで伝送されるアドバタイズメントメッセージは、１つ以上の表示デバイス７１０によって受信することができる。
【０３９５】
動作７９５ｂで、分析物センサシステムと、応答する表示デバイス７１０との間の接続を確立することができる。図７Ｊに示されるように、典型的に、１つ以上のアドバタイズメントメッセージを受信することに応答して、表示デバイス７１０は、動作７９５ｂの一部として、分析物センサシステム７０８との接続を要求することができる。同じく動作７９５ｂの一部として、接続の要求が送信されること応答して、分析物センサシステム７０８と表示デバイス７１０との間で接続パラメータを交換することができる。これに関して、分析物センサシステム７０８および／または表示デバイス７１０は、分析物センサシステム７０８と表示デバイス７１０との間の接続の態様が基づくことができる一組の接続パラメータを提案し、セットアップすることができる。
【０３９６】
接続パラメータの例としては、接続間隔（いくつかの事例において、本明細書でピンギング間隔と称される）、スレーブ待ち時間、および監視タイムアウトが挙げられる。分析物センサシステム７０８および／または表示デバイス７１０は、そのような接続パラメータのうちの１つ以上を使用して、分析物レベルを連続的に監視するために所望される長さだけ接続を維持すること、ならびに、例えば分析物センサシステム７０８、表示デバイス７１０、２つのデバイス間の接続（例えば、リンクの質）、および／またはユーザ選好もしくはフィードバックに関連する基準等の、種々の基準に応じて接続の特性を修正することができる。図７Ｊに示されるように、接続パラメータは、一例として、分析物センサシステム７０８および表示デバイス７１０に対する（例えば、動作７９５ｂに関する）接続確立と併せて、交換し、判定することができる。動作７９５ｂと関連して、分析物センサシステム７０８および表示デバイス７１０は、例示的な実施形態において、一組の接続パラメータの態様について交渉し、最終的に同意する（または、同意しない）。
【０３９７】
例えば、動作７９５ｂを参照して、表示デバイス７１０が分析物センサシステム７０８とのデータ接続を要求する場合に、接続パラメータは、分析物センサシステム７０８から送信し、表示デバイス７１０に提案することができ、逆もまた同じである。他の実施例において、接続パラメータは、データ接続要求を受信したかどうかにかかわりなく、送信／提案することができる。次いで、表示デバイス７１０（または分析物センサシステム７０８）は、例えば、提案された接続パラメータを受諾または拒否することができる。表示デバイス７１０（または分析物センサシステム７０８）が、提案された接続パラメータを受諾または承認した場合に、接続パラメータに関連する提案された条件は、次いで、分析物センサシステム７０８と表示デバイス７１０との間に最終的に確立される接続に適用することができる。そのような接続パラメータとしては、一例として、接続（またはピンギング）間隔、スレーブ待ち時間接続パラメータ、および監視タイムアウトパラメータを含むことができる。これらの接続パラメータの各々について指定される条件は、値、接続パラメータの値の範囲、および／または接続パラメータのうちの１つ以上のための一組のルールまたはガイドラインを含むことができる。
【０３９８】
以下、接続間隔パラメータの態様が説明される。連続接続モデルを用いた実施形態において、例えば分析物センサシステム７０８と表示デバイス７１０との接続は、メッセージング（例えば、ピングメッセージ）の定期的な交換によって維持することができる。これは、例えば、図Ｊにおいて、動作７９５ｅによって例示される。動作７９５ｅで、接続を維持するために、メッシングが分析物センサシステム７０８と表示デバイス７１０との間で定期的に交換される。例えば、そのようなメッセージは、分析物センサシステム７０８へ／から伝送し、単純に、伝送デバイスが依然として受信デバイスに接続されていることを示すことができる（例えば、「ピング」）。これは、接続パラメータによって定義されるように、所定の接続間隔（例えば、２秒または任意の時間量に１回）に従って、定期的に行うことができる。確立される期間は、いくつかの事例において、ネットワークパラメータまたは条件、分析物センサシステム７０８に接続された表示デバイス７１０の種類または特性、データが分析物センサシステム７０８によって伝送または生成／収集されている頻度、およびその他、等の基準に従って選択する／変動させることができる。
【０３９９】
メッセージングの定期的な交換を通して、分析物センサシステム７０８と表示デバイス７１０との間の接続を維持することができ、したがって、収集された分析物データを少なくともほぼリアルタイムで交換することを可能にする。接続は、いくつかの事例において分析物センサシステム７０８を通すことを含む、必要とされる長さにわたって維持することができる。接続が維持されている間、分析物センサシステム７０８は、いくつかの実施例において、アドバタイズメントメッセージを送信しない。むしろ、接続は、本明細書で説明されるように、接続解除コマンドの発行が必要にならない限り、または、特定の基準が満たされなくなるまで継続することができる。
【０４００】
換言すれば、分析物センサシステム７０８（および／または表示デバイス７１０）は、時間間隔に従って（例えば、定期的に）、表示デバイス７１０（および／または分析物センサシステム７０８）にピングメッセージを送信することができる。それに応じて、受信デバイス、例えば表示デバイス７１０（および／または分析物センサシステム７０８）は、次いで、ピングメッセージの受信に肯定応答する肯定応答メッセージ（ＡＣＫ）を送信することによって応答することができる。代替的に、受信デバイス、例えば表示デバイス７１０（および／または分析物センサシステム７０８）は、いかなるピングメッセージも受信しなかったことを示す否定応答（ＮＡＣＫ）を送信することができる。ＮＡＣＫは、例えば、確立した接続間隔にしたがって（例えば、所定の時間量の範囲内で）予期されるときに、いかなるピングメッセージも受信されなかった場合に送信することができる。このようにして、交換されたメッセージングは、接続が維持され、進行中である（例えば、ＡＣＫが動作７９５ｅで送信された場合）、または予想通りに維持されていないことをアナライト感知システム７０８および／または表示デバイス７１０に示すことができる（動作７９５ｅでＮＡＣＫまたは無応答が送信された場合）。本明細書において下でさらに詳細に説明されるように、送信されたピングメッセージに対するいかなる応答もなかった場合、および／またはＮＡＣＫメッセージが送信された場合、これは、確立した接続を終了させるべきであること、および／または他のアクション（複数可）を行わなければならないことを示すことができる。
【０４０１】
接続間隔に関して、上で述べたように、値または値の範囲は、分析物センサシステム７０８および表示デバイス７１０に対する接続確立と関連して確立することができる。例えば、いくつかの実施形態において、接続間隔毎に、分析物センサシステム７０８は、上で述べたように、ピングメッセージを送信および／または受信することができ、次いで、それに対する応答を受信および／または送信して、動作７９５ｅに従って接続を維持することができている。より高頻度のピングメッセージの交換を伴うより短い接続間隔は、分析物センサシステム７０８と表示デバイス７１０との間のパケット損失を低減させることができ、一方で、より長い接続間隔は、より多くのパケット損失を可能にする場合がある。各ピングメッセージは、いくつかの事例において、次のピングメッセージが送信されるとき（例えば、ピングメッセージの順次交換の間のスケジュールされた時間量）を示すように構成することができる。
【０４０２】
動作７９５ｂと関連してこの接続パラメータを提案するデバイス（分析物センサシステム７０８または表示デバイス７１０とすることができる）は、いくつかの因子に基づくことができる接続間隔の値および／または値の範囲を提案することができる。例えば、接続間隔の値または範囲は、分析物センサシステム７０８の予期寿命に基づくことができる。予期寿命は、例えば分析物センサシステム７０８の製造業者によって判定される、提案される使用長さとすることができ、および／またはこの値は、分析物センサシステム７０８に製造プロセスの一部としてプログラムすることができる。別の実施例において、ユーザは、製品セットアップまたは別の時間中に、この値を判定すること、および／または設定することができる。加えて、表示デバイス７１０はまた、電力、計算、メモリ、および／もしくはデータの制約、または接続間隔の特定の値および／もしくは値の範囲を適切にする他の因子を受ける場合もある。故に、例示的な実施形態において、接続間隔は、分析物センサシステム７０８および表示デバイス７１０の一方または両方から引き出される因子に基づくことができる。
【０４０３】
上で述べたように、例示的な実施形態において、分析物センサシステム７０８の予期寿命および／または分析物センサシステム７０８の予期バッテリ寿命は、接続間隔の値および／または値の範囲を判定する役割を果たすことができる。実施形態において、例えば、接続間隔は、分析物センサシステム７０８の予期寿命と比例し得る。すなわち、接続間隔のより高い値（例えば、ピングメッセージがあまり頻繁に送信されない）は、バッテリ寿命の消費がより少なくなり得、したがって、より長い予期寿命を維持する可能性がより高くなり得る。同様に、接続間隔のより低い値（例えば、ピングメッセージがより頻繁に送信される）は、バッテリ寿命の消費がより多くなり得、したがって、より長い予期寿命を維持する可能性がより高くなり得る。例えば、分析物センサシステム７０８の予期寿命が１４日である場合、分析物センサシステム７０８は、接続間隔を２〜１０秒に設定する。これらの数は、単に例示として提供されることが認識されるであろう。
【０４０４】
いくつかの事例において、用いられるべき接続間隔の値および／または範囲は、分析物センサシステム７０８と表示デバイス７１０との間で交渉することができる。しかしながら、いくつかの事例では、分析物センサシステム７０８が交渉を支配し得ることに留意されたい。例えば、分析物センサシステム７０８が接続間隔の値および／または範囲を提案する場合、表示デバイス７１０は、提案された値を受諾することができ、分析物センサシステム７０８によって提供される範囲に従って接続間隔の値を選択することができ、または単に範囲を拒絶することができる。代替的または追加的に、表示デバイス７１０は、受諾以外の他の方式で、または提供された範囲の否認で応答することができる。例えば、表示デバイス７１０は、そのバッテリが間もなく切れるので、接続間隔の範囲を受諾しないこと、また、分析物センサシステム７０８への接続を受諾しないことを示すことができる。これに関して、表示デバイス７１０および／または分析物センサシステム７０８は、ローカルバッテリ状態を監視するための電力管理回路を含むことができる。電力管理回路は、接続パラメータの値を設定、提案、および／または更新するために使用することができる入力を提供することができる。例えば、プロセッサ（例えば、図３Ｂを参照して、プロセッサ３３５または３８０）は、電力管理回路からの入力を、接続パラメータを設定、修正、または更新するためのトリガー点として使用することができる。例示的な実施形態において、表示デバイス７１０は、下で説明されるように、種々の状態に基づく異なる接続間隔の範囲を含む、反対応答を提供することができる。ここで、接続間隔または他の接続パラメータの提案は、同様に、表示デバイス７１０によって分析物センサ７０８に提供することができること、および提案に対する応答を分析物センサシステム７０８から表示デバイス７１０に提供することができることが認識されるであろう。
【０４０５】
その上、提案および／または反対提案される接続間隔は、例えば現在の分析物値および／または分析物値の傾向を含む、種々の因子に基づくことができる。例えば、分析物センサシステム７０８および／または表示デバイス７１０は、その分析物値および／または傾向（導出物、第２の導出物、その他）を監視すること、および値が所与の閾値ウインドウを外れたときにより短い接続間隔を要求することができる。これは、（例えば、分析物値によって定義される）重要な時間中に、より多くの応答接続を提供することができる。例示的な実施形態において、接続間隔の値／範囲は、ユーザ入力に基づくか、ユーザを経時的に監視することに基づいて収集するかにかかわらず、ユーザに関して導出される情報に基づくことができる。例えば、値／範囲は、ユーザの身体特性、健康状態、および／または病歴（例えば、履歴的に測定した分析物値を含む）に基づくことができる。
【０４０６】
スレーブ待ち時間接続パラメータに関して、この接続パラメータは、接続を終了する、または終了したとみなすことができる前に、または接続の終了に関連する状態がトリガーされる前に許容可能である、（例えば、上で説明した接続間隔に従って、動作７９５ｅで送信されるべき）ドロップしたパケットまたはピングメッセージの数に関連し得る。実施形態において、スレーブ待ち時間は、例えば、特定の数のパケットまたはピングメッセージが欠落した／ドロップされた場合であっても、依然として接続がアクティブであるとみなすことができるように用いることができる。この接続パラメータは、動作７９５ｂと関連して接続確立中に交換することができ、および／またはその後に（例えば、動作７９５ｆと関連して）修正することができる。スレーブ待ち時間は、サービス品質（ＱｏＳ）、時刻、分析物センサシステム７０８の場所、表示デバイス７１０場所および／またはタイプ、分析物センサシステム７０８および／または表示デバイス７１０のバッテリ電力、分析物センサシステム７０８の予期寿命、現在のおよび／または履歴的分析物値またはその傾向、ユーザの特性、その他等の、種々の因子に基づくこと、またはそれらに依存して修正することができる。スレーブ待ち時間は、値および／または値の範囲として、接続確立に関連して提案／反対提案することができ、また、いくつかの事例において、一組のルールに従って定義することができる。分析物感覚のシステム７０８および表示デバイス７１０の一方または両方が、スレーブ待ち時間を定義すること、および／または更新することができる。
【０４０７】
いくつかの事例において、スレーブ待ち時間がトリガーされた（例えば、十分な数のパケットまたはピングメッセージが欠落した）場合、応答は、１つ以上の接続パラメータを修正して、将来スレーブ待ち時間トリガーされるのを回避しようと試みるためのものとすることができる。例えば、システムは、分析物センサシステム７０８と表示デバイス７１０との間の接続を維持するために、オンザフライで接続パラメータを適合させることができる。そのような応答は、例示的な実施形態において、所定の一組の状態（例えば、ＱｏＳ、時刻、分析物センサシステム７０８の場所、表示デバイス７１０場所および／またはタイプ、分析物センサシステム７０８および／または表示デバイス７１０のバッテリ電力、分析物センサシステム７０８の予期寿命、現在のおよび／または履歴的分析物値またはその傾向、ユーザの特性、その他）に基づくことができる。
【０４０８】
監視タイムアウトパラメータに関して、このパラメータは、どれくらい厳しくスレーブ待ち時間を強めるのかを判定するために使用することができる。例えば、より大きい監視タイムアウトは、接続を維持するためのより多くのフレンドリーヌルパケット交換を可能にする。例えば、監視タイムアウトは、種々の因子、例えば電力の考慮事項および／または無線の状態、その他）に基づいて、スレーブ待ち時間を監視し、いくつかの事例において、スレーブ待ち時間の違反を無視することを可能にすることができる。換言すれば、いくつかの事例において、スレーブ待ち時間がトリガーされる程度の十分なピングメッセージが欠落した場合であっても、監視タイムアウトを使用して、結果（例えば、分析物センサシステム７０８および表示デバイス７１０、その他の接続解除）を効果的にオーバーライドすることができる。他の接続パラメータと同様に、監視タイムアウトパラメータは、値および／または値の範囲として、動作７９５ｂでの接続確立と関連して提案／反対提案することができ、また、いくつかの事例において、一組のルールに従って定義することができる。分析物センサシステム７０８および表示デバイス７１０の一方または両方が、（例えば、動作７９５ｆで）監視タイムアウトパラメータを定義すること、および／または更新することができる。他の接続パラメータと同様に、監視タイムアウトは、いくつかの事例において、ユーザの可視性を伴わないことを含む、ユーザの介入を伴わないシステムによって管理することができ、または他の例では、ユーザによって管理すること、もしくは少なくともユーザ可視とすることができる。
【０４０９】
いくつかの事例において、監視タイムアウトは、（例えば、動作７９５ｆに関連して）修正して、将来スレーブ待ち時間がトリガーされるのを回避しようと試みるためのものとすることができる。例えば、システムは、分析物センサシステム７０８と表示デバイス７１０との間の接続を管理するために、オンザフライで監視タイムアウト接続パラメータを適合させることができる。そのような応答は、例示的な実施形態において、所定の一組の状態（例えば、ＱｏＳ、時刻、分析物センサシステム７０８の場所、表示デバイス７１０場所および／またはタイプ、分析物センサシステム７０８および／または表示デバイス７１０のバッテリ電力、分析物センサシステム７０８の予期寿命、現在のおよび／または履歴的分析物値またはその傾向、ユーザの特性、その他）に基づくことができる。
【０４１０】
図７Ｊをさらに参照すると、接続決定は、分析物センサシステム７０８、または表示デバイス７１０、または両方のいずれかによって動作７９５ｂの追加的な態様として行うことができ、したがって、接続を確立することができる。他の事例において、上で暗に言及したように、接続確立と関連して、分析物センサシステム７０８および表示デバイス７１０が接続パラメータの一組に同意しない場合、いかなる接続も確立されない場合があり得る。すなわち、接続決定は、分析物センサシステム７０８と表示デバイスとの間の接続を確立しない場合がある。他の事例において、接続決定は、分析物センサシステム７０８および表示デバイス７１０を、連続接続モデル以外の接続モデルを使用して接続する（例えば、断続接続モデルを使用して接続する）ためのものとすることができる。そのような一事例においては、通信セッション７８０を終了し、別の通信セッション（例えば、通信セッション７２０または７２５）を開始することができる。
【０４１１】
分析物センサシステム７０８および表示デバイス７１０の接続の確立をもたらす接続決定に続いて、動作７９５ｃで、方法７２２は、認証を含むことができる。例えば、認証は、図７Ａに関して説明される動作７０５ｃに類似する、ハッシュおよび／またはチャレンジ値の交換を含むことができ、また、一方向または双方向認証とすることができる。加えて、ここでは、いくつかの事例において、認証をバイパスすること、または別様に、行わないことができることに留意されたい。表示デバイス７１０は、例えば、分析物感覚のシステム７０８とのデータの交換についてすでに認証されている場合がある。このように、いくつかの事例において、データは、通信セッション７８０内で認証を行うことなく、動作７９５ｄで、信頼できる状態の下で、および／または（例えば、分析物センサシステム７０８および表示デバイス７１０が知っているアプリケーション鍵を使用して）暗号化を適用した状態で、分析物センサシステム７０８と表示デバイス７１０との間で交換することができる。
【０４１２】
動作７９５ｄで、方法７２２の実施形態は、分析物センサシステム７０８と表示デバイス７１０との間でデータを交換することを含む。例えば、表示デバイス７１０は、分析物センサシステム７０８からデータを要求することができて、それに応じて、分析物センサシステム７０８は、データを送信することができる。要求／送信されたデータは、分析物データ（例えば、グルコース値）および／または制御シグナリングであり得る。例えば、交換データは、いくつかの事例において、アプリケーション鍵を使用して暗号化することができる。アプリケーション鍵は、動作７９５ｃと関連して分析物センサシステム７０８と表示デバイス７１０との間で共有している場合があり、および／または他の手段（例えば、クラウドサーバから）を使用して受信している場合がある。
【０４１３】
連続接続モデルに関して、動作７９５ｄは、データを伝送に利用可能になったときに、および／または（例えば、オンデマンドで）データを交換するように要求されるたびに、定期的に（例えば、いくつかの事例では、非定期的に）繰り返すことがでる。動作７９５ｄに従うデータの交換は、分析物センサシステム７０８と表示デバイス７１０との間で交換される、例えばピングメッセージング等の他のメッセージングの交換を散在させることができる。図７Ｊにおいて、これは、一例として、動作介在動作７９５ｄおよび７９５ｄ’を使用して表される。
【０４１４】
実施形態において、例えば接続決定を行った後に、（例えば、動作７９５ｂの一部として）接続確立と関連して同意した接続パラメータをその後に更新／修正することができる。故に、動作７９５ｆで、方法７２２は、接続パラメータのうちの１つ以上を更新することを含むことができる。接続パラメータの更新は、分析物センサシステム７０８および／または表示デバイス７１０が、既存の接続パラメータの修正を提案または要求することを含むことができる。別の例では、動作７９５ｆと関連して、以前に確立されなかった接続パラメータの値を提案／要求することができる。提案／要求は、例えば否認、受諾、または反対提案を含む、複数の結果をもたらし得る。
【０４１５】
さらに、動作７９５ｆは、接続パラメータの更新に関する、分析物センサシステム７０８と表示デバイス７１０との間の交渉を含むことができる。説明されるように、動作７９５ｂと関連して接続パラメータを交換することに関して、接続パラメータは、範囲および／または値の形態で提案／要求、その他を行うことができる。また、動作７９５ｂの種々の態様を動作７９５ｆに関して適用することができることも認識されるであろう。これに関して、種々のシナリオが可能である。例えば、分析物センサシステム７０８および表示デバイス７１０の一方または両方は、接続パラメータ／その１つ以上の修正を提案／要求することができる。提案／要求に応答して、接続パラメータ値（または範囲）の反対提案を提供することができる。いくつかの事例において、提案／要求または反対提案が拒否された場合は、以前に確立された接続パラメータに従う接続を維持／継続することができる。受諾および否認は、動作７９５ｆで示されるように、ＡＣＫ／ＮＡＣＫメッセージの形態で伝達することができ、例えば、ＡＣＫは、許容可能な提案／要求を表し、ＮＡＣＫは、否認および／または反対提案を表す。これに関して、ＮＡＣＫは、反対提案等の追加的な情報を含む、または伴うことができる。いくつかの事例において、反対提案は、接続パラメータの許容可能な値の範囲を含むことができる。分析物センサシステム７０８および表示デバイス７１０が一組の修正された、または修正されていない接続パラメータに同意すると、動作７９５ｄ、７９５ｅ、および７９５ｄ’を含む、接続を再開することができる。
【０４１６】
しかしながら、分析物センサシステム７０８および表示デバイス７１０が、接続パラメータの修正された値または範囲に同意できない場合、および／または以前に確立された接続パラメータに基づく接続を維持することに同意しない場合、分析物センサシステム７０８および表示デバイス７１０は、接続を終了することができ、または連続接続モデルから例えば断続接続モデル等の、別の接続モデルに切り換えることができる。例えば、表示デバイス７１０は、分析物センサシステム７０８が、連続接続モデルで使用されるべき特定の接続パラメータ値に従って、新しいまたは修正された接続に利用可能であることを示す通知を受信することができるが、これらの値は、より短い寿命（例えば、１４日ではなく６日）をもたらす場合がある。したがって、分析物センサシステム７０８は、寿命を延ばすために断続接続モデルを用いることができることを提案することができる。断続接続モデルに関する全ての事例ではないが、そのいくつかにおいて、接続パラメータの値は、分析物センサシステム７０８の寿命にわたって更新または修正されない。しかしながら、他の事例において、接続パラメータは、例えば、動作７９５ｆに関連して説明したものに実質的に類似する様式で更新／修正することができる。その上、接続が新しいまたは修正された接続パラメータに従って確立されると、接続パラメータは、（例えば、上で説明したように、動作７９５ｆに従って）その後に維持／修正することができる。
【０４１７】
動作７９５ｆに従って接続パラメータを更新することに関して、いくつかの事例において、表示デバイス７１０上で動作するアプリケーション（例えば、アプリケーション３３０）は、修正を行うために、接続パラメータへのアクセスを有しない場合がある。例えば、これらの接続パラメータへのアクセスは、アプリケーションではなく表示デバイス７１０のオペレーティングシステムにあり得る。しかしながら、そのような事例において、アプリケーションは、表示デバイス７１０に関連する接続パラメータを更新することを要求するように、分析物センサシステム７０８に対して、表示デバイス７１０に要求させることができる。実施形態において、この要求は、表示デバイス７１０が、分析物センサシステム７０８に接続パラメータの値を（例えば、メッセージまたはパケットで）送信することによって行うことができる。次いで、分析物センサシステム７０８は、表示デバイス７１０にメッセージを送信して、接続パラメータ（複数可）の値を更新および／または適用することができ、それに応じて、（例えば、表示デバイス７１０のオペレーティングシステムを介して）接続パラメータ（複数可）を更新することができる。この様態で、アプリケーションを使用して、接続パラメータを構成することができる。実現形態において、分析物センサシステム７０８は、接続パラメータの提案された値が許容可能かどうかに関する判定を行い、提案された値が許容可能であると判定することに応答して、表示デバイス７１０に更新メッセージを送信する。ここで、本明細書の他の場所で詳細に説明される図１５Ｂを参照する。代替的または追加的に、分析物センサシステム７０８は、提案された値を拒絶し、そのように示すこと、または値の反対提案を提供することができる。表示デバイス７１０は、反対提案された値を当然の事として受諾することができ、または（例えば、本明細書で論じられる種々の基準に基づいて）反対提案された値が許容可能かどうかに関するさらなる判定を行うことができる。例示的な実施形態において、ＧＵＩ制御は、表示デバイス７１０のＧＵＩ３４０を通してユーザに提供することができ、したがって、ユーザが、接続パラメータを手動でセットアップおよび／または更新しようと試みることを可能にする。図３Ｇに示されるように、例えば、接続パラメータへのアクセスは、オプション３１４ｃを通して提供することができる。
【０４１８】
動作７９５ｇで示されるように、いくつかの事例において、分析物センサシステム７０８と表示デバイス７１０との間の接続は、終了される、または失われる場合がある。これには、種々の原因が存在し得る。例えば、上で暗に言及したように、その原因は、分析物センサシステム７０８および表示デバイス７１０が、（例えば、動作７９５ｂおよび／または７９５ｆに関連して）提案もしくは修正された一組の接続パラメータに同意できないこと、またはピングメッセージに応答せず、よって、例えばスレーブ待ち時間に違反することであり得る。例えば、表示デバイス７１０が分析物センサシステム７０８からの範囲を外れた場合に、ピングメッセージに応答して、ＡＣＫメッセージを受信することができない。別の例では、表示デバイス７１０がオフになる場合があり、または表示デバイス７１０へのリンクが一時的または永続的に低下する場合があり、よって、動作７９５ｅに従うメッセージングの交換を実行することができない。
【０４１９】
動作７９５ｇで接続が失われることに応答して、分析物センサシステム７０８は、動作７９５ａ’に従って、アドバタイズメントメッセージを送信することができる。連続接続モデルの例示的な実施形態に従って、分析物センサシステム７０８および表示デバイス７１０が接続解除されると、分析物センサシステム７０８は、いくつかの事例において、少なくともほぼ直ちにアドバタイズメントメッセージを送信することを再開することができる。表示デバイス７１０との接続を再度獲得するために、限定されたウインドウ中に、より高速なアドバタイジングパターンを用いることができる。例示として、図９を参照して、アドバタイズメントメッセージ間隔９１５は、アドバタイズメント持続時間９１０中にアドバタイズメントメッセージ９２０がより頻繁に送信されるように低減させることができる。
【０４２０】
さらに、ユーザは、動作７９５ｇに従って接続解除が行われたことに気付かない場合がある。これは、いくつかの事例において、パケットドロップまたはデータ喪失につながる場合がある。したがって、いくつかの事例において、分析物センサシステム７０８は、ユーザの介入を伴わずに、アドバタイズメントを自動的に再開することができる。代替的または追加的に、アドバタイズメントは、ユーザによってＮＦＣを介して提供されるトリガーに基づいて再開することができる。例えば、ユーザは、ＧＵＩ３４０を介して、接続が失われた旨の通知を受信することができる。通知は、ユーザに、ＮＦＣシグナリングを交換することができるように、表示デバイス７１０を分析物センサシステム７０８と比較的近接させるよう促すことができる。他の技法を用いて、アドバタイズメントの再開を手動でトリガーすることができる。例えば、ユーザに、分析物センサシステム７０８をタップするよう促すことができる。他の例において、ＮＦＣおよび加速度計に基づくトリガーの代替的として、またはそれに加えて、ユーザに、ＲＳＳＩに基づくトリガーがアドバタイズメントメッセージングを再開することができるように、表示デバイス７１０を分析物センサシステムに比較的近づけるよう促すことができる。再開されると、無制限の時間量にわたって、また、比較的長い持続時間ウインドウにわたってアドバタイズメントを生じさせることができる。
【０４２１】
いくつかの事例において、アドバタイジングが再開されると、非常に短いアドバタイズメント期間（または図９を参照して、アドバタイズメントメッセージ間隔９１５）を第１のアドバタイズメント持続時間９１０に用いることができ、次いで、（例えば、図９を参照して、アドバタイズメント持続時間構造９３５’に関連して）より長い期間（またはアドバタイズメントメッセージ間隔）を第２のアドバタイズメント持続時間に用いることができる。表示デバイス７１０と確立されたいかなる接続もまだ存在しない場合は、下でより詳細に説明するように、分析物センサシステム７０８は、例えば、断続接続モデルに切り換えることを選択することができる。代替的に、分析物センサシステム７０８は、アドバタイジングを終了し、接続解除した状態にすることができる。そのような一事例において、分析物センサシステム７０８は、分析物センサシステム７０８が（例えば、動作７９５ａ’で）アドバタイズメントを再開するためのトリガーを提供するようユーザに促すメッセージを、表示デバイス７１０に送信することができる。上で述べたように、そのようなトリガーは、例えば、ＮＦＣの形態で提供することができる。トリガーを受信すると、分析物センサシステム７０８は、短いアドバタイズメントメッセージ期間によってアドバタイジングを再開して、表示デバイス７１０に接続する機会を増加させることができる。そのようなアドバタイズメントスキームは、同様に、デバイス７１０をディスプレイに接続するために、分析物センサシステム７０８を最初に起動するときに用いることができる。代替的または追加的に、分析物センサシステム７０８は、それらがより信頼性の高い接続を形成すると期待される他の既知の表示デバイス７１０に接続することをアドバタイズすることができる。
【０４２２】
連続接続モデルの実施形態によれば、表示デバイス７１０が分析物センサシステム７０８に接続されていないとき（例えば、接続を終了している、またはその他の場合）、表示デバイス７１０は、（例えば、分析物センサシステム７０８によって送信されるアドバタイズメントメッセージを探すことによって）分析物センサシステム７０８を連続的にスキャンする。そのような事例において、センサシステム７０８は、その条件下で許可される量だけアドバタイズすることができる。例えば、分析物センサシステム７０８は、より短いアドバタイズメントメッセージング期間を用いることができ、それに従って、アドバタイズメントメッセージがより頻繁に送信される。この様態で、分析物センサシステム７０８は、以前に分析物センサシステム７０８に接続されていた表示デバイス７１０との、または別の表示デバイス７１０との接続を獲得または再度獲得しようと試みることができる。しかしながら、アドバタイジングの程度または強度は、いくつかの事例において、分析物センサシステム７０８のバッテリの制約に基づいて限定される場合がある。したがって、分析物センサシステム７０８は、図９を参照して本明細書で述べられるように、（例えば、断続接続モデルに関連して用いられるような）定期的なアドバタイズメントウインドウに従って、アドバタイズメントメッセージを送信することができる。
【０４２３】
いくつかの事例において、連続接続モデルは、状態に基づくものとみなすことができる。すなわち、例えば、表示デバイス７１０が分析物センサシステム７０８から分析物値を読み取ろうと試みる場合に、表示デバイス７１０は、単に利用可能な新しいまたは更新された値が存在するときに分析物データを受信する。しかしながら、連続接続モデルのいくつかの例は、単に部分的に状態に基づくものであり得る。すなわち、いくつかの事例において、双方向通信が行われ得る。例えば、表示デバイス７１０は、分析物データまたはセンサ情報等の他の情報を要求することができ、または分析物センサシステム７０８にデータを送信することができる。要求／送信されたデータに基づいて、分析物センサシステム７０８は、更新された較正データ、および更新されたセンサデータ、その他とともに、新しい分析物データを提供することができる。他の実施例において、上で暗に言及したように、分析物センサシステム７０８は、新しいデータが利用できるとき（例えば、バッテリ電力が低い場合）に、データを送信することができる。すなわち、分析物センサシステム７０８は、より多くの状態に基づく様態で動作することができる。
【０４２４】
さらに連続接続モデルに関して、図１８は、本開示の実施形態に従って行うことができる種々の動作を例示する動作フロー図を提供する。例示の目的で、ここでは、図７Ｊ、ならびにその中に示される構成要素の符号を参照する。それでもやはり、当業者は、本開示を研究すれば、本開示の他の図からの類似する構成要素が、図１８の説明の範囲に含まれ得ることを認識するであろう。
【０４２５】
図１８に示される実施形態は、本明細書の事例で説明される連続接続モデルに従って動作するためのものを含む、分析物データを無線通信するための方法１８００の態様を含む。これに関して、方法１８００は、動作１８０５Ａで、分析物センサシステム７０８および表示デバイス７１０が接続を維持するように、分析物センサシステム７０８が表示デバイス７１０とメッセージングを定期的に交換することを含む。ここで、一例として、図７Ｊに示される動作７９５ｅを参照する。
【０４２６】
動作１８０５Ｂで、方法１８００は、表示デバイス７１０から接続要求を受信することを含むことができる。ここで、一例として、図７Ｊに示される動作７９５ｂを参照する。方法１８００は、随意に、動作１８０５Ｃで、接続要求を受信することに応答して、分析物センサシステム７０８が表示デバイス７１０に一組の接続パラメータの提案を送信することを含む。ここで再度、一例として、動作７９５ｂ、さらには動作７９５ｆを参照する。動作１８０５Ｄで、方法１８００は、提案に基づいて、表示デバイス７１０から接続決定を受信することを含むことができる。ここで再度、一例として、動作７９５ｂ、さらには動作７９５ｆを参照する。
【０４２７】
動作１８０５Ｂ〜１８０５Ｄは、動作１８０５Ａのメッセージングの定期的な交換の前に、交換の後に、および／または交換中に行うことができることを理解されたい。例えば、動作１８０５Ｂ〜１８０５Ｄは、動作１８０５Ａに従って維持される接続を確立することと関連して実行することができる。代替的または追加的に、動作１８０５Ｂ〜１８０５Ｄは、動作１８０５Ａに従って維持される接続を修正することと関連して実行することができる。これに関して、動作１８０５Ａでメッセージングを定期的に交換することは、提案の受諾および／または接続の確立を含む、動作１８０５Ｄで受信される接続決定に応答して、動作１８０５Ｃで提案される一組の接続パラメータに基づいて行うことができる。動作１８０５Ｅは、動作１８０５Ｄで受信される接続決定に基づいて、分析物センサシステム７０８と表示デバイス７１０との間の接続を確立することを含む。故に、動作１８０５Ｅは、いくつかの事例において、動作１８０５Ａに先行することができる。例えば、図７Ｊを参照して、動作７９５ｂおよび７９５ｅを参照されたい。動作１８０５Ｆで、方法１８００は、分析物センサシステム７０８および表示デバイス７１０が接続を維持している間、分析物センサシステム７０８が表示デバイスに分析物データを伝送することを含む。ここで、一例として、図７Ｊの動作７９５ｄを参照する。
【０４２８】
動作１８０５Ｇで、方法１８００は、接続パラメータ（例えば、接続間隔、スレーブ待ち時間、および監視タイムアウト）のうちの１つ以上の違反に応答して、接続パラメータのうちの１つ以上を修正するように要求することを含むことができる。ここで、一例として、動作７９５ｆを参照する。動作１８０５Ｈで、方法１８００は、接続パラメータの１つ以上の違反に基づいて接続を終了することを含むことができる。動作１８０５Ｊで、方法１８００は、随意に、接続を終了することに関連する通知（例えば、視覚、可聴、および／または触覚）を提供することを含む。動作１８０５Ｋで、方法１８００は、動作１８０５Ｈで接続を終了することに応答して、分析物センサシステム７０８がアドバタイズメントメッセージを伝送することを含むことができる。ここで、図７Ｊの動作７９５ａ’を参照する。
【０４２９】
さらに連続接続モデルに関して、図１９は、本開示の実施形態に従って行うことができる種々の動作を例示する動作フロー図を提供する。例示の目的で、ここでは、図７Ｊおよび図１０Ａ〜１０Ｅ、ならびにその中に示される構成要素の符号を参照する。それでもやはり、当業者は、本開示を研究すれば、本開示の他の図からの類似する構成要素が、図１９の説明の範囲に含まれ得ることを認識するであろう。
【０４３０】
図１９に示される実施形態は、本明細書の事例で説明される連続接続モデルに従う、接続のためのデバイスを識別および／または選択することに従って動作するためのものを含む、分析物データを無線通信するための方法１９００の態様を含む。これに関して、方法１９００は、動作１９０５Ａで、第１のリンク（例えば、リンク１０３２ａ）を介して受信される第１の信号の導出物を取得することを含む。動作１９０５Ｂで、方法１９００は、第１の信号の導出物に基づいて、選択のための識別を生成することも含む。動作１９０５Ｃは、第２のリンク（例えば、１０３２ａ’）を介して受信される第２の信号の導出物を取得することを含む。動作１９０５Ｄは、第２の信号の導出物に基づいて、接続のための選択を生成することを含む。
【０４３１】
動作１９０５Ｅで、方法１９００は、随意に、表示デバイス７１０から接続要求を受信することを含む。ここで、一例として、図７Ｊの動作７９５ｂを参照する。方法１９００は、動作１９０５Ｆで、接続要求を受信することに応答して、分析物センサシステム７１０が表示デバイス７１０に一組の接続パラメータの提案を送信することを含むことができる。ここで、一例として、図７Ｊの動作７９５ｂおよび７９５ｆを参照する。動作１９０５Ｇで、方法１９００は、提案に基づいて、表示デバイス７１０から接続決定を受信することを含むことができる。ここで、一例として、図７Ｊの動作７９５ｂおよび７９５ｆ／７９５ｇを参照する。
【０４３２】
動作１９０５Ｈで、方法１９００は、接続のための選択および／または接続決定に基づいて、表示デバイス７１０と分析物センサシステム７０８との間の接続を確立することを含む。例えば、動作１９０５Ｆで送信される一組の接続パラメータの提案の受諾を含む接続決定に応答して、接続を確立することができる。ここで、一例として、図７Ｊの動作７９５ｂおよび７９５ｆを参照する。動作１９０５Ｊは、例えば一組の接続パラメータに基づいて、メッセージングを定期的に交換して、接続を維持することを含む。ここで、一例として、図７Ｊの動作７９５ｅを参照する。動作１９０５Ｋで、方法１９００は、分析物センサシステム７０８および表示デバイス７１０が接続を維持している間、分析物センサシステム７１０が表示デバイス７１０に分析物データを伝送することを含む。
【０４３３】
さらに連続接続モデルに関して、図２０は、本開示の実施形態に従って行うことができる種々の動作を例示する動作フロー図を提供する。例示の目的で、ここでは、図７Ｃおよび７Ｊ、ならびにその中に示される構成要素の符号を参照する。それでもやはり、当業者は、本開示を研究すれば、本開示の他の図からの類似する構成要素が、図２０の説明の範囲に含まれ得ることを認識するであろう。
【０４３４】
図２０に示される実施形態は、（例えば、認証されたデバイス間の暗号化された様式で）分析物データを安全に伝送することができる前に交換されるメッセージの数を低減させるために、本明細書の事例で説明される連続接続モデルに従う動作と併せて、改善された認証スキームを実施するためのものを含む、分析物データを無線通信するための方法２０００の態様を含む。
【０４３５】
これに関して、動作２００５Ａで、方法２０００は、分析物センサシステム７１０と表示デバイス７０８との間の認証に関連する情報を交換することによって、（例えば、分析物センサシステム７０８との）第１の接続のための表示デバイス７１０を認証することを含む。ここで、一例として図７Ｊの動作７９５ｃを参照する。動作２００５Ｂで、方法２０００は、随意に、表示デバイス７１０と分析物センサシステム７０８との間の第１の接続を確立することを含む。ここで、一例として図７Ｊの動作７９５ｂを参照する。動作２００５Ｃで、方法２０００は、分析物センサシステム７０８が、表示デバイス７１０とメッセージングを定期的に交換して、第１の接続を維持することを含む。動作２００５Ｃでメッセージングを定期的に交換することは、この事例において、動作２００５Ａで認証することに基づく。ここで、一例として、図７Ｊの動作７９５ｅを参照する。動作２００５Ｄで、方法２０００は、第１の接続が維持されている時間中に、分析物センサシステム７０８が表示デバイス７１０に暗号化された分析物データを伝送することを含む。ここで、例えば、図７Ｊの動作７９５ｄおよび７９５ｄ’を参照する。
【０４３６】
方法２０００の実施形態は、動作２００５Ｅで、第１の接続を終了することを含む。例示の目的で、図７Ｊの動作７９５ｇを参照する。動作２００５Ｆで、方法２０００は、随意に、分析物センサシステム７０８と表示デバイス７１０との間の第２の接続を確立することを含む。動作２００５Ｇは、分析物センサシステム７０８が、表示デバイス７１０とメッセージングを定期的に交換して、第２の接続を維持することを含む。動作２００５Ｈで、方法２０００は、第２の接続が維持されている時間中に、分析物センサシステム７０８が表示デバイス７１０に暗号化された分析物データを伝送することも含む。第２の接続のために、動作２００５Ｇでメッセージングを定期的に交換し、動作２００５Ｈで暗号化された分析物データ伝送することは、動作２００５Ａで第１の接続のための表示デバイス７１０を認証することに基づく。したがって、方法２０００のこれらの態様と関連して、分析物データの伝送の前に交換されるメッセージングの量を低減させるために以前の認証を求めることができる場合に、認証が繰り返され得ない。
【０４３７】
Ｌ．接続モデル間の切り換え
上で述べたように、断続接続モデルおよび／または連続接続モデルを実装することができる種々の実施形態が存在する。その上、いくつかの実施形態において、分析物センサシステムおよび／または表示デバイスのバッテリ電力、無線接続の信頼性および利用可能性、その他等の種々のパラメータを、接続モデルの１つ以上の実現形態中に考慮することができる。
【０４３８】
故に、本開示の実施形態は、様々な使用事例、動作状態、およびユーザ／システム選好のために最適化することができる、柔軟かつ適合可能なシステムを提供するために、これらの接続モデルの間で切り換えることを含む。適応的な切り換え（自動化された様式であるか、ユーザ入力に基づくかにかかわらず、どちらも本明細書で企図される）は、バッテリ電力の使用状況ならびに伝送効率およびデータ精度の最適化を可能にすることができる。加えて、デバイスの性能および挙動は、例示的な実施形態に従って、経時的に追跡し、種々の接続モデルが好ましくなり得る状況に関する最適化プロファイルを開発するために使用することができる。
【０４３９】
上で暗に言及したように、いくつかの事例において、接続モデルは、種々の基準に応じて、自動化に基づいて切り換えることができる。例えば、接続モデルは、分析物センサシステムに接続されている表示デバイスのタイプ（例えば、スマートフォン対医療用デバイス）に応じて設定することができる。別の例において、接続モデルは、使用されている表示デバイスの数に基づいて設定することができ、例えば、単一の専用のデバイスが（例えば、所定の時間量にわたって）使用されている場合は、システムを連続接続モデルに切り換えることができる。別の例において、接続モデルは、現在のまたは予測されたバッテリ寿命に基づいて切り換えることができる。また、交換される信号の質を使用して、接続モデル間の切り換えが適切であるかどうかを判定することもできる。さらに、接続モデルの切り換えは、時刻ならびに／または分析物センサシステム７０８および／もしくは表示デバイス７１０の場所に基づくことができる。切り換えは、表示デバイス７１０および／または分析物センサシステム７０８によって開始することができる。
【０４４０】
実施形態において、切り換えは、ユーザ入力に基づくことができ、または半自動とすることができる。例えば、ユーザは、ＧＵＩ３４０等のＧＵＩをナビゲートして、切り換えを実施することができる。特に、図３Ｇを参照して、ユーザは、接続状態（「Ｃｏｎｎ．Ｓｔａｔｕｓ」）オプション３１４ｆを選択して、用いられる接続モデルを変更することができる。いくつかの事例では、ＧＵＩ３４０を介して異なるボタン３１６ｆを提示することができ、各ボタン（またはソフトキー）が異なる接続モデルに対応する。図３Ｇに示されるような他の事例において、単一のボタンを使用して、接続モデル間で選択することができる。そのようないくつかの事例では、ユーザが異なる接続モデル間で選択することができるように、ドロップダウンメニューを提供することができる。他の事例では、数字もしくは文字、または他の文字を使用して、所望の接続モデルを示すことができる。別の例では、切り換えを自動的にトリガーし、次に、ＧＵＩ３４０を介して表示デバイス７１０上でユーザに提示するプロンプトをトリガーすることができる。次いで、ユーザは、切り換えを承認または拒否することができる（したがって、切り換えを半自動で行うことができる）。プロンプトは、ユーザに、現在用いられている接続モデルに関する情報、提案された切り換えの理由、およびいくつかの事例において、そのトレードオフを含む、提案された切り換えを拒絶および／または受諾する結果を提供することができる。
【０４４１】
図７Ｋは、一例として、種々の接続モデルならびに関連する特徴を用いることを含む実施形態を例示する。すなわち、方法７２４は、例示的なシーケンスで用いられている複数の接続モデルの使用を含む。示されるように、Ｔ間隔で、通信セッション７２０が生じ得る。通信セッション７２０は、断続接続モデルを用いることを含み、また、図７Ａを参照して、動作７０５ａでのアドバタイジング、動作７０５ｃでの認証、および動作７０５ｄでのデータ伝送等の特徴を含むことができる。図７Ｋはまた、動作Ｔ間隔’での、通信セッション７２５の発生も例示し、これは、断続接続モデルを含む。図７Ｃを参照して、通信セッション７２５は、動作７３５ａでのアドバタイジングおよび動作７３５ｄでのデータ伝送等の特徴を含むことができる。特に、例えば、本明細書で説明されるように、通信７２０に関連して認証が以前に行われた場合に、または他の状況において、認証をスキップもしくはバイパスすることができる場合に、通信７２５の実施形態は、認証を含み得ない。図７Ｋを再度参照すると、断続接続モデルを再度用いることができる場合に、通信７２５’がＴ間隔’’で生じることが示される。Ｔ間隔’は、本明細書で説明される種々の実施形態において、Ｔ間隔と同じであり得るか、または異なり得る。同様に、Ｔ間隔’’は、本明細書で説明される種々の実施形態において、Ｔ間隔およびＴ間隔’と同じであり得るか、または異なり得る。
【０４４２】
図７Ｋの通信７２５’に続いて、通信７８０が生じるように示される。図７Ｊを参照して、通信７８０は、連続接続モデルを用いることを含む。ここで、図７Ｊに示される通信セッション７８０の全てよりも少ない動作または態様が、通信セッション７８０の特定の事例と関連して生じ得ることに留意されたい。例えば、図７Ｋを参照して、認証は、通信セッション７２０に関連して以前にすでに行われている場合がある。その結果、動作７９５ｃでの通信７８０の認証が生じる。また、いくつかの事例において、接続パラメータは、通信セッション７２０、７２５、７２５’、その他のうちの１つ以上と併せて以前に確立されている場合がある。または、例えば、接続パラメータは、連続接続モデルを用いた、または別様に接続パラメータを含む、以前の通信セッション７８０または他の通信セッションの以前の事例と関連して確立されている場合がある。そのような事例において、確立された接続パラメータは、動作７９５ｂで接続決定を行う際に使用することができ、よって、動作７９５ｂに関して説明される接続パラメータの交換を生じさせる必要がなくなる。これは、シグナリングを低減させながら、より素早い接続確立を可能にすることができる。
【０４４３】
図７Ｋをさらに参照すると、通信セッション７８０が無制限の時間量にわたって起動された後に、接続解除を生じさせることができ、新しい通信セッションを開始することができ、および／または用いられる接続モデルを変更することができる。例えば、（図７Ｊを参照して）動作７９５ｇに示されるように、ユーザ選好／入力、ネットワークまたは電力状況、等の種々の理由で接続が失われる場合がある。図７Ｋの例示される実施例において、分析物センサシステム７０８および表示デバイス７１０は、ある時間にわたって接続解除され、その後に、Ｔ間隔’’’中に通信セッション７２５’’が開始され、断続接続モデルが用いられる。しかしながら、接続モデルを切り換えるために、いかなる接続解除の必要性も生じさせる必要がないことが認識されるであろう。むしろ、実施形態において、通信セッション７８０は、接続を維持する間にメッセージングを交換することを含み、メッセージングは、連続接続モデルからの、例えば断続接続モデルへの移行を生じさせるべきであることを知らせる。そのようなシグナリングは、通信セッション７８０中のほぼあらゆる点で生じさせることができ、１つの例は、動作７９５ｆと併せることである。同様に、連続接続モデルへの移行を開始するために、類似のシグナリングを、断続接続モデルを含む通信セッションと併せて交換することができる。
【０４４４】
実施形態において、指示、例えば表示デバイス７１０に関連する使用選好の指示に応答して、分析物データを伝送または断続接続モデルに利用可能になった時点で、またはその直後に該データを交換することができる、連続接続モデルの１つが用いられる。指示は、種々の点で、分析物センサシステム７０８へ／から通信することができる。例示的な事例において、指示は、接続が確立される前に通信することができる。例えば、（例えば、動作７０５ａ、７３５ａ、および／または７９５ａで）分析物センサシステム７０８から伝送されるアドバタイズメントメッセージは、連続接続モデルが好ましいこと、それを用いるべきであること、もしくはそれが必要とされること、または特定の接続モデルのためのいかなる選好も存在しないことを知らせる指示を含むことができる。例示として、これは、アドバタイズメントパケット（例えば、図８を参照して、パケット８００）内のフラグを使用して、または別様にアドバタイズメントパケットで搬送される情報を修正することによって行うことができる。それに応じて、次いで、（例えば、動作７０５ｂ、７３５ｂ、および／または７９５ｂで）データ接続の要求が、接続モデルに関する指示が一致するかどうかを示すことができる。
【０４４５】
代替的または追加的に、指示は、（例えば、動作７０５ｂ、７３５ｂ、および／または７９５ｂでの）接続要求／許可または接続確立に関連する他のメッセージと併せて、表示デバイス７１０でアドバタイズメントメッセージを受信することに応答して交換することができる。そのような例において、例えば動作７０５ｃ、７３５ｃ、および／または７９５ｃでのデータ接続の許可、認証メッセージング、（例えば、動作７０５ｂおよび／または７９５ｂでの）データ接続の要求、その他等の、その後のメッセージングは、次いで、接続モデルに関する指示が一致するかどうかを示すことができる。
【０４４６】
別の例として、指示は、（例えば、動作７０５ｄ、７３５ｄ、および／または７９５ｄでの）データの要求または伝送と併せて交換することができる。通信セッション７８０に関して、指示は、（例えば、動作７９５ｅで）接続を維持するために使用されるメッセージングと併せて、および／または（例えば、動作７９５ｆで）接続パラメータを更新するために使用されるメッセージングと併せて交換することができる。いくつかの実施形態において、指示は、分析物センサシステム７０８と表示デバイス７１０との接続中の、またはそれ以外の他の点で交換することができる。例えば、指示は、リアルタイムで、もしくは少なくともほぼリアルタイムで、またはこれまで述べられていない他の所定の時間に送信することができる。
【０４４７】
指示の生成に関して、１つの例示的な状況において、表示デバイス７１０のユーザは、連続接続モデルが接続／切断モデルよりも好ましいことを示すことができ、逆もまた同じである。例えば、ユーザが第１の表示デバイス７１０（例えば、スマートフォン）を好み、よって、例えばそれが、分析物データを獲得するためにユーザが使用することになる唯一の表示デバイス７１０である場合、分析物センサシステム７０８は、好ましい表示デバイス７１０に接続した後に、通信セッション７８０に従って連続接続モードで動作することができる。ユーザの選好は、（例えば、ＧＵＩ３４０および「専用」、「優先順位」、または「選好」オプションを介して）ユーザによって手動で示すことができ、または例えば本明細書で詳細に説明されるように、第１の表示デバイス７１０ならびに他の表示デバイスの使用に関連するデータから導出することができる。ユーザの選好を導出することは、例えば、ユーザの分析物データの値／傾向、時刻、場所、無線リンク状態（例えば、ＲＳＳＩを含む）、パケット損失率、およびネットワークパラメータに関連するデータに基づいて行うことができる。
【０４４８】
いくつかの実施形態では、優先順位付けスキームを、多数の表示デバイス７１０に関して構成することができる。特定の表示デバイス７１０について優先順位スキームを実施するために、通信セッション７８０をその特定の表示デバイス７１０に使用することができる。いくつかの事例において、例えば、パケット損失が閾値を超えて増加した場合は、パケット損失を減少させるために、連続接続モデルを使用することができる。いくつかの事例において、連続接続モデルまたは断続接続モデルは、デフォルト接続モードとしての役割を果たすことができ、対応する通信セッション（例えば、７２０、７２５、７４０、７８０）をデフォルトで用いることができる。デフォルトモデルは、例えば、ユーザ入力に従って、または上で説明した種々のパラメータ／基準に適応的に基づいて選択可能とすることができる。
【０４４９】
例示のために、分析物センサシステム７０８および第１の表示デバイス７１０は、（例えば、図７Ａ、７Ｂ、および７Ｅに関して）上で説明したように断続接続モデルを使用して分析物データを通信することができる。このシナリオにおいて、第１の表示デバイス７１０は、例えば、ユーザのスマートフォンとすることができる。分析物センサシステム７０８はまた、接続／切断モデルに従って、第２の表示デバイス７１０と分析物データを通信することもでき、該第２の表示デバイスは、例えば、医療用デバイス（例えば、インスリンポンプ、医療用デバイス１３６、または同類のもの）、または専用の表示デバイス（例えば、図１Ａを参照して、表示デバイス１１０等の特に分析物データを通信するために設計されたデバイスであり、そのような例はまた、本明細書において、分析物表示デバイスと称されることもある）とすることができる。次いで、ユーザは、例えばＧＵＩ３４０を介して、ユーザがスマートフォンだけを使用し、医療用デバイスを使用しない旨の指示を提供することができる。上で述べたように、これは、分析物データの通信に関連し得るアプリケーション３３０等のアプリケーションと関連してスマートフォンに提供されるＧＵＩ３４０を介して行うことができる。例えば、図３Ｇを参照して、ユーザは、オプション３１６ｅのうちの１つを選択して、表示デバイス７１０を専用とするべきであること、もしくは専用とするべきでないことを示すこと、または該デバイスが好ましいもしくは好ましくない（例えば、「優先順位」および／または「選好」）という別のオプション（特に図示／列挙せず）を選択することができる。
【０４５０】
次いで、スマートフォン（または、他の種類の表示デバイス７１０）は、この実施例において、分析物センサシステム７０８にユーザの指示を伝送することができ、ユーザが専用にするべきデバイスを選択してから、該指示を受信した時点で、通信セッション７８０に従って、連続接続モデルの下で動作を開始することができる。図７Ｊを参照すると、ユーザの指示は、動作７９５ｂで、リクエストメッセージの形態で、表示デバイス７１０から分析物センサシステム７０８に伝送することができる。他の表示デバイス７１０（例えば、医療用デバイス１３６等の医療用デバイスを含む）は、このシナリオにおいて、分析物センサシステム７０８をリッスンする（すなわち、そこからメッセージを受信する）ことができるが、好ましい表示デバイス７１０−この実施例ではスマートフォン−だけが、被接続モデルの下で動作し、そのため、比較的により頻繁に分析物データを交換している。
【０４５１】
実施形態では、例えば通信セッション７８０に従って、連続接続モデルが適応的に用いられる。例えば、時刻に応じて、一部のユーザおよび／または表示デバイス７１０について、（例えば、断続接続モデルを用いること、または本明細書で説明される通信セッションの別の形態を使用することと対照的に）、通信セッション７８０に従って、連続接続モデルの下で動作させることに利点があり得る。特定のユーザは、特定の時刻の間に、より激しいグルコースレベル変動を経験する場合がある。そのような変動は、例えば、特定の時間により急速に、および／または程度が大きくなり得る。いくつかの場合において、例えば、分析物値は、いくつかの事例において、比較的あまり頻繁に交換されないので、そのような変動は、通信セッション７２０、７２５、および／または７４０に従って、断続接続モデルの下で動作する分析物センサシステム７０８によって理想的に対処されない場合がある。したがって、グルコースレベル変動が典型的に激しい時間中に、分析物センサシステム７０８および／または表示デバイス７１０は、通信セッション７８０に従って被接続モデルの下で動作を開始することができる。故に、使用される接続モデルは、適応的に変更する／トグルする／切り換えることができる。
【０４５２】
別の例において、ネットワークパラメータ、ネットワーク状況、無線リンク（例えば、ＲＳＳＩ等）の質、分析物センサシステム７０８接続しようとしている、もしくはそれと通信している表示デバイス７１０の数、および／または優先順位付けスキーム（例えば、ユーザまたは別の方法よって判定される）は、連続接続モデル（例えば、通信セッション７８０毎）または適応に基づく断続接続モデルの下で動作するための基礎としての役割を果たすことができる。ネットワークのパラメータまたは条件に関する、および／または無線リンクの質に関する低下は、パケット損失をもたらす場合がある。そのようなパケット損失は、上で暗に言及したように、いくつかの事例において連続接続モデルほど頻繁にデータが交換されないので、断続モデルの下での分析物データの交換にとってより重要であり得る。故に、ネットワークのパラメータもしくは条件および／または無線リンクの質の低下を緩和するために、そのような低下が検出されたときに、分析物センサシステム７０８および表示デバイス７１０は、通信セッション７８０に従って、連続接続モデルの下で動作を開始することができる。上で述べたように、分析物センサシステム７０８および／または表示デバイス７１０は、ネットワークパラメータ、ネットワーク状況、および／または無線リンクの質を監視することができる。次いで、これらの測定は、閾値と比較することができ、よって、閾値を超えることに応答して、（例えば、種々の通信セッションの間の）用いられる接続モードの切り換えを適応的に行うことができる。
【０４５３】
分析物センサシステム７０８に接続しようとしている、および／またはそれらと通信しているデバイスの数に関して、動作モード／接続モデルの適応は、以下のように説明することができる。多数の表示デバイス７１０が分析物センサシステム７０８からの範囲内に存在する場合があり、また、そこに接続しようとすることが干渉をもたらす場合があり、そのため、パケット損失および／または電力消費を増加させる場合がある。そのようなパケット損失および電力消費の増加を回避するために、多数の表示デバイス７１０が接続しようとしていても、分析物センサシステム７０８は、好ましい表示デバイス７１０との、連続接続モデルの下での動作を開始することができる。
【０４５４】
これは、分析物センサシステム７０８が、そこに接続しようとする表示デバイス７１０のデバイスの数のカウントを維持し、カウントが閾値を超えた場合に、連続接続モデルの下での動作に入るように、好ましい表示デバイス７１０にシグナリングすることによって行うことができる。そのようなシグナリングは、例えば、本明細書で説明される通信セッションの種々の動作に関連して実施することができる。代替的または追加的に、パケット損失は、（例えば、表示デバイス７１０および／または分析物センサシステム７０８において）監視することができる。さらに、そのようなパケット損失源は、例えば表示デバイス７１０および／または分析物センサシステム７０８において、判定または推定／近似することができる。パケット損失源が、（例えば、多数の表示デバイス７１０が、分析物センサシステム７０８への接続を試みることに起因する）干渉であると判定された場合、連続接続モデルの下での動作を開始することができる。
【０４５５】
ここで、好ましい表示デバイス７１０もまた、同時またはほぼ同時に判定することができ、オンザフライで判定することができ、また、ユーザの介入を伴わずに判定することができる。例えば、好ましい表示デバイス７１０は、使用頻度、以前に判定された優先順位付けスキーム、接続もしくは無線リンクの質（例えば、信号電力、チャネル損失、ビットエラー率、ＲＴＴ、ＲＳＳＩ、その他に基づく）、利用可能なバッテリ寿命および／または処理能力、時刻、その他に基づいて判定することができる。代替的または追加的に、ユーザは、好ましい表示デバイス７１０に関して、例えば表示デバイス７１０で動作するアプリケーション３３０の一部として、ＧＵＩ７４０を介してクエリを行うことができる。
【０４５６】
通信セッション７８０に従って確立され、維持される接続を終了することに関して、複数の技法を用いることができる。上で述べたように、動作７９５ｅは、接続間隔に従うメッセージングの交換を含むことができる。そのようなメッセージは、「ピング」メッセージとみなすことができる。
【０４５７】
そのようなメッセージングの順次交換は、第１のメッセージ、ならびに第１のメッセージ、その他に関して、第３、第４、および第５のメッセージ、その他に関して、逐次的に伝送される第２のメッセージを含むことができる。第１のそのようなメッセージは、シーケンスにおいて次のメッセージがいつ分析物センサシステム７０８と表示デバイス７１０との間で交換されるのかを示す接続間隔を含むように構成することができ、または換言すれば、第１および第２のピングメッセージの順次交換の間の、スケジュールされた時間量を含むことができる。
【０４５８】
この接続間隔は、動作７９５ｅで交換されるメッセージの間で変動させることができる。表示デバイス７１０が、予期される接続間隔内に第２のメッセージを受信しない場合は、動作７９５ｇで、表示デバイス７１０と分析物センサシステム７０８との間の接続を終了することができる。別の場合では、提案された接続間隔が、例えば動作７９５ｂまたは動作７９５ｆで、否定応答されるか、または別様に拒絶された場合に、接続を終了することができる。すなわち、分析物センサシステム７０８および表示デバイス７１０が、接続間隔時に同意しない場合、接続を閉じる／終了することができる。ＡＣＫ／ＮＡＣＫはまた、例えば動作７９５ｅで、各ピングメッセージ（例えば、多重化されたＡＣＫ／ＮＡＣＫ）に従って、または所定の、もしくは適応的に変動させた数のそのようなメッセージ（例えば、付属のＡＣＫ／ＮＡＣＫ）に従って、送信することができる。
【０４５９】
実施形態において、動作７９５ｅで交換される１つ以上のメッセージは、タイムアウト値を含むことができる。上で述べたように、監視タイムアウトおよび関連する技法はまた、連続接続モデルに関しても用いることができる。例えば、タイムアウト値の終了時に、第２のピングメッセージを受信しなかった場合、方法７２２は、動作７９５ｇで、接続を終了することを含むことができる。接続を終了したときに、通信セッション７８０を終了することができる。この時点で、いくつかの事例では、分析物センサシステム７０８のトランシーバ３６０および／またはプロセッサ３８０を停止することができる。代替的に、上で述べたように、分析物センサシステム７０８は、動作７９５ａ’で、アドバタイズメントを開始することができる。いくつかの事例において、停止またはアドバタイズする判定は、接続を終了した明らかな理由に基づくことができる。例えば、干渉事象、無線状態の低下、または電池電力の損失と並行して接続を終了した場合、分析物センサシステム７０８は、動作７９５ａ’で、アドバタイズメントを開始して、以前に接続していた表示デバイス７１０または別の表示デバイス７１０を再度獲得することができる。
【０４６０】
一般に、分析物センサシステム７０８および表示デバイス７１０が連続的に接続される通信セッション７８０の事例は、接続が閉じられる、もしくは終了するまで、または上で説明した種々の潜在的な理由で失われるまで持続させることができる。接続モデルを修正する要求は（例えば、動作７９５ｆに従って送信する）、通信セッション７８０の一部として確立した接続を終了すること、および例えば通信セッション７２５’’を開始することによって、異なる接続モデルをトリガーすることをもたらすことができる。いくつかの事例において、用いられる接続モデルは、ＧＵＩ３４０を介して手動で制御することができる。図３Ｇを参照すると、ユーザには、オプション３１６ｆを使用した接続モデルの選択を可能にするサブメニュー３１４ｆを提示し、したがって、用いられる接続モデルの切り換えを開始することができる。したがって、方法７２２は、分析物データを通信するための高度に柔軟で、適合可能な技法を提供する。
【０４６１】
本明細書で説明される接続モデルに関して、本開示の実施形態において、異なる接続モデルを、異なる接続デバイス（例えば、表示デバイス７１０）に使用することができる。図３Ｃを参照すると、例えば、通信セッション７８０は、表示デバイス３１０ａおよび３１０ｂの間で用いることができ、また同時に、異なる通信セッション（例えば、７２０、７２５、７４０、その他）を、一方では表示デバイス３１０ａおよび／または３１０ｂの間で、他方では分析物センサシステム７０８に用いることができる。実施形態において、表示デバイス３１０ａおよび３１０ｂのうちの１つは、分析物センサシステム７０８に接続されていない場合があるが、それでもやはり、分析物センサシステム７０８に接続される別の表示デバイス３１０ｂまたは３１０ａを介して、分析物データを受信することができる。いくつかの事例において、これは、テザリングと称することができる。そのような構成は、例えば、図３Ｆおよび３Ｇを参照して、ＧＵＩ３４０によって提示されるサブメニュー３１４ａを使用して実施することができる。
【０４６２】
以下、図３Ｃ〜３Ｅを参照すると、本開示の実施形態は、本明細書で説明される種々の接続モデルを使用して、一種のメッシュネットワークを構成および／またはセットアップすることを含む。例えば、異なる接続モデルを使用して、２つ以上の表示デバイス３１０ａおよび３１０ｂを分析物センサシステム３０８に接続することができる。図３Ｃおよび例示されるシステム３０４を参照すると、分析物センサシステム３０８は、通信媒体３０５ａを介して表示デバイス３１０ａおよび３１０ｂに接続可能とすることができる。さらに、表示デバイス３１０ａおよび３１０ｂは、通信媒体３０５ｂを介して、互いに接続可能とすることができる。図３Ｃ〜３Ｅには２つの表示デバイス３１０ａおよび３１０ｂが示されているが、２つを超える表示デバイスを、本明細書で説明されるメッシュ状ネットワークに、および／または種々の接続モデルを使用して含むことができることが認識されるであろう。
【０４６３】
図３Ｄは、システム３０６ａによる接続において、分析物センサシステム３０８が、例示として接続ＡおよびＢとして表される、種々の通信媒体（例えば、通信媒体３０５）および／または接続モデル（例えば、断続接続モデル、連続接続モデル、その他）を使用して、表示デバイス３１０ａおよび３１０ｂにそれぞれ接続可能とすることができることを示す。加えて、表示デバイス３１０ａおよび３１０ｂは、ここで例示として接続Ｃで表されるように、種々の通信媒体および／または接続モデルを使用して、互いに接続可能とすることができる。例えば、２つの表示デバイス３１０ａおよび３１０ｂが分析物センサシステム３０８の範囲内にあるときに、分析物センサシステム３０８および表示デバイス３１０ａは、連続接続モデルを使用して接続することができる。次いで、表示デバイス３１０ｂを、断続接続モデルを使用して、分析物センサシステム３０８に接続することができる。この様態で、表示デバイス３１０ｂを表示デバイス３１０ａに接続した状態で、表示デバイス３１０ａは、表示デバイス３１０ｂのためのゲートウェイデバイスとして本質的に作用することができる。いくつかの他の実施形態において、分析物センサシステム３０８は、連続接続モデルを介して、表示デバイス３１０ａおよび表示デバイス３１０ｂと同時に接続することができる。（例えば、接続Ａおよび接続Ｂがどちらも連続接続モデルを使用することができる）。連続接続モデルを使用して、多数の表示デバイスを分析物センサシステムと同時に接続することができることが企図される。
【０４６４】
表示デバイス５１０ａおよび５１０ｂを使用するそれぞれの接続モデルを切り換えることができることが認識されるであろう。また、表示デバイス３１０ａおよび３１０ｂは、断続接続モデルを使用して、分析物センサシステムに接続することができるということも認識されるであろう。一方では分析物センサシステム３０６ａ、もう一方では表示デバイス３１０ａ、３１０ｂの間で用いられている接続モデルにかかわらず、表示デバイス３１０ａ、３１０ｂは、断続接続モデルまたは連続接続モデルを使用して、互いに接続することができる。さらに、（例えば、接続Ａ、Ｂ、およびＣにおいて）用いられる通信媒体および／または接続モデルのうちのいずれかは、接続確立の後に、異なる接続モデルに切り換えることができる。
【０４６５】
以下、図３Ｅを参照すると、本明細書で説明される種々の接続モデルを使用して、メッシュネットワークを構成および／またはセットアップする別の実施例が例示される。システム３０６ｂと関連して示されるように、分析物センサシステム３０８は、それぞれの接続の各々に用いられている種々の接続モデルおよび／または通信媒体３０５によって、一連の表示デバイス３１０ａ、３１０ｂ、３１０ｃに接続可能とすることができる。本明細書で説明される接続モデルのうちのいずれかを、接続Ｄ、Ｅ、および／またはＦ、その他に使用することができることが認識されるであろう。さらに、用いられる接続モデル（例えば、接続Ｄ、Ｅ、およびＦ）のうちのいずれかは、接続確立の後に、異なる接続モデルに切り換えることができる。また、システム３０６ｂの例示的な実現形態において、１つ以上の表示デバイスを、表示デバイス３１０ａ、３１０ｂ、および３１０ｃと並列に、分析物センサシステム３０８に接続することができることも認識されるであろう。各表示デバイスはまた、表示デバイス３１０ａ、３１０ｂ、および３１０ｃに関して示されるように、そこに一連の表示デバイスも接続している場合がある。
【０４６６】
図３Ｃ〜３Ｅに示される構成に関する実施形態において、図３Ｆおよび３Ｇを参照してＧＵＩ３４０等のユーザインターフェースは、ユーザにメッシュネットワークに関する情報を提示することができ、よって、該ユーザは、あるレベルの制御および／またはその構成への入力を維持することができる。例えば、メッシュネットワークのトポグラフィを提供することができ、ユーザは、接続リンクにアクセスして、種々の接続と関連付けられた、用いられる接続モデルもしくは使用される接続パラメータ、アドバタイズメント特性、その他を変更することができる。その上、ユーザは、デバイスが他のデバイスへのゲートウェイとして作用することができることに関して、表示デバイス３１０ａ、３１０ｂ、その他の中で切り換えることが可能であり得る。
【０４６７】
以下、図１５Ａおよび１５Ｂを参照すると、以下、上で説明した接続パラメータに関連する本開示のいくつかの実施形態が説明される。これに関して、図１５Ａおよび１５Ｂは、例えば本明細書で説明される種々の接続モデルに従って接続パラメータを設定および／または修正することと関連して、本開示の実施形態に従って行うことができる種々の動作を例示する動作フロー図を提供する。例示の目的で、ここでは、図７Ｊ、ならびにその中に示される構成要素の符号を参照する。それでもやはり、当業者は、本開示を研究すれば、本開示の他の図からの類似する構成要素が、図１５Ａおよび１５Ｂの説明の範囲に含まれ得ることを認識するであろう。また、この時点で、接続パラメータの設定、交渉、および／または修正が、いくつかの事例では、接続モデル間での切り換えに関するものであり得、他の事例では、接続パラメータの設定、交渉、および／または修正が、所与の時間量にわたって単一の接続モデルに従って動作することに関するものであり得ることに留意されたい。それでもやはり、読者の便宜のために、これらの特徴に関する議論が本開示のこの部分に含まれる。
【０４６８】
図１５Ａに示される実施形態は、例えば接続パラメータおよび関連する特徴の交換、交渉、および設定を含む、分析物データを無線通信するための方法１５００の態様を含む。これに関して、方法１５００は、動作１５０５Ａで、第１の接続モデルに従って接続を要求することを含む。例えば、表示デバイス７１０は、図７Ｊに示される動作７９５ｂと併せて、分析物センサシステム７０８への接続を要求することができる。第１の接続モデルは、断続接続モデルまたは連続接続モデルとすることができる。動作１５０５Ｂで、方法１５００は、接続パラメータの提案を受信することを含む。この提案は、接続パラメータの１つ以上の提案値を含む。いくつかの事例では、多数の接続パラメータの提案を同時にまたはほぼ同時に送信することができる。提案は、分析物センサシステム７０８および／または表示デバイス７１０で受信することができる。動作１５０５Ｃで、方法１５００は、提案が許容可能であるかどうかを判定することを含む。動作１５０５Ｄは、提案が許容可能であるかどうかを判定することに基づいて、提案に対する応答を生成することを含む。
【０４６９】
動作１５０５Ｅで、方法１５００は、随意に、動作１５０５Ｅで生成された応答が接続パラメータの提案値以外の接続パラメータの値の選好を示す場合に、反対提案を送信することを含む。反対提案は、接続パラメータの１つ以上の反対提案値を含むことができる。方法１５００の実施形態はまた、動作１５０５Ｆで、反対提案に対する応答を受信することを含む。値の提案および／または値の反対提案に対して受信される応答に基づいて、種々のアクションをとることができる。
【０４７０】
動作１５０５Ｇで、方法１５００は、応答が許容可能な提案値の受諾を示す場合に、１つ以上の提案値のうちの許容可能な提案値、反対提案に対する応答が反対提案値のうちの１つ以上の受諾を示す場合に、反対提案値のうちの少なくとも１つ、のうちの１つ以上に基づいて、表示デバイス７１０と分析物センサシステム７０８との間の接続を確立することを含むことができる。動作１５０５Ｈで、方法１５００は、反対提案に対する応答が反対提案値の否認を示す場合に、接続拒否決定を生成することを含むことができる。いくつかの事例ではまた、提案値のうちの少なくとも１つの否認に基づいて、動作１５０５Ｈで、接続拒否決定も生成することができる。動作１５０５Ｊで、方法１５００は、随意に、応答が許容可能な提案値の受諾を示す場合に、１つ以上の提案値のうちの許容可能な提案値、反対提案に対する応答が反対提案値のうちの１つ以上の受諾を示す場合に、反対提案値のうちの少なくとも１つ、のうちの１つ以上に基づいて、表示デバイス７１０と分析物センサシステム７０８との間の接続を修正することを含むことができる。
【０４７１】
動作１５０５Ｋで、方法１５００は、例えば、反対提案に対する応答が反対提案値の否認を示す場合に、提案に対する応答が提案値のうちの少なくとも１つの否認を示す場合に、および提案が許容可能でないと判定することに応答して、表示デバイス７１０と分析物センサシステム７０８との間の接続を終了することを含むことができる。動作１５０５Ｌで、方法１５００の実施形態は、（例えば、動作１５０５Ｋで）接続を終了することに関連する通知を提供することを含む。実施形態において、方法１５００は、提案および／または反対提案が許容可能でないと判定することに応答して、（例えば、第１の接続モデルと異なる）第２の接続モデルに従って接続を要求することを含む。
【０４７２】
図１５Ｂは、例えば接続パラメータおよび関連する特徴の交換、交渉、および設定を含む、分析物データを無線通信するための方法１５０２の態様に関連する本開示の実施形態を含む。これに関して、方法１５０２は、動作１５１０Ａで、表示デバイス７１０上で動作するアプリケーション（例えば、一例として図３Ｂを参照して、アプリケーション３３０）からの入力に応答して、表示デバイス７１０が分析物センサシステム７０８に接続パラメータの値を含むメッシングを送信することを含むことができる。動作１５１０Ｂで、方法１５０２は、表示デバイス７１０が分析物センサシステム７０８から接続パラメータの値を受信することを含む。
【０４７３】
動作１５１０Ｃで、方法１５０２は、値が許容可能であるかどうかの指示を取得することを含むことができる。この取得は、例えば、表示デバイス７１０が分析物センサシステム７０８から値が許容可能であるかどうかの判定を受信することによって達成することができる。動作１５１０Ｄで、方法１５０２は、値が許容可能であるという判定に基づいて、（例えば、一例として図３Ｂを参照して、記憶装置３２５に記憶され、プロセッサ３３５によって少なくとも部分的に実行／制御される）表示デバイス７１０のオペレーティングシステムが接続パラメータの値を適用することを含む。例えば、値は、分析物センサシステム７０８と表示デバイス７１０との間に確立される、または確立されるべき接続に適用されることができる。
【０４７４】
接続モデル間の切り換えにさらに関して、図１６Ａ〜１６Ｃは、本開示の実施形態に従って行うことができる種々の動作を例示する動作フロー図を提供する。例示の目的で、ここでは、図７Ａ〜７Ｋ、ならびにその中に示される構成要素の符号を参照する。それでもやはり、当業者は、本開示を研究すれば、本開示の他の図からの類似する構成要素が、図１６Ａ〜１６Ｃの説明の範囲に含まれ得ることを認識するであろう。
【０４７５】
図１６Ａに示される実施形態は、例えば本明細書で説明される異なる接続モデルに従って動作間で切り換えることを含む、分析物データを無線通信するための方法１６００の態様を含む。これに関して、方法１６００は、動作１６０５Ａで、第１のモードで動作することを含む。加えて、動作１６０５Ｂで、方法１６００は、第２のモードで動作することを含む。図１６Ｂおよび１６Ｃは、動作１６０５Ａおよび１６０５Ｂに関するさらなる詳細を例示する。図１６Ｂは、図１６Ａを参照して上で述べた動作１６０５Ａに関するさらなる詳細を含む、方法１６０２の態様を含む実施形態を例示する。示されるように、動作１６０５Ａは、動作１６１０Ａで、分析物センサシステム７０８および表示デバイス７１０の接続が維持されるように、分析物センサシステム７０８が表示デバイス７１０とメッセージングを定期的に交換することを含む。ここで、一例として、図７Ｊに示される動作７９５ｅを参照する。動作１６１０Ｂは、分析物センサシステム７０８および表示デバイス７１０が接続を維持している間、分析物センサシステム７０８が表示デバイス７１０に分析物データを伝送することを含む。
【０４７６】
図１６Ｃは、図１６Ａを参照して上で述べた動作１６０５Ｂに関するさらなる詳細を含む、方法１６０４の態様を含む実施形態を例示する。示されるように、動作１６０５Ｂは、動作１６１５Ａで、分析物センサシステム７０８と表示デバイス７１０との間の接続を定期的に確立することを含む。ここで、一例として、図７Ａおよび７Ｂ（例えば、通信セッション７２０および７２０’、ならびに動作７０５ｂ）を参照する。動作１６１５Ｂは、接続が確立されている間、表示デバイス７１０に分析物データを伝送することを含む。
【０４７７】
図１６Ａを再度参照すると、動作１６０５Ｃで、方法１６００は、１つ以上の切り換え基準に関連する指示を受信することを含むことができる（例えば、そのような基準は、本明細書で説明されるようなより良好な状態および／または管理に関連し得る）。動作１６０５Ｄで、方法１６００は、随意に、第１のモードで動作することから第２のモードで動作することに切り換えること、または第２のモードで動作することから第１のモードで動作することに切り換えることを含む。動作１６０５Ｃの切り換えは、ユーザ入力および／または１つ以上の切り換え基準に基づくことができる。動作１６０５Ｅで、方法１６００は、ユーザに切り換えに関連する通知を提示することを含むことができる。
【０４７８】
Ｍ．特性に基づくプロファイルを使用したデータの読み取り
背景として、本明細書で説明されるいくつかのプロファイルは、制御に基づく線形とすることができ、また、シーケンスで構成することができるいくつかの特性を用いることができる。いくつかの事例において、シーケンスでいくつかの特性を通過した（例えば、同期時間の読み取り、認証、その他）後に、表示デバイス７１０は、分析物センサシステム７０８からＥＧＶ値を要求することができる。すなわち、いくつかの例示的なプロファイルは、ＥＧＶが交換される前に、従うべき、および実行されるべき特定のシーケンスのコマンドおよび動作を要求する、および／または必要とする。
【０４７９】
本開示の実施形態に従って、プロファイルは、特性に基づいて提供される。すなわち、（例えば、上で説明したような）連続接続モデルまたは断続接続モデルに従って動作している間に、表示デバイス７１０によってＥＧＶデータを読み取る、または受信するために、特性に基づくプロファイルを実装することができる。これによって、ＣＧＭデータを読み取る前にいくつかの通信関連の動作または特性を最初に実行することとは対照的に、表示デバイス７１０が、ＣＧＭデータを直接読み取ることを可能にすることができる。初期の認証に続いていかなる追加的な認証も行う必要がないので、ＣＧＭデータの直接的な読み取りは、上で説明した認証スキームによって少なくとも部分的に容易にすることができる。したがって、いくつかの事例において、開示されるプロファイルは、データの交換前に、増加した数のメッセージを交換することを必要とすることなく、増加した数の特性を含むことができる。１つのそのような特性は、暗号化されたＥＧＶに使用すること、またはいくつかの事例において、それ専用とすることができる。このように、表示デバイス７１０は、（既存の制御に基づくプロファイルに従って必要になり得る）全ての他の特性を最初に通過するのではなく、ＥＧＶ特性まで直接スキップし、暗号化されたＥＧＶを読み取ることができる。これは、電力の節約をもたらすことができ、ならびに応答性および信頼性が高められる。
【０４８０】
ここで開示される特性に基づくプロファイルの実施形態に従ってＥＧＶデータを読み取る典型的なシーケンスは、以下の通りであり得る。用いられる接続モデルに応じて異なる工程（例えば、連続接続モデルまたは断続接続モデル）をとることができる場合にも、同じことが以下の説明に示される。最初に、分析物センサシステム７０８および表示デバイス７１０は、接続を確立することができる。次いで、分析物センサシステム７０８は、表示デバイス７０８に、どんなおよびいくつの特性を適用可能なプロファイルに含むのかを示すことができる（例えば、分析物センサシステム７０８は、それが３つまたは４つの特性を有することを示すことができる）。次いで、断続接続モデルの場合、分析物センサシステム７０８は、接続解除すること、および／または再度ウェークアップする前にある時間にわたってスリープさせることができる。代替的または追加的に、連続接続モデルの場合、分析物センサシステム７０８が表示デバイス７１０に特性の数を示した後に、接続を維持する。次いで、表示デバイス７１０は、特性をシーケンスで配設することができることにかかわらず、接続中の任意のときに、分析物センサシステム７０８から特定の特性を読み取るように要求することができる。例えば、要求は、特性の番号に従って行うことができる。したがって、例えば、表示デバイス７１０は、時間同期および暗号化されたＥＧＶとすることができる特性番号１および３を読み取るように要求することができる。
【０４８１】
すなわち、上で説明したプロファイル実現形態では、（少なくともその時に）不必要であり得る他の特性（例えば、この実施例において、特性番号２）をステップスルーすることなく、（暗号化された）ＥＧＶを直接読み取ることができる。故に、（暗号化された）ＥＧＶを読み取る前に分析物センサシステム７１０と表示デバイス７０８との間で交換されるメッセージ／通信の数を低減させることができる。
【０４８２】
図１２Ａおよび１２Ｂは、一例として、特性プロファイルならびに関連する特徴を用いることを含む実施形態を示す。すなわち、方法１２００は、通信セッション１２０２と、例示的なシーケンス、すなわち特性１２０５ａ、１２０５ｂ、１２０５ｃ等において用いられる特性プロファイル１２０５の使用とを含む。特性プロファイル１２０５は、特性１２０５ａ、１２０５ｂ、その他を含むことができ、これは、例えば、特性１２０５ａおよび／または１２０５ｅと併せてアドバタイジングすることと、特性１２０５ｂと併せて接続を確立することと、特性７０５ｃと併せて認証することと、特性１２０５ｄと併せてデータを伝送することとを含むことができる。これらの特性は、単に例示として提供され、さらなるまたはより少ない特性を特性プロファイル１２０５に含むことができることが認識されるであろう。
【０４８３】
上で述べたように、分析物センサシステム７０８および表示デバイス７１０は、接続を確立することができる。次いで、分析物センサシステム７０８は、表示デバイス７０８に、どんなおよびいくつの特性が特性プロファイル１２０５に含まれるかを示すことができる。図１２Ｂで表されるように、表示デバイス７１０は、例えば特性プロファイル１２０５に従って、図１２Ａに示されるシーケンスの特性の各々を行うことなく、分析物センサシステム７０８から特性１２０５ｄを読み取る（例えば、暗号化された推定グルコース値を読み取る）ように要求することができる。この時点で、通信セッション１２０２および／または１２０４は、断続接続モデル、連続接続モデル、または両方を用いることができることが認識されるであろう。
【０４８４】
さらに連続接続モデルに関して、図１７は、本開示の実施形態に従って行うことができる種々の動作を例示する動作フロー図を提供する。例示の目的で、ここでは、図１２Ａおよび１２Ｂ、ならびにその中に示される構成要素の符号を参照する。それでもやはり、当業者は、本開示を研究すれば、本開示の他の図からの類似する構成要素が、図１７の説明の範囲に含まれ得ることを認識するであろう。
【０４８５】
図１７に示される実施形態は、特性プロファイルの態様を用いるためのものを含む、分析物データを無線通信するための方法１７００の態様を含む。これに関して、方法１７００は、動作１７０５Ａで、分析物センサシステム７０８と表示デバイス７１０の間の接続を確立することを含む。動作１７０５Ｂで、方法１７００は、分析物センサシステム７０８と関連付けられた一組の特性を受信することを含む。特性は、シーケンスで配列することができる。実施形態において、方法１７００は、動作１７０５Ｃを含み、これは、分析物センサシステム７０８に、シーケンスと異なる順序で特性のうちの１つ以上を読み取る要求を送信することを含む。動作１７０５Ｄで、方法１７００は、随意に、シーケンス内の行われた特性に先行する１つ以上の他の特性を実装することなく、一組の特性を実装することを含む。
【０４８６】
Ｎ．追加的な実施形態
当業者は、本開示を研究すれば、本明細書で明示的に説明されない種々の追加的な実施形態が本開示の主旨および範囲の範囲内にあることを認識するであろう。
【０４８７】
図１１は、いくつかの事例において（例えば、サーバシステム３３４と関連して）コンピュータシステム常駐のプロセッサ／マイクロプロセッサ／コントローラ、本明細書で説明される表示デバイスのいずれか（例えば、表示デバイス１２０、１３０、１４０、３１０（ａ、ｂ）（７１０（ａ、ｂ）、ならびに分析物表示デバイス１１０および医療用デバイス１３６）、および／または分析物センサシステム８、３０８、７０８、その他、を含むことができる、例示的なコンピュータモジュール１１００を例示する。コンピューティングモジュール１１００は、本明細書で開示されるシステム、デバイス、装置、および方法の実施形態の種々の特徴および／または機能を実施するために使用することができる。分析物センサシステム７０８、分析物表示デバイス１１０、表示デバイス７１０ａ、７１０ｂ、その他、サーバシステム３３４およびその構成要素、その他、の実施形態を含む、本開示の種々の図を参照して説明されるシステム、デバイス、装置、および方法の文脈で本明細書に記載される、上で説明した実施形態に関して、当業者は、コンピューティングモジュール１１００によって実行することができるこれらの実施形態の機能に関する追加的な変形例および詳細を認識するであろう。これに関して、本明細書で説明される種々の実施形態（例えば、システム、デバイス、および／または装置、ならびに同類のもの）の特徴および態様は、本開示の主旨を逸脱しない範囲で、本明細書で説明される他の実施形態（例えば、方法、プロセス、および／または動作、ならびに同類のもの）に関して実施することができることも当業者によって認識されるであろう。
【０４８８】
本明細書で使用される場合、モジュールという用語は、本出願の１つ以上の実施形態に従って行うことができる所与の機能ユニットを説明することができる。本明細書で使用される場合、モジュールは、任意の形態のハードウェア、ソフトウェア、またはこれらの組み合わせを利用して実施することができる。例えば、あるモジュールを形成するために、１つ以上のプロセッサ、コントローラ、ＡＳＩＣ、ＰＬＡ、ＰＡＬ、ＣＰＬＤ、ＦＰＧＡ、論理コンポーネント、ソフトウェアルーチン、または他の機構を実装することができる。実現形態において、本明細書で説明される種々のモジュールは、離散したモジュールとして実装することができ、または説明される機能および特徴は、１つ以上のモジュールの間で部分的に、または全体的に共有することができる。換言すれば、この説明を読み込んだ後に、当業者には明らかなように、本明細書で説明される種々の特徴および機能は、任意の所与のアプリケーションにおいて実施することができ、また、種々の組み合わせおよび順列で１つ以上の別々または共有のモジュールで実施することができる。種々の特徴または機能の要素が別々のモジュールとして個別に説明または特許請求することができる場合であっても、当業者は、これらの特徴および機能を１つ以上の共通のソフトウェアおよびハードウェア要素の間で共有することができ、また、そのような説明は、そのような特徴または機能を実施するために別々のハードウェアまたはソフトウェア構成要素を使用することを必要としない、または含意しないことを理解するであろう。
【０４８９】
アプリケーションの構成要素またはモジュールが全体的または部分的にソフトウェアを使用して実施される場合、１つの実施形態において、これらのソフトウェア要素は、本件に関して説明される機能を実行することが可能なコンピューティングまたは処理モジュールで動作するように実施することができる。１つのそのような例示的なコンピューティングモジュールが図１１に示される。種々の実施形態は、例示的なコンピューティングモジュール１１００に関して説明される。本説明を読み込んだ後に、当業者には、他のコンピューティングモジュールまたはアーキテクチャを使用してアプリケーションを実施する方法が明らかになるであろう。
【０４９０】
以下、図１１を参照すると、コンピューティングモジュール１１００は、例えば、メインフレーム、スーパーコンピュータ、ワークステーション、またはサーバ、デスクトップ、ラップトップ、ノートブック、またはタブレットコンピュータ、ハンドヘルドコンピューティングデバイス（タブレット、ＰＤＡ、スマートフォン、携帯電話、パームトップ、その他）、コンピューティングモジュール１１００が特に意図されるアプリケーションおよび／または環境に依存する他の表示デバイス、特定用途向けデバイス、または他の電子デバイス、および同類のもの、に見いだされるコンピューティングまたは処理能力を表すことができる。
【０４９１】
コンピューティングモジュール１１００は、例えば、プロセッサ１１１０等の１つ以上のプロセッサ、マイクロプロセッサ、コントローラ、制御モジュール、または他の処理デバイス、および回路１１０５に含むことができるもの等を含むことができる。プロセッサ１１１０は、例えばマイクロプロセッサ、コントローラ、または他の制御論理等の、専用エンジンを使用して実施することができる。例示される実施例において、プロセッサ１１１０は、回路１１０５を経由してバス１１５５に接続されるが、任意の通信媒体を使用して、コンピューティングモジュール１１００の他の構成要素との相互作用を容易にすること、または外部と通信することができる。
【０４９２】
コンピューティングモジュール１１００はまた、本明細書では単純にメモリ１１１５と称される、１つ以上のメモリモジュールを含むことができる。例えば、情報およびプロセッサ１１１０または回路１１０５によって実行される命令を記憶するために、ランダムアクセスメモリ（ＲＡＭ）または他のダイナミックメモリを使用することができる。メインメモリ１１１５はまた、プロセッサ１１１０または回路１１０５によって実行されるべき命令の実行中に、一時的な変数または他の中間情報を記憶するために使用することもできる。コンピューティングモジュール１１００は、同様に、プロセッサ１１１０または回路１１０５のための静的な情報および命令を記憶するための、バス１１５５に結合されたリードオンリーメモリ（ＲＯＭ）または他の静的記憶デバイスを含むことができる。
【０４９３】
コンピューティングモジュール１１００はまた、例えばメディアドライブ１１３０およびドライブユニットインターフェース１１３５を含むことができる、１つ以上の種々の形態の情報記憶デバイス１１２０も含むことができる。メディアドライブ１１３０は、固定または取り外し可能な記憶媒体１１２５をサポートするために、ドライブまたは他の機構を含むことができる。例えば、ハードディスクドライブ、フロッピーディスクドライブ、磁気テープドライブ、光ディスクドライブ、ＣＤ、またはＤＶＤドライブ（ＲまたはＲＷ）、または他の取り外し可能なもしくは固定メディアドライブを提供することができる。故に、取り外し可能な記憶媒体１１２５としては、例えば、メディアドライブ１１３０による読み取り、書き込み、またはアクセスが行われる、ハードディスク、フロッピーディスク、磁気テープ、カートリッジ、光ディスク、ＣＤもしくはＤＶＤ、または他の固定または取り外し可能な媒体を挙げることができる。これらの例が例示するように、取り外し可能な記憶媒体１１２５としては、その中にコンピュータソフトウェアまたはデータを記憶したコンピュータ使用可能記憶媒体を挙げることができる。
【０４９４】
代替の実施形態において、情報記憶デバイス１１２０は、コンピュータプログラムまたは他の命令もしくはデータをコンピューティングモジュール１１００にロードすることを可能にするための、他の類似する手段を含むことができる。そのような手段は、例えば、固定または取り外し可能な記憶ユニット１１４０と、記憶ユニットインターフェース１１３５と、を含むことができる。そのような取り外し可能な記憶ユニット１１４０および記憶ユニットインターフェース１１３５の例としては、プログラムカートリッジおよびカートリッジインタフェース、取り外し可能なメモリ（例えば、フラッシュメモリまたは他の取り外し可能なメモリモジュール）およびメモリスロット、ＰＣＭＣＩＡスロットおよびカード、ならびに取り外し可能な記憶ユニット１１４０からコンピューティングモジュール１１００にソフトウェアおよびデータを転送することを可能にする他の固定または取り外し可能な記憶ユニット１１４０および記憶ユニットインターフェース１１３５、が挙げられる。
【０４９５】
コンピューティングモジュール１１００はまた、通信インターフェース１１５０も含むことができる。通信インターフェース１１５０は、コンピューティングモジュール１１００と外部デバイスとの間でソフトウェアおよびデータを転送することを可能にするために使用することができる。通信インターフェース１１５０の例としては、モデムもしくはソフトモデム、ネットワークインターフェース（イーサネット（登録商標）、ネットワークインターフェイスカード、ＷｉＭｅｄｉａ、ＩＥＥＥ８０２．ＸＸ、または他のインターフェース）、通信ポート（例えば、ＵＳＢポート、ＩＲポート、ＲＳ２３２ポートＢｌｕｅｔｏｏｔｈ（登録商標）インターフェース、または他のポート）、または本明細書で説明される通信媒体によって動作するように構成された他の通信インターフェース、が挙げられる。通信インターフェース１１５０を介して転送されるソフトウェアおよびデータは、例として、信号で搬送することができ、該信号は、所与の通信インターフェース１１５０によって交換することが可能な、電子信号、電磁信号（光信号を含む）、または他の信号とすることができる。これらの信号は、チャネル１１４５を介して、通信インターフェース１１５０へ／から提供することができる。チャネル１１４５は、信号を搬送することができて、また、有線または無線の通信媒体を使用して実施することができる。チャネル１１４５のいくつかの非限定的な例としては、電話回線、セルラリンクまたは他の無線リンク、ＲＦリンク、光リンク、ネットワークインターフェース、ローカルエリアまたはワイドエリアネットワーク、および他の有線通信または無線通信チャネルが挙げられる。
【０４９６】
本文書において、「コンピュータプログラム媒体」および「コンピュータ使用可能媒体」および「コンピュータ可読媒体」という用語、ならびにその変形例は、一般に、例えばメインメモリ１１１５、記憶ユニットインターフェース１１３５、取り外し可能な記憶媒体１１２５、および／またはチャネル１１４５等の、一時的または非一時的な媒体を指すために使用される。これらのおよび他の種々の形態のコンピュータプログラム媒体またはコンピュータ使用可能／可読媒体は、１つ以上の命令の１つ以上のシーケンスを処理デバイスに搬送して実行する際に含まれ得る。媒体上で具現化されるそのような命令は、一般に、「コンピュータプログラムコード」または「コンピュータプログラム製品」または「命令」と称することができる（コンピュータプログラムまたは他のグループ化の形態で分類することができる）。例えばそのような命令がシステム、装置、もしくはデバイス、および／または同類のものに組み込まれたときを含む、実行されたときに、そのような命令は、コンピューティングモジュール１１００、それに関連する回路、および／またはそのもしくはそこに接続されたプロセッサが、（例えば、上で説明した、および／または特許請求の範囲で説明される方法と関連して）本明細書で論じられる本開示の特徴または機能を行うことを可能にすることができる。
【０４９７】
種々の実施形態を、その具体的な例示的特徴を参照して説明してきた。しかしながら、添付の特許請求の範囲に記載される種々の実施形態のより広範な主旨および範囲から逸脱することなく、種々の修正および変更が行われ得ることが明らかになるであろう。故に、本明細書および図面は、限定的な意味ではなく、例示的な意味であるとみなされるべきである。明確にする目的で、上の説明は、異なる機能ユニットを参照して実施形態を説明していることが認識されるであろう。しかしながら、異なる機能ユニット間の機能の任意の適切な分散を、本発明を損なうことなく使用することができることが明らかになるであろう。例えば、別々のコンピューティングデバイスによって行われるように例示される機能を、同じコンピューティングデバイスによって行うことができる。同様に、単一のコンピューティングデバイスによって行われるように例示される機能を、複数のコンピューティングデバイスに分散させることができる。したがって、特定の機能ユニットに対する参照は、厳密な論理的または物理的構造または編成を示すのではなく、説明される機能を提供するための好適な手段に対する参照としてのみ、みなされるべきである。
【０４９８】
種々の例示的な実施形態および実現形態に関して上で説明したが、個々の実施形態の１つ以上において説明する種々の特徴、態様、および機能は、それらの適用性において、それらが説明する特定の実施形態に限定されるのではなく、代わりに、そのような実施形態が説明されるか否かを問わず、およびそのような特徴が、説明される実施形態の一部であるように提示されるか否かを問わず、単独で、または種々の組み合わせで、本出願の他の実施形態の１つ以上に適用することができることを理解されたい。したがって、本出願の広がりおよび範囲は、上で説明した例示的な実施形態のいずれによっても限定されるべきでない。
【０４９９】
本出願で使用される用語および語句、ならびにその変化形は、別途明示されない限り、限定とは対照的な制約のないものと見なされるべきである。上記の例として、「含む（ｉｎｃｌｕｄｉｎｇ）」という用語は、「含むが、限定されない（ｉｎｃｌｕｄｉｎｇ，  ｗｉｔｈｏｕｔ  ｌｉｍｉｔａｔｉｏｎ）」、または同類のものとして読み取られるべきであり、「例（ｅｘａｍｐｌｅ）」という用語は、議論されている項目の網羅的または限定的リストではなく、その例示的なインスタンスを提供するために使用され、「１つの（ａまたはａｎ）」という用語は、「少なくとも１つの（ａｔ  ｌｅａｓｔ  ｏｎｅ）」、「１つ以上（ｏｎｅ  ｏｒ  ｍｏｒｅ）」、または同類のものとして読み取られるべきであり、「組」という用語は、その組に含まれるタイプの１つ以上の対象物を含むものとして読み取られるべきであり、「従来の（ｃｏｎｖｅｎｔｉｏｎａｌ）」、「伝統的な（ｔｒａｄｉｔｉｏｎａｌ）」、「通常の（ｎｏｒｍａｌ）」、「標準的な（ｓｔａｎｄａｒｄ）」、「既知の（ｋｎｏｗｎ）」等の形容詞、および類似する意味の用語は、説明される項目を所与の期間に限定するもの、または所与の時点で利用可能な項目に限定するものとして解釈するべきではなく、現在または将来の任意の時点に利用可能であり得る、または知られ得る、従来の、伝統的な、通常の、または標準的な技術を包含するものと読み取られるべきである。同様に、複数形は、いくつかの事例において、単数形に適用できるものとして、および逆もまた同じものとして認識することができる。同様に、この文書が、当業者に明らかまたは公知である技術を参照する場合、そのような技術は、現在または将来の任意の時点で当業者に明らかな、または既知の技術を包含する。
【０５００】
「１つ以上（ｏｎｅ  ｏｒ  ｍｏｒｅ）」、「少なくとも（ａｔ  ｌｅａｓｔ）」、「それに限定されないが（ｂｕｔ  ｎｏｔ  ｌｉｍｉｔｅｄ  ｔｏ）」、またはいくつかの事例において他の同様の語句等の、拡大語または拡大語句の存在は、そのような拡大語句が存在し得ない場合に、より幅の狭い場合が意図される、または必要とされることを意味するものと読み取られるべきではない。「モジュール」という用語の使用は、モジュールの一部として説明または特許請求される構成要素または機能が、全て共通のパッケージ内に構成されることを意味しない。実際に、制御論理であるか、回路であるか、他の構成要素であるかにかかわらず、モジュールの種々の構成要素のいずれかまたは全ては、単一のパッケージに組み合わせること、または別々に維持することができ、また、多数のグループもしくはパッケージで、または多数の場所にわたってさらに分配することができる。
【０５０１】
加えて、本明細書に記載される種々の実施形態は、例示的なブロック図、フロー図、および他の説明図に関して説明される。本文書を読み込んだ後に当業者に明らかになるように、例示される実施形態およびそれらの種々の代替物は、例示される実施例に限定することなく実施することができる。例えば、ブロック図およびそれらの付随する説明は、特定のアーキテクチャまたは構成を義務付けるものとして解釈されるべきでない。その上、本明細書で説明される種々の方法の動作および副動作は、必ずしも説明される、または図に示される順序に限定されるとは限らず、当業者は、本開示を研究することにより、本開示の主旨および範囲の範囲内にある、本明細書で説明される動作の順序の変形例を認識するであろう。フローチャート図の各ブロック、およびフローチャート図内のブロックの組み合わせは、コンピュータプログラム命令の実行によって実装することができることが理解されるであろう。これらのコンピュータプログラム命令は、センサ電子機器システム内のコンピュータまたは他のプログラム可能なデータ処理装置（コントローラ、マイクロコントローラ、マイクロプロセッサ、または同類のもの）にロードして、機械を生成することができ、よって、コンピュータまたは他のプログラム可能なデータ処理装置上で実行するための命令は、１つまたは複数のブロック内で指定される機能を実装するための命令を作成する。これらのコンピュータプログラム命令はまた、コンピュータまたは他のプログラム可能なデータ処理装置に特定の様式で機能するように指示することができるコンピュータ可読媒体にも記憶させることができ、よって、コンピュータ可読媒体に記憶された命令は、１つまたは複数のフローチャートブロック内で指定される機能を実装するための命令を含む製造物を生成する。コンピュータプログラム命令はまた、コンピュータまたは他のプログラム可能なデータ処理装置にロードして、一連の動作ステップをコンピュータまたは他のプログラム可能な装置上で行わせて、コンピュータによって実行されるプロセスを生成することもでき、よって、コンピュータまたは他のプログラム可能な装置上で実行するための命令は、その中に存在する１つまたは複数のフローチャートブロック内で指定される機能を実装するためのステップを提供する。
【０５０２】
本明細書で開示される全ての方法およびプロセスは、任意のグルコースまたは他の分析物監視システムで連続的または断続的に使用することができることを認識されたい。さらに、全ての方法およびプロセスの実装形態および／または実行は、ローカルであってもリモートであっても、任意の適切なデバイスまたはシステムによって行うことができることを認識されたい。さらに、デバイスまたはシステムの任意の組み合わせを使用して、本方法およびプロセスを実装することができる。
【０５０３】
加えて、本明細書で説明される方法の動作および副動作は、本明細書で説明されるシステム、装置、デバイス、環境、および／またはコンピューティングモジュールの、構成要素、要素、デバイス、モジュール、回路、プロセッサ、その他、のうちの１つ以上によって、いくつかの事例において、実行または実施することができ、また、本開示の種々の図、ならびに本明細書で説明される、および／またはそれらに関して説明される１つ以上の副構成要素、要素、デバイス、モジュール、プロセッサ、回路、および同類のものを参照することができる。そのような事例において、方法またはその態様の説明は、対応する構成要素、要素、その他を参照し得るが、明示的な参照が行われるかどうかにかかわらず、当業者は、本開示を研究することにより、対応する構成要素、要素、その他が使用され得るときに認識するであろう。さらに、そのような参照は、説明される方法を必ずしも参照される特定の構成要素、要素、その他に限定するとは限らないことが認識されるであろう。したがって、（副）構成要素、要素、デバイス、モジュール、および回路、その他に関連して上で説明した、その変形例を含む、態様および特徴は、本開示の範囲から逸脱することなく、本明細書で説明される方法と関連して説明される種々の動作に適用すること、および逆もまた同じであることが当業者によって認識されるであろう。
【符号の説明】
【０５０４】
８  分析物センサシステム
１０  連続分析物センサ
１２  センサ電子機器モジュール
１００  システム
１１０、１２０、１３０、１４０  表示デバイス
１１２、１２２、１３２、１４２  タッチスクリーンディスプレイ
１３４  サーバシステム
１３６  医療用デバイス
１３８  無線アクセスポイント
【図１Ａ】
2020504404.tif 000003
【図１Ｂ】
2020504404.tif 000004
【図２Ａ】
2020504404.tif 000005
【図２Ｂ】
2020504404.tif 000006
【図３Ａ】
2020504404.tif 000007
【図３Ｂ】
2020504404.tif 000008
【図３Ｃ】
2020504404.tif 000009
【図３Ｄ】
2020504404.tif 000010
【図３Ｅ】
2020504404.tif 000011
【図３Ｆ】
2020504404.tif 000012
【図３Ｇ】
2020504404.tif 000013
【図４】
2020504404.tif 000014
【図５】
2020504404.tif 000015
【図６】
2020504404.tif 000016
【図７Ａ】
2020504404.tif 000017
【図７Ｂ】
2020504404.tif 000018
【図７Ｃ】
2020504404.tif 000019
【図７Ｄ】
2020504404.tif 000020
【図７Ｅ】
2020504404.tif 000021
【図７Ｆ】
2020504404.tif 000022
【図７Ｇ】
2020504404.tif 000023
【図７Ｈ】
2020504404.tif 000024
【図７Ｊ】
2020504404.tif 000025
【図７Ｋ】
2020504404.tif 000026
【図８】
2020504404.tif 000027
【図９】
2020504404.tif 000028
【図１０Ａ】
2020504404.tif 000029
【図１０Ｂ】
2020504404.tif 000030
【図１０Ｃ】
2020504404.tif 000031
【図１０Ｄ】
2020504404.tif 000032
【図１０Ｅ】
2020504404.tif 000033
【図１１】
2020504404.tif 000034
【図１２Ａ】
2020504404.tif 000035
【図１２Ｂ】
2020504404.tif 000036
【図１３Ａ】
2020504404.tif 000037
【図１３Ｂ】
2020504404.tif 000038
【図１３Ｃ】
2020504404.tif 000039
【図１３Ｄ】
2020504404.tif 000040
【図１３Ｅ】
2020504404.tif 000041
【図１３Ｆ】
2020504404.tif 000042
【図１３Ｇ】
2020504404.tif 000043
【図１３Ｈ】
2020504404.tif 000044
【図１３Ｊ】
2020504404.tif 000045
【図１３Ｋ】
2020504404.tif 000046
【図１３Ｌ】
2020504404.tif 000047
【図１３Ｍ】
2020504404.tif 000048
【図１３Ｎ】
2020504404.tif 000049
【図１３Ｐ】
2020504404.tif 000050
【図１３Ｑ】
2020504404.tif 000051
【図１４】
2020504404.tif 000052
【図１５Ａ】
2020504404.tif 000053
【図１５Ｂ】
2020504404.tif 000054
【図１６Ａ】
2020504404.tif 000055
【図１６Ｂ】
2020504404.tif 000056
【図１６Ｃ】
2020504404.tif 000057
【図１７】
2020504404.tif 000058
【図１８】
2020504404.tif 000059
【図１９】
2020504404.tif 000060
【図２０】
2020504404.tif 000061
【手続補正書】
【提出日】平成31年4月19日(2019.4.19)
【手続補正１】
【補正対象書類名】明細書
【補正対象項目名】００２９
【補正方法】変更
【補正の内容】
【００２９】
一般に適用可能であり得るが、また、第５の態様の任意の他の実現形態と関連して特に適用可能でもある、第５の態様の特定の実現形態において、本方法はまた、第１の信号の導出物が上限閾値未満であることに基づいて、第２のリンクに従って表示デバイスを構成するための指示を生成することも含む。実施形態において、指示は、表示デバイスを分析物センサシステムのより近くに移動させるための命令を表す通信を含む。本方法はまた、表示デバイスが、表示デバイスのユーザに指示を提供することも含むことができる。指示は、可聴通信、視覚通信、および触覚通信のうちの１つ以上を含む。
【手続補正２】
【補正対象書類名】明細書
【補正対象項目名】００４２
【補正方法】変更
【補正の内容】
【００４２】
一般に適用可能であり得るが、また、第７の態様の任意の他の実現形態と関連して特に適用可能でもある、第７の態様の特定の実現形態において、本方法はまた、第１の信号の導出物が上限閾値未満であることに基づいて、第２のリンクに従って表示デバイスを構成するための指示を生成することも含む。指示は、表示デバイスを分析物センサシステムのより近くに移動させるための命令を表す通信を含むことができる。実施形態において、本方法はまた、指示が表示デバイスのユーザに提供されるように、表示デバイスに指示を送信することも含む。指示は、可聴通信、視覚通信、および触覚通信のうちの１つ以上を含むことができる。実施形態において、本方法はまた、第１の信号の導出物が上限閾値を満たすこと、またはそれを超えることに基づいて、第２のリンクに従って表示デバイスを構成するための指示を生成することも含む。
【手続補正３】
【補正対象書類名】明細書
【補正対象項目名】００５３
【補正方法】変更
【補正の内容】
【００５３】
一般に適用可能であり得るが、また、第９の態様の任意の他の実現形態と関連して特に適用可能でもある、第９の態様の特定の実現形態において、本方法はまた、第１の信号の導出物が上限閾値未満であることに基づいて、第２のリンクに従って表示デバイスを構成するための指示を生成することも含む。指示は、表示デバイスを分析物センサシステムのより近くに移動させるための命令を表す通信を含むことができる。実施形態において、本方法は、指示が表示デバイスのユーザに提供されるように、表示デバイスに指示を送信することをさらに含む。指示は、可聴通信、視覚通信、および触覚通信のうちの１つ以上を含むことができる。実施形態において、本方法はまた、第１の信号の導出物が上限閾値を満たすこと、またはそれを超えることに基づいて、第２のリンクに従って表示デバイスを構成するための指示を生成することも含む。
【手続補正４】
【補正対象書類名】明細書
【補正対象項目名】０１５９
【補正方法】変更
【補正の内容】
【０１５９】
図１Ａを再度参照すると、表示デバイス１１０、１２０、１３０、および／または１４０は、（例えば、それぞれの選好に基づいて、表示デバイスに伝送されるカスタマイズされたデータパッケージで）センサ電子機器モジュール１２によって伝送することができる表示可能なセンサ情報を表示する（および／またはアラームする）ように構成される。表示デバイス１１０、１２０、１３０、または１４０の各々は、ユーザにセンサ情報および／または分析物データを表示する、および／またはユーザから入力を受信するための、タッチスクリーンディスプレイ１１２、１２２、１３２、および／または１４２等の、ディスプレイを含むことができる。例えば、そのような目的で、グラフィカルユーザインターフェースをユーザに提示することができる。いくつかの実現形態において、表示デバイスは、タッチスクリーンディスプレイの代わりに、またはそれに加えて、センサ情報を表示デバイスのユーザに通信し、および／またはユーザ入力を受信するための、音声ユーザインターフェース等の他の種類のユーザインターフェースを含むことができる。いくつかの実施形態において、表示デバイスのうちの１つ、いくつか、または全ては、（例えば、それぞれの表示デバイスに伝送されるデータパッケージで）センサ電子機器モジュールから通信されたときに、センサ情報の較正およびリアルタイム表示に必要とされるいかなる追加的な予測的処理も伴わずに、センサ情報を表示または別様には通信するように構成することができる。
【手続補正５】
【補正対象書類名】明細書
【補正対象項目名】０１７３
【補正方法】変更
【補正の内容】
【０１７３】
プロトコルは、多数のデバイスとの通信チャネルを確立し、一方で、干渉回避スキームを実施するようにさらに構成されることができる。いくつかの実施形態において、プロトコルは、複数のデバイスとの通信のための種々のタイムスロットおよび周波数帯域を定義する、適応型等時性ネットワークトポロジを使用することができる。したがって、プロトコルは、干渉に応答して、および多数のデバイスとの通信をサポートするために、伝送ウインドウおよび周波数を修正することができる。故に、無線プロトコルは、時間および周波数分割多重化（ＴＤＭＡ）に基づくスキームを使用することができる。無線プロトコルはまた、直接シーケンススペクトラム拡散（ＤＳＳＳ）および周波数ホッピングスペクトラム拡散スキームも用いることができる。種々のネットワークトポロジを使用して、ＷｉＦｉ、Ｂｌｕｅｔｏｏｔｈ（登録商標）、およびＢｌｕｅｔｏｏｔｈ（登録商標）  Ｌｏｗ  Ｅｎｅｒｇｙ（ＢＬＥ）等の、ピアツーピア、スター、ツリー、またはメッシュネットワークトポロジ等の、近距離および／または低電力の無線通信をサポートすることができる。無線プロトコルは、２．４ＧＨｚ等のオープンＩＳＭ帯域等の、種々の周波数帯域で動作することができる。さらに、電力使用を低減させるために、無線プロトコルは、電力消費に従ってデータ速度を適応的に構成することができる。
【手続補正６】
【補正対象書類名】明細書
【補正対象項目名】０２２０
【補正方法】変更
【補正の内容】
【０２２０】
動作６２０ｆで、プロセッサ６２０は、無線６２５にシグナリングして通信を停止させる。この様態で、（動作６２５ｄで）応答シグナリングを送信した後に、無線６２５は、表示デバイスとの接続を閉じ、動作６２５ｅで、ＬＰＭまたは同類のものに入ることができる。同様に、プロセッサ６２０は、無線６２５にシグナリングして通信を停止させた後に、動作６２０ｇで、ＬＰＭまたは同類のものに入ることができる。実施形態では、動作６２０ｇを省略することができ、よって、プロセッサは、必ずしもＬＰＭモード、その他に入るわけではない。分析物センサシステム６０８は、ＡＦＥ６１０がその後に、プロセッサ６２０にシグナリングして上で説明した種々の動作の実現形態を再度開始するまで、ＬＰＭまたは同類のものを維持することができる。連続接続モデルの場合は、動作６２５ｅを省略することができ、よって、例えば、スリープモードには入らない、および／または接続が閉じられないが、代わりに、接続は、図７Ｊを参照して本明細書で説明されるように維持される。
【手続補正７】
【補正対象書類名】明細書
【補正対象項目名】０２７２
【補正方法】変更
【補正の内容】
【０２７２】
本開示と関連して、上記に対する数多くの変形例が企図される。例えば、いくつかの事例において、初期の配設（例えば、配設１０００ｂ）では、測定値１０１４ｂまたは同類のものが上限閾値１００４を超え得るように、表示デバイス３１０が分析物センサシステム３０８の比較的近くに位置付けられる場合がある。例えば、ユーザは、表示デバイス３１０を分析物センサシステム３０８の極めて近くで保持する場合がある。これは、例えば、分析物センサシステム３０８が、ユーザの腹部上に配置され、ユーザが、表示デバイス３１０をユーザの腹部の近くのユーザの前ポケットから取り外す場合に生じ得る。ここで、ある単一の測定値または導出物（例えば、表示デバイス３１０および分析物センサシステム３０８への近接に基づくＲＳＳＩ測定）が、正確な識別／選択を行うのに十分でない場合がある。この事例において、ユーザは、表示デバイス３１０を分析物センサシステム３０８のより近くに移動させることができない場合がある。したがって、ユーザに、最初に、表示デバイス３１０を分析物センサシステム３０８から遠くに、例えば、下限閾値１００６等の閾値に交差し、測定値１０１４ｃまたは同類のものが取得されるように十分遠くに移動させるよう促すことができる。次いで、ユーザに、表示デバイス３１０を分析物センサシステム３０８のより近くに移動させて、上限閾値１００４に交差し、測定値１０１４ｂまたは同類のものが取得されるように、本質的に配設１０００ｂを復元するよう促すことができる。
【手続補正８】
【補正対象書類名】明細書
【補正対象項目名】０２７５
【補正方法】変更
【補正の内容】
【０２７５】
実施形態において、閾値デルタは、分析物センサシステム３１０の製造および／またはセットアッププロセスと併せて設定することができる。例えば、閾値デルタは、最初に、測定値の予期される、または平均のデルタに基づいて設定することができる。ＲＳＳＩに基づくペアリング技法に関して、閾値デルタは、表示デバイス３１０および分析物センサシステム３０８のペアリングについて予期される使用事例に基づいて設定することができる。１つの例示的な予期される使用事例は、ユーザが、表示デバイス３１０を見るまた同類のことのために、表示デバイス３１０をユーザのポケットまたは他の典型的な場所から取り出し、外で保持することである。そのようなアクションを行う典型的なユーザは、一例として約１６インチの表示デバイス３１０の位置変化をもたらし得る。故に、閾値デルタの初期値は、約１６インチの値の位置変化に対応する、ＲＳＳＩの予期される変化に設定することができる。いくつかの具体的な実施例において例示として、ＲＳＳＩの変化は、約２０ｄＢｍ（例えば、デバイスが互いに近くに移動する場合は、＋２０ｄＢｍ、デバイスが互いから遠くに移動する場合は、−２０ｄＢｍ）であり得る。実施形態において、閾値デルタの初期値は、分析物センサシステム３０８の態様の性質に基づいて判定することができる。例えば、予期されるユーザの特性に基づいて、センサ１０等の分析物センサシステム３０８の態様が（例えば、サイズに関して）可変的になる場合、（例えば、ユーザのサイズ差に基づいて、予期される位置変化に適応するために）閾値デルタについて最初に確立される値も同様に変動させることができる。いくつかの事例において、閾値デルタは、表示デバイス３１０のデバイスのタイプに基づくことができる。
【手続補正９】
【補正対象書類名】明細書
【補正対象項目名】０３２６
【補正方法】変更
【補正の内容】
【０３２６】
図１３Ｍに示される実施形態は、上で説明したユーザ相互作用の第１、第２、第３、および第４の階層またはレベルのうちの１つ以上に関するものを含む、接続のためのデバイスを識別するための方法１３２６の態様を含む。動作１３６０Ａで、方法１３２６は、随意に、ユーザに、（例えば、例えば視覚的、聴覚的、および／または触覚的なものを含む、表示デバイス３１０のＧＵＩ３４０を介して、または分析物センサシステム３０８ａを介して）分析物センサシステム３０８ａおよび／または表示デバイス３１０ａに収容された加速度計に入力を提供させるための命令を提示することを含み、この入力は、信号（例えば、アドバタイズメントメッセージ、パイロット信号、その他）の伝送を開始する。動作１３６０Ｂで、方法１３２６は、表示デバイス３１０ａと分析物センサシステム３０８ａとの、接続のための選択を生成するための複数のモードのうちの１つで動作することを含む。複数のモードは、ユーザ相互作用の第１、第２、第３、その他の階層に対応することができる。
【手続補正１０】
【補正対象書類名】明細書
【補正対象項目名】０３５０
【補正方法】変更
【補正の内容】
【０３５０】
アプリケーション鍵はまた、適宜、トリガーされたイベントに基づいて、ランダムに、および／または定期的に修正することもできる。これは、例えば、所定の時間量の経過、そのサブシステムの分析物センサシステム７０８、または表示デバイス７１０の再起動、分析物センサシステム７０８に接続しようとする別のデバイス（例えば、危険なデバイス）に関連するトリガー、および／またはユーザ入力、に応答して行うことができる。例えば、アプリケーション鍵は、所定の時間量の経過後に期限切れになるように構成することができ、また、その後にリフレッシュまたは新しくすることができる。代替的または追加的に、分析物センサシステム７０８および／または表示デバイス７１０が再起動した、または遮断を経験した場合、新しいアプリケーション／暗号化キーを生成し、分析物センサシステム７０８と表示デバイス７１０との間で共有することができる。いくつかの事例において、アプリケーション鍵は、鍵ローテーションスキームに従って修正することができる。その上、アプリケーション鍵を修正することができる頻度は、所望のセキュリティレベルに従って変動させることができる（例えば、より頻繁な修正が、増加したセキュリティレベルに対応する）。
【手続補正１１】
【補正対象書類名】明細書
【補正対象項目名】０３８８
【補正方法】変更
【補正の内容】
【０３８８】
Ｋ．連続接続モデル
いくつかの状況では、断続モデルが適切である、および／または好ましい場合がある。１つのそのような状況は、ユーザが、多数の表示デバイスを使用して分析物値を監視することを好む場合であり得る。例えば、ユーザがＩ型糖尿病である場合、分析物（例えば、グルコース）データの監視は、比較的より重要であり得、そのため、より大きい適用範囲／冗長性のために多数の表示デバイスを用いる場合がある。
【手続補正１２】
【補正対象書類名】明細書
【補正対象項目名】０３８９
【補正方法】変更
【補正の内容】
【０３８９】
しかしながら、他の状況において、連続接続モデルが適切である、および／または好ましい場合がある。例えば、ユーザは、単一の表示デバイスを使用することを好む場合、またはそうするように制限される場合がある（例えば、便宜上の目的で、またはユーザが旅行している場合、または他の表示デバイスが利用できない場合、例えば、デバイスが、破損した、そのバッテリが切れた、それを失くした、接続／機能することができない、または主に他の目的に使用されている場合）。また、例えば、ユーザがＩＩ型糖尿病であり、したがって、グルコースデータの監視が比較的あまり重要でなく、よって、多数の表示デバイスを冗長性／適用範囲の目的で用いる必要がない、といった他の状況も挙げられる。
【手続補正１３】
【補正対象書類名】明細書
【補正対象項目名】０３９８
【補正方法】変更
【補正の内容】
【０３９８】
以下、接続間隔パラメータの態様が説明される。連続接続モデルを用いた実施形態において、例えば分析物センサシステム７０８と表示デバイス７１０との接続は、メッセージング（例えば、ピングメッセージ）の定期的な交換によって維持することができる。これは、例えば、図Ｊにおいて、動作７９５ｅによって例示される。動作７９５ｅで、接続を維持するために、メッセージが分析物センサシステム７０８と表示デバイス７１０との間で定期的に交換される。例えば、そのようなメッセージは、分析物センサシステム７０８へ／から伝送し、単純に、伝送デバイスが依然として受信デバイスに接続されていることを示すことができる（例えば、「ピング」）。これは、接続パラメータによって定義されるように、所定の接続間隔（例えば、２秒または任意の時間量に１回）に従って、定期的に行うことができる。確立される期間は、いくつかの事例において、ネットワークパラメータまたは条件、分析物センサシステム７０８に接続された表示デバイス７１０の種類または特性、データが分析物センサシステム７０８によって伝送または生成／収集されている頻度、およびその他、等の基準に従って選択する／変動させることができる。
【手続補正１４】
【補正対象書類名】明細書
【補正対象項目名】０４０３
【補正方法】変更
【補正の内容】
【０４０３】
上で述べたように、例示的な実施形態において、分析物センサシステム７０８の予期寿命および／または分析物センサシステム７０８の予期バッテリ寿命は、接続間隔の値および／または値の範囲を判定する役割を果たすことができる。実施形態において、例えば、接続間隔は、分析物センサシステム７０８の予期寿命と比例し得る。すなわち、接続間隔のより高い値（例えば、ピングメッセージがあまり頻繁に送信されない）は、バッテリ寿命の消費がより少なくなり得、したがって、より長い予期寿命を維持する可能性がより高くなり得る。同様に、接続間隔のより低い値（例えば、ピングメッセージがより頻繁に送信される）は、バッテリ寿命の消費がより多くなり得、したがって、より短い予期寿命を維持する可能性がより高くなり得る。例えば、分析物センサシステム７０８の予期寿命が１４日である場合、分析物センサシステム７０８は、接続間隔を２〜１０秒に設定する。これらの数は、単に例示として提供されることが認識されるであろう。
【手続補正１５】
【補正対象書類名】明細書
【補正対象項目名】０４３１
【補正方法】変更
【補正の内容】
【０４３１】
動作１９０５Ｅで、方法１９００は、随意に、表示デバイス７１０から接続要求を受信することを含む。ここで、一例として、図７Ｊの動作７９５ｂを参照する。方法１９００は、動作１９０５Ｆで、接続要求を受信することに応答して、分析物センサシステム７０８が表示デバイス７１０に一組の接続パラメータの提案を送信することを含むことができる。ここで、一例として、図７Ｊの動作７９５ｂおよび７９５ｆを参照する。動作１９０５Ｇで、方法１９００は、提案に基づいて、表示デバイス７１０から接続決定を受信することを含むことができる。ここで、一例として、図７Ｊの動作７９５ｂおよび７９５ｆ／７９５ｇを参照する。
【手続補正１６】
【補正対象書類名】明細書
【補正対象項目名】０４３２
【補正方法】変更
【補正の内容】
【０４３２】
動作１９０５Ｈで、方法１９００は、接続のための選択および／または接続決定に基づいて、表示デバイス７１０と分析物センサシステム７０８との間の接続を確立することを含む。例えば、動作１９０５Ｆで送信される一組の接続パラメータの提案の受諾を含む接続決定に応答して、接続を確立することができる。ここで、一例として、図７Ｊの動作７９５ｂおよび７９５ｆを参照する。動作１９０５Ｊは、例えば一組の接続パラメータに基づいて、メッセージングを定期的に交換して、接続を維持することを含む。ここで、一例として、図７Ｊの動作７９５ｅを参照する。動作１９０５Ｋで、方法１９００は、分析物センサシステム７０８および表示デバイス７１０が接続を維持している間、分析物センサシステム７０８が表示デバイス７１０に分析物データを伝送することを含む。
【手続補正１７】
【補正対象書類名】明細書
【補正対象項目名】０４３６
【補正方法】変更
【補正の内容】
【０４３６】
方法２０００の実施形態は、動作２００５Ｅで、第１の接続を終了することを含む。例示の目的で、図７Ｊの動作７９５ｇを参照する。動作２００５Ｆで、方法２０００は、随意に、分析物センサシステム７０８と表示デバイス７１０との間の第２の接続を確立することを含む。動作２００５Ｇは、分析物センサシステム７０８が、表示デバイス７１０とメッセージングを定期的に交換して、第２の接続を維持することを含む。動作２００５Ｈで、方法２０００は、第２の接続が維持されている時間中に、分析物センサシステム７０８が表示デバイス７１０に暗号化された分析物データを伝送することも含む。第２の接続のために、動作２００５Ｇでメッセージングを定期的に交換し、動作２００５Ｈで暗号化された分析物データ伝送することは、動作２００５Ａで第１の接続のための表示デバイス７１０を認証することに基づく。したがって、方法２０００のこれらの態様と関連して、分析物データの伝送の前に交換されるメッセージングの量を低減させるために以前の認証を用いることができる場合に、認証が繰り返され得ない。
【手続補正１８】
【補正対象書類名】明細書
【補正対象項目名】０４７２
【補正方法】変更
【補正の内容】
【０４７２】
図１５Ｂは、例えば接続パラメータおよび関連する特徴の交換、交渉、および設定を含む、分析物データを無線通信するための方法１５０２の態様に関連する本開示の実施形態を含む。これに関して、方法１５０２は、動作１５１０Ａで、表示デバイス７１０上で動作するアプリケーション（例えば、一例として図３Ｂを参照して、アプリケーション３３０）からの入力に応答して、表示デバイス７１０が分析物センサシステム７０８に接続パラメータの値を含むメッセージを送信することを含むことができる。動作１５１０Ｂで、方法１５０２は、表示デバイス７１０が分析物センサシステム７０８から接続パラメータの値を受信することを含む。
【手続補正１９】
【補正対象書類名】特許請求の範囲
【補正対象項目名】全文
【補正方法】変更
【補正の内容】
【特許請求の範囲】
【請求項１】
分析物データを無線通信するための方法であって、前記方法が、
分析物センサシステムおよび表示デバイスが接続を維持するように、前記分析物センサシステムが前記表示デバイスと定期的にメッセージを交換することと、
前記分析物センサシステムおよび前記表示デバイスが前記接続を維持している間、前記分析物センサシステムが前記表示デバイスに前記分析物データを伝送することと、を含む、方法。
【請求項２】
前記表示デバイスから接続要求を受信することに応答して、前記分析物センサシステムが、前記表示デバイスに一組の接続パラメータの提案を送信することをさらに含む、請求項１に記載の方法。
【請求項３】
前記表示デバイスから接続決定を受信することをさらに含み、前記接続決定が、前記提案に基づく、請求項２に記載の方法。
【請求項４】
定期的にメッセージを交換することが、前記提案の受諾を含む前記接続決定に応答して、前記一組の接続パラメータに基づいて行われる、請求項３に記載の方法。
【請求項５】
前記一組の接続パラメータが、
接続間隔と、
スレーブ待ち時間と、
監視タイムアウトと、を含む、請求項２に記載の方法。
【請求項６】
前記接続パラメータのうちの１つ以上の違反に基づいて、前記接続を終了することをさらに含む、請求項５に記載の方法。
【請求項７】
前記接続を終了することに応答して、前記分析物センサシステムが、アドバタイズメントメッセージを伝送することをさらに含む、請求項６に記載の方法。
【請求項８】
前記接続パラメータのうちの１つ以上の違反に応答して、前記接続パラメータのうちの１つ以上を修正するように要求することをさらに含む、請求項５に記載の方法。
【請求項９】
分析物データを無線通信するための方法であって、前記方法が、
接続パラメータの提案を受信することであって、前記提案が、前記接続パラメータの１つ以上の提案値を含む、前記受信することと、
前記提案が、許容可能であるかどうかを判定することと、
前記提案が許容可能であるかどうかを判定することに基づいて、前記提案に対する応答を生成することと、を含む、方法。
【請求項１０】
前記応答が許容可能な提案値の受諾を示す場合に、前記１つ以上の提案値のうちの前記許容可能な提案値に基づいて、表示デバイスと分析物センサシステムとの間の接続を修正することをさらに含む、請求項９に記載の方法。
【請求項１１】
前記応答が許容可能な提案値の受諾を示す場合に、前記１つ以上の提案値のうちの前記許容可能な提案値に基づいて、表示デバイスと分析物センサシステムとの間の接続を確立することをさらに含む、請求項９に記載の方法。
【請求項１２】
前記応答が前記接続パラメータの前記提案値以外の前記接続パラメータの値の選好を示す場合に、反対提案を送信することをさらに含み、前記反対提案が、前記接続パラメータの１つ以上の反対提案値を含む、請求項９に記載の方法。
【請求項１３】
前記反対提案に対する応答を受信することと、
前記反対提案に対する前記応答が前記反対提案値のうちの１つ以上の受諾を示す場合に、前記反対提案値のうちの少なくとも１つに基づいて、表示デバイスと分析物センサシステムとの間の接続を修正することと、をさらに含む、請求項１２に記載の方法。
【請求項１４】
前記反対提案に対する応答を受信することと、
前記反対提案に対する前記応答が前記反対提案値の否認を示す場合に、表示デバイスと分析物センサシステムとの間の接続を終了することと、をさらに含む、請求項１２に記載の方法。
【請求項１５】
前記反対提案に対する応答を受信することと、
前記反対提案に対する前記応答が前記反対提案値のうちの１つ以上の受諾を示す場合に、前記反対提案値のうちの少なくとも１つに基づいて、表示デバイスと分析物センサシステムとの間の接続を確立することと、をさらに含む、請求項１２に記載の方法。
【請求項１６】
前記反対提案に対する応答を受信することと、
前記反対提案に対する前記応答が前記反対提案値の否認を示す場合に、接続拒否決定を生成することと、をさらに含む、請求項１２に記載の方法。
【請求項１７】
前記接続パラメータが、接続間隔、スレーブ待ち時間、および監視タイムアウトからなる群から選択される、請求項９に記載の方法。
【請求項１８】
前記提案が、分析物センサシステムの予期される動作時間に基づく、請求項９に記載の方法。
【請求項１９】
前記提案が、ユーザのグルコースレベルに基づく、請求項９に記載の方法。
【請求項２０】
前記提案が、サービス品質、時刻、場所、または、バッテリの状態、のうちの１つ以上に基づく、請求項９に記載の方法。
【請求項２１】
第１の接続モデルに従って接続を要求することと、
前記提案が許容可能でないと判定することに応答して、第２の接続モデルに従って接続を要求することと、をさらに含む、請求項９に記載の方法。
【国際調査報告】
2020504404.tif 000062
2020504404.tif 000063
2020504404.tif 000064
2020504404.tif 000065